(57)【要約】      （修正有）【課題】皮膚ソーキングデバイスに関し、より具体的には、フェイスソーキングデバイスを提供する。【解決手段】フェイスソーキングデバイス、及び、使用の方法。ある実施形態では、デバイスは、ベッセル２００、ベッセルネックガスケット３４０、及び呼吸装置４００を含むことが可能である。ベッセルは、液体を保持し、ユーザの顔又はその一部分を沈めるように構成され得る。ベッセルネックガスケットは、ベッセルに（除去可能に）接合され得る。ベッセルネックガスケットは、ユーザの首の一部分を快適に収容するように構成され得る。呼吸装置は、ベッセル、ヘッドレストサブアセンブリ、及び／又は、ユーザと除去可能に接触していることが可能である。呼吸装置は、ユーザの顔が液体の中に沈められ得る間に、ユーザが呼吸することを可能にするように構成され得る。【選択図】図１Ａ
2020032202.tif 000002
【特許請求の範囲】
【請求項１】
可撓性の取り外し可能なベッセルカバーであって、
上部開口を有し、液体を保持することができるベッセルであって、ガスケット−アコモデータを有するベッセルと、
概して前記ベッセルの前記ガスケット−アコモデータをカバーするように形作られる可撓性のシートであって、前記可撓性のシートの底部に沿ってガスケットを有する、可撓性のシートと、を備え、
前記ガスケットの底部及び前記ベッセルの前記ガスケット−アコモデータの上部が、互いに耐密に嵌合して一次的な水密シールを形成するように配置されている、ベッセルカバー。
【請求項２】
前記ベッセルの前記ガスケット−アコモデータの上に前記ガスケットを固定して保持するためのクランプをさらに備える、請求項１に記載のベッセルカバー。
【請求項３】
上部開口を有するベッセルであって、前記ベッセルの内側空間の中に液体を保持することができるベッセルと、
前記内側空間の底部の近くの少なくとも１つのポイントにガスのストリームを供給する手段であって、前記ガスのストリームが、前記ベッセルが十分な量の前記液体を含むときに、放出された泡をもたらすようになっている、手段と、
前記ベッセルの前記内側空間の中へ電磁放射線を放射するための少なくとも１つの電磁エミッタであって、それによって、前記ベッセルの前記内側空間の中へ放射された前記電磁放射線が、前記ベッセルの中に保持されている前記液体の中の前記泡の少なくともいくらかと相互作用する、少なくとも１つの電磁エミッタと、を備えるソーキングデバイス。
【請求項４】
前記少なくとも１つの電磁エミッタは、発光ダイオード、白熱光源、及び、治療的電磁放射線の任意の他の供給源のうちの１つ又は複数から選択される、請求項３に記載のソーキングデバイス。
【請求項５】
ユーザ顔全体又はその一部分にフィットするようにサイズ決めされている内部容積を備えるベッセルであって、前記内部容積は、前記顔全体又はその一部分を沈めるのに十分な体積の液体を保持するようにサイズ決めされており、前記ベッセルは、少なくとも１つの壁部及び少なくとも１つのベースを備え、前記少なくとも１つの壁部及び前記少なくとも１つのベースは互いに物理的に接触しており、前記少なくとも１つの壁部及び前記少なくとも１つのベースはともに前記内部容積の境界を実質的に決めており、前記内部容積に対する上部開口が前記少なくとも１つのベースから反対側に配設されており、前記少なくとも１つの壁部はネック−ガスケット−アコモデータを備え、前記ネック−ガスケット−アコモデータはベッセルネックガスケットを収容する、ベッセルと、
前記ベッセルに接合される前記ベッセルネックガスケットであって、前記ネック−ガスケット−アコモデータにおいて、一次的な水密シールを形成し、前記顔全体又はその一部分が沈められるとき、前記ベッセルネックガスケットが前記ユーザの首領域の第１の部分を受け入れるときに、二次的な水密シールが、前記首領域の前記第１の部分と前記ベッセルネックガスケットとの間に形成され、前記ベッセルネックガスケットは前記首領域の前記第１の部分と除去可能に接触している、ベッセルネックガスケットと、
前記ベッセルに物理的に取り付けられている、又は、前記ベッセルと物理的に接触している組み合わせヘッドレストサブアセンブリと物理的に組み合わされている呼吸装置であって、マウスピース、少なくとも１つのベッセル−チューブ−ホース−コネクタ、及び、少なくとも１つのホース又は少なくとも１つのチュービングを備え、前記少なくとも１つのホース又は前記少なくとも１つのチュービングは、前記マウスピースを前記少なくとも１つのベッセル−チューブ−ホース−コネクタに接続し、呼吸ガス移動のためのシールされた経路を提供し、前記マウスピースは、前記ユーザの口によって保持可能であり、前記少なくとも１つのベッセル−チューブ−ホース−コネクタは、前記呼吸装置と前記ベッセルとの間に物理的リンクを提供し、前記ユーザは、前記ユーザの前記口が前記マウスピースを保持しているときに、前記呼吸装置を使用して呼吸することができる、呼吸装置と、を備え、
前記ベッセルが前記ベッセルの最大液体レベル以下のレベルまで前記液体で充填されているときに、前記ユーザは、前記顔全体又はその一部分を一定期間にわたって浸漬させ、前記一定期間にわたって前記液体の中に浸漬されている皮膚が、健康上の利益、審美的な利益、及び／又は、鎮静的な利益を受けるようになっている、フェイスソーキングデバイス。
【請求項６】
前記ネック−ガスケット−アコモデータが、前記ベッセルのリムの下方に延びている前記少なくとも１つの壁部の中にコンタを備え、前記リムは、前記上部開口の境界を実質的に定めており、前記コンタは、前記コンタの表面が最初に前記リムの下方を延びる場所において始まり、前記コンタは、前記コンタの前記表面が前記リムまで延びて戻る場所において終了するまで、継続しており、前記コンタが始まる場所、及び、前記コンタが終了する場所は、水平方向幅によって分離されており、前記コンタは、前記リムの高さから前記コンタの最下点へ、最大垂直方向長さを有する、請求項５に記載のフェイスソーキングデバイス。
【請求項７】
前記水平方向幅は、前記ユーザの前記首部の直径以上である、請求項６に記載のフェイスソーキングデバイス。
【請求項８】
前記最大垂直方向長さは、前記ユーザの前記首部の直径の半分以上である、請求項６に記載のフェイスソーキングデバイス。
【請求項９】
前記フェイスソーキングデバイスの前面から見たときの前記コンタの形状は、円形の３分の１から３分の３、楕円形の３分の１から３分の３、長円形の３分の１から３分の３、「Ｕ」字形状、馬蹄形、正多角形、非正多角形、及び半多角形からなる群から選択される、請求項６に記載のフェイスソーキングデバイス。
【請求項１０】
前記ベッセルネックガスケットは、前記ユーザの前記首領域の前記第１の部分を受け入れるために調節的な上部縁部を含む、請求項５に記載のフェイスソーキングデバイス。
【請求項１１】
前記ベッセルネックガスケットは、可撓性の部材であり、前記ベッセルネックガスケットは、平面的であり、内部表面、及び、前記内部表面の反対側に配設されている外部表面を備えており、前記外部表面又は前記内部表面は、前記首領域の前記第１の部分とともに前記二次的な水密シールを形成する、請求項５に記載のフェイスソーキングデバイス。
【請求項１２】
前記ベッセルネックガスケットは、シリコーン、ゴム、ネオプレン、ニトリル、ビニール、ポリエチレン、及びポリプロピレンからなるエラストマーのうちの１つ又は複数から実質的に構築される、請求項５に記載のフェイスソーキングデバイス。
【請求項１３】
前記ベッセルネックガスケットは、前記ネック−ガスケット−アコモデータのコンタの形状及び表面に相補的である相手側縁部を含む、請求項５に記載のフェイスソーキングデバイス。
【請求項１４】
前記相手側縁部は、ベッセルネックガスケット取り付け手段によって、前記ネック−ガスケット−アコモデータの前記コンタに取り付けられており、又は、前記ベッセルネックガスケットの前記相手側縁部は、前記少なくとも１つの壁部の外壁面に取り付けられており、又は、前記ベッセルネックガスケットの前記相手側縁部は、前記少なくとも１つの壁部の内壁面に取り付けられており、前記外壁面又は前記内壁面へのそのような取り付けは、前記コンタから固定距離にあり、そのような取り付けは、前記ベッセルネックガスケット取り付け手段によるものである、請求項１３に記載のフェイスソーキングデバイス。
【請求項１５】
前記ベッセルネックガスケット取り付け手段は、熱溶着、超音波溶着、溶剤結合、化学接着剤、シーラント、及び機械的な締結具のうちの１つ又は複数から選択される、請求項１４に記載のフェイスソーキングデバイス。
【請求項１６】
前記機械的な締結具の少なくとも１つは、クランプであり、前記フェイスソーキングデバイスは、前記クランプをさらに備え、前記ベッセルネックガスケットは、前記クランプの使用によって、前記ネック−ガスケット−アコモデータに取り付けられており、そのような取り付けは、前記一次的な水密シールを形成しており、前記クランプは、前記ネック−ガスケット−アコモデータへの摩擦嵌めによって、相補的にフィットするように形状決めされており、前記ベッセルネックガスケットの一部分は、前記クランプと前記ネック−ガスケット−アコモデータの前記コンタとの間に挟まれており、前記一次的な水密シールを形成している、請求項１５に記載のフェイスソーキングデバイス。
【請求項１７】
前記ベッセルネックガスケットの前記一部分は、前記相手側縁部を含む、請求項１６に記載のフェイスソーキングデバイス。
【請求項１８】
前記クランプは、リジッドからセミリジッドである、請求項１６に記載のフェイスソーキングデバイス。
【請求項１９】
前記ベッセルネックガスケットは、前記ベッセルに除去可能に接合される、請求項５に記載のフェイスソーキングデバイス。
【請求項２０】
前記ネック−ガスケット−アコモデータ及び前記ベッセルネックガスケットは、互いに一体的になっており、前記少なくとも１つの壁部と一体的になっており、前記ベッセルネックガスケットは、セミリジッドからリジッドである前記少なくとも１つの壁部の取り囲む壁部厚さよりも小さい薄い壁部厚さを有する可撓性の側壁の領域であり、前記ネック−ガスケット−アコモデータは、前記薄い壁部厚さが前記取り囲む壁部厚さへと移行する可撓性の側壁の前記領域のいくつかの部分の周りの移行領域である、請求項５に記載のフェイスソーキングデバイス。
【請求項２１】
ヘッドレストサブアセンブリをさらに備え、前記ヘッドレストサブアセンブリの少なくともいくつかの部分は、前記ベッセルに取り付けられており、前記ヘッドレストサブアセンブリは、サポート部材又はストラップを含むことが可能であり、前記サポート部材の少なくともいくつかの部分、又は、前記ストラップの少なくともいくつかの部分は、前記内部容積の中に位置付けされており、前記サポート部材又は前記ストラップは、前記顔全体又はその一部分が前記内部容積の中に除去可能に位置付けされているときに、前記ユーザの前記頭部の一部分を物理的に支持する、請求項５に記載のフェイスソーキングデバイス。
【請求項２２】
前記ヘッドレストサブアセンブリは、高さ調節手段をさらに備え、前記高さ調節手段は、前記ベッセルの前記少なくとも１つのベースから前記ベッセルの前記上部開口へ垂直方向に延びる軸線に対して、前記サポート部材の前記少なくともいくつかの部分の高さ、又は、前記ベッセルの前記内部容積の中の前記ストラップの前記少なくともいくつかの部分の高さを変化させ、前記高さ調節手段は、前記サポート部材の前記少なくともいくつかの部分、又は、前記ストラップの前記少なくともいくつかの部分に物理的に接触している、請求項２１に記載のフェイスソーキングデバイス。
【請求項２３】
前記ヘッドレストサブアセンブリは、前後調節手段をさらに備え、前記前後調節手段は、前記フェイスソーキングデバイスの前面から後面へ延びる前記フェイスソーキングデバイスの経線に沿って、前記サポート部材の場所を変化させ、前記前後調節手段は、前記ベッセルに物理的に接触している、請求項２１に記載のフェイスソーキングデバイス。
【請求項２４】
ヒータサブアセンブリをさらに備え、前記ヒータサブアセンブリの少なくとも一部分は、前記ベッセルに取り付けられており、前記ヒータサブアセンブリは、前記内部容積の中の前記液体の少なくとも一部分を加熱する加熱要素を含む、請求項５に記載のフェイスソーキングデバイス。
【請求項２５】
エアレータをさらに備え、前記エアレータは、ガスディフューザ、及び、前記ガスディフューザに物理的に連通しているガス供給源を備え、前記ガスディフューザは、前記ベッセルに取り付けられており、前記ガス供給源は、前記ガスディフューザにガスを提供し、前記ガスディフューザは、前記ガスディフューザの多孔性の構造体を通して受け入れられる前記ガスの少なくともいくつかを前記内部容積の中へ放出する、請求項５に記載のフェイスソーキングデバイス。
【請求項２６】
前記ガス供給源は、圧縮ガスを含むシリンダ、大気をポンプ送りするための空気ポンプ、又は、前記ガスを圧縮するための圧縮機のうちの１つ又は複数から選択される、請求項２５に記載のフェイスソーキングデバイス。
【請求項２７】
少なくとも１つの電磁エミッタをさらに備え、前記少なくとも１つの電磁エミッタは、所定の範囲の波長にわたる電磁放射線を放射し、前記少なくとも１つの電磁エミッタの少なくともいくつかの部分は、前記ベッセルに取り付けられており、放射された電磁放射線の少なくともいくつかは、前記内部容積の中へ放射される、請求項５に記載のフェイスソーキングデバイス。
【請求項２８】
前記少なくとも１つの電磁エミッタは、少なくとも１つの発光ダイオードである、請求項２７に記載のフェイスソーキングデバイス。
【発明の詳細な説明】
【技術分野】
【０００１】
優先権の通知
本出願は、米国特許法第１１９条（ｅ）の下で、以下の１０個の米国仮特許出願、すなわち、（１）２０１４年１０月７日に出願された出願第６２／０６０，９３５号；（２）２０１４年１０月１０日に出願された出願第６２／０６２，６６３号；（３）２０１４年１０月２１日に出願された出願第６２／０６６，６３５号；（４）２０１４年１２月１８日に出願された出願第６２／０９４，０３６号；（５）２０１５年１月２１日に出願された出願第６２／１０６，１３８号；（６）２０１５年２月１１日に出願された出願第６２／１１４，９６２号；（７）２０１５年２月２６日に出願された出願第６２／１７６，７５４号；（８）２０１５年３月２４日に出願された出願第６２／１３７，７９９号；（９）２０１５年６月９日に出願された出願第６２／１７３，２０４号；及び、（１０）２０１５年８月２１日に出願された出願第６２／２０８，３２５号の優先権を主張し、その開示は、その全体が、すべて参照により本明細書に組み込まれている。
【０００２】
本発明は、概して、皮膚ソーキングデバイスに関し、より具体的には、フェイスソーキングデバイスに関する。
【０００３】
著作権及び商標権の通知
本特許出願の開示の一部分は、著作権保護を受ける材料を含む可能性がある。所有者は、特許商標庁の特許包袋又は記録に記されている通りに、誰でも特許文献又は特許開示を複写できることに異議はないが、その他、あらゆるすべての著作権を留保する。
【０００４】
本明細書で参照されている特定のマークは、本出願人又は本譲受人に関連のある又は関連のない第三者のコモンロー商標又は登録商標である可能性がある。これらのマークの使用は、例としてのものであり、また、記述的であると解釈されるべきではなく、又は、そのようなマークのみに関連付けされる材料に本発明の範囲を限定するように解釈されるべきではない。
【背景技術】
【０００５】
人間の（及び、陸上脊椎動物の）皮膚（表皮）は、にきび；年齢によるしみを含む、しわ；感染；物理的な損傷；及び、バラ色粃糠疹、アクネロザケア（acne rosacea）を含む、様々な発疹などのような、いくつかの問題に悩まされ得る。これらの皮膚問題のそれぞれが、簡潔に下記に議論され得る。
【０００６】
にきびは、詰まった皮膚細孔から生じる可能性があり、それは、膿疱又は吹き出物として、すなわち、ブラックヘッド及びホワイトヘッドと一般に呼ばれているものとして見ることが可能である。そのような目に見えるにきびは、視覚的に不快であるとともに痛みを伴う可能性がある。また、深刻なにきびは、卵胞壁の破裂に関連付けられる物理的な損傷から傷跡をもたらす可能性があり、それは、皮膚の下に深い嚢胞を形成する可能性もある。にきびとして見ることができる詰まった皮膚細孔は、皮脂油、ケラチン、及び／又は、皮膚細孔細菌の代謝副産物の過剰分泌から、並びに、皮膚細孔細菌の細胞から生じる可能性がある。共通の皮膚細孔細菌は、プロピオニバクテリウムアクネス（P. acne）である。
【０００７】
皮膚の上の望ましくないしわは、年齢、環境要因、遺伝的要因、及び、繰り返される表情から生じる可能性がある。年齢は、しわ形成の要因である可能性がある。その理由は、皮膚が老化するにつれて、時間の経過とともに蓄積される重力、及び、結合組織の中の変化に部分的に起因して、皮膚は弾性を失うからである。追加的に、年齢とともに、皮脂分泌（皮脂腺から）は、遅くなる可能性があり、それは、年齢とともに、皮膚乾燥の一因となる可能性があり、そのような皮膚乾燥は、しわの視認性を高める可能性がある。環境要因は、日光暴露及び風暴露、並びに、煙に対する暴露を含むことが可能であり、それは、時間の経過とともに、しわの一因となる可能性もある。さらに、目を細めてみること、微笑むこと、及び、考えることなどのような、一貫した表情は、時間の経過とともに、皮膚のしわをもたらす可能性がある。そして、しわに加えて、肝斑及び日光黒子などのような、年齢によるしみは、皮膚が老化して時間の経過とともに様々な環境要因に暴露されるにつれて皮膚の上に出現する可能性がある。
【０００８】
追加的に、様々な微生物は、細菌、菌類、原生動物、及び、さらにいくつかの小さい無脊椎動物を含むことが可能であり、それは、表面の上及び皮膚組織の中の両方において、様々なレベルの重症度で、皮膚を感染させる可能性がある。例えば、いくつかのそのような微生物の単なる存在は、死んでいるか又は生きているかにかかわらず、刺激物としての役割を果たし、炎症を引き起こす可能性がある。また、いくつかの微生物代謝副産物は、刺激物としての役割を果たす可能性があり、一方、いくつかの副産物は、実際に有毒である可能性がある。そして、いくつかの微生物は、実際に、皮膚自身、及び／又は、皮脂などのような皮膚の自然分泌物を餌とする可能性がある。また、そのような微生物は、皮膚の上の開放創を感染させ、そのような開放創を使用し、身体に入り込み、より大きい身体の感染の恐れをもたらす可能性がある。
【０００９】
追加的に、ウィルスは、伝染性の、痛みを伴う、及び／又は、不快に見える損傷及び水ぶくれ、例えば、単純疱疹を引き起こす可能性がある。破裂された場合に、そのような損傷及び水ぶくれは、皮膚に対して、物理的な損傷及び痛みをもたらす可能性がある。そのようなウィルスは、ヘルペス及びヘルペス状のウィルスを含むことが可能である。
【００１０】
皮膚に対する物理的な損傷に関して、これは、様々な創傷、切り傷、擦り傷、火傷、損傷、水ぶくれ、及び破裂などを含むことが可能である。皮膚に対するそのような物理的な損傷は、皮膚が治癒するにつれて瘢痕をもたらす可能性があり、治癒の前に、様々な微生物感染の可能性を増加させる可能性がある。
【００１１】
そのような皮膚問題は、とりわけ、顔の上に起こるときに、顔の他の部分に対する固有の視認性に起因して、例えば、人の心理的な、社会的な、及び職業的な幸福などに対して、副次的な不利益的影響をもたらす可能性がある。
【００１２】
バラ色粃糠疹は、あるタイプの皮膚発疹である可能性がある。多くの場合、バラ色粃糠疹は、単一の「ヘラルドパッチ」、２〜１０センチメートル（ｃｍ）の楕円形の赤い損傷で始まり、１週間又は２週間の間に、ピンク色及び／又は赤色、フレーク状の、楕円形形状の損傷の多くの小さい（５〜１０ミリメートル（ｍｍ））パッチの全身の発疹が続く可能性があり、それは、胴の上に出現することが多いが、頬の上及び／又は生え際に出現する可能性もある。
【００１３】
アクネロザケア又は単なるロザケアは、顔面紅斑（発赤）及び場合によっては吹き出物によって特徴付けられる、慢性の皮膚発疹疾患である可能性がある。ロザケアは、すべての年齢を襲う可能性がある。ロザケアは、典型的に、頬、鼻、又は額を横切る顔の中央部において、発赤として始まる可能性があるが、また、首、胸、耳、及び／又は頭皮を襲う可能性がある。いくつかのケースでは、半恒久的な発赤、毛細血管拡張症（顔の上の表面血管の拡張）、赤いドーム状の丘疹（小さい隆起部）及び膿疱、赤いゴロゴロする目、火傷及び刺痛、並びに、いくつかの進行したケースでは、赤く分葉した鼻（鼻瘤）などのような、追加的な兆候が存在する可能性がある。
【００１４】
先行技術は、技術の多様性によってそのような問題に対応してきた。例えば、様々な皮膚問題を治療するための過度の様々な局所軟膏及びクリームが存在することが可能である。しかし、ここで関係のあるものは、冒された皮膚を浸漬液の中に浸漬する用途とすることができる。説明にかかわらず、先行技術は、適当な浸漬液の中に皮膚を浸漬させることによって、上述の皮膚問題への改善と正の相関関係を示している。例えば、そのような治療モダリティは、問題となっている浸漬液が主に水であり得るときに、一般的に、当技術分野において、水治療法として知られている可能性がある。しかし、そのような水治療法原理は、様々な油、様々なパラフィンワックス（典型的に加熱されている）、及び、油と水の混合物（エマルジョン）などのような、他のそのような浸漬液にも適用され得る。本明細書で使用されているように、水治療法は、特定の浸漬液の中に皮膚を浸すことによって、様々な皮膚問題を治療する手段とすることができ、浸漬液は、主に水であるか、又は、例えば、室温もしくは適当な温度における液体の中の油の形態、適当に加熱されたときの液体の中のパラフィンワックスの形態、又は、油及び水の混合物などのような、いくつかの他の液体とすることができる。
【００１５】
そのような水治療法は、浸漬液の中に皮膚の目標領域を浸漬することを必要とする可能性がある。浸漬液は、様々な特性を含むことが可能である。例えば、浸漬液は、様々な溶解塩を含むことが可能であり、そのような液体は、本明細書では、生理食塩水溶液として知られている可能性がある。例えば、浸漬液は、溶解酸素として、及び／又は、浸漬液の中の気泡のいずれかとして、放出された酸素を含む。例えば、浸漬液は、室温に対して増加又は減少した温度を含むことが可能である。そして、例えば、浸漬液は、１つ又は複数のジェットを介して方向付けされ得、絶え間なく続く液体圧力が皮膚の目標領域に方向付けされ得るようになっている。
【００１６】
浸漬液としての生理食塩水溶液に関して、本明細書で使用されているような生理食塩水及び塩は、塩化ナトリウムの溶液を表しているだけではなく、主に水などのような溶媒の中に溶解され得る、例えば、カリウム及び／又はマグネシウムなどの、溶液の中の他のミネラルを表している可能性がある。また、塩化物などのような、様々なマイナスイオンが、プラスのミネラルイオンを伴う溶液の中に存在することが可能である。例えば、ナトリウム及びカリウム塩溶液は、塩化物イオンとともに存在することが可能であり、マグネシウムは、エプソムソルトと同様に、硫酸塩イオンとともに存在することが可能である。様々な塩を使用する浸漬液は、異なる利益を助長することが可能である。例えば、いくつかのそのような生理食塩水溶液は、皮膚を軟化させることが可能であり、及び／又は、他のものは、浸漬された皮膚に潤いを与えようとすることが可能である。
【００１７】
生理食塩水溶液の中に皮膚を浸漬させることによる皮膚に対する利益は、主に、浸透作用によって機能することが可能である。浸透作用は、（例えば、細胞の中の）高い水濃度のエリアから、低い水濃度のエリア（例えば、生理食塩水溶液）へ、部分的に浸透性の膜（例えば、皮膚細胞を含む、細胞膜など）を横切る水分子のランダム移動とすることができる。従って、生理食塩水溶液が細胞の中の塩分濃度よりも高い塩分濃度を有するときに、浸透作用は、皮膚細胞を含む、細胞から外へ水を引き出すように機能することになる。例えば、人間の血液は、約０．８５重量％の平均塩分濃度を有しており、それは、０．９％に丸められることが多い。従って、皮膚がその中に浸漬している可能性のある生理食塩水溶液が、０．９重量％よりも大きい場合には、皮膚細胞から生理食塩水溶液の中への水分子の浸透流が存在することになる。
【００１８】
しかし、上述の様々な皮膚問題を治療及び／又は改善するためにいくつかの利益が生じ得るのは、細胞膜を横切る水分子のこのフローからである。
【００１９】
例えば、にきびに関して、生理食塩水溶液に暴露されている、にきびを伴う皮膚は、にきびの低減を見ることが可能である。そのような低減は、生理食塩水溶液が皮膚細孔細菌の個体数を低減することによって、及び／又は、生理食塩水溶液が皮膚細孔サイズの低減を促すことによって、細孔の中の皮脂油を低減する生理食塩水溶液から生じ得る。生理食塩水溶液は、細孔からの皮脂油を緩める助けとなり得る。非生理食塩水環境に適合され得る皮膚細孔細菌に関して、そのような細菌は、細菌細胞から外への水分子の浸透流に対処するようには適合されていない可能性がある。そのような生理食塩水溶液は、そのような細菌細胞の繁殖を妨げることが可能である。そのような生理食塩水溶液は、そのような細菌細胞を実際に殺すことが可能である。また、皮膚細孔サイズの低減に関して、これは、水分子の浸透流から生じ得る。
【００２０】
しわの低減に関して、しわの寄った皮膚組織を軟化させることによって、及び、年齢に関係付けられる皮膚乾燥と闘うことができる皮脂油を作り出すために皮脂腺を刺激することによって、生理食塩水溶液は、しわを低減することが可能である。例えば、顔を温水に暴露させることは、準備中に顔面皮膚を軟化させ、その顔から頬ひげ（無精ひげ）を剃ることを支援することが可能である。追加的に、所与の生理食塩水溶液の塩分濃度に応じて、生理食塩水溶液は、浸された皮膚に保湿効果を有することが可能である。
【００２１】
皮膚の微生物感染を軽減することに関して、上述されているように、主に皮膚の上に存在し得るそれらの微生物は、典型的に、細菌細胞内からの水分子の浸透流に耐えるように適合されてはいない。そのような生理食塩水溶液の中への皮膚の浸漬は、微生物個体数低減をもたらし得る。
【００２２】
損傷を受けた皮膚を治癒させる速度を改善することに関して、生理食塩水溶液の中へ浸された皮膚は、治癒を妨げ得る微生物の個体数を低減することによって、治癒の速度の改善を経験することが可能である。そして、また、浸透流は、表面皮膚の下の細胞及び組織の中から、損傷を受けた皮膚部位へ、栄養素及び修復タンパク質の輸送を支援することによって、損傷を受けた皮膚を治癒させることを支援することが可能である。
【００２３】
従って、浸されている皮膚組織よりも大きい塩分濃度を有し得る生理食塩水溶液の中へ皮膚を浸漬させることは、浸されている皮膚に対する複数の利益をもたらし得る。
【００２４】
ここで、皮膚に関する酸素治療、及び、どのように酸素が上記に特定されている皮膚問題のいくつかを低減することができるかを見てみる。繰り返しになるが、説明にかかわらず、先行技術は、皮膚を酸素に暴露させることに皮膚の改善との正の相関関係を示している。
【００２５】
分子酸素（大気酸素）、すなわち、Ｏ２は、細胞呼吸に関して、及び、どのようにそれぞれの脊椎動物細胞がクレブス回路（クエン酸回路）を介してエネルギーを引き出すかいうことの基礎に関して、必須である可能性がある。任意の脊椎動物細胞への一貫した酸素の十分な供給がなければ、その細胞は、低酸素になる可能性があり、また、再生するための、感染と闘うための、及び／又は、治癒するための能力の低下を含む、通常の細胞活動を動作させる能力の低下を有する可能性がある。酸素を十分な濃度で直接的に皮膚に提供することによって、そのような暴露された皮膚は、赤血球の中のヘモグロビンを介した酸素の送達に大きく依存する代わりに、その必要とされる酸素のいくらかを直接的に得ることが可能である。一定の利用可能な酸素の供給源を有するそのような皮膚細胞は、そのような皮膚細胞のすべての通常の細胞活動を可能にすることができる。追加的に、感染性微生物を目標として殺す免疫細胞（例えば、マイクロファージ及び食細胞）は、そのような細胞が十分な酸素の供給を有するときに、より良好に機能する。そして、感染性微生物個体数を低減する酸素の第２のメカニズムは、活性酸素種を形成する酸素の酸化特性及び能力によるものとすることができ、活性酸素種は、次いで、細菌細胞壁に干渉することなどのような、細菌細胞機構を酸化することが可能である。
【００２６】
ここで、酸素は、ガス状の形態で皮膚に適用され、及び／又は、浸漬液を含む液体の中の溶解ガスとして、及び／又は、気泡として、放出され得る。例えば、大気は、例えば、おおよそ２０．９５％で、大気酸素を含むことになる。送達されるガス状酸素の濃度は、純酸素を供給源として使用することによって、大気パーセンテージよりも上に増加され得る。しかし、皮膚に方向付けされるガス状酸素の使用は、より自由に分散するガスの固有の能力に起因して、制御及び操作することが困難であるという欠点を有する可能性がある。一方、液体の中での酸素の放出は、皮膚の目標エリアが液体の中に浸され得るので、より良好な制御を提供することが可能であり、液体は、次いで、液体の中へ放出された空気又は純酸素からの酸素を有することが可能である。
【００２７】
酸素及び生理食塩水溶液の利益は、同じ浸漬液の中へ組み合わせられ得る。例えば、空気（それは、酸素を含む）及び／又は酸素は、適当な生理食塩水溶液の中へポンプ送りされるか、又は放出され得る。追加的に、そのような酸素化された生理食塩水溶液は、酸素化された生理食塩水溶液の温度を制御する利益と組み合わせられ得る。
【００２８】
例えば、室温よりも上であるが有害であり得る（例えば、痛みを伴う）温度よりも低い温度に、浸漬液の温度を増加させることは、化学反応の増加（反応速度論）を可能にする。従って、そのような範囲で浸漬液温度を増加させることは、生理食塩水溶液の有効性、並びに、皮膚の酸素化の有効性を増加させる傾向があることになる。追加的に、そのような浸漬液の温度の増加は、ユーザにとって鎮静的でリラックスできる可能性のある環境をもたらし得る。そのような鎮静的でリラックスできる結果は、次いで、ストレスを解消し、頭痛を緩和することが可能である。ストレスの解消は、血液圧力の低下、損傷を受けた皮膚の治癒、及び、より強力な免疫システムを助長することが可能である。従って、浸漬液の温度を増加させることは、どのように生理食塩水及び酸素が皮膚を改善させるために機能するかということに対して、直接的な改善を提供することが可能であるというだけでなく、鎮静的でリラックスできる環境を生成することによって、ストレス解消の副次的な利益が実現され得、それは、次いで、次々とつながる追加的な利益を含むことも可能である。
【００２９】
さらに、浸漬液温度を室温よりも上に増加させることは、次いで、浸漬液が熱療法のために使用されることを可能にすることができる。熱療法は、皮膚問題を治療するだけでなく、それに限定されないが、関節炎、変形性関節症、線維筋痛、関節の硬直、滑液包炎、腱炎、捻挫、及び肉離れなどのような、他の病気を治療するために使用され得る。熱、及び、熱を伝達することができる浸漬液は、血流を増加させ、関節の硬直を改善し、痛みを低減することが可能である。例えば、浸漬液として加熱されたパラフィンワックスが利用され得る。そのような加熱されたパラフィンワックスは、強皮症、すなわち、コラーゲンが身体に蓄積する疾患によって引き起こされる硬化した皮膚を軟化させることが可能である。
【００３０】
加えて又は代替的に、浸漬液温度を室温よりも下に減少させることは、次いで、浸漬液が寒冷療法のために使用されることを可能にすることができる。チラーの使用によって、チリング機器の使用によって、及び／又は、氷の導入によって、液体を冷やすことは、次いで、様々な寒冷療法が、冷やされた液体の中へ除去可能に浸され得る顔又は他の身体のパーツを治療するために使用されることを可能にすることができる。追加的に又は代替的に、熱療法は、寒冷療法と交互に行われ得、そのような温かさ及び冷たさが交互に起こることは、血流を増加させること、細胞の毒素（例えば、それに限定されないが、乳酸）の除去を容易にすること、及び／又は、火傷を負った組織又は外傷組織の治癒を推進させることを支援することが可能である。
【００３１】
また、追加的に、液体ジェット、例えばウォータージェットは、浸された皮膚に方向付けされるときに、ユーザにとって鎮静的でリラックスできる環境をもたらし得る。また、そのようなウォータージェットは、浸漬温度が上述されているように増加されるときに、それらの利益を増加させることが可能である。
【００３２】
また、光線療法が、一般的に、暴露された皮膚及び／又は身体に様々な利益を付与するために使用され得る。光線療法は、光の供給源を皮膚に方向付けすることを必要とする可能性がある。光のいくつかの波長は、損傷を受けた皮膚の治癒速度を増加させることが見い出されており、そのような損傷は、切り傷、かすり傷、打撲傷、裂傷、及び損傷などを含む。また、紫外線（ＵＶ）光線などのような光は、皮膚の日焼けの目的のために使用され得る。しかし、既存の酸素療法及び既存の光線療法の両方が、大気の治療環境において実行され、すなわち、治療されることになる物品（例えば、皮膚の領域）は、浸漬液の中に沈められない。
【００３３】
追加的に、皮膚のための治療ガスとして、単なる酸素、空気、又は、酸素を富化された空気を超えて拡大することが望ましい可能性がある。
【００３４】
追加的に、一般的に、現在の光線療法デバイスは、一般的に、可視光スペクトル、近赤外線（ＩＲ）、及び近紫外線（ＵＶ）の中の、非常に幅の狭い範囲の波長だけを放射することに向けられている。ＥＭスペクトル全体の領域を包含し得る様々な波長の電磁（ＥＭ）放射線を放射することができ得る拡張デバイスを有することが望ましい可能性があり、すなわち、必ずしも、ＥＭスペクトル全体にわたって放射することができる単一のデバイスではなく（異なる技術が、所与の範囲の波長を作り出すために必要とされ得るので）、それぞれの異なるデバイスが特定の範囲の波長を放射することができ得る多数のＥＭ放射デバイスを有することが望ましい可能性があり、これらの異なるＥＭ放射デバイスが、ＥＭスペクトル全体を集合的にカバーすることが可能であり得るようになっている。
【００３５】
浸漬液の中で酸素療法及び／又は光線療法もしくは他のＥＭ療法を実行することは、いくつかの理由のために望ましい可能性がある。液体は大気よりも密度が高いので、酸素（又は、他のガス）を物品の上の目標領域（例えば、浸されている皮膚領域）に方向付けることに対するより多くの制御が、大気中で酸素療法を実行するよりも実現され得、その場合には、吐き出された酸素は大気中へ急速に消散する。浸漬液を使用して、物品の目標領域を除去可能に沈めることによって、液体の有用な特性は、物品の目標領域に関して、特定の用途のために調整され得る。例えば、生理食塩水溶液などのような、液体水は、皮膚を軟化させることが可能であり、また、そのような軟化された皮膚を、酸素及び／又は様々な波長の光への暴露からより良好に利益を得ることができる。液体の中の添加剤が使用され、治癒させること、清潔にすること、元気を回復させること、衛生的にすること、及び、殺菌することなどが可能である。同様に、液体の温度を制御することは、次いで、治療環境が大気であり液体でない場合に可能となり得るものよりもはるかに高い効率で、熱を付与することが可能であり、又は、物品の目標領域から熱を取り去ることが可能であり得る。追加的に、液体の温度を制御することは（上に、下に、又は、維持する）、例えば、反応速度論の視点から、添加剤の有効性を増加又は減少させることが可能である。
【００３６】
その上、ＥＭ放射線が浸漬液の中の複数の泡を通して放射され得るときに、泡が存在しない場合と比較して、ＥＭ放射線を受け取る物品の目標領域の増加されたカバー率を提供することによって、光線療法又は他のＥＭ療法を実行することが向上され得ることが発見された。放射されたＥＭ放射線及び泡は、この向上を提供する光学的な連鎖反応（OCR）現象を作り出す。
【００３７】
しかし、上述されているように、顔の上のそのような皮膚問題に関して、これらの問題は、顔の高い視認性に起因して悪化する。追加的に、現在の技術水準は、水治療法浸漬液が生理食塩水溶液を含み得る、ユーザが水治療法を受けるために顔を浸すことができる手段、酸素（及び／又は、他のガス）の送達、浸漬液温度を増加及び／又は減少させるための加熱手段、及び／又は、液体ジェットの使用を提供しないので、顔の上のこれらの皮膚問題が悪化する。本発明に至るまで、先行技術が対処することができなかった問題は、２つの生物学的な事実から生じる。１つ目として、陸上脊椎動物が、顔の上に位置付けされているその鼻及び／又は口から呼吸し、従って、顔のための水治療法手段は、ユーザの顔が浸されている間にユーザがそれによって呼吸することができる手段を提供する必要がある。そうでなければ、顔の浸漬は、どのくらい長くユーザが自身の呼吸を保持することができるかということに限定される。そして、２つ目として、すべての既存のベッセルは、ユーザの首領域、とりわけ、首の軟部組織領域（首の前面及び側部）を収容するための手段を有しておらず、従って、ユーザがユーザの顔を既存のベッセルの中へ沈めたとすれば、そのベッセルのリムは、首領域に押し込むことになり、不快感を引き起こし、先行技術を顔の水治療法にとって非効果的な状態にする。又は、ユーザは、先行技術ベッセルの中へ彼らの頭部の角度を変えなければならないことになり、また、彼らの顔を浸漬させるために、快適でない角度で彼らの頭部を保持しなければならないことになり、それは、長時間にわたる場合には、首の痛みをもたらす可能性がある。追加的に、少なくともある実施形態では、そのようなデバイスが、ユーザの頭部領域、とりわけ、額を快適に支持することができる場合に、顔の浸漬を助長することが望ましい可能性があり、それは、快適であり、首を引っ張らない可能性があり、ユーザは、長期間にわたって快適に彼らの顔を浸漬させることが可能である。
【００３８】
浸漬液の中に除去可能に沈められることになり、次いで、酸素などのような様々な気泡で治療され、可視光などのような様々な波長のＥＭ放射線で治療される、物品の具体的に目標にされた領域（例えば、皮膚）を治療することを可能にし、及び／又は、液体の中の泡を通してＥＭ放射線を方向付けすることから生じ得る、ＥＭ放射線及び泡の相乗的な組み合わせによって治療される領域の向上されたＥＭ放射線カバー率を提供することを可能にする、デバイス及び／又は方法に対する必要性が、当技術分野に存在している。
【００３９】
次いで、顔が浸されている間にユーザが呼吸することを可能にするとともに、ユーザの首に快適であり得る、浸漬液の中への快適な顔浸漬を助長することができるデバイスに対する必要性が、当技術分野に存在している。
【００４０】
これらの目的に対して、本発明が開発された。
【発明の概要】
【００４１】
先行技術における限定を最小化するために、及び、本明細書を読んで理解すると明らかになることになる他の限定を最小化するために、本発明の１つ又は複数の実施形態は、フェイスソーキングデバイスを説明することが可能である。
【００４２】
ある実施形態は、人が、呼吸チューブ（例えば、呼吸装置）を通して、便利に及び／又は快適に呼吸しながら、長時間にわたって、人の顔を液体の中へ置いて保持するために使用され得るデバイスを提供することが可能である。人が液体の中に自身の顔を浸されている間に、デバイスは、（様々なガスによって）液体をエアレーションすることが可能である。ある実施形態では、デバイスは、人の衣服又はデバイスの周りの隣接エリアへの液体の流出を最小化又は防止するように設計され得る。
【００４３】
ある実施形態では、フェイスソーキングデバイスは、ベッセル、ベッセルネックガスケット、及び呼吸装置を含むことが可能である。ベッセルは、液体を保持し、ユーザの顔又はその一部分を沈めるように構成され得る。ベッセルネックガスケットは、ベッセルに除去可能に接合され得る。ベッセルネックガスケットは、ユーザの首の一部分を快適に収容するように構成され得る。呼吸装置は、ベッセル、ヘッドサポート、及び／又は、ユーザと除去可能に接触していることが可能である。呼吸装置は、ユーザの顔が（全体的に又は部分的に）液体の中に沈められ得る間に、ユーザが呼吸することを可能にするように構成され得る。ベッセルが少なくとも十分なレベルまで液体で充填され得るときには、ユーザは、顔又はその一部分を浸漬させることが可能であり、浸漬されている皮膚が利益を受けるようになっている。
【００４４】
本発明の目的は、浸漬液の中に顔を浸すことによって、顔のにきびの重症度を低減するために使用され得る、フェイスソーキングデバイスを提供することである。
【００４５】
本発明の別の目的は、浸漬液の中に顔を浸すことによって、顔のしわ及び／又は顔の年齢によるしみの重症度を低減するために使用され得る、フェイスソーキングデバイスを提供することである。
【００４６】
本発明の別の目的は、浸漬液の中に顔を浸すことによって、それに限定されないが、顔面皮膚のウィルス感染、細菌感染、及び／又は真菌感染を含む、微生物感染の重症度を低減するために使用され得る、フェイスソーキングデバイスを提供することである。
【００４７】
本発明の別の目的は、浸漬液の中に顔を浸すことによって、顔面皮膚に対する物理的な損傷の重症度を低減するために使用され得る、フェイスソーキングデバイスを提供することである。
【００４８】
本発明の別の目的は、浸漬液を保持するように構成され得るベッセルを含むフェイスソーキングデバイスによって、ユーザが浸漬液の中にユーザの顔を沈めることを可能にすることができる、フェイスソーキングデバイスを提供することである。
【００４９】
本発明の別の目的は、ユーザの顔が浸漬液の中に浸され得る間に、ユーザが呼吸することを可能にすることができる、フェイスソーキングデバイスを提供することである。
【００５０】
本発明の別の目的は、首がフェイスソーキングデバイスに接触することができる場所、とりわけ、首の軟部組織がフェイスソーキングデバイスに接触することができる場所において、首に対する快適性を維持しながら、ユーザが浸漬液の中にユーザの顔を浸すことを可能にすることができる、フェイスソーキングデバイスを提供することである。
【００５１】
本発明の別の目的は、ユーザの顔が浸漬液の中に浸され得るときに、ユーザの首の周りの浸漬液流出を最小化することができる、フェイスソーキングデバイスを提供することである。
【００５２】
本発明の別の目的は、浸漬液を保持するメインベッセル（例えば、ベッセル）からこぼれる浸漬液をキャッチすることができる、フェイスソーキングデバイスを提供することである。
【００５３】
本発明の別の目的は、ベッセルの中にあり得るユーザの頭部の一部分、とりわけ、額の一部分を支持することによって、首に対する快適性を維持しながら、及び、首への負担を軽減しながら、ユーザが浸漬液の中にユーザの顔を浸すことを可能にすることができる、フェイスソーキングデバイスを提供することである。
【００５４】
本発明の別の目的は、ヘッドサポート（例えば、ヘッドレストサブアセンブリ）は、調節可能であり得、そのような調節は、垂直方向（高さ方向）及び／又は前後方向になっていることが可能である、フェイスソーキングデバイスを提供することである。
【００５５】
本発明の別の目的は、浸漬液が様々なガスを浸漬液の中へ受け入れることができる、フェイスソーキングデバイスを提供することである。
【００５６】
本発明の別の目的は、浸漬液の中の空気及び／又は酸素の放出によって、浸漬液が酸素化され得る、フェイスソーキングデバイスを提供することである。
【００５７】
本発明の別の目的は、浸漬液の温度が、フェイスソーキングデバイスの室温に対して増加又は減少され得る、フェイスソーキングデバイスを提供することである。
【００５８】
本発明の別の目的は、ベッセルが浸漬液の温度を制御することを助けるために絶縁され得る、フェイスソーキングデバイスを提供することである。
【００５９】
本発明の別の目的は、フェイスソーキングデバイスが熱療法及び／又は寒冷療法のために使用され得る、フェイスソーキングデバイスを提供することである。
【００６０】
本発明の別の目的は、フェイスソーキングデバイスが、熱療法及び／又は寒冷療法のために使用され得、熱療法及び／又は寒冷療法が、皮膚問題を治療するためだけでなく、それに限定されないが、関節炎、変形性関節症、線維筋痛、関節の硬直、滑液包炎、腱炎、捻挫、及び肉離れなどのような、他の病気を治療するためにも使用され得る、フェイスソーキングデバイスを提供することである。
【００６１】
本発明の別の目的は、フェイスソーキングデバイスが熱療法及び／又は寒冷療法のために使用され得、熱療法及び／又は寒冷療法が、血流を増加させ、関節の硬直を改善し、痛みを低減することなどが可能である、フェイスソーキングデバイスを提供することである。
【００６２】
本発明の別の目的は、フェイスソーキングデバイスが寒冷療法のために使用され得、寒冷療法が、血流を増加させ、関節の硬直を改善し、痛みを低減し、腫れを低減することなどが可能である、フェイスソーキングデバイスを提供することである。
【００６３】
本発明の別の目的は、フェイスソーキングデバイスが、熱療法と寒冷療法との間で交互に起こるために使用され得、交互に起こる熱療法及び寒冷療法が、血流を増加させ、関節の硬直を改善し、痛みを低減し、腫れを低減し、治癒を改善し、細胞の毒素を除去することを支援することなどが可能である、フェイスソーキングデバイスを提供することである。
【００６４】
本発明の別の目的は、フェイスソーキングデバイスが、少なくともそのような顔面皮膚を軟化させる目的のために、及び／又は、顔の髪（例えば、頬ひげ及び／又は無精ひげ）を軟化させるために、顔面皮膚を浸漬させるために使用され得る、フェイスソーキングデバイスを提供することである。例えば、そのような皮膚の軟化は、顔のひげを剃るために有益である可能性がある。
【００６５】
本発明の別の目的は、フェイスソーキングデバイスが、火傷、外部及び／又は内部を治療するために使用され得る、フェイスソーキングデバイスを提供することである。
【００６６】
本発明の別の目的は、フェイスソーキングデバイスが、皮膚色合いを明るくするために使用され得る、フェイスソーキングデバイスを提供することである。
【００６７】
本発明の別の目的は、フェイスソーキングデバイスが、皮膚色合い（例えば、皮膚色調又は皮膚色彩）を暗くするために使用され得る、フェイスソーキングデバイスを提供することである。
【００６８】
本発明の別の目的は、浸漬液がパラフィンワックスとすることができる、フェイスソーキングデバイスを提供することである。
【００６９】
本発明の別の目的は、ベッセルの内側表面が、浸漬液の排水を容易にするために、並びに、フェイスソーキングデバイスのクリーニング及び衛生を容易にするために、滑らかとすることができる、フェイスソーキングデバイスを提供することである。
【００７０】
本発明の別の目的は、可搬式とすることができ、１人の大人のユーザによって運搬され得る、フェイスソーキングデバイスを提供することである。
【００７１】
本発明の別の目的は、ベッセルの内側表面が、１つ又は複数のジェットノズルと、１つ又は複数のインテイクと、浸漬液の圧力が浸されている顔の部分に方向付けされ得るように、インテイクからジェットノズルを通して浸漬液をポンプ送りするための手段とを含むことが可能である、フェイスソーキングデバイスを提供することである。
【００７２】
本発明の別の目的は、ジェットノズルの位置決めが調節可能であり得る、フェイスソーキングデバイスを提供することである。
【００７３】
本発明の別の目的は、ベッセルの中の浸漬液の中の顔の浸漬が、ユーザにとって鎮静的でリラックスできるものとすることができ、そのようなストレスが低減され得る、フェイスソーキングデバイスを提供することである。
【００７４】
さらなる本発明の別の目的は、フェイスソーキングデバイスのそのようなストレス解消使用が、血液圧力を低下させることを推進させること、頭痛重症度に対する軽減、及び／又は、ユーザの免疫システムの向上などのような、さらなる副次的な利益をもたらし得る。
【００７５】
本発明のこれらの利点及び特徴、並びに、他の利点及び特徴は、特定性を持って本明細書で説明されており、本発明をどのように実践するかということ、及び、本発明をどのように作製するかということの両方に関して、本発明を当業者に理解可能にするようになっている。
【００７６】
図の中の要素は、それらの明確性を向上させるために、並びに、本発明のこれらの様々な要素及び実施形態の理解を改善するために、必ずしも原寸に比例して示されていない。その上、一般的であることが知られており、かつ、当業者に良好に理解されている要素は、本発明の様々な実施形態のより明確な図を提供するために、示されていない。
【図面の簡単な説明】
【００７７】
【図１Ａ】全体的な組み立てられたフェイスソーキングデバイスの例示的な実施形態を示す図であり得、上面斜視図により示されており、ユーザの顔の少なくとも一部分が、フェイスソーキングデバイスのベッセルの中に除去可能に含まれている浸漬液（液体）の中に実質的に浸され得ることを示す図である。
【図１Ｂ】図１Ａのフェイスソーキングデバイス１００の長手方向断面を示す図であり得、ユーザの顔の少なくとも一部分が、フェイスソーキングデバイスのベッセルの中に除去可能に含まれている液体の中に実質的に浸され得ることを示す図である。
【図２Ａ】上面斜視図により示されている、全体的な組み立てられたフェイスソーキングデバイスの例示的な実施形態を示す図であり得る。ユーザは、図２シリーズの図の中に示されていない可能性がある。
【図２Ｂ】図２Ａのフェイスソーキングデバイスの上面図であり得る。
【図２Ｃ】図２Ａのフェイスソーキングデバイスの長手方向（外側）側面図であり得る。
【図２Ｄ】図２Ａのフェイスソーキングデバイスの正面図であり得、それは、フェイスソーキングデバイスのベッセルネックガスケットの前面を示す図であり得る。
【図２Ｅ】図２Ａのフェイスソーキングデバイスの背面図であり得る。
【図２Ｆ】図２Ａのフェイスソーキングデバイスの底面図であり得る。
【図２Ｇ】図２Ａのフェイスソーキングデバイスの上面斜視分解図であり得、この分解図は、２つの図面にまたがって示されている。
【図２Ｈ】図２Ａのフェイスソーキングデバイスの上面斜視分解図であり得、この分解図は、２つの図面にまたがって示されている。
【図３Ａ】ベッセルネックガスケット及びクランプを示す図であり得、それらは、一緒に連通するが、ベッセルのネック−ガスケット−アコモデータから分解されており、部分的な斜視長手方向断面図により示されている。
【図３Ｂ】ベッセルの正面斜視図であり得、ベッセルネックガスケット及びクランプが除去されており、図３Ｂの焦点は、ネック−ガスケット−アコモデータである可能性がある。
【図３Ｃ】ベッセルネックガスケット、フェイスソーキングデバイスのある実施形態のコンポーネントの例示的な実施形態を示す図であり得、上部正面斜視図により示されている。
【図３Ｄ】図３Ｃのベッセルネックガスケットを示す図であり得、上部背面斜視図により示されている。
【図３Ｅ】クランプ、フェイスソーキングデバイスのある実施形態のコンポーネントの例示的な実施形態を示す図であり得、上部正面斜視図により示されている。
【図３Ｆ】図３Ｅのクランプを示す図であり得、上部背面斜視図により示されている。
【図３Ｇ】部分的な斜視長手方向断面図により、図３Ａのベッセルネックガスケット及び図３Ｃのクランプを示す図であり得、それは一緒に組み立てられている。
【図３Ｈ】部分的な長手方向断面図により、図３Ｃのベッセルネックガスケット及び図３Ｅのクランプを示す図であり得、それは一緒に組み立てられている。
【図３Ｉ】図２Ａのフェイスソーキングデバイスの上面図であり得、フェイスソーキングデバイスの前面部分を横切る横断幅方向の断面線３Ｊ−３Ｊを含む。
【図３Ｊ】図３Ｉの断面線３Ｊ−３Ｊからの正面図であり得、図３Ｊでは、詳細３Ｋの領域が示されている可能性があり、クランプのクランプ末端部が、ベッセルのリム、又は、リムに近接する構造体に、どのように除去可能に係合することができるかを示す図であり得る。
【図３Ｋ】詳細３Ｋのクローズアップを示す図であり得、それは、クランプのクランプ末端部が、リム、又は、リムに近接する構造体に、どのように除去可能に係合することができるかを示す図であり得る。
【図３Ｌ】クランプを伴うベッセルネックガスケットの斜視図であり得、プレス−イン−フィット部（press-in-fit-part）をさらに示している。
【図４Ａ】図２Ａのフェイスソーキングデバイスの呼吸装置の上部斜視分解図であり得、呼吸装置は、ベッセルから分解されている可能性がある。
【図４Ｂ】図２Ａのフェイスソーキングデバイスの上面図であり得、図４Ｂは、２つの断面線、すなわち、断面線４Ｃ−４Ｃ及び断面線４Ｆ−４Ｆをさらに示している可能性があり、断面線４Ｃ−４Ｃは、呼吸装置を通る横断幅方向の断面線である可能性があり、断面線４Ｆ−４Ｆは、呼吸装置を通る長手方向断面線である可能性がある。
【図４Ｃ】断面線４Ｃ−４Ｃに沿った横断幅方向の断面図であり得、図４Ｃは、２つの詳細の領域、すなわち、詳細４Ｄ及び詳細４Ｅを示す図であり得、詳細４Ｄは、少なくとも１つのホース又は少なくとも１つのチュービングの第２の末端部が、どのように、ベッセルのリムの近位の何らかの構造体に除去可能に係合することができるかを示す図であり得、詳細４Ｅは、少なくとも１つのホース又は少なくとも１つのチュービングの第１の末端部が、どのように、マウスピースに係合することができるかを示す図であり得る。
【図４Ｄ】詳細４Ｄのクローズアップを示す図であり得、詳細４Ｄは、少なくとも１つのホース又は少なくとも１つのチュービングの第２の末端部が、どのように、ベッセルのリムの近位の何らかの構造体（例えば、少なくとも１つのベッセル−チューブ−ホース−コネクタ）に除去可能に係合することができるかを示す図であり得る。
【図４Ｅ】詳細４Ｅのクローズアップを示す図であり得、詳細４Ｅは、少なくとも１つのホース又は少なくとも１つのチュービングの第１の末端部が、どのように、マウスピースに係合することができるかを示す図であり得る。
【図４Ｆ】呼吸装置を通る断面線４Ｆ−４Ｆに沿った部分的な長手方向断面図であり得る。
【図４Ｇ】少なくとも１つのホース又は少なくとも１つのチュービングの第２の末端部のうちの１つが、どのように、ベッセルのリムの近位の何らかの構造体に除去可能に係合することができるかということについて、ベッセルのいくらかの内側を示しながら、部分的な上面斜視図であり得る。
【図４Ｈ】少なくとも１つのホース又は少なくとも１つのチュービングの第２の末端部のうちの１つが、どのように、ベッセルのリムの近位の何らかの構造体（例えば、少なくとも１つのベッセル−チューブ−ホース−コネクタ）に除去可能に係合することができるかということについて、ベッセルのいくらかの内側を示しながら、部分的な上部斜視分解図であり得る。
【図４Ｉ】少なくとも１つのホース又は少なくとも１つのチュービングの第２の末端部のうちの１つが、どのように、ベッセルのリムの近位の何らかの構造体に除去可能に係合することができるかということについて、ベッセルのいくらかの外側を示しながら、部分的な上面斜視図であり得る。
【図４Ｊ】少なくとも１つのホース又は少なくとも１つのチュービングの第２の末端部のうちの１つが、どのように、ベッセルのリムの近位の何らかの構造体に除去可能に係合することができるかということについて、ベッセルのいくらかの内側を示しながら、部分的な上部斜視断面図であり得る。
【図４Ｋ】ベッセル−チューブ−ホース−コネクタの上面斜視図であり得る。
【図４Ｌ】図４Ｋのベッセル−チューブ−ホース−コネクタを示す図であり得、上面図により示されている。
【図４Ｍ】図４Ｋのベッセル−チューブ−ホース−コネクタを示す図であり得、内側側面図により示されている。
【図４Ｎ】図４Ｋのベッセル−チューブ−ホース−コネクタを示す図であり得、外側側面図により示されている。
【図４Ｏ】図４Ｋのベッセル−チューブ−ホース−コネクタを示す図であり得、正面図により示されている。
【図４Ｐ】図４Ｋのベッセル−チューブ−ホース−コネクタを示す図であり得、背面図により示されている。
【図４Ｑ】図４Ｋのベッセル−チューブ−ホース−コネクタを示す図であり得、底面図により示されている。
【図５Ａ】図２Ａのフェイスソーキングデバイスを示す図であり得、上面図により示されており、ヘッドレストサブアセンブリは、後方構成（すなわち、背面方向構成）になっていることが可能である。
【図５Ｂ】図２Ａのフェイスソーキングデバイスを示す図であり得、上面図により示されており、ヘッドレストサブアセンブリは、前方構成になっていることが可能である。
【図５Ｃ】図２Ａのフェイスソーキングデバイスを示す図であり得、上面図により示されており、ヘッドレストサブアセンブリは、上昇（隆起した）構成（並びに、後方構成）になっていることが可能である。
【図５Ｄ】図２Ａのフェイスソーキングデバイスを示す図であり得、上面図により示されており、ヘッドレストサブアセンブリは、下降（低下された）構成（並びに、後方構成）になっていることが可能である。
【図５Ｅ】図２Ａのフェイスソーキングデバイスのベッセルから分解されたヘッドレストサブアセンブリの上面斜視分解図であり得る。
【図５Ｆ】図２Ａのフェイスソーキングデバイスの上面図であり得、図５Ｆは、２つの断面線、すなわち、断面線５Ｇ−５Ｇ及び断面線５Ｈ−５Ｈをさらに示しており、断面線５Ｇ−５Ｇは、ヘッドレストサブアセンブリを通る長手方向の断面線である可能性があり、断面線５Ｈ−５Ｈは、ヘッドレストサブアセンブリを通る横断幅方向の断面線である可能性がある。
【図５Ｇ】ヘッドレストサブアセンブリを通る断面線５Ｇ−５Ｇに沿った長手方向断面図であり得る。
【図５Ｈ】ヘッドレストサブアセンブリを通る断面線５Ｈ−５Ｈに沿った横断幅方向の断面図であり得、詳細５Ｉの領域は、ヘッドレストサブアセンブリを示す図であり得る。
【図５Ｉ】詳細５Ｉのクローズアップ図であり得る。
【図６Ａ】示されているヘッドレストサブアセンブリに関する２つの異なる構成になっている、２つのフェイスソーキングデバイスを並べて示している可能性があり、一方のヘッドサポートは、下降（低下された）構成で示されており、他方のヘッドサポートは、上昇（隆起した）構成で示されており、示されているヘッドサポートは、単一のポストの実施形態とすることができる。
【図６Ｂ】図６Ａに示されているヘッドレストサブアセンブリの１つの上部斜視分解図であり得、ヘッドレストサブアセンブリは、ベッセルから分解されている。
【図６Ｃ】図６Ａに示されているヘッドレストサブアセンブリの１つの上面図であり得、図６Ｃは、２つの断面線、すなわち、断面線６Ｄ−６Ｄ及び断面線６Ｅ−６Ｅを示す図であり得、断面線６Ｄ−６Ｄは、ヘッドレストサブアセンブリを通る長手方向断面線とすることができ、断面線６Ｅ−６Ｅは、ヘッドレストサブアセンブリを通る横断幅方向の断面線とすることができる。
【図６Ｄ】ヘッドレストサブアセンブリを通る断面線６Ｄ−６Ｄに沿った長手方向断面図であり得る。
【図６Ｅ】ヘッドレストサブアセンブリを通る断面線６Ｅ−６Ｅに沿った横断幅方向の断面図であり得、詳細６Ｆの領域が、ヘッドレストサブアセンブリを示す図であり得る。
【図６Ｆ】詳細６Ｆのクローズアップ図であり得る。
【図６Ｇ】示されているヘッドレストサブアセンブリに関する２つの異なる構成になっている、２つのフェイスソーキングデバイスを並べて示している可能性があり、一方のヘッドレストサブアセンブリは、下降（低下された）構成で示されており、他方のヘッドレストサブアセンブリは、上昇（隆起した）構成で示されており、示されているヘッドレストサブアセンブリは、単一のポストの実施形態とすることができる。
【図６Ｈ】図６Ｇに示されているヘッドレストサブアセンブリの１つの上面図であり得、図６Ｈは、２つの断面線、すなわち、断面線６Ｉ−６Ｉ及び断面線６Ｊ−６Ｊを示す図であり得、断面線６Ｉ−６Ｉは、ヘッドレストサブアセンブリを通る長手方向断面線とすることができ、断面線６Ｊ−６Ｊは、ヘッドレストサブアセンブリを通る横断幅方向の断面線とすることができる。
【図６Ｉ】ヘッドレストサブアセンブリを通る断面線６Ｉ−６Ｉに沿った長手方向断面図であり得る。
【図６Ｊ】ヘッドレストサブアセンブリを通る断面線６Ｊ−６Ｊに沿った横断幅方向の断面図であり得、詳細６Ｋの領域が、ヘッドレストサブアセンブリを示す図であり得る。
【図６Ｋ】詳細６Ｋのクローズアップ図であり得る。
【図７Ａ】ベッセルに連通している状態の、組み立てられたヒータサブアセンブリを示す図であり得、上面斜視図により示されているが、呼吸装置、ヘッドレストサブアセンブリ、及びガスディフューザの部分が除去されている。
【図７Ｂ】図７Ａのヒータサブアセンブリを示す図であり得るが、上部斜視分解図により示されており、ヒータサブアセンブリは、ベッセルから分解されている。
【図７Ｃ】ヒータサブアセンブリの熱シールド（シールド）を示す図であり得、上面図により示されている。
【図７Ｄ】ヒータサブアセンブリのシールドを示す図であり得、底面図により示されている。
【図７Ｅ】ヒータサブアセンブリのシールドを示す図であり得、正面図により示されている。
【図７Ｆ】ヒータサブアセンブリのシールドを示す図であり得、背面図により示されている。
【図７Ｇ】ヒータサブアセンブリのシールドを示す図であり得、長手方向の側面図により示されている。
【図７Ｈ】ベッセルの上面斜視図であり得、ベッセルの部分的な内側図を示しているが、ヒータサブアセンブリ、呼吸装置、及び、ヘッドレストサブアセンブリ、並びに、ガスディフューザの部分は除去されている。
【図７Ｉ】ヒータサブアセンブリの少なくとも１つの加熱要素を示す図であり得、上面図により示されている。
【図７Ｊ】ヒータサブアセンブリの少なくとも１つの加熱要素を示す図であり得、底面図により示されている。
【図７Ｋ】ヒータサブアセンブリの少なくとも１つの加熱要素を示す図であり得、正面図により示されている。
【図７Ｌ】ヒータサブアセンブリの少なくとも１つの加熱要素を示す図であり得、背面図により示されている。
【図７Ｍ】ベッセルの内側容積の中に配設されている少なくとも１つの加熱要素を示す図であり得るが、ベッセルの後面内壁から分解された状態になっており、上面斜視図により示されている。
【図７Ｎ】ベッセルの内側容積の中に配設されている少なくとも１つの加熱要素を示す図であり得るが、ベッセルの後面内壁から分解された状態になっており、機械的なコンパートメントの部分的な内側図も示す後面斜視切り欠き図により示されている。
【図８Ａ】図２Ａのフェイスソーキングデバイスのガスディフューザの部分を示す図であり得、上面図により示されているが、呼吸装置、ヘッドレストサブアセンブリ、及び（熱）シールドは除去されている。
【図８Ｂ】図８Ａによるガスディフューザの部分を示す図であり得、ベッセルから分解されて示されており、上部斜視分解図によるものである
【図８Ｃ】図８Ａのガスディフューザの部分を示す図であり得、ガス−ディフューザ−チュービングを通る横断幅方向の断面線８Ｄ−８Ｄとともに、上面図により示されている。
【図８Ｄ】ガス−ディフューザ−チュービングを通る断面線８Ｄ−８Ｄに沿った横断幅方向の断面図であり、図８Ｄは、詳細８Ｅの領域も示している可能性がある。
【図８Ｅ】詳細８Ｅのクローズアップ図であり得る。
【図８Ｆ】端部キャップに除去可能に連結されているガス−ディフューザ−チュービングを示す図であり得、ガス−ディフューザ−チュービング及び端部キャップは、ベッセルのフランジ−レシーバから分解され得、ベッセルの内側の部分的な上面斜視図により示されている。
【図８Ｇ】図８Ｆと反対側の図であり得、図８Ｇは、コネクタから、及び、ベッセルの内側後面壁から分解されているガス−ディフューザ−チュービングを示すことが可能であり、ベッセルの内側の部分的な上面斜視図により示されている。
【図９Ａ】ベッセルライニングのＬＥＤハウジングの中に挿入されるように示されている少なくとも１つの電磁（ＥＭ）放射線エミッタの部分図であり得、ベッセルの部分的な内側図を示す上面斜視図により示されており、ＬＥＤハウジングは、切り欠き図で示されている。
【図９Ｂ】分解されており、ベッセルライニングとベッセルカバーとの間に配設されている少なくとも１つのＥＭ放射線エミッタを示す図であり得、ベッセルライニング及びベッセルカバーは、ベッセルを形成することが可能である。
【図９Ｃ】フェイスソーキングデバイスのベッセルのベッセルライニングの底面斜視図であり得る。
【図１０Ａ】メンブレンスイッチサブアセンブリのメンブレンの上面図であり得、図２Ａのフェイスソーキングデバイスの部分的な上面図により示されている。
【図１０Ｂ】ベッセルから分解されているメンブレンスイッチサブアセンブリの部分を示す図であり得、上部斜視分解図により示されている。
【図１１Ａ】フェイスソーキングデバイスのコントローラの例示的な実施形態を示す図であり得、ブロック図として示されている。
【図１１Ｂ】フェイスソーキングデバイスの動作環境を示す図であり得、どのようにユーザがフェイスソーキングデバイスを動作させ及び／又はプログラムすることができるかを示している。
【図１２Ａ】ベッセルなどのような、（皮膚などのような）物品を治療するためのデバイスの例示的な実施形態を示す図であり得、物品を治療するための方法は、このデバイスを利用することも可能であり、斜視図により示されている。
【図１２Ｂ】図１２Ａのデバイスを示す図であり得るが、少なくとも１つのＥＭエミッタは、デバイスに対して様々な異なる場所において示されている可能性があり、斜視図により示されている。
【図１２Ｃ】少なくとも１つの泡と相互作用する、電磁（ＥＭ）放射線からの光学的な連鎖反応のダイアグラムを示す図であり得る。
【図１２Ｄ】複数の泡と相互作用するＥＭ放射線からの光学的な連鎖反応のダイアグラムを示す図であり得る。
【図１３Ａ】湾曲したベッセル壁を備えたフェイスソーキングデバイスを示す図であり得、上面斜視図を示している。
【図１３Ｂ】フェイスソーキングデバイスを示す図であり得、呼吸装置の一部分は、フェイスソーキングデバイスのベッセルの底部から出現することが可能であり、上面斜視図により示されている。図１３Ｂは、ベッセルネックガスケットもネック−ガスケット−アコモデータも含まなくてもよいフェイスソーキングデバイスを示す図であり得る。
【図１３Ｃ】図１３Ｃは、フェイスソーキングデバイスを示す図であり得、ベッセルネックガスケットは、ユーザの首と一致するように構成されている可撓性の側壁の領域から形成され得る。
【図１４Ａ】斜視図により示されている、代替的な実施形態のベッセルネックガスケットを備えるフェイスソーキングデバイスを示す図であり得る。（呼吸装置、ヘッドレストサブアセンブリ、ヒータサブアセンブリ、及びガスディフューザは、除去されている可能性がある。）
【図１４Ｂ】図１４Ａのフェイスソーキングデバイスを示す図であり得るが、底面斜視図により示されている。
【図１４Ｃ】図１４Ａのフェイスソーキングデバイスを示す図であり得るが、正面図により示されている。
【図１４Ｄ】図１４Ａのフェイスソーキングデバイスを示す図であり得るが、（右側）側面図により示されている。
【図１４Ｅ】図１４Ａのフェイスソーキングデバイスを示す図であり得るが、上部斜視分解図で示されている。
【図１４Ｆ】図１４Ａのフェイスソーキングデバイスを示す図であり得るが、底部斜視分解図で示されている。
【図１４Ｇ】図１４Ａのフェイスソーキングデバイスを示す図であり得るが、正面分解図で示されている。
【図１４Ｈ】図１４Ａのフェイスソーキングデバイスを示す図であり得るが、（右側）側面分解図で示されている。
【図１４Ｉ】図１４Ａのフェイスソーキングデバイスを示す図であり得るが、正面図で示されており、ネック−ガスケット−アコモデータを通る断面線１４Ｊ−１４Ｊを有しており、ベッセルネックガスケット及びクランプは、除去されている可能性がある。
【図１４Ｊ】断面線１４Ｊ−１４Ｊに沿った側断面図であり得、また、図１４Ｊは、詳細１４Ｋの領域を示す図であり得る。
【図１４Ｋ】詳細Ｋのクローズアップを示す図であり得る。
【図１４Ｌ】図１４Ａのフェイスソーキングデバイスを示す図であり得るが、正面図で示されており、ベッセルネックガスケット、クランプ、及びネック−ガスケット−アコモデータを通る断面線１４Ｍ−１４Ｍを有する。
【図１４Ｍ】断面線１４Ｍ−１４Ｍに沿った側断面図であり得、また、図１４Ｍは、詳細１４Ｎの領域を示す図であり得る。
【図１４Ｎ】詳細１４Ｎのクローズアップ図であり得る。
【図１５Ａ】代替的な実施形態のベッセルネックガスケットを備えるフェイスソーキングデバイスを示す図であり得、クランプは旋回することが可能であり、斜視図により示されている。（呼吸装置、ヘッドレストサブアセンブリ、ヒータサブアセンブリ、及びガスディフューザは、除去されている可能性がある。）
【図１５Ｂ】図１５Ａによるフェイスソーキングデバイスを示す図であり得るが、ベッセルネックガスケット及びクランプが、ベッセルから分解されている可能性がある。
【図１５Ｃ】図１５Ａによるフェイスソーキングデバイスを示す図であり得るが、正面図により示されており、ベッセルネックガスケット及びクランプを通る断面線１５Ｄ−１５Ｄを有する。
【図１５Ｄ】断面線１５Ｄ−１５Ｄに沿った部分的な側断面図であり得る。
【図１５Ｅ】図１５Ａによるフェイスソーキングデバイスを示す図であり得るが、（右側）側面図により示されており、ベッセルを通る断面線１５Ｆ−１５Ｆを有する。
【図１５Ｆ】断面線１５Ｆ−１５Ｆに沿った横断幅方向の断面図であり得る。
【図１６Ａ】ノーズ−クリップの例示的な実施形態を示す図であり得、タイトコイルを含み、上面斜視図により示されている。
【図１６Ｂ】図１６Ａの例示的な実施形態を示す図であり得、底面斜視図により示されている。
【図１６Ｃ】図１６Ａの例示的な実施形態を示す図であり得、正面図により示されている。
【図１６Ｄ】図１６Ａの例示的な実施形態を示す図であり得、側面図により示されている。
【図１６Ｅ】図１６Ａの例示的な実施形態を示す図であり得、背面図により示されている。
【図１６Ｆ】図１６Ａの例示的な実施形態を示す図であり得、上面図により示されている。
【図１６Ｇ】図１６Ａの例示的な実施形態を示す図であり得、底面図により示されている。
【図１７Ａ】ノーズ−クリップの例示的な実施形態を示す図であり得、ルースコイルを含み、上面斜視図により示されている。
【図１７Ｂ】図１７Ａの例示的な実施形態を示す図であり得、底面斜視図により示されている。
【図１７Ｃ】図１７Ａの例示的な実施形態を示す図であり得、正面図により示されている。
【図１７Ｄ】図１７Ａの例示的な実施形態を示す図であり得、側面図により示されている。
【図１７Ｅ】図１７Ａの例示的な実施形態を示す図であり得、背面図により示されている。
【図１７Ｆ】図１７Ａの例示的な実施形態を示す図であり得、上面図により示されている。
【図１７Ｇ】図１７Ａの例示的な実施形態を示す図であり得、底面図により示されている。
【図１８Ａ】ノーズ−クリップの例示的な実施形態を示す図であり得、１対の球形の終端構造体を含み、上面斜視図により示されている。
【図１８Ｂ】図１８Ａの例示的な実施形態を示す図であり得、底面斜視図により示されている。
【図１８Ｃ】図１８Ａの例示的な実施形態を示す図であり得、正面図により示されている。
【図１８Ｄ】図１８Ａの例示的な実施形態を示す図であり得、側面図により示されている。
【図１８Ｅ】図１８Ａの例示的な実施形態を示す図であり得、背面図により示されている。
【図１８Ｆ】図１８Ａの例示的な実施形態を示す図であり得、上面図により示されている。
【図１９Ａ】ノーズ−クリップの例示的な実施形態を示す図であり得、ノーズ−クリップは、ポリマーでコーティングされ得、上面斜視図により示されている。
【図１９Ｂ】図１９Ａの例示的な実施形態を示す図であり得、底面斜視図により示されている。
【図１９Ｃ】図１９Ａの例示的な実施形態を示す図であり得、正面図により示されている。
【図１９Ｄ】図１９Ａの例示的な実施形態を示す図であり得、側面図により示されている。
【図１９Ｅ】図１９Ａの例示的な実施形態を示す図であり得、背面図により示されている。
【図１９Ｆ】図１９Ａの例示的な実施形態を示す図であり得、上面図により示されている。
【図１９Ｇ】図１９Ａの例示的な実施形態を示す図であり得、底面図により示されている。
【図２０Ａ】ユーザによって使用中のフェイスソーキングデバイスの断面図であり得、独立した呼吸装置を示している。
【図２０Ｂ】ユーザによる使用中のフェイスソーキングデバイスの断面図であり得、独立した呼吸装置を示している。
【図２１Ａ】フェイスソーキングデバイスの実施形態を示す図であり得、呼吸装置は、ヘッドレストサブアセンブリの中へ組み込まれ得（組み合わされており）、ベッセルの部分的なカットアウト図とともに、斜視図により示されている。
【図２１Ｂ】図２１Ａの実施形態を示す図であり得るが、上面図によるものである。
【図２１Ｃ】図２１Ａの実施形態を示す図であり得るが、正面図によるものである。そして、断面線２１Ｅ−２１Ｅが、ヘッドレストサブアセンブリと組み合わせられた呼吸装置を通って、図２１Ｃに示されている可能性がある。
【図２１Ｄ】図２１Ａの実施形態を示す図であり得るが、分解斜視図によるものである。
【図２１Ｅ】図２１Ａの実施形態を示す図であり得るが、断面線２１Ｅ−２１Ｅに沿った図を示しており、それは、長手方向の側断面図であり得る。
【図２２Ａ】調節可能な呼吸装置の実施形態を示す図であり得、斜視図により示されている。
【図２２Ｂ】調節可能な呼吸装置の実施形態を示す図であり得、クローズアップ斜視図により示されている。
【図２２Ｃ】調節可能な呼吸装置の実施形態を示す図であり得、クローズアップ斜視部分図により示されており、チャネルスリーブの内側の透視図、及び、チャネルスリーブのない比較図において、側壁タブを示す図であり得る。
【図２２Ｄ】調節可能な呼吸装置の実施形態を示す図であり得、斜視図により示されており、呼吸装置が静止構成になっている状態である可能性がある。
【図２２Ｅ】調節可能な呼吸装置の実施形態を示す図であり得、斜視図により示されているが、呼吸装置が調節可能な負荷を受けた構成になっている状態である可能性がある。
【図２２Ｆ】少なくとも１つのベッセル−チューブ−ホース−コネクタの別の実施形態の上面斜視図であり得る。
【図２３Ａ】ヘッドレストサブアセンブリの例示的な実施形態を示す図であり得、斜視図により示されている。
【図２３Ｂ】図２３Ａのヘッドレストサブアセンブリを示す図であり得るが、上面図により示されている。２つの断面線、すなわち、断面線２３Ｃ−２３Ｃ及び断面線２３Ｄ−２３Ｄが、図２３Ｂに示され得る。断面線２３Ｃ−２３Ｃは、横断幅方向の断面線とすることができ、断面線２３Ｄ−２３Ｄは、ヘッドレストサブアセンブリを通る長手方向断面線とすることができる。
【図２３Ｃ】図２３Ｂからの断面線２３Ｃ−２３Ｃに沿った横断幅方向の正面断面図であり得る。
【図２３Ｄ】図２３Ｂからの断面線２３Ｄ−２３Ｄに沿った長手方向側断面図であり得る。また、ユーザの頭部の断面が、ヘッドレストサブアセンブリ一部分のサポート部材の快適な外側表面の一部分の上に置かれている状態で、図２３Ｄに示されている可能性がある。
【図２３Ｅ】図２３Ａの例示的な実施形態を示す図であり得るが、分解斜視図により示されている。
【図２３Ｆ】特定のヘッドレストサブアセンブリの潜在的な後方スライディング問題を図示し得る長手方向の側断面図であり得る。
【図２４Ａ】図２３Ｆに特定されている問題を緩和することができるヘッドレストサブアセンブリの実施形態を備えるフェイスソーキングデバイスの組み立てられた全体的な斜視図であり得る。
【図２４Ｂ】図２４Ａのヘッドレストサブアセンブリの実施形態を示す図であり得るが、ヘッドレストサブアセンブリの一部分が、上向きに傾けられている。
【図２４Ｃ】図２４Ａのヘッドレストサブアセンブリの実施形態を示す図であり得るが、上面図によるものである。
【図２４Ｄ】図２４Ａのヘッドレストサブアセンブリの実施形態を示す図であり得るが、機械的なコンパートメントの中の透視図を示している。
【図２５Ａ】代替的な実施形態のヘッドレストサブアセンブリを備えるフェイスソーキングデバイスを示す図であり得、上面斜視図により示されている。
【図２５Ｂ】図２５Ａのヘッドレストサブアセンブリを示す図であり得、上面斜視図により示されている。
【図２５Ｃ】図２５Ａのヘッドレストサブアセンブリを示す図であり得るが、上面斜視分解図により示されている。
【図２５Ｄ】ヘッドレストサブアセンブリの代替的な実施形態を示す図であり得、上面斜視分解図により示されている。サポート部材は、垂直方向に調節され得、サポート部材は、ヘッドレストサブアセンブリのコンポーネントとすることができる。
【図２５Ｅ】ヘッドレストサブアセンブリの代替的な実施形態を示す図であり得、（右側及び左側）側面図により示されている。サポート部材は、垂直方向に調節され得、及び／又は、フェイスソーキングデバイスの前面に対して、前方方向又は後方方向に調節され得る。
【図２５Ｆ】図２５Ｅの実施形態を示す図であり得るが、図２５Ｅに示されている断面線２５Ｆ−２５Ｆに沿った断面図として示されている。この断面図は、垂直方向の調節及び／又は前方もしくは後方調節を実現するために、サポート部材がどのように枢動され得るかを示す図であり得る。
【図２５Ｇ】ヘッドレストサブアセンブリの代替的な実施形態を示す図であり得、側部の背面図により示されている。サポート部材は、フェイスソーキングデバイスの前面に対して、垂直方向に調節され、及び／又は、前方もしくは後方方向に調節され得る。また、図２５Ｇは、断面線２５Ｈ−２５Ｈを示す図であり得る。
【図２５Ｈ】図２５Ｇの実施形態を示す図であり得るが、断面線２５Ｈ−２５Ｈに沿った断面図として示されている。この断面図は、垂直方向の調節及び／又は前方もしくは後方調節を実現するために、サポート部材がどのように枢動され得るかを示す図であり得る。
【図２６Ａ】トラック及びフランジの実施形態を使用する、サポート部材に関する前後調節手段及び／又は高さ調節手段のうちの１つ又は複数を示す図であり得、右側から左側への断面図により示されている。
【図２６Ｂ】テレスコープ式のストラット（strut）の実施形態を使用する、サポート部材に関する高さ調節手段を示す図であり得るが、右側から左側への断面図により示されている。
【図２６Ｃ】テレスコープ式のストラットの実施形態を使用する、サポート部材に関する高さ調節手段を示す図であり得、右側から左側への断面図により示されている。
【図２６Ｄ】テレスコープ式のストラットの実施形態を使用する、サポート部材に関する高さ調節手段を示す図であり得、右側から左側への断面図により示されている。
【図２６Ｅ】トラック及びフランジの実施形態を使用する、サポート部材に関する前後調節手段及び／又は高さ調節手段のうちの１つ又は複数を示す図であり得、右側から左側への断面図により示されている。
【図２６Ｆ】枢動可能なロッキング手段を使用する、サポート部材に関する高さ調節手段及び前後調節手段を示す図であり得、右側から左側への断面図により示されている。
【図２７Ａ】フェイスソーキングデバイスに関するＵ字形状の加熱要素ヒータサブアセンブリの実施形態を示す図であり得、上部斜視分解図により示されている。
【図２７Ｂ】フェイスソーキングデバイスに関するＵ字形状の加熱要素ヒータサブアセンブリの別の実施形態を示す図であり得、上部斜視分解図により示されている。
【図２７Ｃ】図２７Ａ又は図２７Ｂのいずれかの組み立てられたＵ字形状のヒータサブアセンブリを示す図であり得、上面斜視図により示されている。
【図２７Ｄ】フェイスソーキングデバイスに関するおおよそＯ字形状の加熱要素ヒータサブアセンブリの実施形態を示す図であり得、上部斜視分解図により示されている。
【図２７Ｅ】フェイスソーキングデバイスに関するバックヒータサブアセンブリの実施形態を示す図であり得、上部斜視分解図により示されている。
【図２７Ｆ】フェイスソーキングデバイスに関するＴ字形状の加熱要素バックヒータサブアセンブリの実施形態を示す図であり得、上部斜視分解図により示されている。
【図２７Ｇ】図２７Ｅ又は図２７Ｆのいずれかの組み立てられたバックヒータサブアセンブリを示す図であり得、上面斜視図により示されている。
【図２７Ｈ】フェイスソーキングデバイスに関するダブル側壁ヒータサブアセンブリの実施形態を示す図であり得、上部斜視分解図により示されている。
【図２７Ｉ】図２７Ｈの組み立てられたダブル側壁ヒータサブアセンブリを示す図であり得、上面斜視図により示されている。
【図２８Ａ】上面図により示されているように、様々な加熱要素レイアウト構成を示す図であり得、加熱要素の様々な全体的な形状を示している。ベッセルの後面に近接する直線的な加熱要素を示す図であり得、加熱要素は、ベッセルの側壁からベッセルに進入していることを示す図であり得る。
【図２８Ｂ】上面図により示されているように、様々な加熱要素レイアウト構成を示す図であり得、加熱要素の様々な全体的な形状を示している。ベッセルの後面に近接するＬ字形状の加熱要素を示す図であり得、加熱要素は、後面からベッセルに進入していることを示す図であり得る。
【図２８Ｃ】上面図により示されているように、様々な加熱要素レイアウト構成を示す図であり得、加熱要素の様々な全体的な形状を示している。ベッセルの後面に近接するＴ字形状の加熱要素を示す図であり得、加熱要素は、後面からベッセルに進入していることを示す図であり得る。
【図２８Ｄ】上面図により示されているように、様々な加熱要素レイアウト構成を示す図であり得、加熱要素の様々な全体的な形状を示している。Ｕ字形状の加熱要素を示す図であり得、加熱要素は、ベッセルの後面からベッセルに進入していることを示す図であり得る。
【図２８Ｅ】上面図により示されているように、様々な加熱要素レイアウト構成を示す図であり得、加熱要素の様々な全体的な形状を示している。Ｕ字形状の加熱要素を示す図であり得、加熱要素は、ベッセルの前面からベッセルに進入していることを示す図であり得る。
【図２８Ｆ】上面図により示されているように、様々な加熱要素レイアウト構成を示す図であり得、加熱要素の様々な全体的な形状を示している。Ｕ字形状の加熱要素を示す図であり得、加熱要素は、ベッセルの底部からベッセルに進入していることを示す図であり得る。
【図２８Ｇ】上面図により示されているように、様々な加熱要素レイアウト構成を示す図であり得、加熱要素の様々な全体的な形状を示している。おおよそＯ字形状の加熱要素を示す図であり得、加熱要素は、ベッセルの後面からベッセルに進入していることを示す図であり得る。
【図２８Ｈ】上面図により示されているように、様々な加熱要素レイアウト構成を示す図であり得、加熱要素の様々な全体的な形状を示している。１対の直線的な加熱要素を示す図であり得、それぞれが、対向しているが平行な側壁に近接しており、加熱要素は、ベッセルの後面からベッセルに進入していることを示す図であり得る。
【図２９Ａ】所与のベッセルの中の１つ又は複数のガス−ディフューザ−チュービングに関する様々な可能性のあるレイアウト構成を上面図により示している可能性がある。
【図３０Ａ】ベッセルの内部容積の中に位置付けされている１つ又は複数のガス−ディフューザ−チュービングを空気ラインチュービングに固定する、持ち上げて越える様式を示す図であり得、空気ラインチュービングの一部分は、内部容積の外側に位置付けされ得、「持ち上げて越える」は、ベッセルのリムに対するものとすることができる。
【図３０Ｂ】図３０Ａの接続領域のクローズアップ詳細図であり得、そこでは、１つ又は複数のガス−ディフューザ−チュービングが、コネクタを介して空気ラインチュービングに除去可能に連結され得る。
【図３１】ベッセルのネック−ガスケット−アコモデータによる、クランプ及びベッセルネックガスケットに関する押し下げ式圧入の実施形態を示す図であり得る。
【発明を実施するための形態】
【００７８】
フェイスソーキングデバイス、物品ソーキングデバイス、及び、可撓性の取り外し可能なベッセルカバーの実施形態、並びに、使用の方法が、説明及び開示されている。いくつかの例示的な実施形態では、これらのフェイスソーキングデバイスは、ガスケット−アコモデータ、ベッセルネックガスケット、及び呼吸装置を備えるベッセルを含むことが可能である。ベッセルは、浸漬液（液体）を保持し、ユーザの顔又はその一部分を沈めるように構成され得る。ベッセルネックガスケットは、ベッセルに除去可能に接合され得る。ベッセルネックガスケットは、ユーザの首の一部分を快適に収容するように構成され得る。呼吸装置は、ベッセル、ヘッドレストサブアセンブリ、及び／又はユーザに除去可能に接触していることが可能である。呼吸装置は、ユーザの顔が液体の中に沈められ得る間に、ユーザが呼吸することを可能にするように構成され得る。ベッセルが少なくとも十分なレベルまで液体で充填され得るときに、ユーザは、顔又はその一部分を浸漬させることが可能であり、浸漬されている皮膚が利益を受けることができるようになっている。
【００７９】
本開示の中で使用されているような「除去可能に」の用語は、文章の中で「除去可能に」とともに表されている２つ以上のコンポーネントが、ある実施形態では、互いに除去可能になっていることが可能であることを意味する可能性があることに留意されたい。しかし、「除去可能に」のそのような使用は、２つのコンポーネントが除去可能でない可能性のある実施形態を排除することを意図していない。例えば、上記に使用されているように、「ベッセルネックガスケットは、ベッセルに除去可能に接合され得る」は、ある実施形態では、ベッセルネックガスケットが、（例えばベッセルネックガスケットの修理又は交換を行うために）ベッセルから除去され得るが、一方、他の実施形態では、ベッセルネックガスケットは、ベッセルから除去されることができないことを意味する可能性がある。
【００８０】
ユーザがそのようなフェイスソーキングから得ることができる利益は、いくつかの要因に依存する可能性がある。これらの要因のいくつかは、それに限定されないが、フェイスソーキングデバイスの任意の所与の使用において、どのくらい長くユーザが彼らの顔を液体の中に沈めるかということ、どのくらい頻繁にユーザがフェイスソーキングデバイスを使用する可能性があるかということ、及び／又は、液体の特質を含むことが可能である。
【００８１】
例えば、及び、本発明の範囲を限定することなく、液体の特質は、液体（例えば、水、油、パラフィンワックス、水油混合物など）（それは、溶媒及び／又はキャリアとして機能している可能性がある）の主要な化学種；液体の中に存在している空気、酸素、及び／又はガスの量（溶解されているか又は溶解されていないかにかかわらない）；液体の温度；液体が循環され得るかどうかということ；及び／又は、液体が、ジェットノズル（又は、いくつかの他の強制的な移動手段）を介して、浸されている顔の一部分に方向付けされ得るかどうかを含むことが可能である。また、ある実施形態では、主要な化学種は、さらなる添加剤を含み、様々な治療を提供することが可能である。ある実施形態では、液体へのこれらのさらに添加剤は、塩、ミネラル塩、有機の塩、ミネラル、医薬品有効成分、染料、酸化剤、漂白剤、美白剤、クレンザ、殺菌剤、スパイス、香料、エッセンシャルオイル（例えば、化粧品産業の文脈において）、ハーブ、ホメオパシー原料、及び／又は、薬効のある原料のうちの１つ又は複数を含むことが可能である。例えば、及び、本発明の範囲を限定することなく、そのようなハーブは、伝統的な漢方薬、伝統的な日本の薬、伝統的なインドの薬、及び、伝統的なネイティブアメリカの薬などのうちの１つ又は複数の中に見出されるハーブを含むことが可能である。例えば、及び、本発明の範囲を限定することなく、そのようなハーブは、ハーブティー及び／又は茶樹（木）からの茶葉を含む、様々な茶葉を含むことが可能である。液体のこれらの特質のいくつかは、液体に固有のものである可能性があり、及び／又は、液体のこれらの特質のいくつかは、フェイスソーキングデバイスから液体に付与され得る。
【００８２】
例えば、及び、本発明の範囲を限定することなく、いくつかのそのような固有の特性は、液体の化学成分から生じる化学的な特性とすることができる。ある実施形態では、液体は、水、油、及び／又は、油と水の混合物の中に様々な塩を溶解させることから生じる、生理食塩水溶液とすることができる。そのような塩は、相補的なマイナスイオンを備える様々なプラスイオンのミネラルを含むことが可能である。そのようなミネラルは、ナトリウム、カリウム、及びマグネシウムなどを含むことが可能である。そのようなマイナスイオンは、塩化物及び硫酸塩などを含むことが可能である。例えば、そのような塩は、塩化ナトリウム、塩化カリウム、及びマグネシウム硫酸塩（エプソムソルト）などとすることができる。異なるプラスのミネラルイオンは、フェイスソーキングデバイスの中に浸漬されている皮膚に異なる利益を提供することが可能である。例えば、いくつかのそのようなプラスのミネラルイオンは、皮膚を軟化させる傾向があり得、一方、他のものは、皮膚に潤いを与える傾向があり得る。例えば、エプソムソルト入浴は、浸されている皮膚を軟化させるとともに潤いを与える傾向がある。
【００８３】
「生理食塩水」及び／又は「生理食塩水溶液」という用語は、水の中に溶解された塩化ナトリウムを含む塩溶液を表すために使用され得ることが多いことに留意されたい。本開示の中で、「生理食塩水」及び／又は「生理食塩水溶液」という用語は、塩化ナトリウム、塩化カリウム、及びマグネシウム硫酸塩などのような、任意の塩溶液を表すことが可能である。
【００８４】
浸透圧などのような、そのような化学的な特性は、塩濃度の関数とすることができる。ある実施形態では、浸されている皮膚組織の中から液体に向かう浸透流が存在することが望ましい可能性のある場合に、液体は、０．９重量％よりも大きい塩濃度を有するべきである。
【００８５】
ある実施形態では、液体は、ユーザによって提供され得る。そのような実施形態では、ユーザは、任意の数の異なる方式で、自由に液体を調合することが可能である。例えば、ユーザは、どの塩、又は、塩の混合物を用いるかを決定することが可能である。ユーザは、塩濃度を設定することが可能である。また、ユーザは、他の所望の効果のために、他の添加剤及び／又は原料を追加することも可能である。例えば、ユーザは、様々なハーブの原料、ミネラル原料、ホメオパシー原料、及び／又は薬効のある原料に依存し得る、自身の家庭薬のレシピを使用することが可能である。追加的に、様々な認可を受けた医師は、フェイスソーキングデバイスの中で使用されることになる液体の様々な調合に関する処方箋を提供することが可能である。
【００８６】
ある実施形態では、フェイスソーキングデバイスの供給者は、水、油、パラフィンワックス、及び／又は、油と水の混合物と混合されることになる様々なパケットを提供し、フェイスソーキングデバイスの中で使用するための所与の所望の液体を調合することが可能である。これらのパケットは、上述されているような様々な添加剤を含むことが可能である。
【００８７】
ある実施形態では、フェイスソーキングデバイスの供給者は、レシピを提供することが可能であり、ユーザが、フェイスソーキングデバイスの中で使用するための所与の所望の液体を混合及び調合することができるようになっている。
【００８８】
例えば、及び、本発明の範囲を限定することなく、液体のいくつかのそのような付与された特質は、液体の中に存在する空気、酸素、及び／又はガスの量（溶解されているか又はそうでないかにかかわらない）；液体の温度、液体が循環され得るかどうかにかかわらない；及び／又は、液体が、ジェットノズルを介して、浸されている顔の一部分に方向付けされ得るかどうかということとすることができる。
【００８９】
例えば、及び、本発明の範囲を限定することなく、液体の温度は、様々なヒータ、チラー、及び／又は氷を用いて制御され得る。チラーの使用によって、チリング機器の使用によって、及び／又は、氷の導入によって、液体を冷やすことは、次いで、様々な寒冷療法が、冷やされた液体の中へ除去可能に浸され得る顔又は他の身体のパーツを治療するために使用されることを可能にすることができる。ある実施形態では、液体は、実質的に氷とすることができる。追加的に又は代替的に、温熱（又は、高温）療法は、寒冷療法と交互に行われ得、そのような温かさ及び冷たさが交互に起こることは、血流を増加させること、細胞の毒素（例えば、それに限定されないが、乳酸）の除去を容易にすること、及び／又は、火傷を負った組織又は外傷組織の治癒を推進させることを支援することが可能である。
【００９０】
また、追加的に、そのようなフェイスソーキングデバイスは、他の目的のためにも使用され得る。また、例えば、及び、本発明の範囲を限定することなく、フェイスソーキングデバイスは、顔のひげ剃りに備えて、目の洗浄として、手及び／又は足、前腕、並びに下腿などを浸漬させる手段として、リラックスさせるために、洗顔を容易にするために、フェイスソーキングを容易にするために、使用され得る。
【００９１】
いくつかの使用において、そのようなフェイスソーキングデバイスは、例えば、１つ又は複数の酸化剤又は漂白剤を液体に加えることによって、ユーザの皮膚色合いを明るくするために使用され得る。例えば、及び、本発明の範囲を限定することなく、過酸化水素の様々な濃度が、酸化剤として液体の中で使用され得る。いくつかの使用において、そのようなフェイスソーキングデバイスは、例えば、メラニン分泌を邪魔し得る１つ又は複数の美白剤を液体に加えることによって、ユーザの皮膚色合いを明るくするために使用され得る。例えば、及び、本発明の範囲を限定することなく、様々な濃度のハイドロキノンが、皮膚美白剤として使用され得る。ある実施形態では、それに限定されないが、デオキシアルブチン、グリコール酸、コウジ酸、コルチコステロイド、ナイアシンアミド、レチノール、大豆、リコリスエキス、及びアルブチンなどのような、１つ又は複数の他の皮膚美白剤が、フェイスソーキングデバイスの様々な実施形態とともに使用され得る。
【００９２】
逆に、いくつかの使用において、そのようなフェイスソーキングデバイスは、例えば、紫外線エネルギーを液体に付与し、次いで、暴露された皮膚を日焼けさせることによって、ユーザの皮膚色合いを暗くするために使用され得る。例えば、及び、本発明の範囲を限定することなく、紫外線光源は、ユーザの皮膚に影響を与えるのに十分な強度で、紫外線電磁（ＥＭ）エネルギーを液体の中へ付与するように方向付けされ得る。又は、紫外線治療の代替的に（もしくは、それに加えて）、１つ又は複数の染料（恒久的又は一時的）が、液体に加えられ、ユーザの皮膚の色彩（色合い）を変化させることが可能である。例えば、及び、本発明の範囲を限定することなく、ジヒドロキシアセトン（ＤＨＡ）、エリトルロース、及び、メラトニン（Melatonin IIなどのような、誘導体及び合成誘導体を含む）などのうちの１つ又は複数が、液体に加えられ、皮膚を暗くする（日焼けさせる）ことが可能である。
【００９３】
すなわち、フェイスソーキングデバイスの様々な実施形態が、皮膚の色彩、色調、及び／又は色合いを明るくし、及び／又は暗くするために使用され得る。
【００９４】
本発明のある実施形態及び適用例を検討する以下の議論において、その一部を形成する添付の図面が参照され、そこでは、図示として、本発明が実践され得る特定の実施形態の描写が行われている。本発明の範囲を逸脱することなく、他の実施形態が利用され得、また、変形が行われ得ることを理解されたい。
【００９５】
図１Ａは、全体的な組み立てられたフェイスソーキングデバイス１００の例示的な実施形態を示すものであり得、それは、上面斜視図により示されており、ユーザ９０００の顔９０１０の少なくとも一部分が、液体１０１の中に実質的に浸され得（図１Ｂを参照）、液体１０１は、フェイスソーキングデバイス１００のベッセル２００の中に除去可能に含まれ得る。図１Ｂは、図１Ａのフェイスソーキングデバイス１００の長手方向断面を示すものであり得、ユーザ９０００の顔９０１０の少なくとも一部分が、フェイスソーキングデバイス１００のベッセル２００の中に除去可能に含まれている液体１０１の中に実質的に浸され得る。
【００９６】
いくつかの例示的な実施形態では、図１Ａ及び図１Ｂに示され得るように、フェイスソーキングデバイス１００は、ベッセル２００、ベッセルネックガスケット３４０、及び呼吸装置４００を含むことが可能である。
【００９７】
図１Ａ及び図１Ｂについて議論を続けると、ある実施形態では、ベッセル２００は、ユーザ９０００の顔９０１０全体又はその一部分を沈めるのに十分な体積の液体１０１を保持するように構成され得る。液体１０１がベッセル２００の中に保持され得る状態で、ベッセル２００は、ユーザ９０００が顔９０１０全体又はその一部分を液体１０１の中に沈める（浸す）ことを可能にするのに十分なレベルで、液体１０１を保持するように構成され得ることが当業者に明らかである。この十分なレベルは、ユーザ９０００が顔９０１０を内部容積２２０の中へ挿入し、首９０２０の第１の部分をベッセルネックガスケット３４０の上に置くときに、顔９０１０が液体の中に完全に浸され得るようになっているときの液体レベルであり得る。ベッセル２００の最大液体レベルは、この十分なレベルよりも大きく（高く）なっていることが可能である。
【００９８】
ある実施形態では、ベッセル２００は、少なくとも１つの壁部２０１及び少なくとも１つのベース２１５を含むことが可能である。少なくとも１つの壁部２０１及び少なくとも１つのベース２１５は、互いに物理的に接触していることが可能である。（例えば、少なくとも１つのベース２１５に関して図２ＡＧを参照されたい。）少なくとも１つの壁部２０１は、ネック−ガスケット−アコモデータ３３５を含むことが可能である。（例えば、ネック−ガスケット−アコモデータ３３５に関して図３Ｇを参照されたい。）ネック−ガスケット−アコモデータ３３５は、ベッセルネックガスケット３４０を収容するように構成され得る。ある実施形態では、ネック−ガスケット−アコモデータ３３５は、ベッセル２００の上部から、少なくとも１つの壁部２０１の領域の中へのカットアウトとして形成され得る。ある実施形態では、ネック−ガスケット−アコモデータ３３５は、少なくとも１つの壁部２０１の領域の一体成形された構造体として形成され得る。ベッセルネックガスケット３４０は、ベッセル２００に除去可能に接合され得る。ベッセルネックガスケット３４０がベッセル２００に接合することができる場所、すなわち、物理的な接触のそのような表面に沿って接合することができる場所では、一次的な水密シールが、ネック−ガスケット−アコモデータ３３５の中に、又は、ネック−ガスケット−アコモデータ３３５の付近に形成され得る。例えば、及び、本発明の範囲を限定することなく、ある実施形態では、ネック−ガスケット−アコモデータ３３５のこの付近は、２インチ以下とすることができる。他の実施形態では、「ネック−ガスケット−アコモデータ３３５の付近」に関して、他の距離も使用され得る。ベッセルネックガスケット３４０は、顔９０１０全体又はその第１の部分が液体１０１の中に沈められ得るときに、ユーザ９０００の首９０２０領域の第１の部分を受け入れるように構成され得る。ユーザ９０００の首９０２０領域の第１の部分は、首９０２０がベッセルネックガスケット３４０に物理的に接触する場所とすることができる。ユーザ９０００の首９０２０領域の第１の部分とベッセルネックガスケット３４０との間の物理的な接触の性質は、除去可能であり得ることに留意されたい。ベッセルネックガスケット３４０が首９０２０領域の第１の部分を受け入れることができるときに、二次的な水密シールが、首９０２０領域のこの第１の部分とベッセルネックガスケット３４０との間に形成され得る。ベッセル２００は、図２シリーズの図にさらに詳述されており、また、図２シリーズの図の議論において下記に議論され得ることに留意されたい。ベッセルネックガスケット３４０及びネック−ガスケット−アコモデータ３３５は、図３シリーズの図にさらに詳述されており、また、図３シリーズの図の議論において下記に議論され得ることに留意されたい。（この段落は、全体的に、図１Ａ及び図１Ｂ、を参照している可能性があるが、構造体及び／又はコンポーネントに関する参照のいくつかが、より詳細に下記に議論されていることに留意されたい。）
【００９９】
ある実施形態では、図１Ａ及び図１Ｂに示され得る（及び、図４シリーズの図において焦点を合わされている）ように、呼吸装置４００は、ベッセル２００に物理的に接触していることが可能である。ある実施形態では、呼吸装置の実施形態は、ヘッドレストサブアセンブリ２１００に物理的に接触していることが可能である（例えば、図２１シリーズの図を参照）。両方の実施形態において、呼吸装置の実施形態（例えば、４００）とベッセル２００との間の物理的な接触の性質、又は、呼吸の実施形態とヘッドレストサブアセンブリ（例えば、２１００）との間の物理的な接触の性質は、ある実施形態では、除去可能とすることができ、一方、他の実施形態では、除去不可能とすることができる。
【０１００】
ある実施形態では、ユーザ９０００の口が呼吸装置４００のマウスピース４０１を保持し得るときに、ユーザ９０００は、呼吸装置４００を使用して呼吸することが可能であり得る。（例えば、マウスピース４０１に関して、図４Ａを参照されたい。）呼吸装置４００は、図４シリーズの図にさらに詳述されており、また、図４シリーズの図の議論において下記に議論され得ることに留意されたい。（そして、他の呼吸装置の実施形態が、図２０シリーズの図、図２１シリーズの図、及び、図２２シリーズの図で取り上げられ得る。）
【０１０１】
ベッセル２００がベッセル２００の最大液体レベル以下のレベルまで液体１０１で充填され得るときには、ユーザ９０００は、顔９０１０全体又はその一部分を一定期間にわたって浸漬させることが可能である。一定間隔にわたって液体１０１の中に浸漬されている皮膚は、健康上の利益、審美的な利益、及び／又は、鎮静的な利益を受けることが可能である。
【０１０２】
ある実施形態では、利益は、にきびの低減、しわ重症度の低減、皮膚の軟化、皮膚に潤いを与えること、リラクゼーションの促進、損傷を受けた皮膚の治癒の促進、感染した皮膚の治癒の促進、発疹重症度の低減、頭痛（片頭痛を含む）の低減及び／又は排除、外傷組織（火傷を負った組織を含む）の治癒の促進、皮膚色合いを明るくすること、皮膚色合い（色調、色彩）を暗くすること、及び、腫れの低減などのうちの１つ又は複数を含むことが可能である。そのような利益は、液体１０１への顔面皮膚暴露から生じることが可能であり、ここで、液体１０１の特質は、液体１０１が生理食塩水溶液であること、液体１０１が０．９重量％よりも大きい塩濃度を有する生理食塩水溶液であること、液体１０１の中に空気及び／又は酸素が存在すること、液体１０１の温度が周囲の室温よりも低く又は高くなっていること、ベッセル２００の中の液体１０１の循環、及び／又は、液体１０１が、液体１０１圧力のストリーム又はジェットの形態で、皮膚の一部分に対して方向付けされていることのうちの１つ又は複数を含むことが可能である。
【０１０３】
ここで、図２シリーズの図の議論を見てみる。図２シリーズの図は、図２Ａから図２Ｈを含むことが可能である。分解図であり得る図２Ｇ及び図２Ｈを除いて、これらの図２シリーズの図は、全体的な組み立てられたフェイスソーキングデバイス１００を示すことに焦点を合わせている可能性がある。これらの図２シリーズの図は、ベッセル２００のいくつかの構造及び幾何学形状を示すことに焦点を合わせている可能性がある。
【０１０４】
図２Ａは、上面斜視図により示されている、全体的な組み立てられたフェイスソーキングデバイス１００の例示的な実施形態を示すものであり得る。ユーザ９０００は、図２シリーズの図の中には示されていない可能性がある。液体１０１は、図２シリーズの図には示されていない可能性がある。液体１０１の描写に関して、図１Ｂを参照されたい。図２Ｂは、フェイスソーキングデバイス１００の上面図であり得る。図２Ｃは、フェイスソーキングデバイス１００の長手方向（外側）側面図であり得る。技術的には、図２Ｃは、フェイスソーキングデバイス１００の右側の長手方向（外側）側面図である可能性があるが、ある実施形態では、フェイスソーキングデバイス１００の右側の長手方向（外側）側面図は、フェイスソーキングデバイス１００の左側の長手方向（外側）側面図と実質的に同様である可能性があり、それは、図に示されていない可能性がある。図２Ｄは、フェイスソーキングデバイス１００の正面図であり得、それは、フェイスソーキングデバイス１００のベッセルネックガスケット３４０の前面を示すものであり得る。また、正面図は、ベッセルネックガスケットの図として知られる可能性もある。右側の図は、正面図を見ている観察者に対するものである可能性があり、右側の図は、観察者の右側に対するものである可能性があり、すなわち、正面図から見たときのフェイスソーキングデバイス１００の右側である可能性がある。次いで、図２Ｅは、フェイスソーキングデバイス１００の背面図であり得る（すなわち、図２Ｄとは反対側の図）。図２Ｆは、フェイスソーキングデバイス１００の底面図であり得る。図２Ｇ及び図２Ｈは、ともに、フェイスソーキングデバイス１００の上面斜視分解図であり得、この分解図は、２つの図面にまたがって示されている。
【０１０５】
図２Ａにおいて、ある実施形態では、ベッセル２００は、少なくとも１つの壁部２０１及び少なくとも１つのベース２１５を含むことが可能である。少なくとも１つの壁部２０１及び少なくとも１つのベース２１５は、互いに物理的に接触している可能性がある。ある実施形態では、少なくとも１つの壁部２０１と少なくとも１つのベース２１５との間の物理的な接触の性質は、恒久的な接続のものとすることができ、接触のすべてのポイントは、水密になっていることが可能である。ある実施形態では、少なくとも１つのベース２１５は、所与のフェイスソーキングデバイスの実施形態の底部として概念化され得る。例えば、図２Ａを参照されたい。
【０１０６】
ある実施形態では、少なくとも１つの壁部２０１は、外壁面２０２及び内壁面２０３を含むことが可能であり、外壁面２０２及び内壁面２０３は、互いの反対側に配設され、壁部厚さだけ分離されている。内壁面２０３は、ベッセル２００の内部容積２２０の境界を定めることが可能である。ベッセル２００の内部容積２００は、液体１０１を保持するように構成され得る。すなわち、少なくとも１つのベース２１５の内側表面を含む、すべての内壁面２０３は、すべて水密になっていることが可能である。例えば、図２Ａを参照されたい。
【０１０７】
ある実施形態では、少なくとも１つのベース２１５は、底部内側表面２１７を含むことが可能である。少なくとも１つのベース２１５を参照することは、少なくとも１つのベース２１５の外側表面又は内側表面を含むことが可能であり、一方、底部内側表面２１７を参照することは、少なくとも１つのベース２１５の内側表面に関するものとすることができる。ある実施形態では、内壁面２０３及び底部内側表面２１７は、上部開口２２６として記述されている上側主開口とともに、一緒に内部容積２２０の境界を定めることが可能である。例えば、図２Ａを参照されたい。
【０１０８】
例えば、及び、本発明の範囲を限定することなく、ある実施形態では、内部容積２２０は、０．５ガロン〜５．５ガロンであるか、又は、顔９０１０を沈めるのに適切な任意の他の体積とすることができる。他の実施形態では、他の体積が、内部容積２２０に関して使用され得る。
【０１０９】
ある実施形態では、少なくとも１つの壁部２０１及び／又は少なくとも１つのベース２１５は、セミリジッドからリジッドの構築材料から構築され得る。セミリジッドからリジッドの構築材料は、熱成形プラスチック、ガラス、ファイバーグラス、金属、木材、セラミック、その複合材、及び、内部容積２２０の中に液体１０１を保持するのに適切な任意の他のセミリジッドからリジッドの材料を含む群の１つ又は複数から選択され得る。
【０１１０】
例えば、及び、本発明の範囲を限定することなく、熱成形プラスチックは、アクリル；ビニール、ポリ塩化ビニル（ＰＶＣ）を含む；アクリロニトリルブタジエンスチレン（ＡＢＳ）；ポリカーボネート、ポリエチレン、ポリプロピレン、及び、内部容積２２０の中に液体１０１を保持するのに適切な任意の他の熱成形プラスチックの群の１つ又は複数を含むことが可能である。
【０１１１】
ある実施形態では、少なくとも１つの壁部２０１及び／又は少なくとも１つのベース２１５は、可撓性の構築材料から構築され得、ベッセル２００が、外壁面２０２と内壁面２０３との間の空間を空気などのようなガスによって膨張させることによって、形成され得るようになっている。この空間がガスで充填され得るときには、ガスは、外壁面２０２及び内壁面２０３に対して十分な圧力を働かせ、少なくともセミリジッドの構造をベッセル２００に提供することが可能である。いくつかのそのような実施形態では、バルブは、外壁面２０２（及び／又は内壁面２０３）に取り付けられており、ベッセル２００を膨張させること、及び／又は、ベッセル２００を収縮させることを可能にすることができる。ある実施形態では、そのようなバルブは、開放可能及び除去可能に閉鎖可能であり得る。そのような膨張可能なベッセル２００は、ベッセル２００の可搬性を容易にすることが可能である。
【０１１２】
ある実施形態では、ベッセル２００の少なくとも１つの壁部２０１は、上側部分（上側境界）、すなわち、リム２２５を含むことが可能である。リム２２５は、ベッセル２００の内部容積２２０への上部開口２２６の境界を定めることが可能である。リム２２５は、ベッセル２００の内部容積２２０への上部開口２２６の境界を実質的に定めることが可能である。リム２２５は、少なくとも１つのベース２１５（又は、底部内側表面２１７）とは反対側に配設され得る。例えば、図２Ａを参照されたい。上部開口２２６は、ベッセル２００の内部容積２２０がベッセル２００の最大液体レベル以下のレベルまで液体１０１で充填されることを可能にすることができる。上部開口２２６は、ベッセル２００の内部容積２２０から液体１０１が排水されることを可能にすることができる。すなわち、上部開口２２６は、内部容積２２０へのアクセスを可能にすることができる。
【０１１３】
ある実施形態では、湾曲した壁部１３０１などのような、１つの連続的な壁部２０１が存在することが可能である。そのような実施形態では、ベッセルの全体的な形状は、ボウル形状などのような半球形とすることができ、上部開口２２６は、上方から見たときに、円形を含む、卵形（例えば、楕円形及び／又は長円形）とすることができる。例えば、湾曲した壁部１３０１を示す図１３Ａを参照されたい。
【０１１４】
図２シリーズの図について議論を続ける。ある実施形態では、ベッセル２００は、キャッチベースン２３０を含むことが可能である。キャッチベースン２３０は、ベッセル２００に物理的に接触していることが可能である。ある実施形態では、物理的な接触の性質は、除去可能であり得、一方、他の実施形態では、物理的な接触の性質は、除去可能であり得る。キャッチベースン２３０は、ベッセル２００の内部容積２２０からこぼれる液体１０１をキャッチするように構成され得る。キャッチベースン２３０は、ベッセル２００の少なくとも１つの壁部２０１の一部分に物理的に接触していることが可能である。キャッチベースン２３０は、ベッセル２００の少なくとも１つの壁部２０１の外壁面２０２の少なくともいくつかの部分に物理的に接触していることが可能である。キャッチベースン２３０は、ベース２１５の周囲部２１６に物理的に接触していることが可能である。キャッチベースン２３０は、ベッセル２００の少なくとも１つの壁部２０１又は少なくとも１つのベース２１５の周囲部２１６よりも大きいか又は小さい周囲部の境界を定めることが可能である。例えば、図２Ａを参照されたい。
【０１１５】
ある実施形態では、キャッチベースン２３０の場所は、ベッセル２００の少なくとも１つのベース２１５にあることが可能であり、少なくとも１つの壁部２０１の外壁面２０２は、少なくとも１つのベース２１５の外側表面に出会うことが可能である。ある実施形態では、キャッチベースン２３０と少なくとも１つの壁部２０１の外壁面２０２のいくつかの部分との間の物理的な接触の性質は、一体的になっていることが可能であり、２つが、１つの製造品になり得るようになっている。ある実施形態では、キャッチベースン２３０は、ベッセル２００から除去可能であり得る。ある実施形態では、キャッチベースン２３０は、少なくとも１つのベース２１５の底部に位置付けされており、及び／又は、少なくとも１つのベース２１５の底部に取り付けられ得る。例えば、図２Ａを参照されたい。また、図２Ｆも参照されたい。図２Ｆは、フェイスソーキングデバイス１００の底面図であり得、キャッチベースン２３０の底部が示されている可能性がある。
【０１１６】
ある実施形態では、キャッチベースン２３０は、セミリジッドからリジッドの構築材料から構築され得る。セミリジッドからリジッドの構築材料は、熱成形プラスチック、ガラス、ファイバーグラス、金属、木材、セラミック、その複合材、及び、内部容積２２０からこぼれる液体１０１をキャッチする、その意図した目的に適切な任意の他のセミリジッドからリジッドの材料を含む群の１つ又は複数から選択され得る。ある実施形態では、キャッチベースン２３０は、少なくとも１つの壁部２０１及び少なくとも１つのベース２１５が構築され得るものと同じ材料から構築され得る。ある実施形態では、ベッセル２００及び／又はキャッチベースン２３０は、射出成形され、３Ｄプリントされ、機械加工され、及び／又は、それらの組み合わせとすることができる。
【０１１７】
ある実施形態では、外壁面２０２と内壁面２０３との間は、少なくとも１つの壁部２０１の中の絶縁体空間を入れることが可能である。この絶縁体空間は、断熱体の形態を含むことが可能である。断熱体の形態は、液体、空気、フォーム、ゲル、詰め物、真空、及び、断熱体の任意の他の形態を含む群の１つ又は複数から選択され得る。この絶縁空間の目的は、ベッセル２００の内部容積２２０を除去可能に占有する液体１０１に対して絶縁を提供することであり得る。例えば、及び、本発明の範囲を限定することなく、ある実施形態では、この絶縁液体は、水又はいくつかの他の絶縁液体とすることができる。
【０１１８】
ここで、図２Ｃを見てみると、図２Ｃは、長手方向（外側）側面図によるベッセル２００を示すものであり得る。ある実施形態では、少なくとも１つの壁部２０１は、少なくとも１つの側壁２０５を含むことが可能である。少なくとも１つの壁部２０１は、少なくとも１つの側壁２０５よりも広い構造要素とすることができることに留意されたい。少なくとも１つの側壁２０５は、少なくとも１つのベース２１５に対して少なくとも部分的に垂直方向に（又は、実質的に垂直方向に）配向され得るベッセル２００の壁部を参照することが可能であり、少なくとも１つのベース２１５は、使用されるときに実質的に水平方向に配向され得る。従って、図の中の少なくとも１つの壁部２０１に対する任意の参照は、示されているその少なくとも１つの壁部２０１が少なくとも部分的に垂直方向に配向されている場合には、少なくとも１つの側壁２０５と交換され得る。少なくとも１つのベース２１５は、図２Ｃには示されていない可能性があることに留意されたい。ある実施形態では、少なくとも１つの側壁２０５は、外壁面２０２及び内壁面２０３を含むことが可能であり、外壁面２０２及び内壁面２０３は、互いの反対側に配設され、壁部厚さ（それは、可変である可能性がある）だけ分離されている。ある実施形態では、内壁面２０３及び底部内側表面２１７は、内部容積２２０を形成することが可能である。ある実施形態では、少なくとも１つの側壁２０５のラベルが付された図は、少なくとも１つの壁部２０１と交換され得る。
【０１１９】
ある実施形態では、少なくとも１つの側壁２０５及び少なくとも１つのベース２１５は、互いに物理的に接触していることが可能である。少なくとも１つの側壁２０５と少なくとも１つのベース２１５との間の接触ポイントは、ベース２１５のベースの周囲部２１６を形成することが可能である。例えば、ベースの周囲部２１６に関して、図２Ａを参照されたい。ベースの周囲部２１６の中のベース２１５の少なくとも一部分は、平坦とすることができ、フェイスソーキングデバイス１００が、平坦な基板の上に安定して置かれることができるようになっている。キャッチベースン２３０の底部の少なくとも一部分は、平坦とすることができ、フェイスソーキングデバイス１００が平坦な基板の上に安定して置かれることができるようになっている。例えば、図２Ｆを参照されたい。例えば、及び、本発明の範囲を限定することなく、平坦な基板は、テーブルトップ、カウンタートップ、デスクトップ、床面、及び／又は地面などとすることができる。
【０１２０】
ある実施形態では、少なくとも１つの側壁２０５は、ボウル形状の側壁などのように、いくらかの湾曲を有することが可能である。例えば、図１３シリーズの図を参照されたい。図２シリーズの図について議論を続けると、ある実施形態では、少なくとも１つの側壁２０５の外壁面２０２、及び、ベース２１５の平坦な部分は、少なくとも１つの側壁２０５のいくつかの部分に関して、互いに対して実質的に垂直とすることができる。その理由は、少なくとも１つの側壁２０５の他の部分が湾曲している可能性があるからである。本明細書で使用されているようにな「実質的に垂直である」ことは、そのような関係が、完璧に真の幾何学的な垂直関係を必要とするのではなく、むしろそのような対応する表面は、おおよそ９０度においてそれぞれから分散しており、例えば、９０度からプラスマイナス１１度の中で分散していることを記述している可能性がある。他の実施形態では、少なくとも１つの側壁２０５の外壁面２０２、及び、ベース２１５の平坦な部分は、互いに対して真の幾何学的な垂直になっていなくてもよい。例えば、少なくとも１つの側壁２０５が、内部容積２２０から離れるように外向きにフレア形状になる傾向がある実施形態ではそうなっている。
【０１２１】
ある実施形態では、少なくとも１つの側壁２０５は、４つの側壁、すなわち、第１の側壁２０６、第２の側壁２０７、第３の側壁２０８、及び第４の側壁２０９を含むことが可能である。例えば、第１の側壁２０６、第２の側壁２０７、及び第４の側壁２０９に関して、図２Ｃを参照されたい。そして、第１の側壁２０６、第３の側壁２０８、及び第４の側壁２０９に関して、図２Ｄを参照されたい。第１の側壁２０６及び第３の側壁２０８は、互いに実質的に平行とすることができる。第１の側壁２０６及び第３の側壁２０８は、互いに対向していることが可能である。第２の側壁２０７及び第４の側壁２０９は、互いに対して実質的に平行とすることができる。第２の側壁２０７及び第４の側壁２０９は、互いに対向していることが可能である。第１の側壁２０６は、第２の側壁２０７、第４の側壁２０９、及び少なくとも１つのベース２１５に物理的に接触していることが可能である。第２の側壁２０７は、第１の側壁２０６、第３の側壁２０８、及び少なくとも１つのベース２１５に物理的に接触していることが可能である。第３の側壁２０８は、第２の側壁２０７、第４の側壁２０９、及び少なくとも１つのベース２１５に物理的に接触していることが可能である。第４の側壁２０９は、第１の側壁２０６、第３の側壁２０８、及び少なくとも１つのベース２１５に物理的に接触していることが可能である。第１の側壁２０６に関して、図２Ｃを参照されたい。第２の側壁２０７に関して、図２Ｅを参照されたい。第４の側壁２０９に関して、図２Ｄを参照されたい。フェイスソーキングデバイス１００の左側の図が含まれていなかったので、第３の側壁２０８の外壁面２０２の図は、図の中で真っ直ぐの視点から示されてはいない。その理由は、そのような図が図２Ｃの右側の図と大部分が重複する可能性があるからである。しかし、第３の側壁２０８（及び、第１の側壁２０６）は、側壁として図２Ｄに示されている可能性があり、その側壁は、第４の側壁２０９に対して実質的に垂直であるか又は当接する壁部である。第３の側壁２０８の内壁面２０３は、図２Ａ及び図２Ｂに示されている可能性がある。図２Ｂは、すべての４つの側壁の内壁面２０３を示すことが可能である。
【０１２２】
ある実施形態では、第４の側壁２０９は、前面壁とすることができる。ある実施形態では、第１の側壁２０６及び第３の側壁２０８は、側壁（それぞれ、右側及び左側）とすることができる。ある実施形態では、第２の側壁２０７は、後面壁とすることができる。これらの前面壁及び後面壁は、対向する壁部とすることができる。
【０１２３】
ある実施形態では、それぞれの側壁２０５が別の側壁２０５に接合する（すなわち、出会う）ことができる場所では、及び／又は、それぞれの側壁２０５が少なくとも１つのベース２１５に接合する（すなわち、出会う）ことができる場所では、一体的シーム（すなわち、水密）が形成され得る。ある実施形態では、そのようなシーム、及び、そのようなシームへの移行部は、滑らかで連続的であり、内部容積のクリーニングを容易にすること、及び／又は、破片が蓄積する可能性を低減することなどが可能である。
【０１２４】
ここで、図２Ｇ及び図２Ｈを見てみる。図２Ｇ及び図２Ｈは、ともに、フェイスソーキングデバイス１００の上面斜視分解図を示すことが可能である。図２Ｇでは、ベッセル２００、少なくとも１つの電磁（ＥＭ）エミッタ９００の一部分、ヘッドレストサブアセンブリ５００の一部、及びキャッチベースン２３０が示されている可能性がある。図２Ｈでは、ベッセルネックガスケット３４０、クランプ３４８、呼吸装置４００、ヘッドレストサブアセンブリ５００の残りの部分、ヒータサブアセンブリ７００、及びガスディフューザ８００が示されている可能性がある。ベッセルネックガスケット３４０、クランプ３４８、及びネック−ガスケット−アコモデータ３３５は、図３シリーズの図及びその対応する議論において、さらに取り上げられている可能性がある。呼吸装置４００は、図４シリーズの図及びその対応する議論において、さらに取り上げられている可能性がある。ヘッドレストサブアセンブリ５００は、図５シリーズの図及びその対応する議論において、さらに取り上げられている可能性がある。ヒータサブアセンブリ７００は、図７シリーズの図及びその対応する議論において、さらに取り上げられている可能性がある。ガスディフューザ８００は、図８シリーズの図及びその対応する議論において、さらに取り上げられている可能性がある。少なくとも１つのＥＭエミッタ９００は、図９シリーズの図及びその対応する議論において、さらに取り上げられている可能性がある。
【０１２５】
ある実施形態では、ベッセル２００は、２つの相補的にフィットするハルシェル、すなわち、ベッセルライニング２００ａ及びベッセルカバー２００ｂを含むことが可能である。ある実施形態では、ベッセル２００は、ダブルハル式構造体によって構成され得る。例えば、図２Ｇを参照されたい。ある実施形態では、ベッセルライニング２００ａは、ベッセルカバー２００ｂの中へ挿入され、ベッセル２００を形成することが可能である。ある実施形態では、そのような挿入は、恒久的となるように設計され得、一方、他の実施形態では、そのような挿入は、除去可能であり得る。ある実施形態では、ベッセルカバー２００ｂの底部外側部分は、キャッチベースン２３０と一体的になっていることが可能である。ある実施形態では、ベッセルライニング２００ａの内側表面の実質的にすべては、内壁面２０３及び底部内側表面２１７を含むことが可能である。ある実施形態では、ベッセルカバー２００ｂの垂直方向に配向された外側表面の実質的にすべては、外壁面２０２を含むことが可能である。
【０１２６】
ある実施形態では、少なくとも１つのプレート５１１が、ベッセルライニング２００ａとベッセルカバー２００ｂとの間に配設され得る。例えば、図２Ｇを参照されたい。少なくとも１つのプレート５１１は、ヘッドレストサブアセンブリ５００のコンポーネントとすることができる。ある実施形態では、少なくとも１つのＥＭエミッタ９００の一部分が、ベッセルライニング２００ａとベッセルカバー２００ｂとの間に配設され得る。例えば、図２Ｇを参照されたい。
【０１２７】
図２Ｇの中に見ることはできないが、ある実施形態では、機械的なコンパートメント２５１が、第２の側壁２０７（すなわち、後面壁）において、又は、第２の側壁２０７の近位において、ベッセルライニング２００ａとベッセルカバー２００ｂとの間に配設され得ることに留意されたい。ある実施形態では、この機械的なコンパートメント２５１は、電子機器の少なくともいくつかの部分（例えば、コントローラ１１００及び圧縮機１１１０）、及び、フェイスソーキングデバイス１００の空気ラインチュービング８１９のいくつかの部分を収納することが可能である。すなわち、機械的なコンパートメント２５１は、ベッセルカバー２００ｂの第２の側壁２０７の外側部分とベッセルライニング２００ａの第２の側壁２０７の内側部分との間に形成され得る。例えば、図１Ｂ及び図５Ｇを参照されたい。
【０１２８】
ある実施形態では、ベッセル２００は、少なくとも１つのポート２１０を含むことが可能である。少なくとも１つのポート２１０は、少なくとも１つの壁部２０１の中の少なくとも１つのポート２１０を通して、少なくとも１つのポート２１０の中に、又は、少なくとも１つのポート２１０の上に、様々な物品の通過、挿入、又は取り付けを可能にするように構成され得る。ある実施形態では、少なくとも１つのポート２１０は、ベッセル２００の外側から内側への様々な物品の制御された通過のための小さい開口とすることができる。本明細書で使用されているような小さい開口は、様々な物品の通過を、そのような通過が水密であり得る様式で可能にするのに十分に小さくなっていることが可能である、少なくとも１つのポート２１０の直径を意味することが可能である。ある実施形態では、少なくとも１つのポート２１０は、内部容積２２０から機械的なコンパートメント２５１への通路を提供することが可能である。ある実施形態では、少なくとも１つのポート２１０は、フェイスソーキングデバイス１００の外側から機械的なコンパートメント２５１への通路を提供することが可能である。光ファイバー、配線、電気コード（例えば、電力コード１１１６）、ホース、チュービング、空気ラインチュービング８１９、ドレンバルブ、ドレンプラグ、ガスケット、Ｏリング、グロメット、フィッティング、少なくとも１つのベッセル−チューブ−ホース−コネクタ、又は、その意図した目的を実現するための任意の他の適切な物品を含む群の１つ又は複数から、様々な物品が選択され得る。例えば、図８Ｇを参照されたい。図８Ｇは、少なくとも１つのポート２１０を示すものであり得、少なくとも１つのポート２１０は、コネクタ８１３の空気ラインチュービングコネクタ８１７を受け入れるためのものとすることができる。また、図９Ｂ及び図９Ｃを参照されたい。図９Ｂ及び図９Ｃは、この少なくとも１つのポート２１０がある可能性のある後面側を示すものであり得、図９Ｂ及び図９Ｃでは、ナット８３２が示されている可能性がある（空気ラインチュービングコネクタ８１７に接続されている）。
【０１２９】
ある実施形態では、それぞれのそのようなポート２１０は、ポートガスケット、ポートグロメット、及び／又はポートＯリングを含み、ポート表面とポート２１０を通過している可能性のある物品との間に水密シールを提供することが可能である。そのようなポートガスケット、ポートグロメット、及び／又はポートＯリングは、異なるデュロメーター硬さを有する様々なエラストマー（例えば、シリコーン、ゴム、及びリンク）から構築され、水密シールを実現することが可能である。例えば、及び、本発明の範囲を限定することなく、そのようなポートガスケットは、ガスケット８３１とすることができる。ガスケット８３１は、所与のポート２１０に対して空気ラインチュービング８１９をシールするために使用され得る。
【０１３０】
ある実施形態では、フェイスソーキングデバイス１００は、ドレンを含むことが可能である。ドレンは、ユーザ９０００が少なくとも液体１０１の大部分を内部容積２２０から除去することを可能にするように構成され得る。ある実施形態では、ドレンは、ベッセル２００の少なくとも１つのベース２１５に、又は、ベッセル２００の少なくとも１つのベース２１５の近くに位置付けされ得る。例えば、及び、本発明の範囲を限定することなく、ある実施形態では、少なくとも１つのベース２１５の近くことは、２インチ以下とすることができる。他の実施形態では、少なくとも１つのベース２１５の近くことは、他の距離であることも可能である。ある実施形態では、ドレンは、ドレンバルブ又は除去可能なプラグのいずれかとすることができる。
【０１３１】
ある実施形態では、少なくとも１つのベース２１５の内側表面は、傾斜が付けられており、残留液体の望ましくない貯留を緩和すること、及び、ドレンからの液体１０１の適正な排水を促すことが可能である。
【０１３２】
少なくとも１つの内壁面２０３は、少なくとも１つの液体充填インジケータを含むことが可能である。少なくとも１つの液体充填インジケータは、ユーザ９０００から見ることができ得る内壁面２０３の上に構造的な幾何学形状を含むことが可能である。少なくとも１つの液体充填インジケータ６２０は、液体レベルが少なくとも１つの液体充填インジケータに接触しているときに、内部容積２２０の中に保持され得る液体１０１の体積を示すことが可能である。少なくとも１つの液体充填インジケータは、複数の目盛り付きのマーキングを含むことが可能であり、複数の目盛り付きのマーキングは、内壁面２０３の上に垂直方式に配置されている。これらの目盛り付きのマーキングは、液体１０１の異なる充填体積を示す関連の数値マーキングを含んでもよいし、又は含まなくてもよい。
【０１３３】
ある実施形態では、少なくとも１つの液体充填インジケータは、最大液体レベルを指定することが可能である。ある実施形態では、少なくとも１つの液体充填インジケータは、水平方向のライン、垂直方向のライン、及び／又は、内壁面２０３から隆起したラインを含むことが可能である。そのような隆起したラインは、製造の間に一体的になり、成形され得る。ある実施形態では、少なくとも１つの液体充填インジケータは、隆起したレタリング及び／又はナンバリングを含むことが可能である。
【０１３４】
ある実施形態では、上方から見たときの所与のフェイスソーキングデバイスのベッセルの２Ｄの全体的な外部形状は、正多角形（丸みを帯びた角部の有無にかかわらない）、非正多角形（丸みを帯びた角部の有無にかかわらない）、正方形（丸みを帯びた角部の有無にかかわらない）、長方形（丸みを帯びた角部の有無にかかわらない）、台形（丸みを帯びた角部の有無にかかわらない）、円形、長円形、及び／又は楕円形を含む群から選択され得る。例を参照すると、図１３Ａは、湾曲したベッセル壁１３０１を備えたフェイスソーキングデバイス１３００を示すものであり得、上面斜視図を示しており、２Ｄの全体的な外部形状が楕円形及び／又は長円形となるようになっている。そのような実施形態では、湾曲したベッセル壁１３０１は、少なくとも１つの壁部２０１を交換することが可能である。また、図１３Ｂを参照すると、図１３Ｂでは、２Ｄの全体的な外部形状は楕円形及び／又は長円形とすることができる。
【０１３５】
図１３Ｂは、フェイスソーキングデバイス１３５１を示すものであり得、呼吸装置の一部分（例えば、呼吸装置４００のバリエーション）は、フェイスソーキングデバイス１３５１のベッセル１３６０の底部１３５０から出現することが可能であり、上面斜視図を示している。図１３Ｂは、フェイスソーキングデバイス１３５１を示すものであり得、フェイスソーキングデバイス１３５１は、ベッセルネックガスケットもネック−ガスケット−アコモデータも含まなくてもよい。
【０１３６】
ある実施形態では、フェイスソーキングデバイス１３５１は、ベッセル１３６０及び呼吸装置を含むことが可能である。ベッセル１３６０は、ユーザ９０００の顔９０１０全体又はその一部分を沈めるのに十分な体積で、液体１０１を保持するように構成され得る。ベッセル１３６０は、少なくとも１つの壁部１３６１及び少なくとも１つのベース１３１５を含むことが可能である。少なくとも１つの壁部１３６１及び少なくとも１つのベース１３１５は、互いに物理的に接触していることが可能である。少なくとも１つの壁部１３６１及び少なくとも１つのベース１３１５は、ベッセル１３６０を一緒に形成することが可能であり、ベッセル１３６０は、内部容積１３２０の境界を実質的に決めることが可能である。
【０１３７】
ベッセル１３６０の内部容積１３２０がベッセルの最大液体レベル以下のレベルまで液体１０１で充填され得るときには、ユーザ９０００は、顔９０１０全体又はその一部分を一定期間にわたって浸漬させることが可能であり、一定期間にわたって液体１０１の中に浸漬されている皮膚が、健康上の利益、審美的な利益、及び／又は、鎮静的な利益を受けることができるようになっている。
【０１３８】
ある実施形態では、呼吸装置の一部分は、内部容積１３２０の底部内側表面１３５０（図１３Ｂに示されている）から、及び／又は、内壁面１３０３（その実施形態は、図１３Ｂに示されてはいない）から延在することが可能である。呼吸装置は、マウスピース４０１、少なくとも１つのベッセル−チューブ−ホース−ベント１３１０、及び、少なくとも１つのホース４２０又は少なくとも１つのチュービング４２０を含むことが可能である。少なくとも１つのホース４２０又は少なくとも１つのチュービング４２０は、マウスピース４０１を少なくとも１つのベッセル−チューブ−ホース−ベント１３１０に接続することが可能である。マウスピース４０１は、ユーザ９０００の口によって保持されるように構成され得る。少なくとも１つのベッセル−チューブ−ホース−ベント１３１０は、空気とガス連通していることが可能であり、及び、呼吸ガス移動のために構成され得る。少なくとも１つのベッセル−チューブ−ホース−ベント１３１０は、ベッセル１３６０の底部外側に位置付けされ得る。ユーザ９０００は、ユーザの口がマウスピース４０１を保持し得るときに、呼吸装置４００を使用して呼吸することが可能であり得る。例えば、図１３Ｂを参照されたい。
【０１３９】
ある実施形態では、呼吸装置４００は、少なくとも１つの水平方向のホース１３８５又は少なくとも１つの水平方向のチューブ１３８５を含むことが可能である。少なくとも１つのホース４２０又は少なくとも１つのチュービング４２０の第２の末端部４２２は、少なくとも１つの水平方向のホース１３８５又は少なくとも１つの水平方向のチューブ１３８５に除去可能に取り付けることが可能である。そのような取り付けは、呼吸ガスがマウスピース４０１の開口と少なくとも１つのベッセル−チューブ−ホース−ベント１３１０との間で自由に移動することを可能にするように構成され得る。ある実施形態では、少なくとも１つのホース４２０又は少なくとも１つのチュービング４２０は、可撓性とすることができ、一方、少なくとも１つの水平方向のホース１３８５又は少なくとも１つの水平方向のチューブ１３８５は、セミリジッドからリジッドとすることができる。ある実施形態では、少なくとも１つの水平方向のホース１３８５又は少なくとも１つの水平方向のチューブ１３８５は、少なくとも１つのベース１３１５の一部分と一体的になっており、少なくとも１つのベース１３１５の一部分から形成され得る。例えば、及び、本発明の範囲を限定することなく、少なくとも１つの水平方向のホース１３８５又は少なくとも１つの水平方向のチューブ１３８５、及び、少なくとも１つのベース１３１５は、同じ構築材料から構築され得る。例えば、及び、本発明の範囲を限定することなく、少なくとも１つの水平方向のホース１３８５又は少なくとも１つの水平方向のチューブ１３８５、及び、少なくとも１つのベース１３１５は、１つの製造物品として成形（例えば、射出成形）され得る。
【０１４０】
図１３Ｃは、フェイスソーキングデバイス１３７０を示すものであり得、ベッセルネックガスケットは、ユーザ９０００の首９０２０と一致するように構成されている可撓性の側壁１３７１の領域から形成され得る。
【０１４１】
ある実施形態では、フェイスソーキングデバイス１３７０は、ベッセル１３７２及び呼吸装置（例えば、呼吸装置４００）を含むことが可能である。そのような呼吸装置は、図１３Ｃには示されていないことに留意されたい。ベッセル１３７２は、ユーザ９０００の顔９０１０全体又はその一部分を沈めるのに十分な体積で液体１０１を保持するように構成され得る。ベッセル１３７２は、少なくとも１つの壁部１３７３及び少なくとも１つのベースを含むことが可能である。少なくとも１つの壁部１３７３及び少なくとも１つのベースは、互いに物理的に接触していることが可能である。少なくとも１つの壁部１３７３及び少なくとも１つのベースは、ベッセル１３７２を一緒に形成することが可能であり、ベッセル１３７２は、ベッセル１３７２の内部容積の境界を実質的に決めることが可能である。少なくとも１つの壁部１３７３は、可撓性の側壁１３７１の領域を含むことが可能である。可撓性の側壁１３７１の領域は、顔９０１０全体又はその一部分が液体１０１の中に沈められ得るときに、ユーザ９０００の首領域を収容するように構成され得る。フェイスソーキングデバイス１３７０及び／又はベッセル１３７２とともに使用中の呼吸装置は、図４シリーズの図、図２０シリーズの図、図２１シリーズの図、又は図２２シリーズの図に示されているようなものである可能性がある。
【０１４２】
図１３Ｃについて議論を続けると、ある実施形態では、可撓性の側壁１３７１の領域は、成形プロセスの間にモールドキャビティによって成形され得、２つの異なる壁部厚さ、すなわち、第１の壁部厚さ１３７４及び第２の壁部厚さ１３７５をもたらす。第１の壁部厚さ１３７４は、第２の壁部厚さ１３７５よりも大きくなっていることが可能である。第１の壁部厚さ１３７４は、少なくとも１つの壁部１３７３の大部分に関する壁部厚さとすることができる。第１の壁部厚さ９５４は、少なくとも１つの壁部１３７３の大部分がセミリジッドからリジッドになり得るようになっていることが可能である。第２の壁部厚さ１３７５は、可撓性の側壁１３７１の領域が可撓性になり得るようになっていることが可能である。そのような可撓性は、可撓性の側壁１３７１の領域に接触している可能性があるユーザ９０００の首領域と一致することが可能である。
【０１４３】
ある実施形態では、可撓性の側壁１３７１の領域は、半丸形、半楕円形、Ｕ字形状、又は、使用されるときにユーザ９０００の首領域の一部分を受け入れるのに適切な任意の他の同様の半円形又は半卵形のコンタ（contour）を備えた、凹形又は凸形とすることができる。ある実施形態では、可撓性の側壁１３７１の領域は、使用されるときにユーザ９０００の首領域の一部分を受け入れるのに適切な正多角形又は非正多角形又は半多角形のコンタとすることができる。
【０１４４】
図３シリーズの図は、図３Ａから図３Ｌを含むことが可能である。図３シリーズの図は、ベッセルネックガスケット３４０、クランプ３４８、及びネック−ガスケット−アコモデータ３３５の例示的な実施形態に焦点を合わせている可能性があり、それらは、すべて一緒に連通し、一次的な水密シール及び二次的な水密シールの両方を形成することが可能である。
【０１４５】
図３Ａは、ベッセルネックガスケット３４０及びクランプ３４８を示すものであり得、それらは、一緒に連通するが、ベッセル２００のネック−ガスケット−アコモデータ３３５から分解されており、部分的な斜視長手方向断面図により示されている。
【０１４６】
図３Ｂは、ベッセル２００の正面斜視図であり得、ベッセルネックガスケット３４０及びクランプ３４８が除去されており、図３Ｂの焦点は、ネック−ガスケット−アコモデータ３３５である可能性がある。
【０１４７】
図３Ｃは、ベッセルネックガスケット３４０の例示的な実施形態、フェイスソーキングデバイス（例えば、フェイスソーキングデバイス１００）のある実施形態のコンポーネントを示すものであり得、上部正面斜視図により示されている。図３Ｄは、ベッセルネックガスケット３４０を示すものであり得、上部背面斜視図により示されている。
【０１４８】
図３Ｅは、クランプ３４８の例示的な実施形態、フェイスソーキングデバイス（例えば、フェイスソーキングデバイス１００）のある実施形態のコンポーネントを示すものであり得、上部正面斜視図により示されている。図３Ｆは、クランプ３４８を示すものであり得、上部背面斜視図により示されている。
【０１４９】
図３Ｇは、部分的な斜視長手方向断面図により、ベッセルネックガスケット３４０及びクランプ３４８を示すものであり得、それは一緒に組み立てられている。図３Ｈは、部分的な長手方向断面図であるが、図３Ｇと比較してより近くの図により、ベッセルネックガスケット３４０及びクランプ３４８を示すものであり得、それは一緒に組み立てられている。
【０１５０】
図３Ｉは、フェイスソーキングデバイス１００の上面図であり得、フェイスソーキングデバイス１００の前面部分を横切る横断幅方向の断面線３Ｊ−３Ｊを含む。図３Ｊは、図３Ｉの断面線３Ｊ−３Ｊからの正面図であり得、図３Ｊでは、詳細３Ｋの領域が示されている可能性があり、クランプ３４８のクランプ末端部３５８が、ベッセル２００のリム２２５、又は、リム２２５に近接する構造体に、どのように除去可能に係合することができるかを示すものであり得る。図３Ｋは、詳細３Ｋのクローズアップを示すものであり得、それは、クランプ３４８のクランプ末端部３５８が、リム２２５、又は、リム２２５に近接する構造体に、どのように除去可能に係合することができるかを示すものであり得る。
【０１５１】
図３Ｌは、クランプ３４８を伴うベッセルネックガスケット３４０の斜視図であり得、圧入部３９１を示している。
【０１５２】
ある実施形態では、ネック−ガスケット−アコモデータ３３５が、ベッセル２００の少なくとも１つの側壁２０５の中に（又は、少なくとも１つの壁部２０１の中に）あることが可能である。ある実施形態では、ベッセル２００の少なくとも１つの側壁２０５（又は、少なくとも１つの壁部２０１）は、ネック−ガスケット−アコモデータ３３５を含むことが可能である。多くの図は、第４の側壁２０９、すなわち、前面壁に位置付けされているネック−ガスケット−アコモデータ３３５を示している。例えば、図３Ａを参照されたい。ある実施形態では、ネック−ガスケット−アコモデータ３３５は、ベッセル２００の第４の側壁２０９及び／又は前面壁の中に形成され得る。ある実施形態では、ネック−ガスケット−アコモデータ３３５は、ベッセル２００の２つのそれぞれの相補的な部分のそれぞれから、すなわち、ベッセルライニング２００ａ及びベッセルカバー２００ｂから形成され得る。例えば、図２Ｇを参照されたい。そのような実施形態では、ネック−ガスケット−アコモデータ３３５は、ネック−ガスケット−アコモデータ３３５ａ及びネック−ガスケット−アコモデータ３３５ｂを含むことが可能であり、ネック−ガスケット−アコモデータ３３５ａは、ベッセルライニング２００ａから形成され得、ネック−ガスケット−アコモデータ３３５ｂは、ベッセルカバー２００ｂから形成され得る。すなわち、ネック−ガスケット−アコモデータ３３５ａ及びネック−ガスケット−アコモデータ３３５ｂは、一緒に、ネック−ガスケット−アコモデータ３３５を形成することが可能である。
【０１５３】
ネック−ガスケット−アコモデータ３３５は、最大垂直方向長さ３３６を含むことが可能であり、最大垂直方向長さ３３６は、ユーザ９０００の首領域の第２の部分よりも大きく、リム２２５からベッセル２００の少なくとも１つのベース２１５に向けて延在し、ネック−ガスケット−アコモデータ３３５の最も底の部分まで延在している。例えば、図３Ｂを参照されたい。首領域の第２の部分は、首９０２０の前面の垂直方向のエリア、すなわち、首９０２０の軟部組織とすることができ、そこにおいて、首９０２０は、ベッセルネックガスケット３４０に接触している可能性がある。ネック−ガスケット−アコモデータ３３５は、水平方向幅３３７を有することが可能であり、水平方向幅３３７は、ベッセル２００の水平方向幅（例えば、横断幅、又は、左側から右側）において中心を合わされているユーザ９０００の首領域の第３の部分よりも大きくなっており、リム２２５から対向するリム２２５へ、ネック−ガスケット−アコモデータ３３５が生成する開口を横切って延在している。例えば、図３Ｂを参照されたい。首領域の第３の部分は、首９０２０の前面の水平方向のエリア、すなわち、首９０２０の軟部組織側とすることができ、そこにおいて、首９０２０は、ベッセルネックガスケット３４０に接触している可能性がある。
【０１５４】
ユーザ９０００の首領域の第１の部分、第２の部分、及び第３の部分に関して、第１の部分は、第２の部分及び第３の部分を含む可能性があることに留意されたい。すなわち、第２の部分は、第１の部分の垂直方向の寸法を定義している可能性があり、第３の部分は、第１の部分の水平方向の寸法を定義している可能性がある。例えば、及び、本発明の範囲を限定することなく、首領域のこの第１の部分は、首ののどぼとけが位置付けされ得る場所に対応し得る首９０２０の一部分とすることができ、のどぼとけ領域、又は、のどぼとけのない首の上の対応する領域から、２インチまでを含む。
【０１５５】
ある実施形態では、ネック−ガスケット−アコモデータ３３５は、コンタ３３８を含むことが可能である。コンタ３３８は、全体的に、ネック−ガスケット−アコモデータ３３５の全体的な形状を辿ることが可能である。コンタ３３８は、１つ又は複数の表面を含むことが可能である。ある実施形態では、そのような表面は、互いの方を向く、フェイスソーキングデバイスの前面の方を向く、フェイスソーキングデバイスの後面の方を向く、及び／又は、ベッセル２００の底部内側表面２１７の上側表面から離れる方を向く、のうちの１つ又は複数とすることができる。
【０１５６】
ある実施形態では、ネック−ガスケット−アコモデータ３３５は、ベッセル２００のリム２２５の下方に延びている少なくとも１つの壁部２０１の中に（又は、少なくとも１つの側壁２０５の中に）、コンタ３３８を含むことが可能である。ある実施形態では、コンタ３３８は、コンタ３３８の表面が最初にリム２２５の下方に延びる場所において始まり、コンタ３３８は、コンタ３３８の表面がリム２２５まで延びて戻る場所において終了するまで、継続している。ある実施形態では、コンタ３３８が始まる場所、及び、コンタ３３８が終了する場所は、水平方向幅３３７によって分離され得る。ある実施形態では、コンタ３３８は、リム２２５の高さからコンタ３３８の上の最下点へ、最大垂直方向長さ３３６を有する。例えば、図３Ｂを参照されたい。
【０１５７】
ある実施形態では、水平方向幅３３７は、ユーザ９０００の首９０２０の直径以上であることが可能である。ある実施形態では、最大垂直方向長さ３３６は、ユーザ９０００の首９０２０の直径の半分以上であることが可能である。例えば、何人かの大きい大人の男は、約２１インチの首回りを有する可能性があり、それは、約６．６９インチの首直径をもたらす。例えば、及び、本発明の範囲を限定することなく、ある実施形態では、水平方向幅３３７は、７〜１１インチとすることができる。例えば、及び、本発明の範囲を限定することなく、ある実施形態では、最大垂直方向長さ３３６は、３．５〜７インチとすることができる。
【０１５８】
ある実施形態では、ネック−ガスケット−アコモデータ３３５は、全体的な形状の観点から、半丸形（少なくとも１つのベース２１５に関して）、半楕円形、Ｕ字形状、又は、所与のフェイスソーキングデバイスの実施形態（例えば、フェイスソーキングデバイス１００）の中で使用中のときに、ベッセルネックガスケット３４０及びユーザ９０００の首領域の第１の部分を受け入れるのに適切な任意の他の同様の半円形、半長円形、半楕円形のコンタ３３８を備えた、凹形又は凸形とすることができる。例えば、図３Ｂを参照されたい。図３Ｂでは、ネック−ガスケット−アコモデータ３３５のコンタ３３８の全体的な形状は、半円形、半長円形、及び／又は半楕円形とすることができる。
【０１５９】
ある実施形態では、フェイスソーキングデバイス１００の前面から見たときのコンタ３３８の形状（すなわち、全体的な形状）は、円形の３分の１から３分の３、楕円形の３分の１から３分の３、長円形の３分の１から３分の３、「Ｕ」字形状、馬蹄形、正多角形、非正多角形、及び／又は半多角形などを含む群から選択され得、部分的な円形、部分的な楕円形、部分的な長円形、又は馬蹄形の円弧が、少なくとも１つのベース２１５に向けて下向きに配向されている。例えば、図３Ｂを参照されたい。
【０１６０】
ある実施形態では、ネック−ガスケット−アコモデータ３３５は、使用されるときにベッセルネックガスケット３４０及びユーザ９０００の首領域の第１の部分を受け入れるのに適切な、正多角形又は非正多角形又は半多角形のコンタ３３８とすることができる。この実施形態は、図には示されていないが、しかし、図３Ｂに示されている半円形ネック−ガスケット−アコモデータ３３５の全体的な形状は、正多角形又は非正多角形又は半多角形のコンタ３３８へと修正され得ること、及び、そのようなコンタは本発明の範囲の中にあり続けることが可能であることが、当業者に明らかであるはずである。
【０１６１】
ある実施形態では、ネック−ガスケット−アコモデータ３３５は、ガスケット−アコモデータとすることができることに留意されたい。
【０１６２】
ある実施形態では、ベッセルネックガスケット３４０は、ベッセル２００の少なくとも１つの側壁２０５の中のネック−ガスケット−アコモデータ３３５のコンタ３３８にフィットするように構成され得る。ベッセルネックガスケット３４０は、ネック−ガスケット−アコモデータ３３５のサイズに等しいか、それよりも大きいか、又は、それよりも小さくなっていることが可能である。ベッセルネックガスケット３４０は、ベッセル２００の少なくとも１つの側壁２０５の中のネック−ガスケット−アコモデータ３３５のコンタ３３８の少なくともいくつかの表面に相補的な相手側縁部３４３を含むことが可能である。ベッセルネックガスケット３４０は、ユーザ９０００の首領域の第１の部分を受け入れるために調節的な上部縁部３４４を含むことが可能である。例えば、図３Ｃを参照されたい。ある実施形態では、ベッセルネックガスケット３４０の相手側縁部３４３は、ベッセルネックガスケット取り付け手段によって、ネック−ガスケット−アコモデータ３３５のコンタ３３８に取り付けられ得る。ある実施形態では、ベッセルネックガスケット取り付け手段は、クランプ３４８を含むことが可能である。又は、ある実施形態では、ベッセルネックガスケット３４０の相手側縁部３４３は、ネック−ガスケット−アコモデータ３３５のコンタ３３８から固定距離において、ベッセルネックガスケット取り付け手段によって、少なくとも１つの側壁２０５の外壁面２０２又は内壁面２０３のいずれかに取り付けられ得る。例えば、及び、本発明の範囲を限定することなく、ある実施形態では、固定距離は、１インチ以下とすることができる。他の実施形態では、固定距離は、他の距離とすることができる。
【０１６３】
ある実施形態では、ベッセルネックガスケット３４０は、ベッセル２００から除去可能であり得る。そのような実施形態は、据え付けられたベッセルネックガスケット３４０に対する摩耗及び破れ及び／又は損傷の場合に、ベッセルネックガスケット３４０を切り替えることを容易にすることが可能である。いくつかの他の実施形態では、ベッセルネックガスケット３４０は、据え付けられると、ベッセル２００から除去されなくてもよい。
【０１６４】
ある実施形態では、ベッセルネックガスケット３４０は、可撓性の部材とすることができる。ベッセルネックガスケット３４０は、内部表面３４１（図３Ｄを参照）、及び、内部表面３４１の反対側に配設されている外部表面３４２（図３Ｃを参照）を備え、平面的とすることができる。外部表面３４２又は内部表面３４１は、ユーザ９０００がベッセルネックガスケット３４０に対抗して首９０２０を置くときに、首領域と二次的な水密シールを形成するように構成され得る。ある実施形態では、内部表面３４１の一部分は、液体１０１が内部容積２２０の中に保持され得るときに、液体１０１に物理的に接触することが可能である。
【０１６５】
ある実施形態では、ベッセルネックガスケット３４０は、可撓性のシートとすることができる。可撓性のシートは、全体的に、ベッセル２００のガスケット−アコモデータ（すなわち、ネック−ガスケット−アコモデータ３３５）をカバーするように形状決めされ得る。この可撓性のシートは、シートの底部に沿って、ガスケットを含むことが可能である。ある実施形態では、このガスケットは、相手側縁部３４３とすることができる。
【０１６６】
ある実施形態では、ベッセルネックガスケット３４０は、人間の皮膚に対抗して（もしくは、陸上脊椎動物の身体の外側部分に対抗して）、及び／又は、ベッセル（例えば、ベッセル２００）に対抗して、水密シールを形成するのに適切な、及び／又は、人間の皮膚に接触するときに快適であるために適切な、１つ又は複数の材料（すなわち、構築材料）から実質的に構築され得る。ある実施形態では、ベッセルネックガスケット３４０は、シリコーン、ゴム、ネオプレン、ニトリル、ビニール、ポリエチレン、ポリプロピレン、及び／又は、人間の皮膚に対抗して、及び／又は、ベッセル（例えばベッセル２００）に対抗して、水密シールを形成するのに適切な、及び／又は、人間の皮膚に接触するときに快適であるために適切な任意の他の材料を含むエラストマーのうちの１つ又は複数から構築され得る。ある実施形態では、ゴムは、天然ゴムとすることができる。ある実施形態では、ゴムは、ラテックスフリーを含む、合成ゴムとすることができる。
【０１６７】
ある実施形態では、内部表面３４１及び外部表面３４２は、異なるエラストマーから構築され得る。内部表面３４１は、不透水性に焦点を合わせたエラストマーから構築され得る。外部表面３４２は、ユーザ９０００に対する快適性に焦点を合わせたエラストマー、すなわち、軟質の外側表面及び／又は非粘着性の外側表面を備えたエラストマーから構築され得る。そのような２つの異なるエラストマーが接合され、ベッセルネックガスケット３４０の単一の可撓性の複合部材になることが可能である。内部表面３４１を外部表面３４２に接合させるための手段は、溶剤結合、熱溶着、超音波溶着、及び／又は、化学接着剤／シーラントなどによるものとすることができる。
【０１６８】
ある実施形態では、ベッセルネックガスケット取り付け手段は、摩擦嵌め、熱溶着、超音波溶着、溶剤結合、化学接着剤及び／又はシーラント、及び／又は、機械的な締結具などのうちの１つ又は複数から選択され得る。クランプ３４８の使用は、摩擦嵌めの例、及び／又は、あるタイプの機械的な締結具の例とすることができる。
【０１６９】
例えば、及び、本発明の範囲を限定することなく、機械的な締結具は、複数のスクリュー又はボルト、及び、装着ブロックを含むことが可能である。装着ブロックは、スクリュー又はボルトを受け入れるための複数の相補的な雌ネジ孔部とともに構成され得る。ベッセルネックガスケット３４０の相手側縁部３４３は、スクリュー又はボルトによって、外壁面２０３と装着ブロックとの間に固定され、一次的な水密シールを生成するのに十分なクランプ力を提供することが可能である。又は代替的に、ベッセルネックガスケット３４０の相手側縁部３４３は、スクリュー又はボルトによって、内壁面２０３と装着ブロックとの間に固定され、一次的な水密シールを生成するのに十分なクランプ力を提供することが可能である。いずれかの実施形態において、複数のスクリュー又はボルトは、ベッセル２００（例えば、少なくとも１つの壁部２０１など）を通る相補的な数のポート（ネジ山付きのポートとすることができる）を通過することが可能である。そのような機械的な締結具に加えて、熱溶着、超音波溶着、溶剤結合、並びに、化学接着剤及び／又はシーラントが、機械的な締結具とともに使用され得る。
【０１７０】
ある実施形態では、フェイスソーキングデバイス１００の例示的な実施形態は、少なくとも３つの要素、すなわち、ベッセルネックガスケット３４０、クランプ３４８、及びネック−ガスケット−アコモデータ３３５を含むことが可能である。ある実施形態では、例示的なベッセルネックガスケットサブアセンブリは、少なくとも３つのパーツ、すなわち、ベッセルネックガスケット３４０、クランプ３４８、及びネック−ガスケット−アコモデータ３３５を含むことが可能である。ネック−ガスケット−アコモデータ３３５は、ベッセル２００の実施形態などのような、所与のベッセルの実施形態の一部分又は領域とすることができる。図３シリーズの図の例示的なベッセルネックガスケットサブアセンブリのベッセルネックガスケット３４０、クランプ３４８、及びネック−ガスケット−アコモデータ３３５は、図１４シリーズの図及び図１５シリーズの図に示されているそのような同様の要素とは構造的に異なっていることが可能であることに留意されたい。
【０１７１】
ある実施形態では、ベッセルネックガスケット３４０は、クランプ３４８の使用によって、ネック−ガスケット−アコモデータ３３５に取り付けられ得る。例えば、図３Ｇを参照されたい。ある実施形態では、そのような取り付けは、一次的な水密シールを形成することが可能である。ある実施形態では、クランプ３４８は、ネック−ガスケット−アコモデータ３３５に相補的にフィットするように形状決めされ得、ベッセルネックガスケット３４０の一部分が、クランプ２４０とネック−ガスケット−アコモデータ３３５のコンタ３３８との間に挟まれており、一次的な水密シールを形成している。例えば、図３Ｈを参照されたい。ある実施形態では、コンタ３３８は、ベッセル２００の底部内側表面２１７の上側表面から離れる方を向く少なくとも１つの表面を含むことが可能である。底部内側表面２１７は、ベッセル２００の内側空間とすることができる。ある実施形態では、底部内側表面２１７は、体積によって、ベッセル２００の最も大きい内側空間とすることができる。
【０１７２】
ある実施形態では、ネック−ガスケット−アコモデータ３３５のコンタ３３８へのクランプ３４８のフィット式の取り付けは、除去可能とすることができる。ある実施形態では、ネック−ガスケット−アコモデータ３３５のコンタ３３８へのクランプ３４８のフィット式の取り付けは、摩擦嵌めとすることができる。ある実施形態では、ネック−ガスケット−アコモデータ３３５のコンタ３３８へのクランプ３４８のフィット式の取り付けは、１つ又は複数のスナップフィットによるものとすることができる。
【０１７３】
ある実施形態では、ネック−ガスケット−アコモデータ３３５のコンタ３３８は、少なくとも１つのシーリングフィン３５０を含むことが可能である。例えば、図３Ｈを参照されたい。ある実施形態では、少なくとも１つのシーリングフィン３５０は、コンタ３３８の１つ又は複数の表面から離れるように延在する突出部とすることができる。例えば、及び、本発明の範囲を限定することなく、ある実施形態では、少なくとも１つのシーリングフィン３５０は、１インチ以下にわたって、そのような１つ又は複数の表面から突出及び延在することが可能である。ある実施形態では、少なくとも１つのシーリングフィン３５０は、ベッセル２００の底部内側表面２１７の上側表面から離れる方向に延在する突出部とすることができる。
【０１７４】
ある実施形態では、クランプ３４８がネック−ガスケット−アコモデータ３３５に除去可能に連結され得、ベッセルネックガスケット３４０の一部分がクランプ３４８とネック−ガスケット−アコモデータ３３５との間に配設されているときには、少なくとも１つのシーリングフィン３５０は、ベッセルネックガスケット３４０の部分うちのいくらかの中へ押し込むことが可能であり、ベッセルネックガスケット３４０の領域３４５を少なくとも１つのシーリングフィン３５０の両側へ引き伸ばす。ある実施形態では、ベッセルネックガスケット３４０の引き伸ばされた領域３４５は、一次的な水密シールを形成することが可能である。ある実施形態では、少なくとも１つのシーリングフィン３５０は、少なくとも１つのシーリングフィンがベッセルネックガスケット３４０に接触するいくつかのシーリング表面エリアを提供し、液体１０１の漏出を最小化することが可能である。例えば、図３Ｈを参照されたい。
【０１７５】
ある実施形態では、ネック−ガスケット−アコモデータ３３５のコンタ３３８は、少なくとも２つのピンチポイント３３９を含むことが可能である。例えば、図３Ｈを参照されたい。ある実施形態では、少なくとも１つのシーリングフィン３５０は、少なくとも２つのピンチポイント３３９の間に配設され得る。例えば、図３Ｈを参照されたい。ある実施形態では、クランプ３４８がネック−ガスケット−アコモデータ３３５に除去可能に連結され得るときに、少なくとも２つのピンチポイント３３９のうちの１つが、第１の相補的なシーリングフィン３５３の終端端部の下に、及び、コンタ３３８の上方に位置付けされ得る。ある実施形態では、クランプ３４８がネック−ガスケット−アコモデータ３３５に除去可能に連結され得るときには、少なくとも２つのピンチポイント３３９のうちの残りのピンチポイントが、第２の相補的なシーリングフィン３５４の終端端部の下に、及び、コンタ３３８の上方に位置付けされ得る。ある実施形態では、第１の相補的なシーリングフィン３５３及び二次的な相補的なシーリングフィン３５４は、それぞれ、クランプ３４８の突出部であり、クランプ３４８の上側外側表面３５６から離れるように延在することが可能である。ある実施形態では、第１の相補的なシーリングフィン３５３及び二次的な相補的なシーリングフィン３５４は、クランプ３４８の中のチャネル３６７の幅によって分離され得る。例えば、図３Ｈを参照されたい。ある実施形態では、チャネル３６７のこの幅は、コンタ３３８の少なくとも１つのシーリングフィン３５０の幅を収容するようにサイズ決めされ得、ベッセルネックガスケット３４０の部分のいくらかが、少なくとも１つのシーリングフィン３５０とチャネル３６７との間に配設され、第１の相補的なシーリングフィン３５３及び第２の相補的なシーリングフィン３５４がチャネル３６７の両側にある。ある実施形態では、第１の相補的なシーリングフィン３５３及び第２の相補的なシーリングフィン３５４は、ベッセルネックガスケット３４０の部分のいくらかを除去可能に押し下げることが可能であり、一方、少なくとも１つのシーリングフィン３５０は、ベッセルネックガスケット３４０の部分のいくらかをチャネル３６７の中へ、除去可能に上へ押し、ベッセルネックガスケット３４０の伸縮領域３４５を押し、断面が「Ｗ」に似ている可能性のある形状にすることが可能である。例えば、図３Ｈを参照されたい。ある実施形態では、クランプ３４８がネック−ガスケット−アコモデータ３３５に除去可能に連結され得、ベッセルネックガスケット３４０の一部分が、クランプ３４８とネック−ガスケット−アコモデータ３３５（例えば、コンタ３３８）との間に配設され得るときに、ベッセルネックガスケット３４０の引き伸ばされた領域３４５は、一次的な水密シールを形成することが可能である。
【０１７６】
ある実施形態では、クランプ３４８は、セミリジッドからリジッドの構築材料から構築（又は、実質的に構築）され得る。例えば、及び、本発明の範囲を限定することなく、クランプ３４８は、熱成形プラスチック、金属、木材、複合材、及び／又はラミネートなどのうちの１つ又は複数から実質的に構築され得る。
【０１７７】
ある実施形態では、クランプ３４８は、２つの外側表面、すなわち、上側外側表面３５６及び横方向外側表面３５７を含むことが可能である。例えば、図３Ｅ及び図３Ｈを参照されたい。ある実施形態では、上側外側表面３５６及び横方向外側表面３５７は、共通の連続的な頂点に沿って、互いに一体的に取り付けられ得る。
【０１７８】
ある実施形態では、クランプ３４８は、第１の相補的なシーリングフィン３５３及び第２の相補的なシーリングフィン３５４を含むことが可能である。例えば、図３Ｈを参照されたい。ある実施形態では、第１の相補的なシーリングフィン３５３及び第２の相補的なシーリングフィン３５４は、上側外側表面３５６から離れるようにそれぞれ延在することが可能である。ある実施形態では、クランプ３４８は、チャネル３６７を含むことが可能である。ある実施形態では、チャネル３６７は、第１の相補的なシーリングフィン３５３と第２の相補的なシーリングフィン３５４との間に配設され得る。
【０１７９】
ある実施形態では、チャネル３６７は、コンタ３３８の少なくとも１つのシーリングフィン３５０の幅を収容するようにサイズ決めされ得、ベッセルネックガスケット３４０の部分のいくらかが、少なくとも１つのシーリングフィン３５０とチャネル３６７との間に配設され、第１の相補的なシーリングフィン２５３及び第２の相補的なシーリングフィン２５４がチャネル３６７の両側にある。ある実施形態では、クランプ３４８は、第１の相補的なシーリングフィン３５３と第２の相補的なシーリングフィン３５４との間に配設されている空間（例えば、チャネル３６７）の中に、ネック−ガスケット−アコモデータ３３５の少なくとも１つのシーリングフィン３５０の厚さを収容するようにサイズ決めされ得る（構成され得る）。例えば、図３Ｈを参照されたい。
【０１８０】
ある実施形態では、ネック−ガスケット−アコモデータ３３５は、少なくとも１つのリップ部３５２を含むことが可能である。例えば、図３Ｈを参照されたい。ある実施形態では、少なくとも１つのリップ部３５２は、内部容積２２０からネック−ガスケット−アコモデータ３３５の遠位部分において、少なくとも１つのシーリングフィン３５０から反対側方向に延在することが可能である。ある実施形態では、少なくとも１つのリップ部３５２は、それによって係合されることになるクランプ３４８のタブ３５５のための構造体を提供することが可能である。ある実施形態では、少なくとも１つのリップ部３５２及びタブ３５５は、除去可能なスナップフィットを形成するための相補的な幾何学形状を有することが可能である。例えば、図３Ｈを参照されたい。ある実施形態では、リップ部３５２に対するタブ３５５の除去可能なカップリング（取り付け）は、ネック−ガスケット−アコモデータ３３５に対するクランプ３４８の摩擦嵌めを増加させることが可能である。
【０１８１】
ある実施形態では、（クランプ３４８の）横方向外側表面３５７は、プル３６４において終端している。例えば、図３Ｈを参照されたい。ある実施形態では、プル３６４は、上側外側表面２５６及び横方向外側表面２５７が互いに一体的に取り付けられ得る共通の連続的な頂点から遠位にあることが可能である。ある実施形態では、プル３６４は、ユーザ９０００によって引っ張られ、レバーアームとして機能する構造体を含むプル３６４によって、クランプ３４８をネック−ガスケット−アコモデータ３３５から解放することが可能である。ある実施形態では、クランプ３４８がネック−ガスケット−アコモデータ３３５に除去可能に取り付けられ得るときには、プル３６４において終端する横方向外側表面３５７は、ネック−ガスケット−アコモデータ３３５の少なくとも１つのリップ部３５２を越えて延在することが可能である。例えば、図３Ｈを参照されたい。
【０１８２】
ある実施形態では、クランプ３４８は、少なくとも１つのタブ３５５を含むことが可能である。例えば、図３Ｈを参照されたい。ある実施形態では、少なくとも１つのタブ３５５は、横方向外側表面２５７の内側表面側から突出することが可能である。ある実施形態では、クランプ３４８がネック−ガスケット−アコモデータ３３５に除去可能に取り付けられ得るときに、タブ３５５は、ネック−ガスケット−アコモデータ３３５の少なくとも１つのリップ部３５２に除去可能に係合することが可能である。ある実施形態では、少なくとも１つのリップ部３５２に対する少なくとも１つのタブ３５５のそのような係合は、スナップフィット又は摩擦嵌めのうちの１つ又は複数とすることができる。すなわち、少なくとも１つのタブ３５５は、少なくとも１つのリップ部３５２の上に（除去可能に）引っ掛かることが可能である。
【０１８３】
図３Ｊ（それは、図３Ｉの中の断面線３Ｊ−３Ｊに沿った断面図である可能性がある）及び図３Ｋ（それは、図３Ｊからの詳細３Ｋのクローズアップとすることができる）は、追加的なスナップラッチ構造を示すものであり得、どのように（図３シリーズの）クランプ３４８がネック−ガスケット−アコモデータ３３５に除去可能に連結することができるかを図示している。図３Ｉは、フェイスソーキングデバイス１００の上面図であり得る。図３Ｉは、断面線３Ｊ−３Ｊを示すものであり得、断面線３Ｊ−３Ｊは、フェイスソーキングデバイス１００の前面の一部分を横切る断面である。図３Ｊは、断面線３Ｊ−３Ｊに沿った断面図であり得る。そして、図３Ｊは、強調された詳細３Ｋの領域を含むことが可能である。図３Ｋは、詳細３Ｋのクローズアップを示すものであり得、それは、どのように２つのスナップラッチ接続部のうちの１つがクランプ３４８をネック−ガスケット−アコモデータ３３５に除去可能に連結することを支援するために働くことができるかを示すものであり得る。
【０１８４】
ある実施形態では、ネック−ガスケット−アコモデータ３３５は、２つの対向する開口壁縁部３７１を含むことが可能である。ある実施形態では、２つの対向する開口壁縁部３７１は、ネック−ガスケット−アコモデータ３３５が始まる場所を画定することが可能である。例えば、図３Ｋ及び図３Ｂを参照されたい。図３Ｋ及び図３Ｂは、１つのそのような開口壁縁部３７１、例えば、フェイスソーキングデバイス１００の前面を見ているユーザ９０００の視点から左側開口壁縁部３７１を示すものであり得、右側開口壁縁部３７１は、左側開口壁縁部３７１の鏡像とすることができる。ある実施形態では、それぞれの開口壁縁部３７１（例えば、左側及び右側）は、ネック−ガスケット−アコモデータ３３５の少なくとも水平方向幅３３７だけ、他のものから分離されていることが可能である（例えば、水平方向幅３３７に関して図３Ｂを参照）。ある実施形態では、それぞれの開口壁縁部３７１は、リム２２５から少なくとも１つのベース２１５に向けて下向き方向に降下することが可能である。ある実施形態では、それぞれの開口壁縁部３７１は、実質的に平坦（すなわち、実質的に平坦な表面）とすることができる。例えば、図３Ｋ及び図３Ｂを参照されたい。
【０１８５】
例えば、及び、本発明の範囲を限定することなく、ある実施形態では、それぞれの開口壁縁部３７１は、２インチより小さいが３２分の１（１／３２）インチより大きい範囲にわたって下向きに降下することが可能である。
【０１８６】
ある実施形態では、クランプ３４８は、互いに反対側に配設されている２つの末端部３５８を含むことが可能である。例えば、図３Ｅ及び図３Ｆを参照されたい。ある実施形態では、それぞれの末端部３５８は、相手側壁縁部３８０を含むことが可能である。例えば、図３Ｋを参照されたい。図３Ｋは、１つのそのような相手側壁縁部３８０、例えば、フェイスソーキングデバイス１００の前面を見ているユーザ９０００の視点から左側相手側壁縁部３８０を示すものであり得、右側相手側壁縁部３８０は、左側相手側壁縁部３８０の鏡像とすることができる。クランプ３４８の左側及び右側の指定は、内部容積２２０から離れる方を向く、及び、フェイスソーキングデバイス１００の前面を見ている可能性のあるユーザ９０００の方を向く、横方向外側表面２５７に関するものとすることができる。
【０１８７】
ある実施形態では、クランプ３４８がネック−ガスケット−アコモデータ３３５に除去可能に連結され得るときに、それぞれの相手側壁縁部３８０は、それぞれの開口壁縁部３７１とペアにされることが可能であり、所与の開口壁縁部３７１とペアにされている相手側壁縁部３８０が、互いに相補的であり得るようになっている。例えば、図３Ｋを参照されたい。ある実施形態では、横方向外側表面２５７が内部容積２２０から離れる方を向くことができるように、クランプ３４８がネック−ガスケット−アコモデータ３３５に除去可能に連結され得るきに、それぞれの相手側壁縁部３８０は、それぞれの開口壁縁部３７１とペアにされることが可能であり、それぞれの開口壁縁部３７１とペアにされている相手側壁縁部３８０が、互いに対して実質的に平行であり得るようになっている。例えば、及び、本発明の範囲を限定することなく、左側開口壁縁部３７１は、図３Ｋに示されているように、左側相手側壁縁部３８０とペアにされ得る。例えば、及び、本発明の範囲を限定することなく、右側開口壁縁部３７１は、図３Ｋの鏡像であり得る右側相手側壁縁部３８０とペアにされ得る。ある実施形態では、それぞれの相手側壁縁部３８０は、対応する（ペアにされている）開口壁縁部３７１の上の実質的に平坦な領域を補完するように実質的に平坦とすることができる。
【０１８８】
ある実施形態では、左側開口壁縁部２７１が左側相手側壁縁部３８０とペアにされ得、右側開口壁縁部３７１が右側相手側壁縁部３８０とペアにされ得るときに、それぞれのペアリングは、ペアにされている相補的な表面間の摩擦嵌めとすることができる。
【０１８９】
ある実施形態では、それぞれの相手側壁縁部３８０は、スナップラッチ３８１において終端することが可能である。例えば、図３Ｅ、図３Ｆ、及び図３Ｋを参照されたい。ある実施形態では、それぞれの開口壁縁部３７１は、縁部リップ部３７２において終端することが可能である。例えば、図３Ｋを参照されたい。図３Ｋは、左側開口壁縁部３７１の終端における左側縁部リップ部３７２を示すものであり得る。対応する右側構造体（例えば、右側縁部リップ部３７２及び右側スナップラッチ３８１）が、それぞれの左側構造体の鏡像とすることができることに留意されたい。ある実施形態では、それぞれのスナップラッチ３８１は、それぞれの縁部−クリップ３７２とペアにされ得、ペアにされるスナップラッチ３８１が、ペアにされる縁部リップ部３７２の上に除去可能にパチンと留まり、２つのそれぞれペアリングのそれぞれにおいて、除去可能なスナップラッチ接続部を形成することができるようになっている。例えば、図３Ｋを参照されたい。図３Ｋは、そのような左側スナップラッチ接続部を示すものであり得る。ある実施形態では、ペアにされるスナップラッチ３８１は、ペアにされている縁部リップ部３７２の表面と除去可能に係合し得る突出部を含むことが可能である。例えば、図３Ｋを参照されたい。
【０１９０】
ある実施形態では、それぞれの除去可能なスナップラッチ接続部（左側及び右側）の解放は、ユーザ９０００がそれぞれの相手側壁縁部３８０を互いに向けて強く押しつぶすことによって達成され得、それは、所与のペアにされているスナップラッチ３８１を、ペアにされている縁部リップ部３７２から切り離すことが可能である。また、ある実施形態では、クランプ３４８をネック−ガスケット−アコモデータから解放することは、ユーザ９０００がプル３６４を引っ張る（又は、持ち上げる）ことを必要とする可能性がある。
【０１９１】
図３Ｌは、クランプ３４８を伴うベッセルネックガスケット３４０の斜視図であり得、また、プレス−イン−フィット部３９１をさらに示している。プレス−イン−フィット部３９１は、図２Ｈにおいて最初に示されている可能性がある。ある実施形態では、単一のプレス−イン−フィット部３９１は、それぞれのクランプ末端部３５８に（例えば、それぞれのクランプ末端部３５８の下側に）取り付けられ得る。ある実施形態では、クランプ３４８は、プレス−イン−フィット部３９１を含むことが可能である。ある実施形態では、それぞれのクランプ末端部３５８は、単一のプレス−イン−フィット部３９１を含むことが可能である。ある実施形態では、単一のプレス−イン−フィット部３９１は、それぞれのクランプ末端部３５８の下側に取り付けられ得る。例えば、図３Ｌを参照されたい。それぞれのプレス−イン−フィット部３９１は、押し付けることによってユーザ９０００が係合するために快適な構築材料を提供することが可能である。ある実施形態では、プレス−イン−フィット部３９１は、エラストマー及び／又はプラスチックのうちの１つ又は複数から実質的に構築され得る。エラストマーは、合成ゴムを含む、シリコーン及び／又はゴムとすることができる。プラスチックは、例えば、熱可塑性のポリウレタン（TPU）などのように、熱可塑性とすることができるが、必ずしもそうではない。ユーザが（ベッセルネックガスケット３４０とともに）クランプ３４８をネック−ガスケット−アコモデータ３３５から除去している可能性があるときには、ユーザ９０００は、それぞれの対向するプレス−イン−フィット部３９１を互いに向けて押し（強く押しつぶし）、（ベッセルネックガスケット３４０とともに）クランプ３４８をネック−ガスケット−アコモデータ３３５から解放する助けとなり得る。プレス−イン−フィット部３９１は、すべてのフェイスソーキングデバイス１００の実施形態の中に含まれ得るわけではないことに留意されたい。
【０１９２】
ある実施形態は、可撓性の取り外し可能なベッセルカバーとして特徴付けられ得、それは、（１）上部開口２２６を有し、液体１０１を保持することができるベッセル２００であって、ガスケット−アコモデータ３３５を有する、ベッセル２００と、（２）可撓性のシート（例えば、ベッセルネックガスケット３４０）とを含むことが可能であり、可撓性のシートは、ベッセル２００のガスケット−アコモデータ３３５をカバーするように全体的に形状決めされ得、可撓性のシートは、可撓性のシートの底部に沿って、ガスケット（例えば、相手側縁部３４３）を有しており、ガスケットの底部、及び、ベッセル２００のガスケット−アコモデータ３３５の上部は、互いに耐密に嵌合するように配置され、一次的な水密シールを形成することが可能である。
【０１９３】
図１４シリーズの図は、図１４Ａから図１４Ｎを含むことが可能である。この図１４シリーズの図は、（図３シリーズの図に代替的な）ベッセルネックガスケットサブアセンブリの代替的な実施形態を示すことに焦点を合わせている可能性がある。図１４Ａは、斜視図により示されている、代替的な実施形態ベッセルネックガスケットサブアセンブリを備えるフェイスソーキングデバイスを示すものであり得る。（呼吸装置、ヘッドレストサブアセンブリ、ヒータサブアセンブリ、及びガスディフューザは、除去されている可能性がある。）図１４Ｂは、図１４Ａのフェイスソーキングデバイスを示すものであり得るが、底面斜視図により示されている。図１４Ｃは、図１４Ａのフェイスソーキングデバイスを示すものであり得るが、正面図により示されている。図１４Ｄは、図１４Ａのフェイスソーキングデバイスを示すものであり得るが、（右側）側面図により示されている。図１４Ｅは、図１４Ａのフェイスソーキングデバイスを示すものであり得るが、上部斜視分解図で示されている。図１４Ｆは、図１４Ａのフェイスソーキングデバイスを示すものであり得るが、底部斜視分解図で示されている。図１４Ｇは、図１４Ａのフェイスソーキングデバイスを示すものであり得るが、正面分解図で示されている。図１４Ｈは、図１４Ａのフェイスソーキングデバイスを示すものであり得るが、（右側）側面分解図で示されている。図１４Ｉは、図１４Ａのフェイスソーキングデバイスを示すものであり得るが、正面図で示されており、ネック−ガスケット−アコモデータ３３５を通る断面線１４Ｊ−１４Ｊを有しており、ベッセルネックガスケット３４０及びクランプ３４８は、除去されている可能性がある。図１４Ｊは、断面線１４Ｊ−１４Ｊに沿った側断面図であり得、また、図１４Ｊは、詳細１４Ｋの領域を示すものであり得る。図１４Ｋは、詳細Ｋのクローズアップを示すものであり得る。図１４Ｌは、図１４Ａのフェイスソーキングデバイスを示すものであり得るが、正面図で示されており、ベッセルネックガスケット３４０、クランプ３４８、及びネック−ガスケット−アコモデータ３３５を通る断面線１４Ｍ−１４Ｍを有する。図１４Ｍは、断面線１４Ｍ−１４Ｍに沿った側断面図であり得、また、図１４Ｍは、詳細１４Ｎの領域を示すものであり得る。図１４Ｎは、詳細１４Ｎのクローズアップ図であり得る。
【０１９４】
ある実施形態では、コンタ３３８は、少なくとも１つのシーリングフィン３５０、及び、少なくとも１つのピンチポイント３３９を含むことが可能である。例えば、図１４Ｋを参照されたい。少なくとも１つのシーリングフィン３５０は、コンタ３３８の表面の１つ又は複数から離れるように延在する、壁状の又はダム状の突出部とすることができる。少なくとも１つのシーリングフィン３５０は、ベッセルネックガスケット３４０のある実施形態の相補的な摩擦嵌めのための追加的なシーリング表面エリアを提供する機能を含むことが可能であり、ベッセルネックガスケット３４０のエラストマーの領域は、少なくとも１つのシーリングフィン３５０の平坦な表面に押し付けられ得る。図１４シリーズの図では、少なくとも１つのピンチポイント３３９が、コンタ３３８の１つ又は複数の表面から離れるように延在する突起部を含むことが可能である。少なくとも１つのピンチポイント３３９は、少なくとも１つのシーリングフィン３５０がコンタ３３８の１つ又は複数の表面から離れるように遠くまで延在し得る程度よりも小さい程度に、コンタ３３８の１つ又は複数の表面から離れるように延在することが可能である。例えば、図１４Ｋを参照されたい。少なくとも１つのピンチポイント３３９は、クランプ３４８の上に位置付けされている相補的なピンチポイントに対してベッセルネックガスケット３４０材料の一部分を強く押しつぶすために増加された圧縮空間を提供する機能を含むことが可能である。ある実施形態では、コンタ３３８は、３つのピンチポイント３３９を含むことが可能である。例えば、図１４Ｋを参照されたい。ある実施形態では、少なくとも１つのシーリングフィン３５０は、厚さを有することが可能であり、少なくとも１つのシーリングフィン３５０の上部（コンタ３３８表面から遠位）が、少なくとも１つのピンチポイント３３９のうちの１つを含むことが可能である。２つの他のピンチポイント３３９は、少なくとも１つのシーリングフィン３５０の上部に位置付けされているピンチポイント３３９のそれぞれの側に位置付けされ得る。ある実施形態では、これらの３つのピンチポイントは、第１のピンチポイント、第２のピンチポイント、及び第３のピンチポイントと呼ばれ得、第１のピンチポイントは、内部容積２２０に最も近くなっており、第３のピンチポイントは、内部容積２２０から最も遠くになっており、第２のピンチポイントは、第１のピンチポイントと第２のピンチポイントとの間に配設されている。
【０１９５】
ある実施形態では、少なくとも１つのシーリングフィン３５０は、チャネルの実施形態と交換され得（又は、少なくとも１つのシーリングフィン３５０は、チャネルの実施形態とともに使用され得）、チャネルは、少なくとも１つのシーリングフィン３５０と同様にコンタ３３８表面から離れるというよりもむしろ、コンタ３３８の中へ延在することが可能である。しかし、チャネル排水手段などのような、他の修正がなければ、少なくとも１つのシーリングフィン３５０は、単独のチャネルの実施形態よりも例示的である可能性がある。その理由は、チャネルが、液体及び破片を蓄積させ、可能性のある汚染問題及び衛生問題の原因を提供する可能性があるからである。
【０１９６】
いくつかのそのような実施形態では、ネック−ガスケット−アコモデータ３３５は、少なくとも１つのリップ部３５２をさらに含むことが可能である。少なくとも１つのリップ部３５２は、少なくとも１つのシーリングフィン３５０の反対側方向に、及び、内部容積２２０からネック−ガスケット−アコモデータ３３５の遠位部分において、延在することが可能である。ある実施形態では、少なくとも１つのリップ部３５２は、クランプ３４８のタブ３５５と相補的に嵌合する追加的な表面エリアを提供する機能を含むことが可能である。ある実施形態では、少なくとも１つのリップ部３５２は、成形されたリブ部又は同様の構造体から、構造的支持を提供され得る。ある実施形態では、そのようなリブ部又は同様の支持構造体は、内部容積２２０の外側において、ネック−ガスケット−アコモデータ３３５の底部側（腹側）に位置付けされ得る。例えば、図１４Ｋ及び図１４Ｎを参照されたい。
【０１９７】
ある実施形態では、所与のベッセル（例えば、ベッセル２００）に対するベッセルネックガスケット３４０の取り付けは、以下の構造体及び要素、すなわち、ベッセルネックガスケット３４０、ネック−ガスケット−アコモデータ３３５（所与のベッセルの領域）、及び、ベッセルネックガスケット取り付け手段を含むことが可能である。例えば、図１４シリーズの図を参照されたい。
【０１９８】
ある実施形態では、ベッセルネックガスケット３４０は、キャリア１４４９を含むことが可能である。又は、代替的に、所与のフェイスソーキングデバイスは、キャリア１４４９を含むことが可能である。例えば、図１４Ｅ及び／又は図１４Ｆを参照されたい。キャリア１４４９は、いくらかの剛性及び／又はいくらかの嵌合構造をベッセルネックガスケット３４０に提供するように機能することが可能であり、そのような提供された剛性、及び／又は、提供された嵌合構造は、ベッセルネックガスケット３４０をネック−ガスケット−アコモデータ３３５に（又は、ネック−ガスケット−アコモデータ３３５の近位のベッセルに）取り付けることを支援することが可能である。キャリア１４４９は、セミリジッドからリジッドとすることができる。ある実施形態では、キャリア１４４９は、ネック−ガスケット−アコモデータ３３８の全体的な形状を全体的に近似することが可能であり、かつ、コンタ３３８に対して相補的とすることができる、幾何学的な構造を有することが可能である。例えば、及び、本発明の範囲を限定することなく、キャリア１４４９は、全体的な形状を含むことが可能であり、全体的な形状は、半丸形、半楕円形、Ｕ字形状、ネック−ガスケット−アコモデータ３３５（例えばコンタ３３８）の相補的な全体的な形状を近似し得る任意の他の同様の半円形、半長円形、又は半楕円形形状、正多角形又は非正多角形又は半多角形形状を備えた、凹形又は凸形とすることができる。
【０１９９】
ある実施形態では、キャリア１４４９は、ベッセルネックガスケット３４０と一体的になっていることが可能であり、キャリア１４４９及びベッセルネックガスケット３４０が、単一の製造品とすることができる。他の実施形態では、キャリア１４４９は、ベッセルネックガスケット３４０とは別々のパーツとすることができ、キャリア１４４９は、ベッセルネックガスケット３４０に取り付けられ得る。キャリア１４４９及びベッセルネックガスケット３４０が一体的になっているか又はサブアセンブリであり得るかということにかかわらず、ベッセルネックガスケット３４０へのキャリア１４４９の結合は、相手側縁部３４３を形成することが可能である。
【０２００】
ある実施形態では、ベッセルネックガスケット３４０へのキャリア１４４９のそのような取り付けは、除去可能とすることができ、一方、他の実施形態では、そのような取り付けは、恒久的とすることができる。そのような取り付けは、溶剤結合、熱溶着、超音波溶着、化学接着剤／シーラント、及び／又は、機械的な締結具などのうちの１つ又は複数によるものとすることができる。
【０２０１】
記述されているように、キャリア１４４９へのベッセルネックガスケット３４０の結合は、相手側縁部３４３をもたらし得る。すなわち、ベッセルネックガスケット３４０の可撓性の、圧縮可能な、及び／又はエラストマーのコンポーネントの一部分が、キャリア１４４９の一部分をカバーすることが可能であり、ベッセルネックガスケット３４０とキャリア１４４９との間のそのような物理的な接触の内側表面は、（一体的に、又は、上述の取り付け方法のいずれかによって）互いに取り付けられ得、また、ベッセルネックガスケット３４０のその部分の外側表面が、次いで、相手側縁部３４３を形成することが可能である。従って、キャリア１４４９及びベッセルネックガスケット３４０の結合体が、コンタ３３８の中へ、又は、コンタ３３８の上に、設置され得る（及び、押し込まれる）ときに、コンタ３３８に物理的に接触しているベッセルネックガスケット３４０の可撓性の、圧縮可能な、及び／又はエラストマーのコンポーネントが圧縮され、一次的な水密シールを形成することが可能であり、そのような圧縮は、少なくとも１つのピンチポイントによって増加され得、及び／又は、追加的な表面エリアが、少なくとも１つのシーリングフィン３５０によって提供され得る。例えば、図１４Ｎを参照されたい。
【０２０２】
ある実施形態では、キャリア１４４９及びベッセルネックガスケット３４０の結合体は、コンタ３３８の内径に相補的であり得る外径を含むことが可能であり、キャリア１４４９及びベッセルネックガスケット３４０の結合体をコンタ３３８の中へ設置することは、摩擦嵌めをもたらすことができるようになっており、摩擦は、キャリア１４４９及びベッセルネックガスケット３４０の結合体をコンタ３３８に対して適切な場所に保持することが可能である。
【０２０３】
ある実施形態では、ベッセルネックガスケット取り付け手段は、クランプ３４８を含むことが可能である。例えば、図１４Ｅ又は図１４Ｆを参照されたい。図１４シリーズの図では、クランプ３４８は、キャリア１４４９及びベッセルネックガスケット３４０の結合体をネック−ガスケット−アコモデータ３３５のコンタ３３８に取り付ける機能を含むことが可能である。ある実施形態では、そのような取り付けは、除去可能とすることができ、一方、他の実施形態では、そのような取り付けは、恒久的とすることができる。いくつかの例示的な実施形態では、そのような取り付けは、摩擦嵌めによるものとすることができる。ある実施形態では、そのような摩擦式取り付け手段は、除去可能とすることができ、一方、他の実施形態では、そのような摩擦式取り付け手段は、恒久的とすることができる。
【０２０４】
ある実施形態では、クランプ３４８は、熱成形プラスチックなどのような、セミリジッドからリジッドの構築材料から構築され得る。ある実施形態では、クランプ３４８は、ネック−ガスケット−アコモデータ３３８の全体的な形状を全体的に近似することが可能であり、かつ、コンタ３３８に対して相補的とすることができる、幾何学的な構造を有することが可能である。例えば、及び、本発明の範囲を限定することなく、クランプ３４８は、全体的な形状を含むことが可能であり、全体的な形状は、半丸形、半楕円形、Ｕ字形状、ネック−ガスケット−アコモデータ３３５（例えばコンタ３３８）の相補的な全体的な形状を近似し得る任意の他の同様の半円形、半長円形、又は半楕円形形状、正多角形又は非正多角形又は半多角形形状を備えた、凹形又は凸形とすることができる。ある実施形態では、クランプ３４８は、２つのクランプ末端部３５８を含むことが可能である。例えば、図１４Ｇ又は図１４Ｅを参照されたい。
【０２０５】
ある実施形態では、クランプ３４８は、２つの外側表面、すなわち、上側外側表面３５６及び横方向外側表面３５７を含むことが可能である。例えば、図１４Ｎを参照されたい。上側外側表面３５６及び横方向外側表面３５７は、共通の連続的な頂点において互いに取り付けられ得る。ある実施形態では、上側外側表面３５６及び横方向外側表面３５７は、６０度〜１１０度の角度で互いから分散していることが可能である。他の実施形態では、分散の他の角度は、上側外側表面３５６と横方向外側表面３５７との間で測定されてもよい。ある実施形態では、クランプ３４８は、第１の相補的なシーリングフィン３５３、第２の相補的なシーリングフィン３５４、及び、相補的なピンチポイント３５１を含むことが可能である。例えば、図１４Ｎを参照されたい。第１の相補的なシーリングフィン３５３、第２の相補的なシーリングフィン３５４、及び、相補的なピンチポイント３５１は、上側外側表面３５６から離れるようにそれぞれ延在することが可能である。第１の相補的なシーリングフィン３５３、第２の相補的なシーリングフィン３５４、及び、相補的なピンチポイント３５１は、異なる距離だけ、上側外側表面３５６から離れるようにそれぞれ延在することが可能である。ある実施形態では、第１の相補的なシーリングフィン３５３は、第２の相補的なシーリングフィン３５４よりも長くなっていることが可能であり、第２の相補的なシーリングフィン３５４は、相補的なピンチポイント３５１よりも長くなっていることが可能である。少なくとも１つのシーリングフィン３５０の厚さを収容するのに十分な空間が、第１の相補的なシーリングフィン３５３と第２の相補的なシーリングフィン３５４との間にあることが可能である。ベッセルネックガスケット３４０の厚さを収容するのに十分な空間が、第２の相補的なシーリングフィン３５４と横方向外部表面３５７との間にあることが可能であり、ベッセルネックガスケット３４０は、クランプ２４８とネック−ガスケット−アコモデータ３３５との間に挟まれているときに、圧縮及び／又は引き伸ばされ得る。例えば、図１４Ｎを参照されたい。
【０２０６】
ある実施形態では、横方向外側表面３５７は、プル３６４において終端することが可能である。例えば、図１４Ｎを参照されたい。すなわち、プル３６４は、上側外側表面３５６及び横方向外側表面３５７が互いに取り付けられ得る共通の連続的な頂点から遠位にあることが可能である。ある実施形態では、プル３６４は、ユーザ９０００によって引っ張られ、クランプ３４８をネック−ガスケット−アコモデータ３３５から解放するように構成され得る。ある実施形態では、横方向外側表面３５７及びプル３６４の一部分は、少なくとも１つのリップ部３５２を越えて延在することが可能である。ある実施形態では、横方向外側表面３５７は、タブ３５５を含むことが可能である。タブ３５５は、横方向外側表面３５７の内側表面側から突出することが可能である。タブ３５５は、ネック−ガスケット−アコモデータ３３５の少なくとも１つのリップ部３５２に係合する（例えば、少なくとも１つのリップ部３５２の上に引っ掛かる）ように構成され得る。例えば、図１４Ｎを参照されたい。
【０２０７】
クランプ３４８が、キャリア１４４９及びベッセルネックガスケット３４０の結合体の上でコンタ３３８に取り付けられ得るときに、第１の相補的なシーリングフィン２５３は、第１のピンチポイントに直接的に対向することが可能であり、相補的なピンチポイント２５１は、少なくとも１つのシーリングフィン３５０の上部によって形成されている第２のピンチポイントに直接的に対向することが可能であり、第２のシーリングフィン２５４は、第３のピンチポイントに直接的に対向することが可能である。例えば、図１４Ｎを参照されたい。これらの３つのペアリングのそれぞれは、ベッセルネックガスケット３４０の一部分を圧縮するための領域を形成することが可能である。クランプ３４８とコンタ３３８との間でベッセルネックガスケット３４０の一部分を圧縮することは、一次的な水密シールを形成することが可能である。
【０２０８】
ある実施形態では、クランプ３４８は、コンタ３３８の内径に相補的であり得る外径を含むことが可能であり、クランプ３４８をコンタ３３８の中へ設置することは、摩擦嵌めをもたらすことができるようになっており、摩擦は、クランプ３４８、並びに、キャリア１４４９及びベッセルネックガスケット３４０の結合体を、コンタ３３８に対して適切な場所に保持することが可能である。ある実施形態では、キャリア１４４９及びベッセルネックガスケット３４０の結合体の上に、及び、コンタ３３８の中へ、クランプ３４８を据え付けることは、それぞれのクランプ末端部３５８を互いに向けて強く押しつぶし、キャリア１４４９及びベッセルネックガスケット３４０の結合体の上の場所の中へ、及び、コンタ３３８の中へ、クランプ３４８を置くことを必要とする可能性があり、２つのクランプ末端部３５８を解放することは、次いで、摩擦嵌めを生み出すことが可能である。
【０２０９】
図１５シリーズの図は、図１５Ａから図１５Ｆを含むことが可能である。図１５シリーズの図は、ヒンジの実施形態を示すものであり得、どのようにベッセルネックガスケット３４０がベッセル（例えば、ベッセル２００）に対して回転可能に並進することができるかを示すものであり得る。図１５Ａは、代替的な実施形態ベッセルネックガスケット３４０を備えるフェイスソーキングデバイスを示すものであり得、クランプ３４８は旋回（枢動）することが可能であり、斜視図により示されている。（呼吸装置、ヘッドレストサブアセンブリ、ヒータサブアセンブリ、及びガスディフューザは、除去されている可能性がある。）図１５Ｂは、図１５Ａによるフェイスソーキングデバイスを示すものであり得るが、ベッセルネックガスケット３４０及びクランプ３４８が、ベッセルから分解されている可能性がある。図１５Ｃは、図１５Ａによるフェイスソーキングデバイスを示すものであり得るが、正面図により示されており、ベッセルネックガスケット３４０及びクランプ３４８を通る断面線１５Ｄ−１５Ｄを有する。図１５Ｄは、断面線１５Ｄ−１５Ｄに沿った部分的な側断面図であり得る。図１５Ｅは、図１５Ａによるフェイスソーキングデバイスを示すものであり得るが、（右側）側面図により示されており、ベッセルを通る断面線１５Ｆ−１５Ｆを有する。図１５Ｆは、断面線１５Ｆ−１５Ｆに沿った横断幅方向の断面図であり得る。
【０２１０】
いくつかの図１５シリーズの実施形態では、クランプ３４８は、クランプ３４８をベッセルに取り付ける場所において、ヒンジ運動などのような、回転（すなわち、枢動又はヒンジ）移動を可能にする様式で、ベッセルに取り付けられ得る。例えば、図１５Ｂを参照されたい。ある実施形態では、このクランプ３５８のそれぞれの末端部３５８は、ピン１５５９を含むことが可能であり、すなわち、クランプ３４８は、２つのピン１５５９を含むことが可能である。それぞれのピン１５５９は、互いに離れる方向を指し示していることが可能であり、すなわち、それぞれのピン１５５９は、それぞれの末端部３５８から延在することが可能であり、それぞれのピン１５５９が、互いの反対側に配設され得るようになっている。それぞれのピン１５５９は、ピン受容部１５６０によって捕えられ得る。それぞれのピン受容部１５６０は、水平方向幅３３７のそれぞれの端部において、ネック−ガスケット−アコモデータ３３５の上部に位置付けされ得る。例えば、図１５Ｂを参照されたい。この上部の場所において、一対のピン受容部１５６０が、この上部の場所の３つの領域のうちの少なくとも１つに位置付けされ得、すなわち、（１）少なくとも１つの側壁２０５の壁部厚さの中へ延在しているか（図１５Ｂに示されている）、（２）外壁面２０２の上に位置付けされているか（図示せず）、又は、（３）内壁面２０３の上に位置付けされている（図示せず）。一対のピン受容部１５６０が、外側上部の場所に位置付けされ得るときには、クランプ３４８は、ベッセルの外側に向けて開くことが可能である。一対のピン受容部１５６０が、内側上部の場所に位置付けされ得るときには、クランプ３４８は、ベッセルの内側に向けて開くことが可能である。一対のピン受容部１５６０が、（例えば、図１５Ｂに示されているように）少なくとも１つの側壁２０５の壁部厚さの中の上部の場所に位置付けされ得るときには、クランプ３４８は、ベッセルの内側に向けて開くことが可能であるか、又はクランプ３４８は、ベッセルの外側に向けて開くことが可能である。（クランプ３４８がベッセル２００の内側に開く及び／又は閉じるように構成され得るときには、クランプ３４８の横方向外側表面３５７は、「横方向内側表面３５７」とみなされ得る。例えば、図１５Ｆを参照されたい。）
【０２１１】
ある実施形態では、ピン受容部１５６０は、（１）コンタ３３８から；（２）外壁面２０２から（例えば、図１５Ｆを参照）；（３）内壁面２０３から；及び／又は（４）リム２２５から、開口を介してアクセス可能であり得る。
【０２１２】
ある実施形態では、そのような枢動可能なクランプ３４８は、次いで、下向きに枢動し、ネック−ガスケット−アコモデータ３３５の近位において、ベッセルネックガスケット３４０をベッセル２００の内壁面２０３に押し付けることによって、一次的な水密シールを形成することが可能である。例えば、図１５Ｄを参照されたい。ある実施形態では、チャネル１５６１が、ネック−ガスケット−アコモデータ３３５に平行して近位にあることが可能である。チャネル１５６１は、ベッセルネックガスケット３４０の一部分を受け入れるように構成され、摩擦嵌め及び一次的な水密シールの両方を生成することが可能である。ある実施形態では、ベッセルネックガスケット３４０は、チャネル１５６１の中へのフィッティングに相補的になることになる成形された領域（図示せず）を含むことが可能である。ある実施形態では、ベッセルネックガスケット３４０のそのような成形された領域は、少なくとも１つのマイクロフィン突出部を含み、摩擦及び一次的な水密シールを向上させることが可能である。いくつかの例示的な実施形態では、チャネル１５６１は、外壁面２０２と対比して内壁面２０３側に位置付けされ得、それは、内部容積２２０に向けての適正な液体１０１の排水を容易にすることが可能である。例えば、図１５Ｄを参照されたい。ある実施形態では、チャネル１５６１は、外壁面２０２側に位置付けされ得る（この実施形態は図示せず）。
【０２１３】
ある実施形態では、チャネル１５６１は、ベッセルネックガスケット３４０の一部分（それは、成形され得る）及びクランプ３４８の一部分を受け入れ、摩擦嵌め及び一次的な水密シールの両方を生成するように構成され得る。例えば、図１５Ｄを参照されたい。クランプ３４８の一部分は、歯１５６３とすることができる。ある実施形態では、歯１５６３は、少なくとも１つのマイクロフィン突出部１５６５を含み、摩擦及び一次的な水密シールを向上させることが可能である。例えば、図１５Ｄを参照されたい。
【０２１４】
ある実施形態では、クランプ３４８は、ガスケット３４０とのサブアセンブリとすることができる。例えば、図３１を参照されたい。この実施形態では、クランプ３４８及びベッセルネックガスケット３４０のこのサブアセンブリが、ネック−ガスケット−アコモデータ３３５のコンタ３３８の中へ圧入され得る。相手側縁部３４３は、クランプ３４８の底部縁部及び側部縁部の周りに延びていることが可能であり、ガスケット３４０の残りの部分は、クランプ３４８の内径円弧の中に配設されている。クランプ３４８は、リジッドからセミリジッドとすることができる。ベッセルネックガスケット３４０及び相手側縁部３４３は、それに限定されないが、ネオプレンなどのようなエラストマー材料とすることができる。それぞれのクランプ末端部３５８は、自由に回転するフックロック３１０１を含むことが可能であり、それは、それぞれの受け入れ溝部３１０２の中へ受け入れられ得、クランプ３４８が、ベッセルネックガスケット３４０とともに、コンタ３３８の中へ押し下げられ得るようになっており、相手側縁部３４３がコンタ３３８とともに一次的な水密シールを形成しているようになっており、次いで、フックロック３１０１は、受け入れ溝部３１０２の中の適切な場所の中へ回転され、クランプ３４８及びベッセルネックガスケット３４０を適切な場所の中へロックすることが可能である。それぞれの受け入れ溝部３１０２は、それぞれのフックロック３１０１の内側開放空間３１０４に除去可能に係合するタブ３１０３を含むことが可能である。一対の受け入れ溝部３１０２は、水平方向幅３３７の境界を決めることが可能である。例えば、図３１を参照されたい。
【０２１５】
図４シリーズの図は、図４Ａから図４Ｑを含むことが可能である。これらの図４シリーズの図は、例示的な呼吸装置４００並びにそのコンポーネントパーツ及び構造体を示すことに焦点を合わせている可能性がある。図４Ａは、フェイスソーキングデバイス１００の呼吸装置４００の上部斜視分解図であり得、呼吸装置４００は、ベッセル２００から分解されている可能性がある。図４Ｂは、フェイスソーキングデバイス１００の上面図であり得、図４Ｂは、２つの断面線、すなわち、断面線４Ｃ−４Ｃ及び断面線４Ｆ−４Ｆをさらに示している可能性があり、断面線４Ｃ−４Ｃは、呼吸装置４００を通る横断幅方向の断面線である可能性があり、断面線４Ｆ−４Ｆは、呼吸装置４００を通る長手方向断面線である可能性がある。
【０２１６】
図４Ｃは、断面線４Ｃ−４Ｃに沿った横断幅方向の断面図であり得、図４Ｃは、２つの詳細の領域、すなわち、詳細４Ｄ及び詳細４Ｅを示すものであり得、詳細４Ｄは、少なくとも１つのホース４２０又は少なくとも１つのチュービング４２０の第２の末端部４２２が、どのように、ベッセル２００のリム２２５の近位の何らかの構造体に除去可能に係合することができるかを示すものであり得、詳細４Ｅは、少なくとも１つのホース４２０又は少なくとも１つのチュービング４２０の第１の末端部４２１が、どのように、マウスピース４０１に係合することができるかを示すものであり得る。
【０２１７】
図４Ｄは、詳細４Ｄのクローズアップを示すものであり得、詳細４Ｄは、少なくとも１つのホース４２０又は少なくとも１つのチュービング４２０の第２の末端部４２２が、どのように、ベッセル２００のリム２２５の近位の何らかの構造体に除去可能に係合することができるかを示すものであり得る。図４Ｅは、詳細４Ｅのクローズアップを示すものであり得、詳細４Ｅは、少なくとも１つのホース４２０又は少なくとも１つのチュービング４２１の第１の末端部４２１が、どのように、マウスピース４０１に係合することができるかを示すものであり得る。図４Ｆは、呼吸装置４００を通る断面線４Ｆ−４Ｆに沿った部分的な長手方向断面図であり得る。
【０２１８】
図４Ｇは、少なくとも１つのホース４２０又は少なくとも１つのチュービング４２０の第２の末端部４２２のうちの１つが、どのように、ベッセル２００のリム２２５の近位の何らかの構造体に除去可能に係合することができるかということについて、ベッセル２００のいくらかの内側を示しながら、部分的な上面斜視図であり得る。図４Ｈは、少なくとも１つのホース４２０又は少なくとも１つのチュービング４２０の第２の末端部４２２のうちの１つが、どのように、ベッセル２００のリム２２５の近位の何らかの構造体に除去可能に係合することができるかということについて、ベッセル２００のいくらかの内側を示しながら、部分的な上部斜視分解図であり得る。図４Ｉは、少なくとも１つのホース４２０又は少なくとも１つのチュービング４２０の第２の末端部４２２のうちの１つが、どのように、ベッセル２００のリム２２５の近位の何らかの構造体に除去可能に係合することができるかということについて、ベッセル２００のいくらかの外側を示しながら、部分的な上面斜視図であり得る。図４Ｊは、少なくとも１つのホース４２０又は少なくとも１つのチュービング４２０の第２の末端部４２２のうちの１つが、どのように、ベッセル２００のリム２２５の近位の何らかの構造体に除去可能に係合することができるかということについて、ベッセル２００のいくらかの内側を示しながら、部分的な上部斜視断面図であり得る。
【０２１９】
図４Ｋから図４Ｑは、ベッセル−チューブ−ホース−コネクタ４３０の様々な図である可能性がある。上述のベッセル２００のリム２２５の近位の何らかの構造体は、ある実施形態では、ベッセル−チューブ−ホース−コネクタ４３０とすることができる。図４Ｋは、ベッセル−チューブ−ホース−コネクタ４３０の上面斜視図であり得る。図４Ｌは、ベッセル−チューブ−ホース−コネクタ４３０を示すものであり得、上面図により示されている。図４Ｍは、ベッセル−チューブ−ホース−コネクタ４３０を示すものであり得、内側側面図により示されている。図４Ｎは、ベッセル−チューブ−ホース−コネクタ４３０を示すものであり得、外側側面図により示されている。図４Ｏは、ベッセル−チューブ−ホース−コネクタ４３０を示すものであり得、正面図により示されている。図４Ｐは、ベッセル−チューブ−ホース−コネクタ４３０を示すものであり得、背面図により示されている。図４Ｑは、ベッセル−チューブ−ホース−コネクタ４３０を示すものであり得、底面図により示されている。
【０２２０】
ある実施形態では、呼吸装置４００は、ベッセル２００の物理的に除去可能に接触する部分とすることができる。図４シリーズの図では、ある実施形態では、呼吸装置４００は、マウスピース４０１、少なくとも１つのベッセル−チューブ−ホース−コネクタ４３０、及び、少なくとも１つのホース４２０又は少なくとも１つのチュービング４２０を含むことが可能である。少なくとも１つのホース４２０又は少なくとも１つのチュービング４２０は、マウスピース４０１を少なくとも１つのベッセル−チューブ−ホース−コネクタ４３０に接続することが可能である。マウスピース４０１は、ユーザ９０００の口によって保持されるように構成され得る。ある実施形態では、少なくとも１つのベッセル−チューブ−ホース−コネクタ４３０は、呼吸装置４００とベッセル２００及び／又はヘッドレストサブアセンブリとの間の物理的リンクを提供することが可能である。すなわち、ある実施形態では、少なくとも１つのベッセル−チューブ−ホース−コネクタ４３０は、所与のベッセル（例えば、ベッセル２００）の構造体に、及び／又は、所与のヘッドレストサブアセンブリの何らかの構造体に除去可能に連結することができるコンポーネントとすることができる。少なくとも１つのベッセル−チューブ−ホース−コネクタ４３０は、空気とガス連通していることが可能であり、また、呼吸ガス移動のために構成され得る。ある実施形態では、少なくとも１つのベッセル−チューブ−ホース−コネクタ４３０は、ガスベントとして機能することが可能である。図４Ａに示されているように、少なくとも１つのホース４２０又は少なくとも１つのチュービング４２０は、２つのホース４２０又は２つのチューブ４２０とすることができる。図４Ａに示されているように、少なくとも１つのベッセル−チューブ−ホース−コネクタ４３０は、２つのベッセル−チューブ−ホース−コネクタ４３０、すなわち、それぞれのホース４２０又はチューブ４２０に関連付けられているものとすることができる。例えば、図４Ａを参照されたい。
【０２２１】
ある実施形態では、マウスピース４０１は、マウシング部分４０３を含むことが可能である。例えば、図４Ａを参照されたい。マウシング部分４０３は、ユーザ９０００の口によって保持されるように構成され得、ユーザ９０００が口の中にマウシング部分４０３を保持し得るときに、ユーザ９０００の唇とマウシング部分４０３との間の水密シールが形成され得るようになっている。ある実施形態では、マウシング部分４０３は、少なくとも１つの突出部を含むことが可能である。少なくとも１つの突出部は、ユーザ９０００の歯によって保持されるように構成され得る。ある実施形態では、マウシング部分４０３は、軟質のエラストマーから構築され得る。ある実施形態では、マウスピース４０１のマウシング部分４０３は、シリコーン及び／又はゴム（天然又は合成のいずれか）などから構築され得る。
【０２２２】
ある実施形態では、マウスピース４０１は、パージバルブを含むことが可能である。パージバルブは、一方向逆止バルブとして動作するように構成され得る。パージバルブは、液体１０１（及び／又は唾液）がマウスピース４０１を離れることを可能にし得るが、液体１０１がパージバルブを経由してマウスピース４０１に進入することを許容しないことが可能である。
【０２２３】
ある実施形態では、パージバルブは、フラッパーバルブ又はばね荷重式の逆止バルブなどのような、様々な人間の呼吸デバイスの中で使用される典型的な一方向逆止バルブのものとすることができる。パージバルブの自然状態又は静止状態は、閉じられている可能性がある。パージバルブは、バルブを閉じた状態に維持するために使用される手段に打ち勝つのに十分に強い、ユーザ９０００からの息の吐き出しがあるときだけ、液体１０１（及び／又は唾液）を放出するために開くことが可能である。ある実施形態では、パージバルブは、マウスピース４０１の腹側（底部）部分に位置付けされ得、すなわち、ベッセル２００のベース２１５の方を向いていることが可能である。ある実施形態では、パージバルブは、マウスピース４０１の上の他の場所に位置付けされ得る。
【０２２４】
本明細書で使用されているように、ホース４２０及び／又はチュービング４２０は、ホース４２０又はチュービング４２０がホース４２０又はチュービング４２０の外径に液体１０１の圧力を受け得る状態で、ホース４２０又はチュービング４２０がその圧力下でもつれること又はつぶれることなく、ユーザ９０００が呼吸することを可能にすることができるホース４２０又はチュービング４２０を表すことが可能である。そのようなホース４２０及び／又はチュービング４２０は、呼吸ホース及び／又は呼吸チュービングなどとして、当技術分野で知られている可能性がある。
【０２２５】
ある実施形態では、マウスピース４０１は、少なくとも１つの接続端部４０５を含むことが可能である。少なくとも１つのホース４２０又は少なくとも１つのチュービング４２０は、第１の末端部４２１と、第１の末端部４２１の反対側に配設されている第２の末端部４２２とを含むことが可能である。少なくとも１つの接続端部４０５は、第１の末端部４２１に接続し、カップリングを形成するように構成され得る。このカップリングは、少なくとも１つの接続端部４０５と少なくとも１つの接続端部４０５に接続され得る第１の末端部４２１との間の旋回回転移動を可能にするように構成され得る。そのような旋回回転移動は、増加した快適性をユーザ９０００に提供することが可能である。このカップリングは、水密とすることができる。例えば、図４Ａ、図４Ｃ、及び図４Ｅを参照されたい。
【０２２６】
ある実施形態では、詳細４Ｅ及び図４Ｅに示されている可能性のあるこの旋回能力、及び、このカップリングのこの水密能力は、スナップフィット、摩擦嵌め、タング（すなわち、フランジ）及び溝部継ぎによって、並びに、Ｏリング、ワッシャ、及び／又はガスケットを使用することによって、容易にされ得る。そのようなＯリング、ワッシャ、及び／又はガスケットは、少なくとも１つのホース４２０又は少なくとも１つのチュービング４２０と別々になっているか、又は一体的になっていることが可能である。そのようなＯリング、ワッシャ、及び／又はガスケットは、第１の末端部４２１の近位にあることが可能である。例えば、及び、本発明の範囲を限定することなく、ある実施形態では、これは、３インチ以下、又は、３インチ以下〜１／３２インチとすることができる。
【０２２７】
ある実施形態では、第１の末端部４２１への少なくとも１つの接続端部４０５の接続は、除去可能な接続とすることができる。ある実施形態では、第１の末端部４２１への少なくとも１つの接続端部４０５の接続は、除去不可能な接続とすることができる。
【０２２８】
ある実施形態では、第２の末端部４２２は、少なくとも１つのベッセル−チューブ−ホース−コネクタ４３０に接続することが可能である。例えば、図４Ｃの詳細４Ｄ、及び、図４Ｄを参照されたい。少なくとも１つのベッセル−チューブ−ホース−コネクタ４３０は、それに限定されないが、様々なゴム及び／又はシリコーンなどのような、１つ又は複数のエラストマー材料から実質的に構築され得る。ある実施形態では、少なくとも１つのベッセル−チューブ−ホース−コネクタ４３０は、熱成形プラスチックから実質的に構築され得る。少なくとも１つのベッセル−チューブ−ホース−コネクタ４３０は、ベッセル２００の少なくとも１つのグロメット−アコモデーティング−コンタ４７０に接続することが可能である。例えば、図４Ｇ、図４Ｈ、図４Ｉ、及び図４Ｊを参照されたい。ある実施形態では、少なくとも１つのベッセル−チューブ−ホース−コネクタ４３０の一部分は、少なくとも１つのグロメット−アコモデーティング−コンタ４７０によって、適切な場所に捕えられて保持されように構成され得る。ある実施形態では、少なくとも１つのベッセル−チューブ−ホース−コネクタ４３０は、第２の末端部４２２と少なくとも１つのベッセル−チューブ−ホース−コネクタ４３０との間の旋回回転移動を可能にするように構成され得る。ある実施形態では、そのような回転移動を収容することができる少なくとも１つのベッセル−チューブ−ホース−コネクタ４３０のこの部分は、開口４３１とすることができる。例示的な実施形態では、少なくとも１つのベッセル−チューブ−ホース−コネクタ４３０の少なくとも１つの端部に対する開口４３１は、空気とガス状連通していることが可能である。少なくとも１つのベッセル−チューブ−ホース−コネクタ４３０が少なくとも１つのグロメット−アコモデーティング−コンタ４７０によって捕えられる場所では、水密シールが形成され得る。例えば、図４Ｈを参照されたい。
【０２２９】
ある実施形態では、第２の末端部４２２が少なくとも１つのベッセル−チューブ−ホース−コネクタ４３０の中に捕えられ得る場所のこの旋回能力及び／又は水密能力は、スナップフィット、摩擦嵌め、タング及び溝部継ぎによって、並びに、グロメット、Ｏリング、ワッシャ、及び／又はガスケットを使用することによって、容易にされ得る。
【０２３０】
ある実施形態では、第２の末端部４２２への少なくとも１つのベッセル−チューブ−ホース−コネクタ４３０の接続は、除去可能な接続とすることができる。ある実施形態では、第２の末端部４２２への少なくとも１つのベッセル−チューブ−ホース−コネクタ４３０の接続は、除去不可能な接続とすることができる。
【０２３１】
ある実施形態では、少なくとも１つのホース４２０又は少なくとも１つのチュービング４２０の第２の末端部４２２は、少なくとも１つのベッセル−チューブ−ホース−コネクタ４３０の開口４３１の中へ挿入され得る（又は、少なくとも部分的に挿入され得る）。そのような挿入は、第２の末端部４２２にテーパを付けることによって容易にされ得る。そのような挿入は、第２の末端部４２２と、少なくとも１つのベッセル−チューブ−ホース−コネクタ４３０、とりわけ、開口４３１の少なくとも一部分との間の摩擦嵌めを形成することが可能である。そのような挿入は、様々な実施形態において、除去可能であってもよく、又は恒久的であってもよい。
【０２３２】
ある実施形態では、開口４３１は、少なくとも１つのベッセル−チューブ−ホース−コネクタ４３０の内側部４３３（例えば、図４Ｍを参照）から、少なくとも１つのベッセル−チューブ−ホース−コネクタ４３０の外側部４３５（例えば、図４Ｎを参照）へ延びていることが可能である。例えば、図４Ｌを参照されたい。
【０２３３】
ある実施形態では、開口４３１は、キャビティとすることができる。例えば、図４Ｍ及び図４Ｎを参照されたい。ある実施形態では、このキャビティは、第２の末端部４２２の少なくともいくつかの表面エリアに相補的であり得る少なくともいくつかの表面エリアを含むことが可能である。そのような相補的な表面エリア（又は、その一部分）は、第２の末端部４２２の少なくともいくつかの表面エリアと開口４３１のキャビティの少なくともいくつかの表面エリアとの間の摩擦嵌めを可能にすることができる。そのような相補的な表面エリア（又は、その一部分）は、第２の末端部４２２の少なくともいくつかの表面エリアと開口４３１のキャビティの少なくともいくつかの表面エリアとの間の回転移動を可能にすることができる。開口４３１の表面エリアは、第２の末端部４２２の表面エリアの形状に実質的にマッチし得る形状を形成することが可能であり、第２の末端部４２２の少なくともいくつかの表面エリアと開口４３１のキャビティの少なくともいくつかの表面エリアとの間の摩擦嵌めが形成され得るようになっている。例えば、図４Ｊを参照されたい。
【０２３４】
ある実施形態では、開口４３１は、円筒形状のキャビティとすることができる。例えば、図４Ｍ及び図４Ｎを参照されたい。そのような実施形態では、この円筒形状のキャビティは、第２の末端部４２２の少なくともいくつかの表面エリアに相補的であり得る少なくともいくつかの表面エリアを含むことが可能であり、第２の末端部４２２の少なくともいくつかの表面エリアと開口４３１の円筒形状のキャビティの少なくともいくつかの表面エリアとの間の摩擦嵌めを可能にする。例えば、図４Ｊを参照されたい。
【０２３５】
ある実施形態では、開口４３１のこのキャビティは、第２の末端部４２２の少なくともいくつかの表面エリアと開口４３１の円筒形状のキャビティの少なくともいくつかの表面エリアとの間の摩擦嵌めを容易にするために、テーパを付けられ得る。
【０２３６】
ある実施形態では、第２の末端部４２２は、開口４３１を通して挿入され得、第２の末端部４２２が外側部４３５を越えて突出することができるようになっている。この実施形態は、図４の図に示されていない。
【０２３７】
ある実施形態では、開口４３１のこのキャビティの底部は傾斜が付けられ得、少なくとも１つのベッセル−チューブ−ホース−コネクタ４３０が少なくとも１つのグロメット−アコモデーティング−コンタ４７０に取り付けられ得るときに、このキャビティの中の液体１０１が内部容積２２０の中へ重力排水することができるようになっている。ある実施形態では、開口４３１のこのキャビティの底部は傾斜が付けられ得、少なくとも１つのベッセル−チューブ−ホース−コネクタ４３０が少なくとも１つのグロメット−アコモデーティング−コンタ４７０に取り付けられ得るときに、このキャビティの中の液体１０１がキャッチベースン２３０の中へ重力排水することができるようになっている。
【０２３８】
ある実施形態では、少なくとも１つのベッセル−チューブ−ホース−コネクタ４３０は、ベッセル２００の少なくとも１つのグロメット−アコモデーティング−コンタ４７０に接続することが可能である。そのような接続は、いかにして呼吸装置４００がベッセル２００に（除去可能に）接続され得るかというようになっている可能性がある。例えば、図４Ｂ、図４Ｃ、図４Ｄ、図４Ｇ、図４Ｉ、及び図４Ｊを参照されたい。ある実施形態では、少なくとも１つのベッセル−チューブ−ホース−コネクタ４３０は、少なくとも１つのグロメット−アコモデーティング−コンタ４７０の中への摩擦嵌めのために相補的であり得る形状を備えたエラストマーのグロメットとすることができる。ある実施形態では、少なくとも１つのベッセル−チューブ−ホース−コネクタ４３０は、少なくとも１つのグロメット−アコモデーティング−コンタ４７０の中への摩擦嵌めのために相補的であり得る形状を備えた熱成形プラスチックグロメットとすることができる。例えば、少なくとも１つのベッセル−チューブ−ホース−コネクタ４３０の例示的な形状に関して、図４Ｋから図４Ｑを参照されたい。
【０２３９】
ある実施形態では、少なくとも１つのグロメット−アコモデーティング−コンタ４７０は、少なくとも１つのベッセル−チューブ−ホース−コネクタ４３０の少なくとも一部分を摩擦的に把持するようにサイズ決めされている相補的な表面エリアのコンタとすることができる。少なくとも１つのグロメット−アコモデーティング−コンタ４７０の例示的なコンタに関して、例えば、図４Ａ及び図４Ｈを参照されたい。ある実施形態では、少なくとも１つのグロメット−アコモデーティング−コンタ４７０は、少なくとも１つのベッセル−チューブ−ホース−コネクタ４３０の少なくとも底部部分を摩擦的に把持するようにサイズ決めされている相補的な表面エリアのコンタとすることができる。例えば、少なくとも１つのグロメット−アコモデーティング−コンタ４７０のコンタに関して、図４Ａ及び図４Ｈを参照されたい。
【０２４０】
ある実施形態では、少なくとも１つのグロメット−アコモデーティング−コンタ４７０は、ベッセル２００のリム２２５の中の、又は、ベッセル２００の上部開口２２６の中の、カットアウトとすることができる。又は、ある実施形態では、コンタは、ベッセル２００のリム２２５の中の、又は、ベッセル２００の上部開口２２６の中の、カットアウトから形成され得る。例えば、少なくとも１つのグロメット−アコモデーティング−コンタ４７０のコンタに関して図４Ａ及び図４Ｈを参照されたい。
【０２４１】
すなわち、ある実施形態では、少なくとも１つのグロメット−アコモデーティング−コンタ４７０は、ベッセル２００のリム２２５から、又は、ベッセル２００の上部開口２２６から、少なくとも１つの壁部２０１の中へ、いくらかの近接距離にわたって、下向きに延在し、このコンタの形状を形成することが可能である。例えば、及び、本発明の範囲を限定することなく、この近接距離は、ある実施形態では、３インチ以下とすることができる。図４Ａ及び図４Ｈに示されているように、少なくとも１つのグロメット−アコモデーティング−コンタ４７０のこのコンタのこの形状は、円筒形状又は円錐形状を曲線近似している可能性があるが、この形状は、少なくとも１つのベッセル−チューブ−ホース−コネクタ４３０（又は、その少なくとも一部分）の相補的な形状から実際に決定され得、少なくとも１つのベッセル−チューブ−ホース−コネクタ４３０の少なくともいくらかの部分が、少なくとも１つのグロメット−アコモデーティング−コンタ４７０の中へ挿入され、摩擦嵌めを形成することができるようになっている。
【０２４２】
ある実施形態では、少なくとも１つのグロメット−アコモデーティング−コンタ４７０のこのカットアウト又はこのコンタは傾斜が付けられ得、液体１０１が内部容積２２０に向けて排水しやすくなることができるようになっている。ある実施形態では、少なくとも１つのグロメット−アコモデーティング−コンタ４７０のこのカットアウト又はこのコンタに傾斜が付けられ得、液体１０１がキャッチベースン２３０に向けて排水しやすくなることができるようになっている。
【０２４３】
ある実施形態では、少なくとも１つのグロメット−アコモデーティング−コンタ４７０は、リム２２５に近接する領域の中の少なくとも１つの壁部２０１から形成され得、内側ベッセル壁（例えば、内壁面２０３）が外側ベッセル壁（例えば外壁面２０２）と連続的になっていることが可能であるようになっており、又は、内側ベッセル壁が外側ベッセル壁を越えて延在し、そのようなベッセル壁間に進入する液体を最小化することができるようになっている。例えば、図４Ｄを参照されたい。
【０２４４】
この文脈において「カットアウト」という用語を使用することは、図４Ａ及び図４Ｈに示されている少なくとも１つのグロメット−アコモデーティング−コンタ４７０の表面幾何学形状への参照とすることができ、必ずしも、少なくとも１つの壁部２０１から実際に切り取る材料への参照であるわけではないことが留意されるべきである。むしろ、ある実施形態では、少なくとも１つのグロメット−アコモデーティング−コンタ４７０のこのカットアウト又はこのコンタは成形され得る。
【０２４５】
ある実施形態では、少なくとも１つのグロメット−アコモデーティング−コンタ４７０のこのカットアウト又はこのコンタは、外側封じ込めリップ部４７１によって外側に境界を決められ得、外側封じ込めリップ部４７１は、このカットアウト又はこのコンタの表面エリアから実質的に垂直に延在することが可能である。例えば、図４Ｊを参照されたい。すなわち、この外側封じ込めリップ部４７１は、内壁面２０３よりも外壁面２０２の近くに位置付けされ得る。
【０２４６】
ある実施形態では、少なくとも１つのベッセル−チューブ−ホース−コネクタ４３０は、外側封じ込めリップ部４７１に相補的であり得るバッティング−リング（butting-ring）４３７を含むことが可能である。例えば、図４Ｋを参照されたい。ある実施形態では、バッティング−リング４３７は、材料の部分的なリッジ部又は部分的なリングとすることができ、少なくとも１つのベッセル−チューブ−ホース−コネクタ４３０の底部の境界を定めている。例えば、図４Ｑを参照されたい。ある実施形態では、バッティング−リング４３７は、内側部４３３よりも外側部４３５の近くにあることが可能である。例えば、図４Ｑを参照されたい。ある実施形態では、少なくとも１つのベッセル−チューブ−ホース−コネクタ４３０が少なくとも１つのグロメット−アコモデーティング−コンタ４７０の中へ挿入され得るときに、バッティング−リング４３７は、外側封じ込めリップ部４７１の内側部分に接触することが可能である。例えば、図４Ｊを参照されたい。すなわち、ある実施形態では、少なくとも１つのベッセル−チューブ−ホース−コネクタ４３０が少なくとも１つのグロメット−アコモデーティング−コンタ４７０の中へ挿入され得るときに、外側封じ込めリップ部４７１がバッティング−リング４３７と除去可能に嵌合し、及び／又は、バッティング−リング４３７を捕えることによって、外側封じ込めリップ部４７１は、少なくとも１つのベッセル−チューブ−ホース−コネクタ４３０を摩擦的に保持する助けとなり得る。
【０２４７】
ある実施形態では、少なくとも１つのグロメット−アコモデーティング−コンタ４７０のこのカットアウト又はこのコンタは、内側封じ込めリップ部４７３によって内側に境界を決められ得、内側封じ込めリップ部４７３は、このカットアウト又はこのコンタの表面エリアから実質的に垂直に延在することが可能である。例えば、図４Ａ及び図４Ｈを参照されたい。すなわち、この内側封じ込めリップ部４７３は、外壁面２０２よりも内壁面２０３の近くに位置付けされ得る。
【０２４８】
ある実施形態では、少なくとも１つのベッセル−チューブ−ホース−コネクタ４３０は、内側封じ込めリップ部４７３に相補的であり得る内側バッティング−リング４３９を含むことが可能である。例えば、図４Ｋを参照されたい。ある実施形態では、内側バッティング−リング４３９は、材料の部分的なリッジ部又は部分的なリングとすることができ、少なくとも１つのベッセル−チューブ−ホース−コネクタ４３０の底部の境界を定めている。例えば、図４Ｑを参照されたい。ある実施形態では、内側バッティング−リング４３９は、外側部４３５よりも内側部４３３の近くにあることが可能である。例えば、図４Ｑを参照されたい。ある実施形態では、少なくとも１つのベッセル−チューブ−ホース−コネクタ４３０が少なくとも１つのグロメット−アコモデーティング−コンタ４７０の中へ挿入され得るときに、内側バッティング−リング４３９は、内側封じ込めリップ部４７３の内側部分に接触することが可能である。すなわち、ある実施形態では、少なくとも１つのベッセル−チューブ−ホース−コネクタ４３０が少なくとも１つのグロメット−アコモデーティング−コンタ４７０の中へ挿入され得るときに、内側封じ込めリップ部４７３が内側バッティング−リング４３９と除去可能に嵌合し、及び／又は、内側バッティング−リング４３９を捕えることによって、内側封じ込めリップ部４７３は、少なくとも１つのベッセル−チューブ−ホース−コネクタ４３０を摩擦的に保持する助けとなり得る。
【０２４９】
ある実施形態では、少なくとも１つのグロメット−アコモデーティング−コンタ４７０のこのカットアウトは、表面エリアを含むことが可能である。ある実施形態では、この表面エリアは、底部を含むことが可能である。ある実施形態では、この底部に位置付けされているものには、少なくとも１つの水抜き穴４７５を含むことが可能である。ある実施形態では、少なくとも１つの水抜き穴４７５は、少なくとも１つのグロメット−アコモデーティング−コンタ４７０がそれから形成され得る少なくとも１つの壁部２０１を完全に貫通することが可能である。ある実施形態では、この少なくとも１つの水抜き穴４７５は、（少なくとも１つのグロメット−アコモデーティング−コンタ４７０の）表面エリアの上の液体１０１が少なくとも１つの水抜き穴４７５を通って重力排水することを可能にすることができる。ある実施形態では、そのような液体１０１は、キャッチベースン２３０の中へ排水することが可能である。例えば、図４Ｄ及び図４Ｊを参照されたい。
【０２５０】
ある実施形態では、少なくとも１つのグロメット−アコモデーティング−コンタ４７０のカットアウトの表面エリアのこの底部は、少なくとも１つのドレン−チャネル４７７を含むことが可能である。ある実施形態では、少なくとも１つのドレン−チャネル４７７は、表面エリアの上の液体１０１が少なくとも１つのドレン−チャネル４７７から（内部容積２２０の中へ）重力排水することを可能にすることができる。ある実施形態では、少なくとも１つのドレン−チャネル４７７は、外壁面２０２よりも内壁面２０３に近くなっていることが可能である。ある実施形態では、そのような液体１０１は、内部容積２２０の中へ排水することが可能である。例えば、図４Ｈ及び図４Ａを参照されたい。ある実施形態では、少なくとも１つのドレン−チャネル４７７は、少なくとも１つのグロメット−アコモデーティング−コンタ４７０のこのカットアウトの内側封じ込めリップ部４７３を突っ切ることが可能である。例えば、図４Ｈ及び図４Ａを参照されたい。
【０２５１】
ある実施形態では、少なくとも１つのベッセル−チューブ−ホース−コネクタ４３０は、コネクタ−リム４４１を含むことが可能である。ある実施形態では、コネクタ−リム４４１は、少なくとも１つのベッセル−チューブ−ホース−コネクタ４３０の上部に沿って延びることが可能である。例えば、図４Ｋ及び図４Ｌを参照されたい。ある実施形態では、少なくとも１つのベッセル−チューブ−ホース−コネクタ４３０が少なくとも１つのグロメット−アコモデーティング−コンタ４７０の中へ（除去可能に）挿入され得るときに、コネクタ−リム４４１は、ベッセル２００のリム２２５と実質的に同一面になっていることが可能である。例えば、図４Ｇ、図４Ｉ、及び図４Ｊを参照されたい。ある実施形態では、少なくとも１つのベッセル−チューブ−ホース−コネクタ４３０が少なくとも１つのグロメット−アコモデーティング−コンタ４７０の中へ（除去可能に）挿入され得るときに、コネクタ−リム４４１は、ベッセル２００のリム２２５の下方にあることが可能である（図示せず）。ある実施形態では、少なくとも１つのベッセル−チューブ−ホース−コネクタ４３０が少なくとも１つのグロメット−アコモデーティング−コンタ４７０の中への中へ（除去可能に）挿入され得るときに、コネクタ−リム４４１は、ベッセル２００のリム２２５の上方にあることが可能である（図示せず）。
【０２５２】
ある実施形態では、ユーザ９０００は、少なくとも１本の指の一部分を開口４３１の中へ挿入し、（例えば、少なくとも１つのベース２１５から離れるように上向きに引っ張ることによって）少なくとも１つのベッセル−チューブ−ホース−コネクタ４３０を少なくとも１つのグロメット−アコモデーティング−コンタ４７０から引っ張ることが可能である。少なくとも１つのベッセル−チューブ−ホース−コネクタ４３０が少なくとも１つのチュービング４２０又は少なくとも１つのホース４２０に接続され得るときには、少なくとも１つのベッセル−チューブ−ホース−コネクタ４３０を除去することは、少なくとも１つのチュービング４２０又は少なくとも１つのホース４２０も、少なくとも１つのグロメット−アコモデーティング−コンタ４７０から除去することが可能である。
【０２５３】
図２２Ｆでは、少なくとも１つのベッセル−チューブ−ホース−コネクタ４３０の代替的な実施形態が示されている可能性があり、ここでは、図２２Ｆにおいて、少なくとも１つのベッセル−チューブ−ホース−コネクタが、参照番号２２３１によって表されている可能性がある。ある実施形態では、少なくとも１つのベッセル−チューブ−ホース−コネクタ２２３１は、少なくとも１つのベッセル−チューブ−ホース−コネクタ２２３１を少なくとも１つのグロメット−アコモデーティング−コンタ２２３４から持ち上げるための独立した（別々の）フィンガープルリング２２３２を含むことが可能である。図２２Ｆの少なくとも１つのグロメット−アコモデーティング−コンタ２２３４は、図４シリーズの少なくとも１つのグロメット−アコモデーティング−コンタ４７０と同等とすることができる。すなわち、開口４３１をフィンガープルとして使用するというよりもむしろ、少なくとも１つのベッセル−チューブ−ホース−コネクタ２２３１によって、独立した（別々の）フィンガープルリング２２３２が使用され得る。
【０２５４】
図４シリーズの図に戻って見ると、ある実施形態では、少なくとも１つのベッセル−チューブ−ホース−コネクタ４３０の装着場所は、ベッセル２００の少なくとも１つのグロメット−アコモデーティング−コンタ４７０とすることができる。ある実施形態では、装着場所は、ベッセル２００の最大液体レベルの上方とすることができる。ある実施形態では、少なくとも１つのベッセル−チューブ−ホース−コネクタ４３０のための装着場所は、ベッセル２００の最大液体レベルの下方とすることができる。両方の実施形態において、少なくとも１つのベッセル−チューブ−ホース−コネクタ４３０は、依然として空気にガス連通していることが可能であり、また、少なくとも１つのベッセル−チューブ−ホース−コネクタ４３０が少なくとも１つのグロメット−アコモデーティング−コンタ４７０によって捕えられる方法は、水密とすることができる。
【０２５５】
ある実施形態では、呼吸装置４００は、単一のマウスピース４０１に加えて、２つのベッセル−チューブ−ホース−コネクタ４３０、及び、２つのホース４２０又は２つのチューブ４２０を含むことが可能である。例えば、図４Ａ及び図４Ｂを参照されたい。それぞれのそのようなホース４２０又はそれぞれのそのようなチューブ４２０は、２つの末端部、すなわち、第１の末端部４２１と、第１の末端部４２１の反対側に配設されている第２の末端部４２２とを含むことが可能である。マウスピース４０１は、２つの接続端部４０５を含むことが可能である。それぞれのホース４２０又はそれぞれのチューブ４２０の第１の末端部４２１は、１つのそれぞれの接続端部４０５に接続することが可能である。それぞれのホース４２０又はそれぞれのチューブ４２０の第２の末端部４２２は、それぞれのベッセル−チューブ−ホース−コネクタ４３０に接続することが可能である。それぞれのベッセル−チューブ−ホース−コネクタ４３０は、ベッセル２００の上の適切な場所に装着することが可能である。ある実施形態では、この装着場所は、少なくとも１つのグロメット−アコモデーティング−コンタ４７０とすることができ、ある実施形態では、２つのグロメット−アコモデーティング−コンタ４７０が存在することが可能である。ある実施形態では、これらの２つの少なくとも１つのグロメット−アコモデーティング−コンタ４７０は、対向する側壁２０５（例えば、第１の側壁２０６及び第３の側壁２０８）の上に位置付けされ得る。例えば、図４Ａを参照されたい。２つのホース４２０又はチューブ４２０、２つのベッセル−チューブ−ホース−コネクタ４３０、及び２つのグロメット−アコモデーティング−コンタ４７０を有することは、安全冗長性を提供することが可能である。
【０２５６】
ある実施形態では、マウスピース４０１のそれぞれの接続端部４０５は、マウスピース４０５の上で、互いに反対側に配設され得る。例えば、図４Ａを参照されたい。ある実施形態では、それぞれの接続部４０５及びマウシング部分４０３は、互いから約１２０度離れていることが可能であり、すなわち、互いからほぼ同等に配向されている（この実施形態は示されていない可能性がある）。
【０２５７】
ある実施形態では、それぞれのホース４２０又はそれぞれのチューブ４２０の第２の末端部４２２を、それぞれのベッセル−チューブ−ホース−コネクタ４３０に、ベッセル２００の何らかの構造体に、及び／又は、所与のヘッドレストサブアセンブリに装着することは、スナップフィット、摩擦嵌め、タング（フランジ）及び溝部継ぎによって、グロメット、Ｏリング、ワッシャ、及び／又はガスケットの使用によって、溶剤結合、熱溶着、超音波溶着、及び化学接着剤／シーラントなどによって、達成され得る。ある実施形態では、それぞれのホース４２０又はそれぞれのチューブ４２０の第２の末端部４２２は、所与のベッセルの実施形態（例えば、ベッセル２００）の中の所与のポートに装着され得る。
【０２５８】
ある実施形態では、少なくとも１つのホース４２０又は少なくとも１つのチュービング４２０は、可撓性であり、耐キンク性であり、かつ、内部容積２２０の中の液体１０１からの圧力下でつぶれないほど十分に強くなっていることが可能である。ある実施形態では、そのようなホース４２０及び／又はチュービング４２０の可撓性は、ユーザ９０００が、口が空気の中にあり得る状態で、マウスピース４０１（例えば、マウシング部分４０３）をユーザ９０００の口の中へ置くことを可能にすることができ、次いで、ユーザ９０００は、保持されたマウスピース４０１を液体１０１の中へ挿入し、次いで、呼吸装置４００を通して呼吸することが可能である。
【０２５９】
ある実施形態では、少なくとも１つのホース４２０又は少なくとも１つのチュービング４２０は、波形を付けられていてもよく、又は、他の実施形態では、波形を付けられていなくてもよい。波形を付けられたホース４２０、又は、波形を付けられたチュービング４２０は、可撓性及び耐キンク性の両方とすることができる。また、耐キンク性は、織物編み組又はポリマー編み組などのような、ホース４２０又はチュービング４２０に対する向上によって実現され得る。また、耐キンク性は、ホース４２０材料調合物もしくはチュービング４２０材料調合物のデュロメーター硬さを増加させることによって；ホース４２０もしくはチュービング４２０の星形形状の内径断面を有することによって；及び／又は、ホース４２０材料もしくはチュービング４２０材料の厚さ（すなわち、ホース４２０又はチュービング４２０の外径と内径との間の距離）を増加させることによって、実現され得る。
【０２６０】
ある実施形態では、液体１０１によってホース４２０又はチュービング４２０の上に及ぼされる圧力は、内部容積２２０の中の液体１０１の高さ（すなわち、ヘッド）、及び、内部容積２２０の中の液体１０１を押すことができる局所的な大気圧によって支配され得る。例えば、及び、本発明の範囲を限定することなく、ある実施形態では、ヘッドは、２４インチ以下の液体とすることができる。ある実施形態では、液体１０１は、水、油、それらの組み合わせとすることができ、また、様々な程度の塩分濃度を備え、すなわち生理食塩水溶液とすることができる。他の実施形態では、液体１０１圧力は、より大きくなっていてもよく、又は、より小さくなっていてもよい。
【０２６１】
ある実施形態では、少なくとも１つのホース４２０又は少なくとも１つのチュービング４２０は、実質的に押し出し加工及び／又は成形され得る。ある実施形態では、少なくとも１つのホース４２０又は少なくとも１つのチュービング４２０は、ＰＶＣ、ゴム、フルオロポリマー、ネオプレン、ポリプロピレン、ポリエチレン、及び／又は、材料が沈められ得る状態で、及び、液体１０１圧力下で、ユーザが呼吸することを可能にする際に使用するのに適切な任意の他の材料から選択される群の１つ又は複数から構築され得る。ある実施形態では、少なくとも１つのホース４２０又は少なくとも１つのチュービング４２０に関して使用されるポリマー材料及び／又はエラストマー材料は、食品用グレード又は医療用グレードのものとすることができる。そのようなホース４２０又はチュービング４２０は、ユーザ９０００による使用の前に、不快で嫌なにおいのする潜在的に有害なガス放出が最小化され得るポイントまで硬化され得る。
【０２６２】
ある実施形態では、呼吸装置４００は、隆起した構成となるように回転され及び／又は関節式にされ得、マウスピース４０１は、任意の第２の末端部４２２よりも高くなることが可能であることに留意されたい。呼吸装置４００が回転され、そのような隆起した構成になり得るときには、呼吸装置４００の中の液体１０１（及び／又は唾液）は、少なくとも１つのベッセル−チューブ−ホース−コネクタ４３０から、キャッチベースン２３０の中へ、重力によって自然に排水することが可能である。そのような回転は、所与の少なくとも１つのグロメット−アコモデーティング−コンタ４７０に除去可能に連結され得るそれぞれの少なくとも１つのベッセル−チューブ−ホース−コネクタ４３０を中心としたものとすることができる。
【０２６３】
ある実施形態では、呼吸装置は、第１の端部及び第２の端部を有する中空の導管を含むことが可能である。第１及び第２の端部のうちの少なくとも１つは、開放していることが可能である（例えば、第２の端部）。導管の中への第３の開口は、導管の第１の開口端部と第２の端部との間に配設され得る。マウスピースは、第３の開口に接続され得、ユーザ９０００が、その人の口をマウスピースの上に置き、導管を通して呼吸することができ、空気がマウスピースと導管の第１及び第２の開口端部のうちの少なくとも１つとの間を通るようになっている。導管は、そうでなければ、耐密にシールされ得、液体１０１が、マウスピース及び導管の第１及び第２の端部のうちの少なくとも１つを通る以外の導管に進入しないようになっている。装置の導管は、第１及び第２の端部が概して同軸であるような様式で形状決めされ得るが、第１の端部と第２の端部との間の導管の少なくともいくつかは、第１及び第２の端部と同軸でなくてもよい。例示的な実施形態では、導管は、図４Ａ及び図４Ｃに示されているように形状決めされることになる。しかし、図４Ａ及び図４Ｃに示されている形状の目的を達成する異なる形状が、本発明のある実施形態の範囲の中にある。例えば、導管の湾曲の代わりに、導管は、鋭角で曲げられ得る。導管の第１及び第２の端部は、ベッセル（例えば、ベッセル２００）に取り付けられ得、導管が、全体として、第１及び第２の端部の軸線の周りに旋回することができるようになっており、また、少なくとも１つの開口端部が、ベッセルの中に含まれている任意の液体の完全に上方にあることができるようになっている。マウスピース、及び、マウスピースが接続され得る導管の一部が導管の第１及び第２の端部と同軸でなく、その軸線から所定の距離だけオフセットされ得るように、マウスピースは配置され得る。従って、導管が導管の第１及び第２の端部を通る軸線を中心として回転され得るときに生じるマウスピースの回転は、導管の第１及び第２の端部の軸線を中心とした円形を描くことが可能である。第１及び第２の端部の軸線からのマウスピースのオフセットは、ベッセルの中の液体１０１からマウスピースが出ている状態で、ユーザ９０００がユーザ９０００の口をマウスピースの上に置き、次いで、ユーザ９０００がマウスピース及び導管を通して呼吸することができる状態で、ユーザ９０００の顔９０１０及び／又は頭部がベッセルの中の液体１０１の中へ少なくとも部分的に沈められ得るように、ユーザ９０００の頭部を移動させることを可能にすることができる。本明細書に記載されている他の要素及び特徴が、必要に応じて、呼吸装置に追加され得る。
【０２６４】
代替的に、呼吸装置は、マウスピースと第１の開口端部との間に中空の導管を含むことが可能であり、マウスピースと第１の開口端部との間に連続的な開口導管が存在することが可能であるようになっており、また、呼吸装置は、マウスピースと呼吸デバイスの第２の端部との間に、必ずしも中空でなくもよいガイドを含むことが可能である。呼吸は、一方の側だけを通して達成され得るので、他方の側が中空であることは必要とされない。その代わりに、一方の側は、単に、呼吸のために開口している必要のない形状のガイドとすることができる。呼吸装置の第１の端部（それは、開口している）及び呼吸装置の第２の端部（それは、単なるガイドとすることができる）は、同軸とすることができる。この単なるガイドは、リジッドからセミリジッドの細長い部材とすることができ、また、この単なるガイドが金属であり得るときには絶縁され得る。
【０２６５】
図２０Ａ及び図２０Ｂは、独立した呼吸装置（それぞれ、２０００及び２０５０）を示すものであり得、それは、所与のベッセル（例えば、ベッセル２００）にも、任意の他の所与のフェイスソーキングデバイスコンポーネントにも連結されていない（すなわち、取り付けられていない、又は接続されていない）可能性がある。そのような実施形態では、システムは、独立した呼吸装置（例えば、２０００及び２０５０）とともに所与のフェイスソーキングデバイスを含むことが可能であることに留意されたい。図２０Ａは、ユーザ９０００によって使用中のフェイスソーキングデバイスの断面図であり得、独立した呼吸装置２０００を示している。図２０Ｂは、ユーザ９０００による使用中のフェイスソーキングデバイスの断面図であり得、独立した呼吸装置２０５０を示している。独立した呼吸装置２０００が２つのホース４２０又はチューブ４２０を含むことが可能であるが、一方、独立した呼吸装置２０５０は、１つのホース４２０又はチューブ４２０を含むことが可能であるという点において、独立した呼吸装置２０００は、独立した呼吸装置２０５０とは異なっていることが可能である。
【０２６６】
図２０Ａ及び図２０Ｂでは、ある実施形態では、独立した呼吸装置２０００及び２０５０は、マウスピース４０１、少なくとも１つの出口ポート２００１、及び、少なくとも１つのホース４２０又は少なくとも１つのチュービング４２０を含むことが可能である。少なくとも１つのホース４２０又は少なくとも１つのチュービング４２０は、マウスピース４０１に接続することが可能である。マウスピース４０１は、ユーザ９０００の口によって保持されるように構成され得る。少なくとも１つの出口ポート２００１は、空気とガス連通していることが可能であり、呼吸ガス移動のために構成され得る。ある実施形態では、少なくとも１つの出口ポート２００１は、ガスベントとして機能することが可能である。図２０Ａに示されているように、少なくとも１つのホース４２０又は少なくとも１つのチュービング４２０は、２つの出口ポート２００１を備える、２つのホース４２０又は２つのチューブ４２０とすることができる。図２０Ｂに示されているように、少なくとも１つのホース４２０又は少なくとも１つのチュービング４２０は、１つのホース４２０又は１つのチューブ４２０とすることができ、１つの出口ポート２００１を備えている。
【０２６７】
ある実施形態では、マウスピース４０１は、少なくとも１つの接続端部４０５を含むことが可能である。少なくとも１つのホース４２０又は少なくとも１つのチュービング４２０は、第１の末端部４２１と、第１の末端部４２１の反対側に配設されている第２の末端部４２２とを含むことが可能である。少なくとも１つの接続端部４０５は、第１の末端部４２１に接続するように構成され、カップリングを形成することが可能である。このカップリングは、少なくとも１つの接続端部４０５と少なくとも１つの接続端部４０５に接続され得る第１の末端部４２１との間の旋回回転移動を許容するように構成され得る。そのような旋回回転移動は、増加した快適性をユーザ９０００に提供することが可能である。このカップリングは、水密とすることができる。
【０２６８】
ある実施形態では、少なくとも１つの出口ポート２００１は、第２の末端部４２２に、又は、第２の末端部４２２の近位に位置付けされ得る。例えば、及び、本発明の範囲を限定することなく、そのような近接距離は、第２の末端部４２２の３インチ以内にあることが可能である。他の実施形態では、この近接距離は、３インチよりも大きくなっていることが可能である。ある実施形態では、第２の末端部４２２は、少なくとも１つの出口ポート２００１において終端することが可能である。
【０２６９】
ある実施形態では、少なくとも１つのホース４２０又は少なくとも１つのチュービング４２０の長さは、図２０Ａ及び図２０Ｂに示されているように、独立した呼吸装置２０００又は２０５０がユーザ９０００によって使用中であり得るときに、少なくとも出口ポート２００１が、リム２２５の上方に、及び／又は、最大液体レベルの上方に位置付けされ得るようになっていることが可能であり、少なくとも出口ポート２００１が、大気環境空気の中に位置付けされ得るようになっている。
【０２７０】
ある実施形態では、少なくとも１つのホース４２０又は少なくとも１つのチュービング４２０は、セミリジッドからリジッドとすることができ、少なくとも１つのホース４２０又は少なくとも１つのチュービング４２０の重量の下で、第２の末端部４２２が第１の末端部４２１に向けて曲がって戻ることができないようになっている。
【０２７１】
ある実施形態では、独立した呼吸装置２０００及び／又は２０５０は、ベッセル２００に（又は、他のベッセルの実施形態に）取り付けられていなくてもよく、ヘッドレストサブアセンブリ５００に（又は、他のヘッドレストサブアセンブリの実施形態に）取り付けられていなくてもよい。ある実施形態では、ユーザ９０００の口によってマウスピース４０１を除去可能に保持することは別として、独立した呼吸装置２０００及び／又は２０５０は、ユーザ９０００に取り付けられていなくてもよい。ある実施形態では、独立した呼吸装置２０００及び／又は２０５０は、ユーザ９０００に、及び／又は、ベッセル２００に（もしくは、他のベッセルの実施形態に）除去可能に取り付けられ得る。例えば、及び、本発明の範囲を限定することなく、そのような除去可能な取り付けは、ストラップ及び／又はクリップによって達成され得る。
【０２７２】
上述の相違は別として、ある実施形態では、独立した呼吸装置２０００及び独立した呼吸装置２０５０は、機能性（例えば、ユーザ９０００の呼吸ガス移動を容易にする）の観点から、及び／又は、構造（例えば、中空のチューブもしくは中空のホース、マウスピース４０１、及び／又は、ある実施形態では、パージバルブなどを含む）の観点から、実質的に同様の呼吸装置４００の実施形態とすることができる。
【０２７３】
図２１シリーズの図は、図２１Ａから図２１Ｅを含むことが可能である。この図２１シリーズの図は、ヘッドレストサブアセンブリと組み合わせられ得る呼吸装置の実施形態を示すものであり得る。図２１Ａは、フェイスソーキングデバイスの実施形態を示すものであり得、呼吸装置は、ヘッドレストサブアセンブリの中へ組み込まれ得（組み合わされており）、ベッセルの部分的なカットアウト図とともに、斜視図により示されている。これは、組み合わせ呼吸装置及びヘッドレストサブアセンブリ２１００とすることができる。
【０２７４】
図２１Ｂは、組み合わせ呼吸装置及びヘッドレストサブアセンブリ２１００を示すものであり得るが、それは、上面図によるものである。図２１Ｃは、組み合わせ呼吸装置及びヘッドレストサブアセンブリ２１００の組み合わせを示すものであり得るが、それは、正面図によるものである。そして、断面線２１Ｅ−２１Ｅが、組み合わせ呼吸装置及びヘッドレストサブアセンブリ２１００を通って、図２１Ｃに示されている可能性がある。図２１Ｄは、組み合わせ呼吸装置及びヘッドレストサブアセンブリ２１００を示すものであり得るが、それは、分解斜視図によるものである。
【０２７５】
図２１Ｅは、組み合わせ呼吸装置及びヘッドレストサブアセンブリ２１００を示すものであり得、断面線２１Ｅ−２１Ｅに沿った図を示しており、それは、組み合わせ呼吸装置及びヘッドレストサブアセンブリ２１００の長手方向の側断面図であり得る。
【０２７６】
ある実施形態では、組み合わせ呼吸装置及びヘッドレストサブアセンブリ２１００は、呼吸装置及びヘッドレストサブアセンブリを単一のサブアセンブリの中に含むことが可能である。呼吸装置は、マウスピース４０１及び少なくとも１つのホース４２０又は少なくとも１つのチュービング４２０を含むことが可能である。ある実施形態では、マウスピース４０１及び少なくとも１つのホース４２０又は少なくとも１つのチュービング４２０は、図４シリーズの図の議論において、上記に議論されているようなものとすることができる。ヘッドレストサブアセンブリは、サポート部材５０１、快適な外側表面５０２、高さ調節手段、及び、前後調節手段を含むことが可能である。ある実施形態では、サポート部材５０１、快適な外側表面５０２、高さ調節手段、及び前後調節手段は、図５シリーズの図の議論（下記に議論されている）において、及び、図２３シリーズの図の議論（下記の図６シリーズの図の議論の後に議論されている）において、下記に説明及び議論されているようなものとすることができる。
【０２７７】
組み合わせ呼吸装置及びヘッドレストサブアセンブリ２１００の実施形態では、サポート部材５０１は、中空の細長い部材とすることができる。例えば、図２１Ｄを参照されたい。少なくとも１つのホース４２０又は少なくとも１つのチュービング４２０の長さのかなりの部分は、サポート部材５０１の中空の細長い部材の中に収納され得る。ある実施形態では、マウスピース４０１は、サポート部材５０１の中空の細長い部材の第６の末端部２３０２から突出することが可能である。ある実施形態では、少なくとも１つのホース４２０又は少なくとも１つのチュービング４２０の外径は、サポート部材５０１の中空の細長い部材の内径と比較して十分に小さくなっていることが可能であり、少なくとも１つのホース４２０又は少なくとも１つのチュービング４２０が、サポート部材５０１の中空の細長い部材の中に収納され及び／又はスライドすることができるようになっている。そのようなスライドすることは、少なくとも１つのベース２１５（又は、底部内側表面２１７）に対して、マウスピース４０１の高さの垂直方向の調節を可能にすることができる。
【０２７８】
ある実施形態では、少なくとも１つのホース４２０又は少なくとも１つのチュービング４２０の長さは、サポート部材５０１の中空の細長い部材の長さよりも小さくなっていることが可能である。そのような実施形態では、少なくとも１つのホース４２０又は少なくとも１つのチュービング４２０の第２の末端部４２２は、サポート部材５０１の中空の細長い部材の第５の末端部２３０１を越えて突出しない可能性がある。いくつかのそのような実施形態では、少なくとも１つのホース４２０又は少なくとも１つのチュービング４２０は、共通のスロット２１０１を含まなくてもよい。例えば、図２１Ｄを参照されたい。
【０２７９】
ある実施形態では、少なくとも１つのホース４２０又は少なくとも１つのチュービング４２０の長さは、サポート部材５０１の中空の細長い部材の長さよりも長くなっていることが可能である。そのような実施形態では、少なくとも１つのホース４２０又は少なくとも１つのチュービング４２０の第２の末端部４２２は、サポート部材５０１の中空の細長い部材の第５の末端部２３０１を越えて突出することが可能である。いくつかのそのような実施形態では、少なくとも１つのホース４２０又は少なくとも１つのチュービング４２０は、共通のスロット２１０１を含むことが可能である。
【０２８０】
ある実施形態では、サポート部材５０１の中空の細長い部材は、（２つの角度を有する）２つのベンド、すなわち、下側ベンド（及び、下側角度）とともに上側ベンド（及び、上側角度）を含むことが可能である。ある実施形態では、少なくとも１つのホース４２０又は少なくとも１つのチュービング４２０は、少なくとも１つのベンド、すなわち、相補的な下側ベンド（下側角度）を含むことが可能である。ある実施形態では、少なくとも１つのホース４２０又は少なくとも１つのチュービング４２０は、少なくとも１つのベンド、すなわち、相補的な上側ベンド（上側角度）を含むことが可能である。ある実施形態では、上側ベンドは、ベンド２３１５とすることができる。ある実施形態では、上側角度は、角度２３８０とすることができる（例えば、図２３Ｄを参照）。
【０２８１】
サポート部材５０１の中空の細長い部材の第５の末端部２３０１により近い領域、及び、少なくとも１つのホース４２０又は少なくとも１つのチュービング４２０の第２の末端部４２２により近い領域が、所与のベッセル（例えば、ベッセル２００）に固定され及び／又は取り付けられ得る。そのような取り付けは、ヘッドレストサブアセンブリ２３００に関連する下記の図２３シリーズの図の議論において説明されているようなものとすることができる。そのような取り付けは、ある実施形態では、摩擦クランプ２３２２、カバー２３７０、共通のスロット２１０１、及び凹んだチャネル２３５０を含むことが可能である。組み合わせ呼吸装置及びヘッドレストサブアセンブリ２１００において、共通のスロット２１０１は、サポート部材５０１の中のヘッドレストサブアセンブリ２３００からのスロット２３２０を交換することが可能であるが、スロット２３２０と同じ機能を果たすことが可能であり、また、同じ全体構造を有することが可能である。しかし、共通のスロット２１０１は、少なくとも１つのホース４２０又は少なくとも１つのチュービング４２０の上の２つの対向する場所、及び、サポート部材５０１の中空の細長い部材の上の２つの対向する場所に存在することが可能である。少なくとも１つのホース４２０又は少なくとも１つのチュービング４２０の中の共通のスロット２１０１は、第１の末端部４２１よりも第２の末端部４２２の近くに位置付けされ得る。サポート部材５０１の中空の細長い部材の中の共通のスロット２１０１は、第６の末端部２３０２よりも第５の末端部２３０１の近くに位置付けされ得る。共通のスロット２１０１は、少なくとも１つのホース４２０又は少なくとも１つのチュービング４２０の経線（longitude）、及び、サポート部材５０１の中空の細長い部材の経線に実質的に平行に延びることが可能である。すべての共通のスロット２１０１（例えば、４つの共通のスロット２１０１）は、摩擦クランプ２３２２のネジ山付きのボルト／ネジ山付きのスクリュー２３２１の部分の通過を受け入れるようにサイズ決めされ得る。ネジ山付きのボルト／ネジ山付きのスクリュー２３２１の部分は、カバー２３７０のセンター孔２３７５を通過し、次いで、４つの共通のスロット２１０１を通過し、最後に、凹んだチャネル２３５０のネジ山付きの孔部２３３０（図２１Ｄには示されていないが、図２３Ｅに示されている）の中へ通過することが可能である。例えば、図２１Ｄを参照されたい。
【０２８２】
組み合わせ呼吸装置及びヘッドレストサブアセンブリ２１００では、共通のスロット２１０１、高さ調節手段、及び前後調節手段は、ヘッドレストサブアセンブリ２３００に関連する下記の図２３シリーズの図の議論に説明されているようなものとすることができる。そのような高さ調節手段及び前後調節手段は、ある実施形態では、摩擦クランプ２３２２、カバー２３７０、共通のスロット２１０１、上側ベンド及び／又は上側角度、凹んだチャネル２３５０、並びにチャネル２１０２を含むことが可能である。チャネル２１０２は、ベッセルの底部内側表面２１７の中の溝部とすることができる。例えば、図２１Ａを参照されたい。チャネル２１０２の経線は、前後方向に対して、すなわち、ネック−ガスケット−アコモデータ３３５の中心から後面壁の中心へ（又は、凹んだチャネル２３５０の中心へ）延びる線に対して、実質的に平行になっていることが可能である。チャネル２１０２の横断方向の幅は、サポート部材５０１の中空の細長い部材の外径を収容するようにサイズ決めされ得る。チャネル２１０２は、サポート部材５０１の中空の細長い部材が並進可能に（例えば、スライド可能に）前後方向に追跡するための手段を提供することが可能である。
【０２８３】
カバー２３７０のセンター孔２３７５を通過し、次いで、共通のスロット２１０１を通過し、次いで、最後に、凹んだチャネル２３５０の底部におけるネジ山付きの孔部２３３０（図２１Ｄには示されていないが、図２３Ｅに示されている）の中へねじ込まれている、ネジ山付きのボルト２３２１によって、サポート部材５０１の中空の細長い部材が凹んだチャネル２３５０に取り付けられ得るときには、サポート部材５０１の中空の細長い部材が、前方又は後方のいずれかにユーザ９０００の所望の位置へスライドされ得、底部ベンドがチャネル２１０２の中でスライドする。摩擦クランプ２３２２が緩くなり得るときには、サポート部材５０１の中空の細長い部材が、前後方向に調節可能とすることができる。サポート部材５０１の中空の細長い部材の中の上側ベンド（例えば、ベンド２３１５）及び／又は上側角度（例えば、角度２３８０）に起因して、前後方向への調節は、また、ユーザ９０００の頭高さの好みに関して調節するように機能することが可能である。ユーザ９０００は、（例えば、摩擦クランプ２３２２及びスライディングによって）単一の調節を行うことが可能であり、それは、前後調節及び高さ調節の両方をもたらすことが可能であり、それは、様々なユーザ９０００の異なるサイズの頭部が支持されること、及び／又は、快適な外側表面５０２の様々な場所の上に彼らのそれぞれの異なるサイズの頭部を置くこと、並びに、マウスピース４０１の場所を変化させることを可能にすることができる。摩擦クランプ２３２２が締められ得るとき、サポート部材５０１の中空の細長い部材が、所望の位置において、適切な場所に固定され得る。ある実施形態では、摩擦クランプ２３２２を締めること又は緩めることは、ユーザ９０００が摩擦クランプ２３２２のユーザ係合フランジ２３２３を回す（回転させる）ことによって達成され得る。ある実施形態では、ユーザ係合フランジ２３２３を一方向に回すことは、摩擦クランプ２３２２を締めることが可能であり、一方、ユーザ係合フランジ２３２３を反対側方向に回すことは、摩擦クランプ２３２２を緩めることが可能である。
【０２８４】
ある実施形態では、共通のスロット２１０１が存在しなくてもよく；凹んだチャネル２３５０の底部においてネジ山付きの孔部２３３０が存在していなくてもよく（例えば、凹んだチャネル２３５０及びネジ山付きの孔部２３３０に関して、図２３Ｅを参照）；センター孔２３７５が、相補的な内側のネジ山を付けられ得、カバー２３７０が、ルーフ２３４０及び／又は凹んだチャネル２３５０に対して固定され得；並びに、ネジ山付きのボルト／ネジ山付きのスクリュー２３２１が、第５の末端部２３０１のより近くに、サポート部材５０１の中空の細長い部材の上部外側に押し付けるために使用され得る。
【０２８５】
図２２Ａは、調節可能な呼吸装置の実施形態を示すものであり得、斜視図により示されている。ある実施形態では、少なくとも１つのベッセル−チューブ−ホース−コネクタは、少なくとも１つのカラー２２０１を含むことが可能である。図２２Ａでは、少なくとも１つのカラー２２０１は、少なくとも１つのベッセル−チューブ−ホース−コネクタ４３０に交換することが可能であり、そうでなければ、この呼吸装置は、マウスピース４０１、少なくとも１つのホース４２０又は少なくとも１つのチュービング４２０、及び少なくとも１つのカラー２２０１を含むことが可能である。カラー２２０１は、少なくとも１つのホース４２０又は少なくとも１つのチューブ４２０の一部分の外径を受け入れるようにサイズ決めされた内径を有する中央孔部を含むことが可能である。そのような外径に対する内径のサイズ決めは、カラー２２０１と中央孔部の中へ挿入されている少なくとも１つのホース４２０又は少なくとも１つのチューブ４２０の部分との間で、直線的な及び／又は回転的な並進移動を可能にすることができる。
【０２８６】
ある実施形態では、少なくとも１つのホース４２０又は少なくとも１つのチューブ４２０の部分が、カラー２２０１の中央孔部の中へ挿入され得るときには、呼吸装置は、並進移動の方向に調節可能であり得る。例えば、及び、本発明の範囲を限定することなく、並進移動のこの方向は、垂直方向（すなわち、上下方向）になっていることが可能である。
【０２８７】
ある実施形態では、カラー２２０１は、ベッセル（例えば、２００）又は所与のヘッドレストサブアセンブリに取り付けるための手段を含むことが可能である。ある実施形態では、カラー２２０１の取り付けるための手段は、カラー−タブ２２０２を含むことが可能である。カラー−タブ２２０２は、カラー２２０１の外側から突出することが可能である。例えば、図２２Ａを参照されたい。例えば、及び、本発明の範囲を限定することなく、ある実施形態では、カラー−タブ２２０２は、カラー２２０１の外側から、ゼロインチよりも大きくかつ２インチよりも小さく突出することが可能である。ある実施形態では、カラー−タブ２２０２は、末端フランジを含むことが可能である。カラー−タブ２２０２は、側壁タブレシーバ２２０３によって受け入れられ得、側壁タブレシーバ２２０３は、少なくとも１つの側壁２０５、例えば、内壁面２０３の内側に位置付けされている。例えば、図２２Ａを参照されたい。側壁タブレシーバ２２０３は、側壁２０５の中の窪み、キャビティ、又は孔部（例えば、内壁面２０３から外壁面２０２へ通る孔部）とすることができる。そのような孔部は、ベッセルの中のポートとすることができる。ある実施形態では、側壁タブレシーバ２２０３は、液体（流体）充填レベル（例えば、最大液体レベル）に、又は、その上方に、位置付けされ得る。側壁タブレシーバ２２０３は、ベッセル（例えば２００）とカラー２２０１との間の回転移動を可能にするように（例えば、内径を介して）サイズ決めされ得る。カラー−タブ２２０２が側壁タブレシーバ２２０３の中へ挿入され得るとき、呼吸装置は、側壁タブレシーバ２２０３を備える少なくとも１つの側壁２０５に対して回転方向に調節可能であり得、また、（少なくとも１つのホース４２０又は少なくとも１つのチューブ４２０の部分がカラー２２０１の中央孔部の中へ挿入され得る場合には）並進移動の方向に調節可能であり得る。呼吸装置のそのような調節は、異なるサイズ（及び／又は、年齢）のユーザ９０００が、ユーザ９０００のサイズの相違に対応するように調節可能であり得る１つの呼吸装置を利用することを可能にすることができる。
【０２８８】
ある実施形態では、少なくとも１つのホース４２０又は少なくとも１つのチューブ４２０は、キャップを含むことが可能である（図２２Ａには示されていない）。キャップは、カラー２２０１から突出する末端部（例えば、４２２）に位置付けされ得る。少なくとも１つのホース４２０又は少なくとも１つのチューブ４２０の部分が中央孔部を通して挿入され得ると、キャップは、末端部（例えば、４２２）がカラー２２０１の中央孔部を通り抜けることを防止することが可能である。ある実施形態では、キャップは、少なくとも１つのホース４２０又は少なくとも１つのチューブ４２０の部分の外径を増加させるのに十分なテープの巻き付けを含むことが可能であり、外径が中央孔部の内径よりも大きくなるようになっている。ある実施形態では、キャップは、（ホース４２０又はチューブ４２０の外側からの）少なくとも１つの突出部を含むことが可能であり、それは、カラー２２０１の中央孔部を通過することを防止するのに十分に大きくなっていることが可能である。
【０２８９】
ある実施形態では、キャップは、呼吸ガス移動を妨げないように構築され得る。いくつかの調節可能な呼吸装置の実施形態では、キャップが存在しなくてもよい。その理由は、ある実施形態では、チューブ４２０又はホース４２０が十分に長くなっており、カラー２２０１からの抜け出しを最小化することができるからである。
【０２９０】
図２２Ｂは、調節可能な呼吸装置の実施形態を示すものであり得、クローズアップ斜視図により示されている。ある実施形態では、少なくとも１つのベッセル−チューブ−ホース−コネクタは、スリーブ２２０５を含むことが可能である。図２２Ｂでは、スリーブ２２０５は、少なくとも１つのベッセル−チューブ−ホース−コネクタ４３０に交換することが可能であり、そうでなければ、この呼吸装置は、マウスピース４０１、少なくとも１つのホース４２０又は少なくとも１つのチュービング４２０、及びスリーブ２２０５を含むことが可能である。スリーブ２２０５は、少なくとも１つのホース４２０又は少なくとも１つのチューブ４２０の一部分の外径を受け入れるようにサイズ決めされた内径を有する中央孔部を含むことが可能である。そのような外径に対する内径のサイズ決めは、スリーブ２２０５と中央孔部の中へ挿入されている少なくとも１つのホース４２０又は少なくとも１つのチューブ４２０の部分との間で、直線的な及び／又は回転的な並進移動を可能にすることができる。ある実施形態では、スリーブ２２０５は、スリーブ２２０５がより長い長さを含み得ることを除いて、カラー２２０１と構造的に同様とすることができる。
【０２９１】
ある実施形態では、少なくとも１つのホース４２０又は少なくとも１つのチューブ４２０の部分が、スリーブ２２０５の中央孔部の中へ挿入され得るときには、呼吸装置は、並進移動の方向に調節可能であり得る。例えば、及び、本発明の範囲を限定することなく、並進移動のこの方向は、垂直方向（すなわち、上下方向）になっていることが可能である。例えば、図２２Ｂを参照されたい。
【０２９２】
ある実施形態では、スリーブ２２０５は、ベッセル（例えば、２００）に又は所与のヘッドレストサブアセンブリに取り付けるための手段を含むことが可能である。ある実施形態では、スリーブ２２０５の取り付けるための手段は、スリーブ−タブ２２０６を含むことが可能である。スリーブ−タブ２２０６は、スリーブ２２０５の外側から突出することが可能である。例えば、及び、本発明の範囲を限定することなく、ある実施形態では、スリーブ−タブ２２０６は、スリーブ２２０５の外側から、ゼロインチよりも大きくかつ２インチよりも小さく突出することが可能である。ある実施形態では、スリーブ−タブ２２０６は、末端フランジを含むことが可能である。例えば、図２２Ｂを参照されたい。スリーブ−タブ２２０６は、側壁タブレシーバ２２０３（図２２Ｂには明確に示されていない。その代わりに、側壁タブレシーバ２２０３に関して、図２２Ａを参照）によって受け入れられ得、側壁タブレシーバ２２０３は、少なくとも１つの側壁２０５、例えば、内壁面２０３の内側に位置付けされている。ある実施形態では、側壁タブレシーバ２２０３は、液体（流体）充填レベル（例えば、最大液体レベル）に、又は、その上方に、位置付けされ得る。側壁タブレシーバ２２０３は、側壁２０５の中の窪み、キャビティ、又は孔部（例えば、内壁面２０３から外壁面２０２へ通る孔部）とすることができる。そのような孔部は、ベッセルの中のポートとすることができる。側壁タブレシーバ２２０３は、ベッセル（例えば２００）とカラースリーブ２２０５との間の回転移動を可能にするように（例えば、内径を介して）サイズ決めされ得る。スリーブ−タブ２２０６が側壁タブレシーバ２２０３の中へ挿入され得るとき、呼吸装置は、側壁タブレシーバ２２０３を備える少なくとも１つの側壁２０５に対して回転方向に調節可能であり得、また、（少なくとも１つのホース４２０又は少なくとも１つのチューブ４２０の部分がスリーブ２２０５の中央孔部の中へ挿入され得る場合には）並進移動の方向に調節可能であり得る。呼吸装置のそのような調節は、異なるサイズ（及び／又は、年齢）のユーザ９０００が、ユーザ９０００のサイズの相違に対応するように調節可能であり得る１つの呼吸装置を利用することを可能にすることができる。
【０２９３】
ある実施形態では、少なくとも１つのホース４２０又は少なくとも１つのチューブ４２０は、キャップを含むことが可能である（図２２Ｂには示されていない）。キャップは、スリーブ２２０５から突出する末端部（例えば、４２２）に位置付けされ得る。少なくとも１つのホース４２０又は少なくとも１つのチューブ４２０の部分が中央孔部を通して挿入され得ると、キャップは、末端部（例えば、４２２）がスリーブ２２０５の中央孔部を通り抜けることを防止することが可能である。ある実施形態では、キャップは、少なくとも１つのホース４２０又は少なくとも１つのチューブ４２０の部分の外径を増加させるのに十分なテープの巻き付けを含むことが可能であり、外径が中央孔部の内径よりも大きくなり得るようになっている。ある実施形態では、キャップは、（ホース４２０又はチューブ４２０の外側からの）少なくとも１つの突出部を含むことが可能であり、それは、スリーブ２２０５の中央孔部を通過することを防止するのに十分に大きくなっていることが可能である。
【０２９４】
ある実施形態では、キャップは、呼吸ガス移動を妨げないように構築され得る。いくつかの調節可能な呼吸装置の実施形態では、キャップが存在しなくてもよい。その理由は、ある実施形態では、チューブ４２０又はホース４２０が十分に長くなっており、スリーブ２２０５からの抜け出しを最小化することができるからである。
【０２９５】
図２２Ｃは、調節可能な呼吸装置の実施形態を示すものであり得、クローズアップ斜視部分図により示されており、チャネルスリーブ２２１１の内側の透視図、及び、チャネルスリーブ２２１１のない比較図において、側壁タブ２２１２を示すものであり得る。ある実施形態では、少なくとも１つのベッセル−チューブ−ホース−コネクタは、チャネルスリーブ２２１１を含むことが可能である。図２２Ｃでは、チャネルスリーブ２２１１は、少なくとも１つのベッセル−チューブ−ホース−コネクタ４３０に交換することが可能であり、そうでなければ、この呼吸装置は、マウスピース４０１、少なくとも１つのホース４２０又は少なくとも１つのチュービング４２０、及びチャネルスリーブ２２１１を含むことが可能である。チャネルスリーブ２２１１は、少なくとも１つのホース４２０又は少なくとも１つのチューブ４２０の末端部（例えば、４２２）に接続され得る。ある実施形態では、そのような接続は、除去可能とすることができ、他の実施形態では、そのような接続は、恒久的とすることができる。ある実施形態では、そのような接続は、チャネルスリーブ２２１１と少なくとも１つのホース４２０又は少なくとも１つのチューブ４２０の末端部（例えば、４２２）との間の摩擦嵌めとすることができる。
【０２９６】
ある実施形態では、チャネルスリーブ２２１１は、チャネルスリーブ２２１１に接続されている少なくとも１つのホース４２０又は少なくとも１つのチューブ４２０の内側にガス連通している中央孔部を含むことが可能である。チャネルスリーブ２２１１と少なくとも１つのホース４２０又は少なくとも１つのチューブ４２０の末端部（例えば、４２２）との間のこの接続は、チャネルスリーブ２２１１と少なくとも１つのホース４２０又は少なくとも１つのチューブ４２０の末端部（例えば４２２）との間の呼吸ガス移動を容易にすることが可能である。
【０２９７】
ある実施形態では、チャネルスリーブ２２１１は、内壁面２０３に面し得るチャネルスリーブ２２１１の外側表面の上にチャネル２２１３を含むことが可能である。チャネル２２１３は、チャネルスリーブ２２１１の外側に沿って長手方向に延びていることが可能である。チャネル２２１３は、側壁タブ２２１２を受け入れいるようにサイズ決めされ得る。ある実施形態では、側壁タブ２２１２は、少なくとも１つの側壁２０５、例えば、内壁面２０３の上の固定位置から近接距離だけ、ベッセル（例えば、２００）の内部容積２２０の中へ突出する突起部とすることができる。例えば、図２２Ｃを参照されたい。例えば、及び、本発明の範囲を限定することなく、ある実施形態では、側壁タブ２２１２は、内壁面２０３から、ゼロインチよりも大きくかつ２インチよりも小さく突出することが可能である。ある実施形態では、側壁タブ２２１２は、液体（流体）充填レベル（例えば、最大液体レベル）に、又は、その上方に、位置付けされ得る。ある実施形態では、側壁タブ２２１２は、末端フランジ２２１４を含むことが可能である。
【０２９８】
ある実施形態では、側壁タブ２２１２がチャネル２２１３によって保持され得るときには、チャネルスリーブ２２１１と側壁タブ２２１２がそこから突出し得る少なくとも１つの側壁２０５との間の直線的な並進移動、及び、チャネルスリーブ２２１１と同じ少なくとも１つの側壁２０５との間の回転移動の両方が許容され得る。そのような直線的な並進移動及び回転移動は、側壁タブ２１０２がそこから突出し得る少なくとも１つの側壁２０５に対して、呼吸装置の直線的な並進調節及び回転調節を可能にすることができる。呼吸装置のそのような調節は、異なるサイズ（及び／又は、年齢）のユーザ９０００が、ユーザ９０００のサイズの相違に対応するように調節可能であり得る１つの呼吸装置を利用することを可能にすることができる。
【０２９９】
図２２Ｄは、調節可能な呼吸装置の実施形態を示すものであり得、斜視図により示されており、呼吸装置が静止構成になっている状態である可能性がある。図２２Ｅは、図２２Ｄの実施形態を示すものであり得、斜視図により示されているが、呼吸装置が調節可能な負荷を受けた構成（すなわち、動作構成）になっている状態である可能性がある。
【０３００】
ある実施形態では、少なくとも１つのベッセル−チューブ−ホース−コネクタは、２つのカラーヒンジ２２２１を含むことが可能である。図２２Ｄ及び図２２Ｅでは、２つのカラーヒンジ２２２１は、少なくとも１つのベッセル−チューブ−ホース−コネクタ４３０に交換することが可能であり、そうでなければ、この呼吸装置は、マウスピース４０１、少なくとも１つのホース４２０又は少なくとも１つのチュービング４２０、及び２つのカラーヒンジ２２２１を含むことが可能である。それぞれのカラーヒンジ２２２１は、少なくとも１つのホース４２０又は少なくとも１つのチューブ４２０の一部分の外径を受け入れるようにサイズ決めされた内径を有する中央孔部を含むことが可能である。少なくとも１つのホース４２０又は少なくとも１つのチューブ４２０の部分がカラーヒンジ２２２１の中央孔部の中へ挿入され得るときには、直線的な及び／又は回転的な並進移動が、カラーヒンジ２２２１と少なくとも１つのホース４２０又は少なくとも１つのチューブ４２０の挿入されている部分との間で許容され得る。それぞれのカラーヒンジ２２２１は、ベッセル（例えば２００）の対向する側壁２０５又は対向するリム（例えば、２２５）に取り付けられ得る。それぞれのそのような取り付けのポイントは、ヒンジ接続になっていることが可能であり、カラーヒンジ２２０１とそれぞれの側壁２０５との間の旋回移動を可能にする。例えば、図２２Ｄ及び図２２Ｅを参照されたい。そのようなヒンジは、一体成形されたヒンジとすることができる。
【０３０１】
ある実施形態では、呼吸装置は、２つのチューブ４２０又は２つのホース４２０を含むことが可能である。マウスピース４０１は、２つのチューブ４２０又は２つのホース４２０を含む、これらの間に配設され得、また、これらに接続され得る。ある実施形態では、呼吸装置は、２つの構成、すなわち、図２２Ｄの静止構成、及び、図２２Ｅの調節可能な負荷を受けた構成のうちの少なくとも１つで存在することが可能である。ある実施形態では、静止構成では、呼吸装置に対してユーザ９０００が加えた負荷は存在していない可能性がある。そのような構成では、２つのチューブ４２０又は２つのホース４２０は、実質的に直線状になっているままとすることができ、それぞれのチューブ４２０又はホース４２０の１つの部分が、それぞれのカラーヒンジ２２０１の中央孔部のうちの１つを通過している。例えば、図２２Ｄを参照されたい。先行する文章において使用されているような「実質的に」は、２つのチューブ４２０又は２つのホース４２０が、幾何学的に完璧に直線状になっていなくてもよく、むしろ、いくらかのベンドを有していてもよいことを意味している。
【０３０２】
ある実施形態では、調節可能な負荷を受けた構成では、ユーザ９０００は、ユーザ９０００の口の中のマウスピース４０１を除去可能に保持（係合）しており、ベッセル（例えば、２００）の内部容積２００の中へ呼吸装置を押し込んでいる可能性がある。そのように押し込むことは、呼吸装置の上に負荷をかける可能性がある。そのような負荷は、静止構成に打ち勝ち、調節可能な負荷を受けた構成へシフトさせる可能性があり、調節可能な負荷を受けた構成は、意図されるようにフェイスソーキングデバイスを使用するためにユーザ９０００によって使用可能な構成とすることができる。ある実施形態では、２つのチューブ４２０又は２つのホース４２０の固有の可撓性、カラーヒンジ２２２１の中央孔部を通る直線的な並進移動、及び、カラーヒンジ２２２１の旋回移動に起因して、呼吸装置は、ユーザ９０００によって調節可能であり得る。ユーザ９０００が呼吸装置に負荷を加えることを終了した可能性があるときには、呼吸装置は、次いで、２つのチューブ４２０又は２つのホース４２０の固有の弾性に起因して、図２２Ｄに示されている静止構成に戻ることが可能である。
【０３０３】
ある実施形態では、２つのホース４２０又は２つのチューブ４２０のうちの少なくとも１つは、キャップを含むことが可能である（図２２Ｄにも図２２Ｅにも示されていない）。キャップは、末端部４２２の少なくとも１つに位置付けされ得る。ホース４２０又はチューブ４２０の部分が中央孔部を通して挿入され得ると、キャップは、末端部４２２がカラーヒンジ２２２１の中央孔部を通り抜けることを防止することが可能である。ある実施形態では、キャップは、少なくとも１つのホース４２０又は少なくとも１つのチューブ４２０の部分の外径を増加させるのに十分なテープの巻き付けを含むことが可能であり、外径が中央孔部の内径よりも大きくなり得るようになっている。ある実施形態では、キャップは、（ホース４２０又はチューブ４２０の外側からの）少なくとも１つの突出部を含むことが可能であり、それは、カラーヒンジ２２２１の中央孔部を通過することを防止するのに十分に大きくなっていることが可能である。
【０３０４】
ある実施形態では、キャップは、呼吸ガス移動を妨げないように構築され得る。いくつかの調節可能な呼吸装置の実施形態では、キャップが存在しなくてもよい。その理由は、ある実施形態では、チューブ４２０又はホース４２０が十分に長くなっており、カラーヒンジ２２２１からの抜け出しを最小化することができるからである。
【０３０５】
ある実施形態では、図１６シリーズの図、図１７シリーズの図、図１８シリーズの図、及び、図１９シリーズの図は、すべて、様々なノーズ−クリップの実施形態を検討して焦点を合わせている可能性がある。そのようなノーズ−クリップは、様々なフェイスソーキングデバイスの実施形態を使用することに関連して使用されることが意図され得る。ある実施形態では、システムは、所与のノーズ−クリップの実施形態とともに、所与のフェイスソーキングデバイスを含むことが可能である。そのようなノーズ−クリップは、様々な呼吸装置の実施形態とともに使用することを容易にすることが可能である。何人かのユーザ９０００に関して、所与の呼吸装置の実施形態を使用することによって呼吸するために彼らの口を使用するときに、彼らは、彼らの鼻孔を閉じるために、ノーズ−クリップの使用を望む可能性がある。
【０３０６】
様々なフェイスソーキングデバイスの実施形態（例えば、フェイスソーキングデバイス１００）を使用するある実施形態では、ユーザ９０００は、ノーズ−クリップ１６００、ノーズ−クリップ１７００、ノーズ−クリップ１８００、ノーズ−クリップ１９００、ノーズ−プラグ、及び／又は、液体１０１から鼻孔を遮断する（例えば、シールし及び／又は閉鎖する）のに適切な任意の他のデバイスを使用することも可能である。ユーザ９０００の鼻孔を遮断することは、顔９０１０が液体１０１の中に浸され得るときに、呼吸の容易さを容易にすることが可能である。ある実施形態では、ユーザ９０００の顔９０１０を浸漬させるためのシステム（キット）は、フェイスソーキングデバイス１００と、ノーズ−クリップ１６００、ノーズ−クリップ１７００、ノーズ−クリップ１８００、ノーズ−クリップ１９００、ノーズ−プラグ、及び／又は、液体１０１から鼻孔を除去可能に遮断するのに適切な任意の他のデバイスのうちの少なくとも１つと、を含むことが可能である。
【０３０７】
ある実施形態では、そのようなノーズ−クリップは、破断することなく曲がることができる少なくとも１つのワイヤから構築され得、少なくとも１つのワイヤが、鼻孔を除去可能にクランプして閉鎖する形状に曲げられ得るようになっている。鼻孔をクランプして閉鎖するように曲げられるときに、少なくとも１つのワイヤは、鼻孔によってワイヤに及ぼされる力に抵抗するのに十分に強力とすることができる。
【０３０８】
図１６Ａは、ノーズ−クリップ１６００の例示的な実施形態を示すものであり得、タイトコイル１６０９を含み、上面斜視図により示されている。図１６Ｂは、ノーズ−クリップ１６００を示すものであり得、底面斜視図により示されている。図１６Ｃは、ノーズ−クリップ１６００を示すものであり得、正面図により示されている。図１６Ｄは、ノーズ−クリップ１６００を示すものであり得、側面図により示されている。図１６Ｅは、ノーズ−クリップ１６００を示すものであり得、背面図により示されている。図１６Ｆは、ノーズ−クリップ１６００を示すものであり得、上面図により示されている。図１６Ｇは、ノーズ−クリップ１６００を示すものであり得、底面図により示されている。
【０３０９】
ある実施形態では、ノーズ−クリップ１６００は、２つの反対側に配設された末端部１６０３を備える少なくとも１つの細長い部材１６０２であり得るワイヤを含むことが可能である。ある実施形態では、少なくとも１つのワイヤは、概して「Ｕ」字形状になるように曲げられ得、中央ベンド領域１６０５が、「Ｕ」字形状の主要半径１６０６を形成している。例えば、図１６Ａを参照されたい。使用されるときに、それぞれの末端部１６０３及び／又はそれぞれの末端部領域は、互いに向けられ、２つの末端部１６０３同士及び／又は２つの末端部領域間で、鼻孔を挟んで閉鎖することが可能である。使用されるときに、中央ベンド領域１６０５は、鼻梁の上にあるか、又は、鼻孔の下に、すなわち、鼻梁よりも口の近くに配設されるかのいずれかとすることができる。そのようなワイヤを除去するために、２つの末端部１６０３及び／又は２つの末端部領域は、鼻孔が開くことを可能にしてワイヤが鼻から除去されるのに十分な距離にわたって、互いから離れるように曲げられ得る。
【０３１０】
ある実施形態では、それぞれの末端部１６０３又はそれぞれの末端部領域は、終端構造体１６０７を形成することが可能である。例えば、図１６Ａを参照されたい。ある実施形態では、終端構造体１６０７は、タイトコイル１６０９のシリーズ（例えば、図１６Ａから図１６Ｇを参照）、ルースコイル１７１０のシリーズ（例えば、図１７Ａから図１７Ｇを参照）、卵形構造体、球形構造体１８１１（例えば、図１８Ａから図１８Ｆを参照）、ディスク構造体、及び／又はロッド構造体などのうちの１つ又は複数を含むことが可能である。そのような終端構造体は、パッド１６０８を形成することが可能である。例えば、図１６Ｃを参照されたい。パッド１６０８は、それぞれの鼻孔に力を働かせるための追加的な表面エリアを提供することが可能である。
【０３１１】
ある実施形態では、それぞれの終端構造体１６０７は、例えば、タイトコイル１６０９のシリーズ（例えば、図１３Ａから図１３Ｇを参照）及び／又はルースコイル１７１０のシリーズ（例えば、図１７Ａから図１７Ｇを参照）を備える終端構造体１６０７となるように、末端部１６０３を曲げることによって形成され得る。主要半径１６０６に関連付けられる湾曲は、タイトコイル１６０９及び／又はルースコイル１７１０に関連付けられる湾曲よりも穏やかである（湾曲が少ない）ことが可能である。すなわち、タイトコイル１６０９及び／又はルースコイル１７１０に関連付けられる湾曲は、主要半径１６０６に関連付けられる湾曲よりも大きくなっている（鋭く曲がっている）ことが可能である。タイトコイル１６０９に関連付けられる湾曲は、ルースコイル１７１０（例えば、ルースコイル１７１０に関して、図１７Ａを参照）に関連付けられる湾曲よりも大きくなっている（鋭く曲がっている）ことが可能である。
【０３１２】
ある実施形態では、それぞれの終端構造体１６０７は、少なくとも１つのワイヤなどのような、同じ材料から構築され得る。ある実施形態では、それぞれの終端構造体１６０７は、少なくとも１つのワイヤのものとは異なる材料から構築され得る。
【０３１３】
ある実施形態では、少なくとも１つのワイヤは、金属ワイヤとすることができる。ある実施形態では、少なくとも１つのワイヤは、中実の金属ワイヤとすることができる。ある実施形態では、金属は、銅、アルミニウム、鋼、ステンレス鋼、真鍮、及び、様々な合金などのうちの１つ又は複数とすることができる。
【０３１４】
ある実施形態では、少なくとも１つの金属ワイヤ及び／又は少なくとも１つの細長い部材１６０２は、ポリマーでコーティングされ得る。例えば、図１９Ａから図１９Ｇのノーズ−クリップ１９００の実施形態を参照されたい。このポリマーコーティングは、金属ワイヤ及び／又は少なくとも１つの細長い部材１６０２を防水処理することが可能である。ポリマーは、例えば、コロージョンを最小化することによって、ワイヤに耐久性を提供することが可能である。また、ポリマーは、着用されているときに、ユーザ９０００への快適性を助長することが可能である。また、ポリマーは、様々な着色剤を含むことが可能であり、ポリマーが、硬化されたときに、様々な色に見えるようになっている。ポリマーは、プラスチック及び／又はエラストマー（例えば、シリコーン、ゴムなど）とすることができる。例えば、及び、本発明の範囲を限定することなく、プラスチックは、プラスチゾルタイプのＰＶＣサスペンションとすることができ、ワイヤは、液体プラスチゾルの中に漬けられ、次いで、ワイヤのプラスチックカバーとなるように硬化され得る。同様の方式で、ワイヤは、ポリマー（プラスチック）で粉末コーティングされ得る。
【０３１５】
図１７Ａから図１７Ｇは、ルースコイル１７１０を備えるノーズ−クリップ１７００を示すものであり得る。ルースコイル１７１０は別として、ノーズ−クリップ１７００は、ノーズ−クリップ１６００と実質的に同様とすることができる。図１７Ａは、ノーズ−クリップ１７００の例示的な実施形態を示すものであり得、ルースコイル１７１０を含み、上面斜視図により示されている。図１７Ｂは、ノーズ−クリップ１７００を示すものであり得、底面斜視図により示されている。図１７Ｃは、ノーズ−クリップ１７００を示すものであり得、正面図により示されている。図１７Ｄは、ノーズ−クリップ１７００を示すものであり得、側面図により示されている。図１７Ｅは、ノーズ−クリップ１７００を示すものであり得、背面図により示されている。図１７Ｆは、ノーズ−クリップ１７００を示すものであり得、上面図により示されている。図１７Ｇは、ノーズ−クリップ１７００を示すものであり得、底面図により示されている。
【０３１６】
図１８Ａから図１８Ｆは、球形構造体１８１１を備えるノーズ−クリップ１８００を示すものであり得る。ある実施形態では、ノーズ−クリップ１８００の終端構造体１６０７は、球形構造体１８１１を含むことが可能であり、そうでなければ、ノーズ−クリップ１８００は、ノーズ−クリップ１６００と実質的に同様とすることができる。図１８Ａは、ノーズ−クリップ１８００の例示的な実施形態を示すものであり得、１対の球形の終端構造体１８１１を含み、上面斜視図により示されている。図１８Ｂは、ノーズ−クリップ１８００を示すものであり得、底面斜視図により示されている。図１８Ｃは、ノーズ−クリップ１８００を示すものであり得、正面図により示されている。図１８Ｄは、ノーズ−クリップ１８００を示すものであり得、側面図により示されている。図１８Ｅは、ノーズ−クリップ１８００を示すものであり得、背面図により示されている。図１８Ｆは、ノーズ−クリップ１８００を示すものであり得、上面図により示されている。
【０３１７】
図１９Ａは、ノーズ−クリップ１９００の例示的な実施形態を示すものであり得、ノーズ−クリップ１９００は、ポリマーでコーティングされ得、上面斜視図により示されている。図１９Ｂは、ノーズ−クリップ１９００を示すものであり得、底面斜視図により示されている。図１９Ｃは、ノーズ−クリップ１９００を示すものであり得、正面図により示されている。図１９Ｄは、ノーズ−クリップ１９００を示すものであり得、側面図により示されている。図１９Ｅは、ノーズ−クリップ１９００を示すものであり得、背面図により示されている。図１９Ｆは、ノーズ−クリップ１９００を示すものであり得、上面図により示されている。図１９Ｇは、ノーズ−クリップ１９００を示すものであり得、底面図により示されている。
【０３１８】
ある実施形態では、ノーズ−クリップ１９００の細長い部材１６０２がポリマーでコーティングされ得ることを除いて、ノーズ−クリップ１９００は、ノーズ−クリップ１６００と実質的に同様とすることができる。ある実施形態では、少なくとも１つのワイヤがポリマーでコーティングされ得るときに、パッド１６０８の表面積が増加され得るようになっている。例えば、図１９Ａを参照されたい。例えば、及び、本発明の範囲を限定することなく、末端部１６０３がタイトコイル１６０９のシリーズとなるように曲げられ得るときに、そのタイトコイル１６０９のシリーズは、ポリマーでコーティングされると、ディスク状のパッド１６０８に見えることが可能であり、タイトコイルの間に空気ギャップは残っていない。例えば、図１９Ａを参照されたい。
【０３１９】
ある実施形態では、（例えば、ノーズ−クリップ１６００、ノーズ−クリップ１７００、ノーズ−クリップ１８００、及び／又はノーズ−クリップ１９００の）少なくとも１つの中実の金属ワイヤは、直径が１０ゲージ〜１２ゲージとすることができる。ある実施形態では、（例えば、ノーズ−クリップ１６００、ノーズ−クリップ１７００、ノーズ−クリップ１８００、及び／又はノーズ−クリップ１９００の）少なくとも１つの中実の金属ワイヤは、直径が８ゲージ〜１６ゲージとすることができる。テストを行うことによって、例えば１４ゲージなど、１２ゲージよりも小さい銅ワイヤ直径は、いくつかの鼻孔を効果的にクランプして閉鎖するのに十分な強度を有することができないことを、決定することができた。テストを行うことによって、１０ゲージよりも大きい銅ワイヤ直径は、何人かのユーザ（例えば、子供及び／又は高齢者ユーザ）が、ワイヤが鼻孔をクランプして閉鎖することができるようにワイヤを曲げるには困難なものである可能性があることを、決定することができた。
【０３２０】
ある実施形態では、少なくとも１つの細長い部材１６０２は、複数の細長い部材とすることができる。例えば、及び、本発明の範囲を限定することなく、ある実施形態では、２つの又は３つの細長い部材が存在していることが可能であり、それぞれの細長い部材は、金属ワイヤであり得、そのような複数の金属ワイヤは、「Ｕ」字形状となるように一緒に曲げられ得る。そのような複数の金属ワイヤは、互いに対して概して平行になっていることが可能である。そのような複数の金属ワイヤは、互いの周りにらせん状に巻き付けられ得る。そのような複数の金属ワイヤは、互いの周りにねじられ得る。そのような複数の金属ワイヤは、互いに編み組され得る。複数の金属ワイヤが使用され得るときには、金属ワイヤのより小さい直径（より高いゲージ）が使用され得る。
【０３２１】
また、ある実施形態では、上述されているような任意のそのようなノーズ−クリップは、リーシュ（すなわち、テザー）を含むことが可能であり、リーシュは、ベッセル２００の別のオブジェクト、又は、所与のフェイスソーキングデバイス（例えば、フェイスソーキングデバイス１００）のいくつかのサブアセンブリに、ノーズ−クリップを除去可能につなぐことが可能であり、ユーザ９０００がノーズ−クリップを使用したい可能性のあるときに、ノーズ−クリップが手元にあることが可能であるようになっている。そのようなリーシュは、ノーズ−クリップの紛失を最小化することが可能である。例えば、及び、本発明の範囲を限定することなく、リーシュは、ノーズ−クリップを呼吸装置４００に除去可能につなぐことが可能である。例えば、及び、本発明の範囲を限定することなく、リーシュは、ノーズ−クリップをリム２２５に除去可能につなぐことが可能である。
【０３２２】
図５シリーズの図は、図５Ａから図５Ｉを含むことが可能である。この図５シリーズの図は、ヘッドレストサブアセンブリ５００、その様々なコンポーネントパーツ、構造体、及びコミュニケーション関係の例示的な実施形態を示すことに焦点を合わせている可能性がある。ある実施形態では、ヘッドレストサブアセンブリ５００は、ユーザ９０００の頭部の一部分を物理的に支持することが可能である。例えば、及び、本発明の範囲を限定することなく、ヘッドレストサブアセンブリ５００によって支持され得る頭部の部分は、ユーザ９０００の額、又は、その何らかの部分とすることができる。ある実施形態では、その様々な実施形態におけるヘッドレストサブアセンブリ５００は、ユーザ９０００（とりわけ、首９０２０に関して）の快適性を助長することが可能である。
【０３２３】
図５Ｅは、フェイスソーキングデバイス１００のベッセル（例えば、ベッセル２００）から分解されたヘッドレストサブアセンブリ５００の上面斜視分解図であり得る。図５Ｆは、フェイスソーキングデバイス１００の上面図であり得、図５Ｆは、２つの断面線、すなわち、断面線５Ｇ−５Ｇ及び断面線５Ｈ−５Ｈをさらに示しており、断面線５Ｇ−５Ｇは、ヘッドレストサブアセンブリ５００を通る長手方向の断面線である可能性があり、断面線５Ｈ−５Ｈは、ヘッドレストサブアセンブリ５００を通る横断幅方向の断面線である可能性がある。図５Ｇは、ヘッドレストサブアセンブリ５００を通る断面線５Ｇ−５Ｇに沿った長手方向断面図であり得る。図５Ｈは、ヘッドレストサブアセンブリ５００を通る断面線５Ｈ−５Ｈに沿った横断幅方向の断面図である可能性がある。図５Ｈは、ヘッドレストサブアセンブリ５００のエリアに焦点を合わせている可能性のある詳細５Ｉの領域をさらに示している可能性がある。図５Ｉは、詳細５Ｉのクローズアップ図であり得る。
【０３２４】
ある実施形態では、所与のフェイスソーキングデバイス（例えば、フェイスソーキングデバイス１００）は、ヘッドレストサブアセンブリ５００を含むことが可能である。例えば、図５Ｅを参照されたい。ある実施形態では、ヘッドレストサブアセンブリ５００は、ベッセル２００に取り付けられ得る。ある実施形態では、取り付けの性質は、除去可能とすることができ、一方、他の実施形態では、取り付けの性質は、除去不可能とすることができる。図５シリーズの図は、除去可能な取り付けの実施形態を示すものであり得る。
【０３２５】
ある実施形態では、ヘッドレストサブアセンブリ５００は、サポート部材５０１（例えば、図５Ｅを参照）又はストラップ（図示せず）を含むことが可能である。サポート部材５０１又はストラップは、ユーザ９０００の頭部の一部分を物理的に支持するように構成され得る。例えば、及び、本発明の範囲を限定することなく、サポート部材によって支持され得る頭部の部分は、ユーザ９０００の額、又は、その部分とすることができる。
【０３２６】
ある実施形態では、サポート部材５０１は、セミリジッドからリジッドとすることができる。サポート部材５０１は、構造部材とすることができる。ある実施形態では、サポート部材５０１の上側表面もしくは上部表面、又はストラップは、ヘッドレストサブアセンブリ５００がベッセル２００に物理的に接触している状態になっている可能性があるときに、実質的に水平方向になっている（すなわち、基板に実質的に平行である）ことが可能である。ある実施形態では、サポート部材５０１の上側表面もしくは上部表面、又はストラップは、ヘッドレストサブアセンブリ５００がベッセル２００に物理的に接触している状態になっている可能性があるときに、実質的に水平方向になっている（すなわち、底部内側表面２１７に実質的に平行である）ことが可能である。
【０３２７】
ある実施形態では、サポート部材５０１は、快適な外側表面５０２を含むことが可能である。例えば、図５Ｅを参照されたい。快適な外側表面５０２は、ユーザ９０００の頭部領域の少なくともいくつかの部分に対して安らぎを与えるサポートを提供することが可能である。ある実施形態では、快適な外側表面５０２は、圧縮可能なフォーム材料とすることができる。ある実施形態では、圧縮可能なフォーム材料は、シリコーン又は他の軟質のエラストマー材料などのような、軟質のエラストマー材料と交換され得る。ある実施形態では、快適な外側表面５０２は、サポート部材５０１の経線に沿ってサポート部材５０１の境界を定めることが可能である。ある実施形態では、快適な外側表面５０２は、サポート部材５０１の上側表面又は上部表面を少なくとも部分的にカバーすることが可能である。
【０３２８】
ある実施形態では、ストラップは、可撓性の材料から構築され得る。ストラップの長さは、ストラップの幅よりも大きくなっていることが可能である。ストラップは、２つの端部を含むことが可能である。ストラップのそれぞれの端部は、少なくとも２つの異なる少なくとも１つの壁部２０１に取り付けられ得る。ストラップの実施形態は、図には示されていない可能性がある。
【０３２９】
例えば、及び、本発明の範囲を限定することなく、ストラップは、額のためのスリング又はクレードルとしての役割を果たすように構成され得る。ある実施形態では、ストラップは、織物材料とすることができる。ある実施形態では、ストラップは、耐水性、防カビ性、及び耐摩耗性とすることができる。ストラップは、天然材料及び／又は合成材料から構築され得る。天然材料は、綿、ウール、麻、及び革などのうちの１つ又は複数を含むことが可能である。合成材料は、ナイロン、ポリプロピレン、ポリエステル、及びネオプレンなどのうちの１つ又は複数を含むことが可能である。
【０３３０】
ある実施形態では、サポート部材５０１は、少なくとも１つのポスト５０３、キャップ５０９、及び、快適な外側表面５０２を含むことが可能である。例えば、図５Ｅを参照されたい。ある実施形態では、少なくとも１つのポスト５０３は、キャップ５０９に物理的に接触していることが可能である。ある実施形態では、キャップ５０９は、少なくとも１つのポスト５０３の少なくとも一部分をカバーするキャップとすることができる。ある実施形態では、キャップ５０９は、快適な外側表面５０２に物理的に接触していることが可能である。ある実施形態では、快適な外側表面５０２は、キャップ５０９の上側表面の一部分、又は、少なくとも１つのポスト５０３の上側表面の少なくとも一部分を少なくともカバーすることが可能である。ある実施形態では、快適な外側表面５０２は、パッド５１２とすることができる。ある実施形態では、ヘッドレストサブアセンブリ５００は、サポート部材５０１を含むことに加えて、少なくとも１つの磁石５０６及び少なくとも１つのプレート５１１を含むことも可能である。ある実施形態では、少なくとも１つの磁石５０６は、少なくとも１つのポスト５０３の中に（例えば、少なくとも１つのポスト５０３の底部に）位置付けされ得る。ある実施形態では、少なくとも１つのプレート５１１は、ベッセルライニング２００ａとベッセルカバー２００ｂ（例えば、図２Ｇを参照）との間に配設され得る。例えば、少なくとも１つのプレート５１１に関して、図５Ｅを参照されたい。
【０３３１】
ある実施形態では、サポート部材５０１は、少なくとも１つのポスト５０３を含むことが可能である。例えば、図５Ｅを参照されたい。ある実施形態では、少なくとも１つのポスト５０３は、ベッセル２００の内部容積２２０の中に除去可能に位置付けされ得る。例えば、図５Ｇ及び図５Ｈを参照されたい。ある実施形態では、少なくとも１つのポスト５０３は、ベッセル２００の少なくとも１つのベース２１５の底部内側表面２１７に除去可能に物理的に接触していることが可能である。例えば、図５Ｇ及び図５Ｈを参照されたい。ある実施形態では、少なくとも１つのポスト５０３は、底部端部の反対側に配設されている上側端部を含むことが可能である。ある実施形態では、少なくとも１つのポスト５０３の底部端部は、底部内側表面２１７に除去可能に物理的に接触していることが可能である。例えば、図５Ｇ及び図５Ｈを参照されたい。ある実施形態では、少なくとも１つのポスト５０３は、リジッドからセミリジッドとすることができる。
【０３３２】
ある実施形態では、この底部端部は、ガス−ディフューザ−チュービング−溝部５０４を含むことが可能である。ある実施形態では、このガス−ディフューザ−チュービング−溝部５０４は、少なくとも１つのポスト５０３が１つ又は複数のガス−ディフューザ−チュービング８０１をまたぐことを可能にすることができる、少なくとも１つのポスト５０３の底部端部における１つ又は複数の溝部（すなわち、カットアウト、窪み、又は凹部）とすることができる。例えば、図５Ｅ及び図５Ｉを参照されたい。ある実施形態では、このガス−ディフューザ−チュービング−溝部５０４は、２つの別個の底部端部（２つの脚部５０５）を備えるが依然として１つの上側端部（１つの上側表面）を備える、少なくとも１つのポスト５０３から形成され得る。例えば、図５Ｅ及び図５Ｉを参照されたい。
【０３３３】
ある実施形態では、少なくとも１つのポスト５０３は、２つの脚部５０５を含むことが可能である。例えば、図５Ｅを参照されたい。１つ又は複数のガス−ディフューザ−チュービング８０１の一部分は、これらの２つの脚部５０５の間に配設され得る。例えば、図５Ｉを参照されたい。ある実施形態では、それぞれの脚部５０５の底部端部は、底部内側表面２１７に除去可能に物理的に接触していることが可能である。例えば、図５Ｉを参照されたい。ある実施形態では、脚部５０５のそれぞれの底部端部は、少なくとも１つの磁石５０６を収納することが可能である。例えば、図５Ｅ及び図５Ｉを参照されたい。ある実施形態では、それぞれの脚部５０５は、少なくとも部分的に前後方向に実質的に平行であり得る少なくとも１つのガイド５０７によって、前後方向にガイドされ得る。ある実施形態では、少なくとも１つのガイド５０７は、ＬＥＤハウジング９５０の一部分とすることができる（ここで、ＬＥＤは、発光ダイオードの頭字語とすることができる）。ある実施形態では、少なくとも１つのガイド５０７は、ベッセルライニング２００ａの底部エリアの構造領域とすることができる。例えば、図５Ａを参照されたい。
【０３３４】
ある実施形態では、２つの脚部５０５は、別々の及び別個の上側端部（図示せず）をそれぞれ含み、すなわち、２つの少なくとも１つのポスト５０３の実施形態を含むことが可能である。代替的に、ある実施形態では、２つの脚部５０５は、共有の上側端部を含むことが可能である。例えば、図５Ｅを参照されたい。この共有の上側端部の一部分は、１つ又は複数のガス−ディフューザ−チュービング８０１の上方に位置付けされ得る。又は、代替的に、ある実施形態では、２つの脚部５０５は、それぞれの脚部５０５を接合する共有のブリッジ材料を含むことが可能であり、この共有のブリッジ材料の一部分が、１つ又は複数のガス−ディフューザ−チュービング８０１の上方に広がるようになっている。例えば、図５Ｅを参照されたい。
【０３３５】
ある実施形態では、この共有のブリッジは、１つ又は複数の異なる高さにおいて、複数のペアにされたスロット５０８の対向するデュアルセットを含むことが可能である。例えば、図５Ｅ及び図５Ｉを参照されたい。スロット５０８のそれぞれのペアは、キャップ５０９の底部に位置付けされている対向するタブ５１０のペアによって係合され得る。これらのペアにされたスロット５０８及び対向するタブ５１０のペアは、一緒にラチェット様式で動作し、キャップ５０９の高さ及び／又はパッド５１２の高さを変化させることが可能である。例えば、図５Ｇを参照されたい。
【０３３６】
ある実施形態では、少なくとも１つのポスト５０３（及び／又は２つの脚部５０５）は、実質的に中空になっていることが可能である。ある実施形態では、少なくとも１つのポスト５０３（及び／又は２つの脚部５０５）は、リジッドからセミリジッドとすることができる。
【０３３７】
ある実施形態では、ヘッドレストサブアセンブリ５００は、前後調節手段を含むことが可能である。前後調節手段の機能性は、図５Ａ及び図５Ｂに示されている可能性がある。ある実施形態では、ヘッドレストサブアセンブリ５００は、高さ調節手段（すなわち、垂直方向の調節手段）を含むことが可能である。高さ調節手段の機能性は、図５Ｃ及び図５Ｄに示されている可能性がある。前後方向及び／又は垂直方向のそのような調節は、多様な多数の異なるサイズのユーザ９０００が単一のフェイスソーキングデバイスの実施形態（例えば、フェイスソーキングデバイス１００）を使用することを可能にすることができる。
【０３３８】
ある実施形態では、ヘッドレストサブアセンブリ５００は、２つの前方−後方構成のうちの１つに存在するか、又は、それらの２つの前方−後方構成の中の構成で存在することが可能である。２つの前方−後方構成のうちの一方は、後方構成とすることができ、後方構成では、ヘッドレストサブアセンブリ５００が、ベッセル（例えば、ベッセル２００）の前面壁（例えば、第４の側壁２０９）に対して、ベッセル（例えば、ベッセル２００）の背面壁部（例えば、第２の側壁２０７）の最も近くに位置付けされ得る。例えば、図５Ａを参照されたい。図５Ａは、フェイスソーキングデバイス１００を示すものであり得、上面図により示されており、ヘッドレストサブアセンブリ５００は、後方構成（すなわち、背面方向構成）とすることができる。
【０３３９】
２つの前方−後方構成のうちの他方は、前方構成を含むことが可能であり、前方構成では、ヘッドレストサブアセンブリ５００は、ベッセル（例えば、ベッセル２００）の背面壁部（例えば、第２の側壁２０７）に対して、ベッセル（例えば、ベッセル２００）の前面壁（例えば、第４の側壁２０９）の最も近くに位置付けされ得る。例えば、図５Ｂを参照されたい。図５Ｂは、フェイスソーキングデバイス１００を示すものであり得、上面図により示されており、ヘッドレストサブアセンブリ５００は、前方構成になっている可能性がある。
【０３４０】
ある実施形態では、ヘッドレストサブアセンブリ５００は、前後調節手段を含むことが可能である。ある実施形態では、前後調節手段は、底部内側表面２１７の経線に沿った少なくとも１つのポスト５０３の場所の除去可能な設定又は決定のためのものとすることができる。ある実施形態では、前後調節手段は、ベッセル２００の内部容積２２０の中に存在している面の経線に沿って、少なくとも１つのポスト５０３の場所を変化させるように構成され得る。例えば、図５Ａ及び図５Ｂを参照されたい。
【０３４１】
ある実施形態では、前後調節手段は、滑らかである底部内側表面２１７を含み、少なくとも１つのポスト５０３が、底部内側表面２１７の少なくともいくつかの部分に沿って、前後方向にスライド可能又は移動可能であるようになっている。例えば、図５Ａ及び図５Ｂを参照されたい。
【０３４２】
ある実施形態では、前後調節手段は、少なくとも１つのガイド５０７を含むことが可能である。ある実施形態では、少なくとも１つのガイド５０７は、左右方向（例えば、右から左の方向又は左から右の方向）の少なくとも１つのポスト５０３の並進を最小化することが可能であるか、又は、防止（制限）することが可能である。ある実施形態では、少なくとも１つのガイド５０７は、底部内側表面２１７の少なくともいくつかの部分に沿って、前後方向に、少なくとも１つのポスト５０３の直線的な並進を容易にすることが可能である。例えば、図５Ａ及び図５Ｂを参照されたい。
【０３４３】
ある実施形態では、少なくとも１つのガイド５０７は、少なくとも１つのレール、少なくとも１つの長さのガス−ディフューザ−チュービング８０１、少なくとも１つの長さの少なくとも１つの熱シールド、少なくとも１つの長さの少なくとも１つのＥＭエミッタ９００（例えば、ＬＥＤアレイ９０１）、少なくとも１つのＬＥＤハウジング９５０、及び／又は、内部容積２２０の中に位置付けされ得る他のハードウェア又は構造要素のうちの１つ又は複数から選択され得る。ある実施形態では、少なくとも１つのガイド５０７は、少なくとも部分的に、前後方向に実質的に平行になっていることが可能である。ある実施形態では、少なくとも１つのガイド５０７は、ＬＥＤハウジング９５０の一部分とすることができる。ある実施形態では、少なくとも１つのガイド５０７は、ベッセルライニング２００ａの底部エリアの構造領域とすることができる。例えば、図５Ａを参照されたい。
【０３４４】
ある実施形態では、少なくとも１つのガイド５０７は、左右方向（すなわち、左から右）に関して、底部内側表面２１７の中にデファインドチャネル（defined channel）５１３を形成し、及び／又は境界を決めることが可能である。ある実施形態では、デファインドチャネル５１３は、少なくとも１つのレール、少なくとも１つの長さのガス−ディフューザ−チュービング８０１、少なくとも１つの長さの少なくとも１つの熱シールド、又は少なくとも１つの長さの少なくとも１つのＥＭエミッタ９００、少なくとも１つのＬＥＤハウジング９５０、及び／又は、内部容積２２０の中に位置付けされ得る他のハードウェアもしくは構造要素のうちの１つ又は複数によって形成され得る。ある実施形態では、デファインドチャネル５１３は、少なくとも１つのポスト５０３が前後方向に並進することができる、底部内側表面２１７の領域を画定することが可能である。ある実施形態では、デファインドチャネル５１３は、その上部外側表面の上で実質的に平坦及び／又は滑らかであり、少なくとも１つのポスト５０３のスライドを容易にすることが可能である。例えば、図５Ｃ及び図５Ｄを参照されたい。
【０３４５】
ある実施形態では、前後調節手段は、少なくとも１つの磁石５０６を含むことが可能である。例えば、図５Ｅを参照されたい。ある実施形態では、少なくとも１つの磁石５０６の少なくとも一部分は、底部内側表面２１７及び／又はデファインドチャネル５１３の少なくとも一部分に除去可能に物理的に接触していることが可能である。ある実施形態では、少なくとも１つの磁石５０６の少なくとも一部分は、少なくとも１つのポスト５０３の底部の少なくとも一部分に除去可能に物理的に接触していることが可能である。ある実施形態では、少なくとも１つの磁石５０６は、少なくとも１つのポスト５０３の底部端部に取り付けられ得る。例えば、図５Ｉを参照されたい。
【０３４６】
ヘッドレストサブアセンブリ５００の実施形態のいくつかでは、少なくとも１つの磁石５０６は、少なくとも２つの磁石５０６を含むことが可能である。そのような磁石５０６は、少なくとも１つのポスト５０３の中で、ガス−ディフューザ−チュービング−溝部５０４の反対側に配設され得る。例えば、図５Ｅを参照されたい。
【０３４７】
ある実施形態では、前後調節手段は、少なくとも１つのプレート５１１を含むことが可能である。ある実施形態では、少なくとも１つのプレート５１１は、磁気材料又は鉄系材料から実質的に構築され得る。ある実施形態では、少なくとも１つのプレート５１１は、実質的に磁石又は鉄系金属とすることができる。ある実施形態では、少なくとも１つのプレート５１１は、底部内側表面２１７の一部分の下に配設され得る。例えば、２Ｇ及び図５Ｉを参照されたい。ある実施形態では、少なくとも１つのプレート５１１は、ベッセルライニング２００ａとベッセルカバー２００ｂとの間に配設され得る。例えば、２Ｇ及び図５Ｉを参照されたい。ある実施形態では、少なくとも１つのプレート５１１は、底部内側表面２１７の上に位置付けされ得る（図示せず）。底部内側表面２１７の一部分の下であるが、少なくとも１つのポスト５０３の中に位置付けされている少なくとも１つの磁石５０６の磁界の中に、少なくとも１つのプレート５１１を組み合わせることは、底部内側表面２１７（又は、デファインドチャネル５１３）への少なくとも１つのポスト５０３の除去可能な取り付けを助長することが可能である。
【０３４８】
実施形態では、少なくとも１つの磁石５０６が、実質的に鉄系材料と交換され得、次いで、少なくとも１つのプレート５１１が、磁気的な材料から実質的に構築され得ることに留意されたい。
【０３４９】
ある実施形態では、ヘッドレストサブアセンブリ５００は、２つの垂直方向の構成のうちの１つに存在するか、又は、それらの２つの垂直方向の構成の中の構成で存在することが可能である。２つの垂直方向の構成のうちの一方は、上昇（すなわち、隆起した）構成を含むことが可能であり、ヘッドレストサブアセンブリ５００（例えば、パッド５１２）の上部部分は、ベッセル（例えば、ベッセル２００）の底部内側表面（例えば、底部内側表面２１７）から最大高さに位置付けされ得る。例えば、図５Ｃを参照されたい。図５Ｃは、１００のフェイスソーキングデバイスを示すものであり得、上面図により示されており、ヘッドレストサブアセンブリ５００は、上昇（すなわち、隆起した）構成になっている（並びに、後方構成になっている）ことが可能である。
【０３５０】
２つの垂直方向の構成の他方は、下降（すなわち、低下された）構成を含むことが可能であり、ヘッドレストサブアセンブリ５００の上部部分は、ベッセル（例えば、ベッセル２００）の底部内側表面（例えば、底部内側表面２１７）から最小高さに位置付けされ得る。例えば、図５Ｄを参照されたい。図５Ｄは、フェイスソーキングデバイス１００を示すものであり得、上面図により示されており、ヘッドレストサブアセンブリ５００は、下降（すなわち、低下された）構成になっている（並びに、背面方向構成になっている）ことが可能である。
【０３５１】
ある実施形態では、ヘッドレストサブアセンブリ５００は、フェイスソーキングデバイスがその上に位置付けされ得る地面（すなわち、基板）に対して、少なくとも１つのポスト５０３の上側端部、又は、キャップ５０９の上側端部、又は、パッド５１２の上側端部の垂直方向の場所を除去可能に設定するための高さ調節手段を含むことが可能である。ある実施形態では、ヘッドレストサブアセンブリ５００は、フェイスソーキングデバイスがその上に位置付けされ得る地面に対して、パッド５１２の上側端部（又は、キャップ５０９の上側端部）の垂直方向の場所を除去可能に設定するための高さ調節手段を含むことが可能である。例えば、図５Ｃ及び図５Ｄを参照されたい。例えば、及び、本発明の範囲を限定することなく、ある実施形態では、この垂直方向の高さ調節手段は、少なくとも１つのポスト５０３の上側端部がこの地面の上方に２インチとなることができる場所まで下降する調節、及び、この上側端部がこの地面の上方に７インチとなることができる場所まで上昇する調節を可能にすることができる。ある実施形態では、ヘッドレストサブアセンブリ５００は、底部内側表面２１７に対して、少なくとも１つのポスト５０３の上側端部、又は、キャップ５０９の上側端部、又は、パッド５１２の上側端部の垂直方向の場所を除去可能に設定するための高さ調節手段を含むことが可能である。
【０３５２】
ある実施形態では、高さ調節手段は、ベッセル２００の少なくとも１つのベース２１５からベッセル２００の上部開口２２６へ延びる軸線に関して、ベッセル２００の内部容積２２０の中のサポート部材５０１（又は、ストラップ）の上側表面又は上部表面の高さを変化させるように構成され得る。すなわち、それは、垂直方向である。ある実施形態では、高さ調節手段は、サポート部材５０１（又は、ストラップ）に、及び、少なくとも１つのベース２１５、ベッセル２００の少なくとも１つの壁部２０１（例えば、内側２０３、外側２０２、及び／又はリム２２５）のうちの１つ又は複数に、物理的に接触していることが可能である。ある実施形態では、高さ調節手段は、サポート部材５０１（又は、ストラップ）に、及び、ベッセル２００の少なくとも１つのベース２１５（例えば、内側）に、物理的に接触していることが可能である。
【０３５３】
ある実施形態では、高さ調節手段は、キャップ５０９を含むことが可能である。ある実施形態では、このキャップ５０９は、少なくとも１つのポスト５０３に連結され得る。ある実施形態では、キャップ５０９は、２つの脚部５０５のうちの少なくともいくつかの上にフィットするための構造体を含むことが可能である。ある実施形態では、このキャップ５０９は、垂直方向に調節可能なラチェットメカニズムによって、少なくとも１つのポスト５０３に連結され得る。例えば、図５Ｅを参照されたい。ある実施形態では、この垂直方向に調節可能なラチェットメカニズムは、少なくとも１つのポスト５０３の上に、及び、キャップ５０９の上に、相補的な構造体を含むことが可能である。例えば、少なくとも１つのポスト５０３は、１つ又は複数の異なる高さにおいて、複数のペアにされたスロット５０８の対向するデュアルセットを含むことが可能である。例えば、図５Ｅ及び図５Ｉを参照されたい。スロット５０８のそれぞれのペアは、キャップ５０９の底部に位置付けされている対向するタブ５１０のペアによって係合され得る。これらのペアにされたスロット５０８及び対向するタブ５１０のペアは、一緒にラチェット様式で動作し、少なくとも１つのポスト５０３に対して、キャップ５０９の高さ及び／又はパッド５１２の高さを変化させることが可能である。例えば、図５Ｇを参照されたい。
【０３５４】
ある実施形態では、キャップ５０９の上方視点からの投影は、円形、楕円形、長円形、多角形（丸みを帯びた角部の有無にかかわらない）、正多角形（丸みを帯びた角部の有無にかかわらない）、及び／又は非正多角形（丸みを帯びた角部の有無にかかわらない）などの２Ｄ形状をもたらし得る。
【０３５５】
ある実施形態では、ヘッドレストサブアセンブリ５００は、快適な外側表面５０２を含むことが可能である。この快適な外側表面５０２は、頭部領域又はその部分に対して安らぎを与えるサポートを提供することが可能である。この快適な外側表面５０２は、ユーザの頭部の少なくともいくつかの部分に除去可能に係合するように構成され得る。ある実施形態では、この快適な外側表面５０２は、少なくともユーザの頭部の部分がパッド５１２に除去可能に物理的に接触している可能性のある場所に関して、パッディング及び／又はクッションとしての機能を果たすことが可能である。ある実施形態では、この快適な外側表面５０２は、実質的に圧縮可能なフォーム材料とすることができる。ある実施形態では、圧縮可能なフォーム材料は、シリコーン又は他の軟質のエラストマー材料などのような、軟質のエラストマー材料と交換され得る。
【０３５６】
ある実施形態では、少なくとも１つの快適な外側表面５０２は、パッド５１２を含むことが可能である。ある実施形態では、パッド５１２は、キャップ５０９の上側端部に取り付けられ得る。例えば、図５Ｅ及び図５Ｉを参照されたい。ある実施形態では、ある実施形態では、この取り付けの性質は、恒久的とすることができ、一方、他の実施形態では、この取り付けは、除去可能とすることができる。ある実施形態では、キャップ５０９の上側端部は、パッド５１２を含むことが可能である。ある実施形態では、キャップ５０９及びパッド５１２は、一体的になっていることが可能である。ある実施形態では、パッド５１２は、少なくとも１つのポスト５０３の上側端部に取り付けられ得る（図示せず）。ある実施形態では、パッド５１２は、キャップ５０９に取り付けられ得、パッド５１２は、１つ又は複数のガス−ディフューザ−チュービング８０１の部分の上に広がることが可能である。例えば、図５Ａを参照されたい。
【０３５７】
図６Ａから図６Ｆは、ヘッドレストサブアセンブリ６００を示すものであり得る。図６Ｇから図６Ｌは、ヘッドレストサブアセンブリ６５０を示すものであり得る。ヘッドレストサブアセンブリ６００及びヘッドレストサブアセンブリ６５０の両方は、ヘッドレストサブアセンブリ５００と同様であるが代替的な実施形態とすることができる。ヘッドレストサブアセンブリ６００及びヘッドレストサブアセンブリ６５０の両方が、ヘッドレストサブアセンブリ５００のラチェットメカニズムとは対照的に、ネジを回すことによって高さを上下に変化させるためにネジを使用する同様の高さ調節手段を共有することによって、ヘッドレストサブアセンブリ６００及びヘッドレストサブアセンブリ６５０の両方は、ヘッドレストサブアセンブリ５００とは異なっている可能性がある。底部内側表面２１７の形状、少なくとも１つのガイド５０７の形状、少なくとも１つのデファインドチャネル５１３の形状、ガス−ディフューザ−チュービング８０１の数及び／又はレイアウトのうちの１つ又は複数の相違に起因して、ヘッドレストサブアセンブリ６００及びヘッドレストサブアセンブリ６５０は、互いに異なっている可能性がある。例えば、及び、本発明の範囲を限定することなく、ヘッドレストサブアセンブリ６５０では、少なくとも１つのポスト５０３が、ガス−ディフューザ−チュービング８０１間に位置付けされ得るが、一方、ヘッドレストサブアセンブリ６００では、少なくとも１つのポスト５０３は、１つ又は複数のガス−ディフューザ−チュービング８０１をまたぐことが可能である。
【０３５８】
図６Ａは、示されているヘッドレストサブアセンブリ６００に関する２つの異なる構成になっている、２つのフェイスソーキングデバイスを並べて示している可能性があり、一方のヘッドレストサブアセンブリ６００は、下降（低下された）構成で示されており、他方のヘッドレストサブアセンブリ６００は、上昇（隆起した）構成で示されており、示されているヘッドレストサブアセンブリ６００は、単一のポスト５０３の実施形態とすることができる。
【０３５９】
図６Ｂは、ヘッドレストサブアセンブリ６００の上部斜視分解図であり得、ヘッドレストサブアセンブリ６００は、ベッセルから分解されている。
【０３６０】
図６Ｃは、ヘッドレストサブアセンブリ６００の上面図であり得、図６Ｃは、２つの断面線、すなわち、断面線６Ｄ−６Ｄ及び断面線６Ｅ−６Ｅを示すものであり得、断面線６Ｄ−６Ｄは、ヘッドレストサブアセンブリ６００を通る長手方向断面線とすることができ、断面線６Ｅ−６Ｅは、ヘッドレストサブアセンブリ６００を通る横断幅方向の断面線とすることができる。図６Ｄは、ヘッドレストサブアセンブリ６００を通る断面線６Ｄ−６Ｄに沿った長手方向断面図であり得る。
【０３６１】
図６Ｅは、ヘッドレストサブアセンブリ６００を通る断面線６Ｅ−６Ｅに沿った横断幅方向の断面図であり得る。図６Ｅは、詳細６Ｆの領域をさらに示している可能性があり、ヘッドレストサブアセンブリ６００を示すものであり得る。図６Ｆは、詳細６Ｆのクローズアップ図であり得る。
【０３６２】
ある実施形態では、ヘッドレストサブアセンブリ６００は、サポート部材５０１を含むことが可能である。ある実施形態では、サポート部材５０１は、快適な外側表面５０２を含むことが可能である。ある実施形態では、サポート部材５０１は、少なくとも１つのポスト５０３、キャップ５０９、及び、快適な外側表面５０２を含むことが可能である。例えば、図６Ｂを参照されたい。ある実施形態では、少なくとも１つのポスト５０３は、キャップ５０９に物理的に接触していることが可能である。ある実施形態では、キャップ５０９は、少なくとも１つのポスト５０３の少なくとも一部分をカバーするキャップとすることができる。ある実施形態では、キャップ５０９は、快適な外側表面５０２に物理的に接触していることが可能である。ある実施形態では、快適な外側表面５０２は、キャップ５０９の上側表面の一部分、又は、少なくとも１つのポスト５０３の上側表面の少なくとも一部分を少なくともカバーすることが可能である。ある実施形態では、快適な外側表面５０２は、パッド５１２とすることができる。ある実施形態では、ヘッドレストサブアセンブリ６００は、サポート部材５０１を含むことに加えて、少なくとも１つの磁石５０６及び少なくとも１つのプレート５１１を含むことも可能である。ある実施形態では、少なくとも１つの磁石５０６は、少なくとも１つのポスト５０３の中に位置付けされ得る。ある実施形態では、少なくとも１つのプレート５１１は、ベッセルライニング２００ａとベッセルカバー２００ｂ（例えば、図２Ｇを参照）との間に配設され得る。例えば、少なくとも１つのプレート５１１に関して、図６Ｂを参照されたい。
【０３６３】
しかし、ヘッドレストサブアセンブリ６００では、少なくとも１つのポスト５０３とキャップ５０９との間の物理的な関係は、キャップ５０９が少なくとも１つのポスト５０３の少なくとも一部分の上に及び上方にねじ込むことができるというものとすることができる。例えば、図６Ｂを参照されたい。図６Ｂに示されているように、少なくとも１つのポスト５０３は、外側ネジ部を含むことが可能であり、一方、キャップ５０９は、少なくとも１つのポスト５０３の外側ネジ部に相補的であり得る相補的な内側ネジ部を含むことが可能である。
【０３６４】
ある実施形態では、高さ調節手段は、キャップ５０９を含むことが可能である。ある実施形態では、このキャップ５０９は、少なくとも１つのポスト５０３に連結され得る。ある実施形態では、このキャップ５０９は、少なくとも１つのポスト５０３の外側ネジ山に除去可能にネジ留めすることができる内部内側ネジ山をキャップ５０９が含むことによって、少なくとも１つのポスト５０３に連結され得る。例えば、図６Ｂ及び図６Ｆを参照されたい。この実施形態では、パッド５１２の上側端部の垂直方向の位置、及び／又は、キャップ５０９の上側端部の垂直方向の位置は、上又は下にネジ回す（すなわち、ねじ込む、又は回す）ことによって変化され得る。すなわち、キャップ５０９及び／又はパッド５１２は、少なくともポスト５０３の上で上又は下にねじ込まれ得る。
【０３６５】
ある実施形態では、キャップ５０９の上方視点からの投影は、円形、楕円形、長円形、多角形（丸みを帯びた角部の有無にかかわらない）、正多角形（丸みを帯びた角部の有無にかかわらない）、及び／又は非正多角形（丸みを帯びた角部の有無にかかわらない）などの２Ｄ形状をもたらし得る。ある実施形態では、キャップ５０９のこの２Ｄ形状に関係なく、内側ネジ山が位置付けされ得る、キャップ５０９の内側形状は、上方から見て円形とすることができることに留意されたい。例えば、図６Ｃを参照されたい。
【０３６６】
ヘッドレストサブアセンブリ６００のある実施形態では、少なくとも１つのポスト５０３は、ガス−ディフューザ−チュービング−溝部５０４を含むことが可能であり、１つ又は複数のガス−ディフューザ−チュービング８０１が、ガス−ディフューザ−チュービング−溝部５０４の下を通り、又は、ガス−ディフューザ−チュービング−溝部５０４を通過することができるようになっていることに留意されたい。従って、この構造配置に起因して、いくつかのヘッドレストサブアセンブリ６００の実施形態では、少なくともポスト５０３は、少なくともポスト５０３の底部端部において、２つの脚部５０５を含むことが可能であり、すなわち、ガス−ディフューザ−チュービング−溝部５０４のそれぞれの側に１つの脚部５０５を含むことが可能である。例えば、図６Ｂ及び図６Ａを参照されたい。
【０３６７】
ある実施形態では、２つの脚部５０５のそれぞれは、別々の及び別個のキャップ５０９、すなわち、２つのそのようなキャップ５０９（図示せず）に除去可能に相補的に嵌合するための別々の及び別個の外側ネジ山を含むことが可能である。これは、２つのキャップ５０９とともに、２つのポスト５０３を必要とすることも可能であり、２つのポスト５０３のそれぞれごとに１つの脚部５０５を備えている（図示せず）。そのような実施形態では、高さを変化させることは、ねじ込むことによって、２つのキャップ５０９に対して、２つの脚部５０５のそれぞれを調節することを必要とする可能性がある（図示せず）。ある実施形態では、２つの脚部５０５のそれぞれは、単一のキャップ５０９に除去可能に相補的に嵌合するための外側ネジ山の共有の領域を含むことが可能である。例えば、図６Ａ及び図６Ｂを参照されたい。
【０３６８】
図６Ｇは、示されているヘッドレストサブアセンブリ６５０に関する２つの異なる構成になっている、２つのフェイスソーキングデバイスを並べて示している可能性があり、一方のヘッドレストサブアセンブリ６５０は、下降（低下された）構成で示されており、他方のヘッドレストサブアセンブリ６５０は、アップ（隆起した）構成で示されており、示されているヘッドレストサブアセンブリ６５０は、単一のポスト５０３の実施形態とすることができる。
【０３６９】
図６Ｈは、ヘッドレストサブアセンブリ６５０の上面図であり得、図６Ｈは、２つの断面線、すなわち、断面線６Ｉ−６Ｉ及び断面線６Ｊ−６Ｊを示すものであり得、断面線６Ｉ−６Ｉは、ヘッドレストサブアセンブリ６５０を通る長手方向断面線とすることができ、断面線６Ｊ−６Ｊは、ヘッドレストサブアセンブリ６５０を通る横断幅方向の断面線とすることができる。
【０３７０】
図６Ｉは、ヘッドレストサブアセンブリ６５０を通る断面線６Ｉ−６Ｉに沿った長手方向断面図であり得る。図６Ｊは、ヘッドレストサブアセンブリ６５０を通る断面線６Ｊ−６Ｊに沿った横断幅方向の断面図であり得る。図６Ｊは、詳細６Ｋの領域を示すものであり得、ヘッドレストサブアセンブリ６５０を示すものであり得る。図６Ｋは、詳細６Ｋのクローズアップ図であり得る。
【０３７１】
ある実施形態では、ヘッドレストサブアセンブリ６５０は、サポート部材５０１を含むことが可能である。ある実施形態では、サポート部材５０１は、快適な外側表面５０２を含むことが可能である。ある実施形態では、サポート部材５０１は、少なくとも１つのポスト５０３、キャップ５０９、及び、快適な外側表面５０２を含むことが可能である。例えば、図６Ｋを参照されたい。ある実施形態では、少なくとも１つのポスト５０３は、キャップ５０９に物理的に接触していることが可能である。ある実施形態では、キャップ５０９は、少なくとも１つのポスト５０３の少なくとも一部分をカバーするキャップとすることができる。ある実施形態では、キャップ５０９は、快適な外側表面５０２に物理的に接触していることが可能である。ある実施形態では、快適な外側表面５０２は、キャップ５０９の上側表面の一部分、又は、少なくとも１つのポスト５０３の上側表面の少なくとも一部分を少なくともカバーすることが可能である。ある実施形態では、快適な外側表面５０２は、パッド５１２とすることができる。ある実施形態では、ヘッドレストサブアセンブリ６５０は、サポート部材５０１を含むことに加えて、少なくとも１つの磁石５０６及び少なくとも１つのプレート５１１を含むことも可能である。ある実施形態では、少なくとも１つの磁石５０６は、少なくとも１つのポスト５０３の中に位置付けされ得る。ある実施形態では、少なくとも１つのプレート５１１は、ベッセルライニング２００ａとベッセルカバー２００ｂ（例えば、図２Ｇを参照）との間に配設され得る。例えば、少なくとも１つのプレート５１１に関して、図６Ｋを参照されたい。
【０３７２】
ヘッドレストサブアセンブリ６５０では、少なくとも１つのポスト５０３とキャップ５０９との間の物理的な関係は、キャップ５０９が少なくとも１つのポスト５０３の少なくとも一部分の上に及び上方にねじ込むことができるというものとすることができる。例えば、図６Ｇ及び図６Ｋを参照されたい。少なくとも１つのポスト５０３は、外側ネジ部を含むことが可能であり、一方、キャップ５０９は、少なくとも１つのポスト５０３の外側ネジ部に相補的であり得る相補的な内側ネジ部を含むことが可能である。また、ヘッドレストサブアセンブリ６５０では、１つ又は複数のガス−ディフューザ−チュービング８０１が、少なくとも１つのポスト５０３の周りを通ることが可能であり、少なくとも１つのポスト５０３の下を通らず、又は、少なくとも１つのポスト５０３を通過しないので、ガス−ディフューザ−チュービング−溝部５０４は存在しなくてもよいことに留意されたい。一方、ヘッドレストサブアセンブリ５００のときには、及び、ヘッドレストサブアセンブリ６００のときには、１つ又は複数のガス−ディフューザ−チュービング８０１は、ガス−ディフューザ−チュービング−溝部５０４の下を通り、又は、ガス−ディフューザ−チュービング−溝部５０４を通過することが可能である。１つ又は複数のガス−ディフューザ−チュービング８０１のレイアウト構成に応じて、ガス−ディフューザ−チュービング−溝部５０４の存在又は不存在に関して、例えば、図６Ｇを参照し、図５Ｃ及び図６Ａと比較されたい。
【０３７３】
ある実施形態では、高さ調節手段は、キャップ５０９を含むことが可能である。ある実施形態では、このキャップ５０９は、少なくとも１つのポスト５０３に連結され得る。ある実施形態では、このキャップ５０９は、少なくとも１つのポスト５０３の外側ネジ山に除去可能にネジ留めすることができる内部内側ネジ山をキャップ５０９が含むことによって、少なくとも１つのポスト５０３に連結され得る。例えば、図６Ｇ及び図６Ｋを参照されたい。この実施形態では、パッド５１２の上側端部の垂直方向の位置、及び／又は、キャップ５０９の上側端部の垂直方向の位置は、上又は下にネジ回す（すなわち、ねじ込む、又は回す）ことによって変化され得る。
【０３７４】
ある実施形態では、キャップ５０９の上方視点からの投影は、円形、楕円形、長円形、多角形（丸みを帯びた角部の有無にかかわらない）、正多角形（丸みを帯びた角部の有無にかかわらない）、及び／又は非正多角形（丸みを帯びた角部の有無にかかわらない）などの２Ｄ形状をもたらし得る。ある実施形態では、キャップ５０９のこの２Ｄ形状に関係なく、内側ネジ山が位置付けされ得る、キャップ５０９の内側形状は、円形とすることができることに留意されたい。例えば、図６Ｈを参照されたい。
【０３７５】
図２３Ａは、ヘッドレストサブアセンブリ２３００の例示的な実施形態を示すものであり得、斜視図により示されている。図２３Ｂは、ヘッドレストサブアセンブリ２３００を示すものであり得るが、上面図により示されている。２つの断面線、すなわち、断面線２３Ｃ−２３Ｃ及び断面線２３Ｄ−２３Ｄが、図２３Ｂに示され得る。図２３Ｃは、図２３Ｂからの断面線２３Ｃ−２３Ｃの正面断面図である可能性がある。図２３Ｄは、図２３Ｂからの断面線２３Ｄ−２３Ｄの側断面図である可能性がある。また、ユーザ９０００の頭部の断面が、ヘッドレストサブアセンブリ２３００の一部分の上に置かれている状態で、図２３Ｄに示されている可能性がある。図２３Ｅは、ヘッドレストサブアセンブリ２３００を示すものであり得るが、分解斜視図により示されている。
【０３７６】
フェイスソーキングデバイスの様々な実施形態は、ヘッドレストサブアセンブリ２３００を含むことが可能である。ある実施形態では、ヘッドレストサブアセンブリ２３００は、所与のベッセル（例えば、ベッセル２００）に除去可能に取り付けられ得る。ある実施形態では、ヘッドレストサブアセンブリ２３００は、ユーザ９０００の頭部の一部分を支持するように構成され得、及び／又は、ユーザ９０００がヘッドレストサブアセンブリ２３００の部分の上に彼らの頭部を置くことを可能にするように構成され得る。ある実施形態では、ヘッドレストサブアセンブリ２３００は、サポート部材５０１を含むことが可能である。ある実施形態では、サポート部材５０１は、ユーザ９０００の頭部の一部分を物理的に支持するように構成され得、及び／又は、ユーザ９０００がサポート部材５０１の部分の上に彼らの頭部を置くことを可能にするように構成され得る。
【０３７７】
ある実施形態、例えば、ヘッドレストサブアセンブリ２３００の実施形態では、サポート部材５０１は、細長い部材を含むことが可能である。様々な実施形態では、そのような細長い部材は、追加的な構造体及び／又は幾何学形状を有することが可能である。例えば、及び、本発明の範囲を限定することなく、そのような細長い部材は、ａ）中実であり得る平坦なバー；ｂ）中空であり得る平坦なバー；ｃ）中実であり得る丸みを帯びたバー；ｄ）中空であり得る丸みを帯びたバー；ｅ）ある部分が平坦であり得、他の部分が丸みを帯びていることが可能であるバー；及び／又は、ｆ）ある部分が中空であり得、他の部分が中実であり得るバーなどを含む群から選択され得る。様々な実施形態では、サポート部材５０１のそのような細長い部材は、２つの末端部、すなわち、互いに反対側に配設されている第５の末端部２３０１及び第６の末端部２３０２を含むことが可能である。例えば、図２３Ｅを参照されたい。
【０３７８】
図２３シリーズの図に示されているように、サポート部材５０１は、平坦なロッドとすることができる。サポート部材５０１の平坦なロッドの実施形態は、２つの末端部、すなわち、互いに反対側に配設されている第５の末端部２３０１及び第６の末端部２３０２を含むことが可能である。そのような平坦なロッドは、上側表面２３１１と、上側表面２３１１の反対側に配設されている下側表面２３１２（例えば、図２３Ｄを参照）をさらに含むことが可能である。いくつかの例示的な実施形態では、上側表面２３１１は、完全に平坦でなくてもよく、むしろ、上側表面２３１１は、半径、すなわち、湾曲を含むことが可能であり、それは、凹形又は凸形とすることができる。そのような湾曲は、完全に平坦なロッドの実施形態にわたって、追加的な構造強度をサポート部材５０１に提供することが可能である。ある実施形態では、そのような湾曲は、ユーザ９０００の額の湾曲に相補的とすることができる。
【０３７９】
ある実施形態では、サポート部材５０１の細長い部材は、金属から構築され得、及び／又は、熱成形プラスチックから構築され得る。ある実施形態では、サポート部材５０１の細長い部材は、押し出し加工され、３Ｄプリントされ、及び／又は機械加工され得る。ある実施形態では、サポート部材５０１の細長い部材は、１つ又は複数の熱成形プラスチックから成形され、例えば、射出成形され得る。ある実施形態では、そのような熱成形プラスチック調合物は、剛性及び／又は構造強度を増加させるために、追加的な原料、例えば、ガラス繊維を含むことが可能である。ある実施形態では、サポート部材５０１の細長い部材は、長手方向のリブ部及び／又は横断幅方向のリブ部などのように、様々な追加的な構造補強幾何学形状を有するように成形され得る。ある実施形態では、サポート部材５０１の細長い部材は、中空とすることができる（例えば、図２１シリーズの図の上記議論を参照）。そのような実施形態では、呼吸装置の様々な実施形態の部分は、そのような中空の細長い部材を通過することが可能である。例えば、上記に議論されている図２１シリーズの図を参照されたい。
【０３８０】
ある実施形態では、サポート部材５０１は、快適な外側表面５０２を含むことが可能である。快適な外側表面５０２は、ユーザ９０００の頭部の部分に除去可能に係合するように構成され得る。快適な外側表面５０２は、ユーザ９０００の頭部の部分がサポート部材５０１に除去可能に物理的に接触している可能性のある場所に関して、パッディング及び／又はクッションとしての機能を果たすことが可能である。例えば、図２３シリーズの図を参照されたい。
【０３８１】
ある実施形態では、サポート部材５０１の細長い部材及び快適な外側表面５０２は、互いに一体的になっていることが可能であり、一方、他の実施形態では、快適な外側表面５０２は、サポート部材５０１の細長い部材に取り付けられ得る別々のパーツとすることができる。ある実施形態では、平坦なロッド及び快適な外側表面５０２は、互いに一体的になっていることが可能であり、一方、他の実施形態では、快適な外側表面５０２は、平坦なロッドに取り付けられ得る別々のパーツとすることができる。そのような取り付けは、機械的な締結具、超音波溶着、熱溶着、溶剤結合、及び／又は化学接着剤とすることができる。例えば、及び、本発明の範囲を限定することなく、そのような機械的な締結具は、スナップフィッティング、ＶＥＬＣＲＯもしくはＶＥＬＣＲＯのような締結具（複数のフック及び相補的な複数のループ）、ボタン、摩擦嵌め、スクリュー、ボルト、リベット、クイックリリースバックル、ストラッピング、及び／又はジッパーなどから選択され得る。
【０３８２】
ある実施形態では、快適な外側表面５０２は、第６の末端部２３０２の近位において、平坦なロッドの上側表面２３１１（又は、細長い部材の上側表面２３１１）の上に位置付けされ得る。例えば、及び、本発明の範囲を限定することなく、快適な外側表面５０２は、第５の末端部２３０１よりも第６の末端部２３０２の近くにおいて、上側表面２３１１の上に位置付けされ得る。
【０３８３】
ある実施形態では、快適な外側表面５０２は、第６の末端部２３０２から所定の距離だけ離れるように、第６の末端部２３０２から、上側表面２３１１の上に延在することが可能である。ある実施形態では、そのような距離は、０．２５インチ〜１３インチまで変化することが可能である。他の実施形態では、この距離は、他の寸法とすることができる。ある実施形態では、快適な外側表面５０２は、上側表面２３１１を実質的にカバーすることが可能である。ある実施形態では、快適な外側表面５０２は、上側表面２３１１を部分的にカバーすることが可能である。
【０３８４】
ある実施形態では、快適な外側表面５０２は、所定の長さのチュービングとすることができ、所定の長さのチュービングは、第６の末端部２３０２の上をスライドされ得る。そのような長さのチュービングは、サポート部材５０１の細長い部材の長さと同じであるか、又は、それよりも小さくなっていることが可能である。そのような長さのチュービングは、フォーム材料（例えば、独立気泡は連続気泡よりも例示的である可能性があるが、独立気泡もしくは連続気泡ポリエチレン）、エラストマー材料（例えば、ゴム及び／又はシリコーン）、及び／又は、軟質の熱成形（例えば、押し出し加工された）プラスチック（例えば、PVC）から構築され得る。そのような長さのチュービングは、摩擦嵌め、熱収縮、熱溶着、超音波溶着、溶剤結合、及び化学接着剤結合などのうちの１つ又は複数によって、サポート部材５０１の細長い部材（例えば、平坦なロッド）に取り付けられ得る。
【０３８５】
ある実施形態では、快適な外側表面５０２は、第６の末端部２３０２に、及び、第６の末端部２３０２に近接する領域に、相補的な形状を含むことが可能である。ある実施形態では、第６の末端部２３０２に近接するそのような領域は、０．２５インチ〜１３インチまで変化し、第６の末端部２３０２から離れるように延在することが可能である。他の実施形態では、第６の末端部２３０２に近接するこの領域は、他の寸法とすることができる。例えば、及び、本発明の範囲を限定することなく、第６の末端部２３０２、及び、第６の末端部２３０２に近接する領域は、スプーン形状及び／又はへら形状を含むことが可能であり、表面湾曲は、ユーザ９０００の頭部の部分の湾曲に相補的とすることができる。ある実施形態では、快適な外側表面５０２は、ユーザ９０００の頭部の部分の湾曲に相補的に形状決めされ得る。
【０３８６】
ある実施形態では、サポート部材５０１は、高さ調節手段と、前後調節手段（例えば、スロット２３２０）の少なくとも一部分とを含むことが可能である。ある実施形態では、高さ調節手段は、サポート部材５０１の２つの末端部（例えば、第５の末端部２３０１及び第６の末端部２３０２）の間に配設されて位置付けされ得る。ある実施形態では、前後調節手段の少なくとも一部分は、第５の末端部２３０１に近接して位置付けされ得る。例えば、及び、本発明の範囲を限定することなく、前後調節手段の少なくとも一部分は、第６の末端部２３０２よりも第５の末端部２３０１の近くに位置付けされ得る。例えば、図２３Ｅを参照されたい。
【０３８７】
ある実施形態では、高さ調節手段は、平坦なロッド（又は、サポート部材５０１の細長い部材）の中にベンド２３１５を含むことが可能であり、サポート部材５０１がベッセル２００に除去可能に取り付けられ得るときに、第６の末端部２３０２が、少なくとも１つのベース２１５に向けて（又は、底部内側表面２１７に向けて下へ）角度を付けられ得るようになっている。例えば、図２３Ｄを参照されたい。ベンド２３１５は、角度２３８０によって特徴付けられ得る（画定され得る）。そのようなベンド２３１５は、サポート部材５０１が複数の異なるサイズの頭部に対処することを可能にすることができることに留意されたい。すなわち、より大きい頭部は、サポート部材５０１の上においてより高くに置かれ得、一方、より小さい頭部は、少なくとも１つのベース２１５のより近くに、サポート部材５０１の上にさらに下に置かれ得る。
【０３８８】
ある実施形態では、サポート部材５０１は、角度２３８０を含むことが可能である。例えば、図２３Ｄを参照されたい。ある実施形態では、角度２３８０は、第６の末端部２３０２の下側表面２３１２と第５の末端部２３０１の下側表面２３１２との間に形成され得、ベンド２３１５は、角度２３８０の頂点に位置付けされている。ある実施形態では、角度２３８０は、第６の末端部２３０２の下側表面と第５の末端部２３０１の下側表面との間で、１８０度よりも小さく、かつ、９０度よりも大きく測定され得る。
【０３８９】
代替的に、対応する角度は、９０度よりも小さく測定され得、対応する角度は、第６の末端部２３０２に近接する上側表面２３１１と、第５の末端部２３０１に近接する上側表面２３１１の一部分と共線的（collinear）であり得る平面との間にあるものとして測定され得る。例えば、及び、本発明の範囲を限定することなく、対応する角度が６０度であり得る場合には、角度１５８０は１２０度とすることができる。
【０３９０】
ある実施形態では、前後調節手段の少なくとも一部分は、平坦なロッドの中に（又は、サポート部材５０１の細長い部材の中に）位置付けされているスロット２３２０を含むことが可能である。ある実施形態では、スロット２３２０は、前後調節手段の要素とすることができるというだけでなく、スロット２３２０は、サポート部材５０１の構造要素であることも可能である。ある実施形態では、スロット２３２０は、平坦なロッド（又は、サポート部材５０１の細長い部材）の経線に平行に延びていることが可能である。ある実施形態では、スロット２３２０は、第５の末端部２３０１に近接していることが可能であり、すなわち、スロット２３２０は、第６の末端部２３０２よりも第５の末端部２３０１の近くにあることが可能である。例えば、図２３Ｅを参照されたい。ある実施形態では（図示せず）、スロット２３２０は、実質的にサポート部材５０１の長さに沿って延びていることが可能である。また、ある実施形態では、前後調節手段は、摩擦クランプ２３２２を含むことが可能である。ある実施形態では、摩擦クランプ２３２２の一部分は、スロット２３２０の開口を通過し、サポート部材５０１をベッセルに取り付けるように構成され得る。例えば、図２３Ａ及び図２３Ｅを参照されたい。
【０３９１】
ある実施形態では、摩擦クランプ２３２２は、ユーザ係合フランジ２３２３に取り付けられているネジ山付きのボルト２３２１（又は、ネジ山付きのスクリュー２３２１）を含むことが可能である。ある実施形態では、ネジ山付きのボルト２３２１（又は、ネジ山付きのスクリュー２３２１）及びユーザ係合フランジ２３２３は、互いに一体的になっていることが可能である。ある実施形態では、ネジ山付きのボルト２３２１（又は、ネジ山付きのスクリュー２３２１）は、外側ネジ部を含むことが可能である。ある実施形態では、ネジ山付きのボルト２３２１（もしくは、ネジ山付きのスクリュー２３２１）又はその一部分は、スロット２３２０の開口を通過するように構成され得る。ある実施形態では、ユーザ係合フランジ２３２３は、ユーザ９０００によって把持されるように構成され得る。ある実施形態では、ユーザ係合フランジ２３２３は、ユーザ係合フランジ２３２３を把持しているユーザ９０００によって回転されるように構成され得、それは、次いで、ネジ山付きのボルト２３２１（又は、ネジ山付きのスクリュー２３２１）を回転させることが可能である。ある実施形態では、ユーザ係合フランジ２３２３は、ユーザ係合フランジ２３２３のフランジの周囲部の周りに、１対の（例えば、ウイングボルトの中にあるような）ウイング、及び／又は起伏を含むことが可能であり、起伏は、把持することを容易にすることが可能である。
【０３９２】
ある実施形態では、前後調節手段は、ベッセル（例えば、ベッセル２００）への取り付けの場所をさらに含むことが可能である。ある実施形態では、ベッセルへの取り付けの場所は、ベッセル（例えば、ベッセル２００）の中へのネジ山付きの孔部２３３０を含むことが可能である。ある実施形態では、ネジ山付きの孔部２３３０は、ネジ山付きのボルト２３２１の外側ネジ部に相補的であり得る相補的な内側ネジ部を含むことが可能である。例えば、図２３Ｅを参照されたい。ある実施形態では、ネジ山付きの孔部２３３０は、ネジ山付きのボルト２３２１を受け入れるように構成され得、ネジ山付きのボルト２３２１が、ネジ山付きの孔部２３３０の中へ、及び、ネジ山付きの孔部２３３０から外へ、ネジ回しされ得るようになっている。
【０３９３】
ある実施形態では、ベッセルへの取り付けの場所は、ベッセル（例えば、ベッセル２００）の少なくとも１つの側壁２０５のリム２２５のルーフ２３４０の上にあることが可能である。例えば、図２３Ｅを参照されたい。ある実施形態では、ルーフ２３４０は、リム２２５の上側外側表面又はその一部分とすることができる。ある実施形態では、ルーフ２３４０は、ベッセル２００の内部容積２２０の底部内側表面２１７に関して、実質的に水平方向の平坦な構造体とすることができる。ある実施形態では、ルーフ２３４０は、スロープを含むことが可能である。
【０３９４】
ある実施形態では、ルーフ２３４０は、機械的なコンパートメント２５１に対するルーフとすることができる。例えば、図２３Ｅを参照されたい。ある実施形態では、機械的なコンパートメント２５１は、外壁面２０２と内壁面２０３との間に配設されているコンパートメントとすることができる。ある実施形態では、機械的なコンパートメント２５１は、ベッセルライニング２００ａとベッセルカバー２００ｂとの間に配設されているコンパートメントとすることができる。いくつかの例示的な実施形態では、機械的なコンパートメント２５１は、ネック−ガスケット−アコモデータ３３５の反対側に配設され、ベッセルライニング２００ａとベッセルカバー２００との間に配設され得る。ある実施形態では、機械的なコンパートメント２５１は、ベッセルカバー２００ｂの第２の側壁２０７の外側部分とベッセルライニング２００ａの第２の側壁２０７の内側部分との間に形成され得る。例えば、図１Ｂ及び図５Ｇを参照されたい。ある実施形態では、この機械的なコンパートメント２５１は、電子機器の少なくともいくつかの部分（例えば、コントローラ１１００及び圧縮機１１１０）、及び、フェイスソーキングデバイス１００の空気ラインチュービング８１９のいくつかの部分を収納することが可能である。ある実施形態では、機械的なコンパートメント２５１は、外壁面２０２に位置付けされているアクセスドアを含むことが可能である（このアクセスドアは図示されていない）。
【０３９５】
ある実施形態では、ルーフ２３４０は、凹んだチャネル２３５０を含むことが可能である。例えば、図２３Ｅを参照されたい。ある実施形態では、凹んだチャネル２３５０は、スロット２３２０を含むことが可能であるサポート部材５０１の一部分を受け入れるように構成され得る。ある実施形態では、凹んだチャネル２３５０は、サポート部材５０１の横断方向の幅、例えば、第５の末端部２３０１に近接するサポート部材５０１の横断方向の幅にフィットするように構成されている横断方向の幅を含むことが可能である。ある実施形態では、凹んだチャネル２３５０は、ネジ山付きの孔部２３３０を含むことが可能である。例えば、図２３Ｅを参照されたい。ある実施形態では、凹んだチャネル２３５０は、ルーフ２３４０と一体的に成形され得る。ある実施形態では、凹んだチャネル２３５０の経線は、ネック−ガスケット−アコモデータ３３５から、ネック−ガスケット−アコモデータ３３５の正反対側の少なくとも１つの壁部２０１（例えば、少なくとも１つの側壁２０５）へ、直線状に中心を延びる線に平行になっていることが可能である。ある実施形態では、サポート部材５０１が、スロット２３２０を通りネジ山付きの孔部２３３０の中へ通過するネジ山付きのボルト２３２１によって、凹んだチャネル２３５０に取り付けられ得るときには、サポート部材５０１は、ユーザ９０００にとって所望の位置まで、凹んだチャネル２３５０の中を、前方又は後方のいずれかにスライドすることが可能である。摩擦クランプ２３２２が緩くなり得るときには、サポート部材５０１は、前後方向に調節可能であり得る。サポート部材５０１の中のベンド２３１５及び／又は角度２３８０に起因して、前後方向への調節は、また、ユーザ９０００の頭高さの好みに関して調節するように機能することが可能である。ユーザ９０００は、（例えば、スロット２３２０及び摩擦クランプ２３２２を使用して）単一の調節を行うことが可能であり、それは、前後調節及び高さ調節の両方をもたらすことが可能であり、それは、前後調節及び高さ調節の両方をもたらすことが可能であり、それは、様々なユーザ９０００の異なるサイズの頭部が支持されること、及び／又は、上側表面２３１１及び／又は快適な外側表面５０２の様々な場所の上に彼らのそれぞれの異なるサイズの頭部を置くことを可能にすることができる。摩擦クランプ２３２２が締められ得るとき、サポート部材５０１が、所与のユーザ９０００にとって特定の所望の位置において、適切な場所に固定され得る。ある実施形態では、摩擦クランプ２３２２を締めること又は緩めることは、ユーザ９０００がユーザ係合フランジ２３２３を回す（回転させる）ことによって達成され得る。ある実施形態では、ユーザ係合フランジ２３２３を時計回りに回すことは、摩擦クランプ２３２２を締めることが可能であり、一方、ユーザ係合フランジ２３２３を反時計回りに回すことは、摩擦クランプ２３２２を緩めることが可能である。ある実施形態では、ユーザ係合フランジ２３２３を反時計回りに回すことは、摩擦クランプ２３２２を締めることが可能であり、一方、ユーザ係合フランジ２３２３を時計回りに回すことは、摩擦クランプ２３２２を緩めることが可能である。
【０３９６】
ある実施形態では、前後調節手段は、カバー２３７０をさらに含むことが可能である。例えば、図２３Ｅ及び図２３Ａを参照されたい。組み立てられときに、カバー２３７０は、摩擦クランプ２３２２とサポート部材５０１との間に配設され得る。カバー２３７０は、スロット２３２０をカバーすることが可能である。カバー２３７０は、凹んだチャネル２３５０に固定して取り付けることが可能である。また、ある実施形態では、カバー２３７０は、凹んだチャネル２３５０の上にフィットするように構成され得る。カバー２３７０は、ネジ山付きのボルト２３２１の通過を可能にするのに十分に大きいセンター孔２３７５を含むことが可能である。センター孔２３７５は、ある実施形態では、ネジ山付きのボルト２３２１を受け入れるように、ネジ山を付けられ得る（例えば、内側のネジ山を付けられている）。センター孔２３７５は、ある実施形態では、ネジ山を付けられていなくてもよいが、センター孔２３７５がネジ山付きのボルト２３２１の外径よりも大きい内径を有することによって、センター孔２３７５を通過するネジ山付きのボルト２３２１を受け入れることが可能である。ある実施形態では、摩擦クランプ２３２２を締めると、カバー２３７０がサポート部材５０１を押し、ユーザ９０００にとって所与の所望の位置にサポート部材５０１を固定することが可能である。
【０３９７】
ある実施形態では、ルーフ２３４０は、スリーブを含むことが可能である。このスリーブは、凹んだチャネル２３５０がそうでなければルーフ２３４０の中に位置付けされた可能性のある場所に位置付けされ得る。このスリーブは、凹んだチャネル２３５０として機能することが可能であり、カバー２３７０は、一緒に機能することが可能である。このスリーブは、凹んだチャネル２３５０及びカバー２３７０の構造及び機能性の両方を組み合わせることが可能である。このスリーブは、サポート部材５０１の一部分の境界を定めるように構成され得、それは、スロット２３２０を含むことが可能である。このスリーブは、ネジ山付きの孔部２３３０、及び、スリーブの中の対向する上側孔部を含むことが可能である。ある実施形態では、ネジ山付きの孔部２３３０及び対向する上側孔部は、共線的とすることができる。スロット２３２０を備える第５の末端部２３０１及びサポート部材５０１の部分は、このスリーブのメインキャビティの中へスライドして通ることが可能である。このメインキャビティの経線は、ネジ山付きの孔部２３３０及び対向する上側孔部を通過する共線的な線に対して垂直とすることができる。
【０３９８】
ある実施形態では、このスリーブは、ルーフ２３４０に取り付けられるか、又は、凹んだチャネル２３５０に取り付けられ得る、単一の成形されたパーツとすることができる。ある実施形態では、このスリーブは、凹んだチャネル２３５０及びカバー２３７０を含むことが可能であり、対向する上側孔部及びセンター孔２３７５は、共線的とすることができる。ある実施形態では、このスリーブは、例えば、ルーフ２３４０の一体的コンポーネントとして、ベッセル２００と一体的に成形され得る。
【０３９９】
ある実施形態では、このスリーブの経線は、ネック−ガスケット−アコモデータ３３５から、ネック−ガスケット−アコモデータ３３５の正反対側の少なくとも１つの壁部２０１（例えば、少なくとも１つの側壁２０５）へ、直線状に中心を延びる線に平行になっていることが可能である。対向する上側孔部を通って、次いでスロット２３２０の中へ通過し、次いで、最後にネジ山付きの孔部２３３０の中へねじ込まれる、ネジ山付きのボルト２３２１によって、サポート部材５０１がこのスリーブに取り付けられ得るときには、サポート部材５０１は、ユーザ９０００の所望の位置まで、前方又は後方のいずれかにスライドされることが可能である。摩擦クランプ２３２２が緩くなり得るときには、サポート部材５０１は、前後方向に調節可能であり得る。サポート部材５０１の中のベンド２３１５及び／又は角度２３８０に起因して、前後方向への調節は、また、ユーザ９０００の頭高さの好みに関して調節するように機能することが可能である。ユーザ９０００は、（例えば、スロット２３２０及び摩擦クランプ２３２２を使用して）単一の調節を行うことが可能であり、それは、前後調節及び高さ調節の両方をもたらすことが可能であり、それは、様々なユーザ９０００の異なるサイズの頭部が支持されること、及び／又は、上側表面２３１１及び／又は快適な外側表面５０２の様々な場所の上に彼らのそれぞれの異なるサイズの頭部を置くことを可能にすることができる。摩擦クランプ２３２２が締められ得るとき、サポート部材５０１は、所望の位置において、適切な場所に固定され得る。ある実施形態では、対向する上側孔部は、摩擦圧力が摩擦クランプ２３２２からサポート部材５０１へ加えられることを可能にするのに十分に大きくなっていることが可能である。ある実施形態では、摩擦クランプ２３２２を締めること又は緩めることは、ユーザ９０００がユーザ係合フランジ２３２３を回す（回転させる）ことによって達成され得る。ある実施形態では、ユーザ係合フランジ２３２３を１つの方向に回すことは、摩擦クランプ２３２２を締めることが可能であり、一方、ユーザ係合フランジ２３２３を反対側方向に回すことは、摩擦クランプ２３２２を緩めることが可能である。
【０４００】
ベンド２３１５の角度に起因して、ユーザ９０００の頭部が上側表面２３１１（及び／又は快適な外側表面５０２）の上に除去可能に置かれている可能性のあるときには、フェイスソーキングデバイスがユーザ９０００から離れるようにスライドする可能性があり得る。すなわち、ユーザ９０００の重量は、ユーザ９０００から離れるように水平方向に方向付けされた力ｆｘを部分的にもたらす可能性があり、それが、（液体１０１を含む）フェイスソーキングデバイスの摩擦力及び重量に打ち勝つのに十分である場合には、フェイスソーキングデバイスは、ユーザ９０００から離れるようにスライドする可能性がある。例えば、図２３Ｆを参照されたい。
【０４０１】
図２４シリーズの図に示されているヘッドレストサブアセンブリ２４００の実施形態は、ヘッドレストサブアセンブリ２３００のこの潜在的なスライディング問題に対する解決策を提供することが可能である。ある実施形態では、ヘッドレストサブアセンブリ２４００は、ヘッドレストサブアセンブリ２３００を交換することが可能である。例えば、図２４Ａ、図２４Ｂ、図２４Ｃ、及び図２４Ｄを参照されたい。
【０４０２】
図２４Ａは、ヘッドレストサブアセンブリ２４００を備えるフェイスソーキングデバイスの組み立てられた全体的な斜視図であり得る。図２４Ｂは、ヘッドレストサブアセンブリ２４００を示すものであり得るが、ヘッドレストサブアセンブリ２４００の一部分が、上向きに傾けられている。図２４Ｃは、ヘッドレストサブアセンブリ２４００を示すものであり得るが、上面図によるものである。図２４Ｄは、ヘッドレストサブアセンブリ２４００を示すものであり得るが、機械的なコンパートメント２５１の中の透視図を示している。
【０４０３】
フェイスソーキングデバイスのある実施形態では、フェイスソーキングデバイスは、ヘッドレストサブアセンブリ２４００を含むことが可能である。ある実施形態では、ヘッドレストサブアセンブリ２４００は、サポート部材５０１及び少なくとも１つの長手方向サポート２４２０を含むことが可能である。ある実施形態では、サポート部材５０１は、横断方向頭部サポート部材２４１０を含むことが可能である。ある実施形態では、ヘッドレストサブアセンブリ２４００は、横断方向頭部サポート部材２４１０及び少なくとも１つの長手方向サポート２４２０を含むことが可能である。例えば、図２４Ａを参照されたい。ある実施形態では、横断方向頭部サポート部材２４１０は、リジッドからセミリジッドとすることができる。ある実施形態では、横断方向頭部サポート部材２４１０は、丸棒から作製され得る。ある実施形態では、少なくとも１つの長手方向サポート２４２０は、リジッドからセミリジッドとすることができる。
【０４０４】
ある実施形態では、横断方向頭部サポート部材２４１０は、ユーザ９０００の頭部の少なくとも一部分を支持するためのものとすることができる。ある実施形態では、横断方向頭部サポート部材２４１０は、フェイスソーキングデバイスの前面から後面へ延びる線に対して実質的に垂直になっていることが可能である。所与のフェイスソーキングデバイスの前面は、後面よりもベッセルネックガスケット（例えば、ベッセルネックガスケット３４０）の近くにあることが可能であり、後面は、前面の反対側に配設され得る。
【０４０５】
ある実施形態では、少なくとも１つの長手方向サポート２４２０は、横断方向頭部サポート部材２４１０に連結され得る。例えば、図２４Ａを参照されたい。ある実施形態では、少なくとも１つの長手方向サポート２４２０は、横断方向頭部サポート部材２４１０に対して構造的支持を提供することが可能である。ある実施形態では、少なくとも１つの長手方向サポート２４２０は、横断方向頭部サポート部材２４１０に加えられる負荷を担持することが可能である。ある実施形態では、少なくとも１つの長手方向サポート２４２０は、２つの対向する端部、すなわち、第１の端部２４２１及び第２の端部２４２２を含むことが可能であり、第２の端部２４２２は、少なくとも１つの壁部２０１に物理的に接触していることが可能であり、又は、少なくとも１つの壁部２０１の中を通っていることが可能である。ある実施形態では、この第２の端部２４２２は、機械的なコンパートメント２５１の中にアンカー固定され得る。第２の端部２４２２に関して、図２４Ｄを参照されたい。ある実施形態では、少なくとも１つの壁部２０１（例えば、後面壁）は、垂直方向のスロット２４５１を含むことが可能であり、垂直方向のスロット２４５１は、少なくとも１つの長手方向サポート２４２０に、機械的なコンパートメント２５１へのアクセスを提供することが可能である。例えば、図２４Ａを参照されたい。ある実施形態では、ヘッドレストサブアセンブリ２４００は、所与のフェイスソーキングデバイスの実施形態の内部容積２２０の中に、完全にではないが、実質的に位置付けされ得る。例えば、及び、本発明の範囲を限定することなく、ノブ２４４３は、内部容積２２０の外側に位置付けされ得る。又は、メンテナンス及び／又は調節の間に、ヘッドレストサブアセンブリ２４００の部分は、内部容積２２０から外へ傾けられ得る（及び／又は除去され得る）。例えば、図２４Ｂを参照されたい。そして、少なくとも１つの長手方向サポート２４２０の第２の端部２４２２は、機械的なコンパートメント２５１の中に位置付けされ得る（図２４Ｄを参照）。
【０４０６】
図２４Ａに戻って見ると、ある実施形態では、横断方向頭部サポート部材２４１０は、湾曲した細長い部材とすることができる。ある実施形態では、横断方向頭部サポート部材２４１０の湾曲した細長い部材の湾曲は、フェイスソーキングデバイスのベッセルの内部容積２２０の中へ湾曲することが可能である。ある実施形態では、横断方向頭部サポート部材２４１０は、少なくとも１つの快適な外側表面５０２を含むことが可能である。ある実施形態では、少なくとも１つの快適な外側表面５０２は、クッション又は軟質の材料のうちの１つ又は複数を含むことが可能である。ある実施形態では、クッション又は軟質の材料は、少なくとも１つの快適な外側表面５０２の上側表面の上に配設され、ユーザ９０００の頭部の一部分にパッディングを提供する。例えば、図２４Ａを参照されたい。
【０４０７】
ある実施形態では、少なくとも１つの長手方向サポート２４２０は、フェイスソーキングデバイスの前面から後面へ延びる線に実質的に平行になっていることが可能である。ある実施形態では、少なくとも１つの長手方向サポート２４２０は、実質的に、細長い部材とすることができる。ある実施形態では、少なくとも１つの長手方向サポート２４２０は、実質的に、「Ｌ」字形状の細長い部材とすることができる。ある実施形態では、少なくとも１つの長手方向サポート２４２０の中に「Ｌ」字を形成する、ベンドの近位の領域は、スプリングヒンジとして動作するように、実質的に平坦になっていることが可能である。ある実施形態では、（少なくとも１つの長手方向サポート２４２０の）第２の端部２４２２は、キャビティ２４６１の中に、機械的なコンパートメント２５１の中に、又は、機械的なコンパートメント２５１の中のキャビティ２４６１の中に受け入れられ得る。図２４Ｄを参照されたい。ある実施形態では、このキャビティ２４６１は、フェイスソーキングデバイスのベッセルの機械的なコンパートメント２５１の中に（又は、機械的なコンパートメント２５１に物理的に接触している状態で、又は、機械的なコンパートメント２５１の近位であるが、前面よりも後面の近くに）位置付けされ得る。ある実施形態では、このキャビティ２４６１の経線は、フェイスソーキングデバイスがその上に位置付けされ得る地面（基板）に対して実質的に垂直方向に配向され得る。ある実施形態では、このキャビティ２４６１のこの経線は、少なくとも１つのベース２１５の表面に対して実質的に垂直方向に（すなわち、少なくとも１つのベース２１５の表面に対して実質的に垂直に）配向され得る。ある実施形態では、このキャビティ２４６１のサイズ（直径及び経線）は、第２の端部２４２２（少なくとも１つの長手方向サポート２４２０）との、又は、第２の端部２４２２（少なくとも１つの長手方向サポート２４２０）の近接距離内にある少なくとも１つの長手方向サポート２４２０の領域との、摩擦圧入を形成するようにサイズ決めされ得る。例えば、図２４Ｄを参照されたい。ある実施形態では、この近接距離は、５インチ以内、６インチ以内、７インチ以内、及び８インチ以内などとすることができる。
【０４０８】
ある実施形態では、少なくとも１つの長手方向サポート２４２０は、２つの長手方向サポート２４２０、すなわち、第１の長手方向サポート２４２０及び第２の長手方向サポート２４２０を含むことが可能である。例えば、図２４Ａを参照されたい。そのような実施形態では、横断方向頭部サポート部材２４１０は、対向する端部を含むことが可能であり、それぞれの対向する端部は、２つの長手方向サポート２４２０のそれぞれの一部分に（スライド可能に）連結され得る。ある実施形態では、２つの長手方向サポート２４２０は、互いに実質的に平行になっていることが可能である。２つの長手方向サポート２４２０を備える実施形態では、２つのカップリング２４３０、２つの垂直方向のスロット２４５１、及び、少なくとも１つの長手方向サポート２４２０の第２の端部を収容する２つのキャビティが存在し得ることに留意されたい。例えば、図２４Ａを参照されたい。
【０４０９】
ある実施形態では、ヘッドレストサブアセンブリ２４００は、少なくとも１つの長手方向サポート２４２０の経線に沿って横断方向頭部サポート部材２４１０の場所を除去可能に設定するための前後調節手段を含むことが可能である。ある実施形態では、この前後調節手段は、カップリング２４３０を含むことが可能であり、カップリング２４３０は、少なくとも１つの長手方向サポート２４２０を横断方向頭部サポート部材２４１０に接続することが可能である。例えば、図２４Ａを参照されたい。ある実施形態では、横断方向頭部サポート部材２４１０の端部は、カップリング２４３０に取り付けられ得る。ある実施形態では、カップリング２４３０への横断方向頭部サポート部材２４１０の端部の取り付けのこのポイントは、自由に回転可能なヒンジとすることができ、カップリング２４３０（及び、少なくとも１つの長手方向サポート２４２０）に対する横断方向頭部サポート部材２４１０の自由な揺動運動を可能にする。ある実施形態では、カップリング２４３０は、少なくとも１つの長手方向サポート２４２０の一部分を受け入れるための受け入れ孔部２４３１を含むことが可能である。ある実施形態では、受け入れ孔部２４３１は、少なくとも１つの長手方向サポート２４２０の経線に沿ったカップリング２４３０のスライドを可能にするようにサイズ決めされ得る（例えば、直径）。ある実施形態では、受け入れ孔部２４３１は、少なくとも１つの長手方向サポート２４２０の経線に沿ったカップリング２４３０の摩擦スライドを可能にするようにサイズ決めされ得る。ある実施形態では、カップリング２４３０は、少なくとも１つの長手方向サポート２４２０の部分に除去可能に摩擦を加えることによって、場所を設定するためのセットスクリュー２４３５を含むことが可能である。セットスクリュー２４３５を締めることは、少なくとも１つの長手方向サポート２４２０の経線に沿ったカップリング２４３０のスライドを防止又は最小化することが可能である。例えば、図２４Ａを参照されたい。
【０４１０】
ある実施形態では、カップリング２４３０は、少なくとも１つの長手方向サポート２４２０の部分に除去可能に摩擦を加えることによって、場所を設定するためのばね荷重式のセットピン（図示せず）を含むことが可能である。そのようなばね荷重式のセットピンは、セットスクリュー２４３５の代替例とすることができる。そのようなばね荷重式のセットピンは、２つの動作状態、すなわち、静止状態及び押圧状態を有することが可能である。静止状態では、スプリングは、ばね荷重式のセットピンに、少なくとも１つの長手方向サポート２４２０の部分に対して圧力を及ぼさせることが可能である。押圧状態では、ばね荷重式のセットピンの外側が、ユーザ９０００によって押され、スプリングを圧縮し、少なくとも１つの長手方向サポート２４２０の部分に対する圧力を解放することが可能である。ある実施形態では、少なくとも１つの長手方向サポート２４２０は、複数の孔部（図示せず）を含むことが可能であり、その複数の孔部は、様々な間隔を置いて配置されており、静止状態にあるときにばね荷重式のセットピンのピンを除去可能に受け入れいるためのものである。ばね荷重式のセットピンは、図２４シリーズの図面（図）には示されていない可能性があることに留意されたい。
【０４１１】
ある実施形態では、ヘッドレストサブアセンブリ２４００は、フェイスソーキングデバイスがその上に位置付けされ得る地面（すなわち、基板）に対して横断方向頭部サポート部材２４１０の垂直方向の場所を除去可能に設定するための高さ調節手段を含むことが可能である。ある実施形態では、ヘッドレストサブアセンブリ２４００は、少なくとも１つのベース２１５の表面（すなわち、底部内側表面２１７）に対して横断方向頭部サポート部材２４１０の垂直方向の場所を除去可能に設定するための高さ調節手段を含むことが可能である。
【０４１２】
ある実施形態では、高さ調節手段は、セットボルト２４４１（ノブ２４４３の一部として）及びヘッドレスト−ブレーキ２４４５を含むことが可能である。図２４Ｄを参照されたい。ある実施形態では、このヘッドレスト−ブレーキ２４４５は、機械的なコンパートメント２５１の中に位置付けされ得る。ある実施形態では、このヘッドレスト−ブレーキ２４４５は、平坦なバーとすることができ、ベッセルの横断方向の幅に平行な経線を有する。ある実施形態では、このヘッドレスト−ブレーキ２４４５は、ノブ２４４３のセットボルトのネジ山付きの部分（外側ネジ部）を受け入れるようにサイズ決めされている中央のネジ山付きの孔部（内側のネジ山を付けられている）を含むことが可能である。ある実施形態では、このヘッドレスト−ブレーキ２４４５は、上側表面２４４６を含み、第１の端部２４２１から離れるように配設されている少なくとも１つの長手方向サポート２４２０の領域を支持することが可能である。ある実施形態では、ノブ２４４３を回すことは、回転の方向に応じて、少なくとも１つのベース２１５の表面に対して、このヘッドレスト−ブレーキ２４４５を垂直方向に上昇又は低下させることが可能であり、そして、それは、少なくとも１つの長手方向サポート２４２０を上昇又は低下させることが可能である。その理由は、少なくとも１つの長手方向サポート２４２０の部分はこのヘッドレスト−ブレーキ２４４５の端部の上に置かれている可能性があるからである。例えば、図２４Ｄを参照されたい。
【０４１３】
ある実施形態では、このセットボルト２４４１は、ルーフ２３４０の外側において、機械的なコンパートメント２５１の外側に位置付けされているノブ２４４３を含むことが可能である。ある実施形態では、このセットボルトのネジ山付きの部分２４４２のいくらかは、ルーフ２３４０のセンター孔を通過することが可能であり、ノブ２４４３が機械的なコンパートメント２５１の外側にあるままになっている。図２４Ｄを参照されたい。ある実施形態では、ノブ２４４３は、ユーザ９０００によって把持されるときに摩擦を提供する周囲部幾何学形状を含むことが可能である。例えば、及び、本発明の範囲を限定することなく、この周囲部幾何学形状は、指の窪み、交互のリッジ部、及び起伏などを含むことが可能である。このセットボルト２４４１は、摩擦クランプ２３２２の構造体と実質的に同様とすることができる。
【０４１４】
図２５シリーズの図は、図２５Ａから図２５Ｈを含むことが可能である。これらの図２５シリーズの図は、様々なヘッドレストサブアセンブリの実施形態（例えば、２５００、２５４０、２５５０、及び２５６０）を示すものであり得る。
【０４１５】
図２５Ａは、代替的な実施形態ヘッドレストサブアセンブリ２５００を備えるフェイスソーキングデバイスを示すものであり得、上面斜視図により示されている。図２５Ｂは、ヘッドレストサブアセンブリ２５００を示すものであり得、上面斜視図により示されている。図２５Ｃは、ヘッドレストサブアセンブリ２５００を示すものであり得るが、上面斜視分解図により示されている。
【０４１６】
ある実施形態では、ヘッドレストサブアセンブリ２５００は、サポート部材５０１（又は、ストラップ）と、サポート部材５０１に連通している快適な外側表面５０２とを含むことが可能である。ある実施形態では、ヘッドレストサブアセンブリ２５００は、高さ調節手段を含むことが可能である。ある実施形態では、高さ調節手段は、少なくとも１つのストラット２５１１を含むことが可能である。それぞれのストラット２５１１は、第３の末端部２５１２と、第３の末端部２５１２の反対側に配設されている第４の末端部２５１３とを含むことが可能である。第３の末端部２５１２は、サポート部材５０１又はストラップに接続され得る。第４の末端部２５１３は、少なくとも１つの壁部２０１又は少なくとも１つのベース２１５に接続され得る。ある実施形態では、少なくとも１つのストラット２５１１は、２つのストラット２５１１とすることができる。ある実施形態では、少なくとも１つのストラット２５１１は、内部体積２２０の中に据え付けられたときに、垂直方向又は実質的に垂直方向になっていることが可能である。ある実施形態では、少なくとも１つのストラット２５１１は、内部容積２２０の中に据え付けられたときに、水平方向又は実質的に水平方向になっていることが可能である。
【０４１７】
ある実施形態では、所与のストラット２５１１の第４の末端部２５１３は、外壁面２０２に、内壁面２０３に、及び／又は、底部内側表面２１７に接続することが可能である。例えば、及び、本発明の範囲を限定することなく、第４の末端部２５１３は、少なくとも１つのベース２１５の内側表面（底部内側表面２１７）に、又は、内壁面２０３のうちの１つに、接続することが可能である。ある実施形態では、第４の末端部２５１３が内壁面２０３のうちの１つに接続することができる場合には、少なくとも１つのストラット２５１１は、水平方向又は実質的に水平方向になっていることが可能である。
【０４１８】
例えば、及び、本発明の範囲を限定することなく、第４の末端部２５１３は、少なくとも１つの外側側壁２０２に接続することが可能である。
【０４１９】
ある実施形態では、第４の末端部２５１３の接続ポイント、及び、ベッセル２００の壁部２０１の接続ポイントは、内壁面２０３であるか又は外壁面２０２であるかにかかわらず、ストラット取り付け手段２５３０を介するものとすることができる。
【０４２０】
ある実施形態では、ヘッドレストサブアセンブリ２５００は、ストラット取り付け手段２５３０を含むことが可能である。ストラット取り付け手段２５３０は、第４の末端部２５１３をベッセル２００の少なくとも１つの壁部２０１に接続するように構成され得る。ある実施形態では、ストラット取り付け手段２５３０は、ウイングボルト２５３１と、このウイングボルト２５３１を受け入れるための、少なくとも１つのストラット２５１１を通る内側のネジ山付きの孔部とを含むことが可能である。例えば、図２５Ｂ及び図２５Ｃを参照されたい。
【０４２１】
ある実施形態では、ストラット取り付け手段２５３０は、第４の末端部２５１３をベッセル２００の少なくとも１つのベース２１５に接続するように構成され得る。
【０４２２】
ある実施形態では、ストラット取り付け手段２５３０は、トラック及び相補的なフランジシステムを含むことが可能である。例えば、トラックは、外壁面２０２又は内壁面２０３の上に位置付けされ得、フランジは、第４の末端部２５１３にあることが可能である。フランジは、トラックによって受け入れられて捕えられており、トラックの溝部に沿ってスライドすることが可能である。トラック及びフランジの実施形態に関して、図２６Ａ及び図２６Ｅを参照されたい。
【０４２３】
ある実施形態では、ストラット取り付け手段２５３０は、枢動可能なロッキング手段２５２０を含むことが可能である。ある実施形態では、ウイングボルト２５３１は、摩擦クランプ２５２２のウイングボルトと同じコンポーネントとすることができる。図２５Ｄの議論の後に下記に議論されている図２５Ｆから図２５Ｈを参照されたい。
【０４２４】
図２５Ｄは、ヘッドレストサブアセンブリ２５４０の代替的な実施形態を示すものであり得、上面斜視分解図により示されている。サポート部材５０１は、垂直方向に調節され得、サポート部材５０１は、ヘッドレストサブアセンブリ２５４０のコンポーネントとすることができる。
【０４２５】
ある実施形態では、ヘッドレストサブアセンブリ２５４０は、サポート部材５０１と、サポート部材５０１に連通している快適な外側表面５０２とを含むことが可能である。ある実施形態では、ヘッドレストサブアセンブリ２５４０は、高さ調節手段を含むことが可能である。ある実施形態では、高さ調節手段は、少なくとも１つのストラット２５１１を含むことが可能である。それぞれのストラット２５１１は、第３の末端部２５１２と、第３の末端部２５１２の反対側に配設されている第４の末端部２５１３とを含むことが可能である。
【０４２６】
ここで、ヘッドレストサブアセンブリ２５４０を有する図２５Ｄでは、サポート部材５０１（又は、ストラップ）は、高さ調節スロット２５１４を使用することによって、垂直方向に調節され得る。それぞれのストラット２５１１は、少なくとも１つの高さ調節スロット２５１４を含むことが可能である。それぞれの高さ調節スロット２５１４は、図２５Ｄに示されているように、それぞれのストラット２５１１の経線に平行に、又は実質的に平行に延びていることが可能である。そのようなスロット２５１４は、サポート部材５０１（又は、ストラップ）が地面（基板）又は少なくとも１つのベース２１５に対する高さを変化されることを可能にすることができる。高さ調節ピン２５１５は、スロット２５１４を通過してサポート部材５０１（又は、ストラップ）の末端部の中へ入る高さ調節ピン２５１５によって、サポート部材５０１（又は、ストラップ）のそれぞれの末端部にストラット２５１１を固定することが可能である。ある実施形態では、高さ調節ピン２５１５は、スクリュー、ボルト、及び、ワッシャを備えるスクリュー／ボルトなどとすることができる。
【０４２７】
図２５Ｅは、ヘッドレストサブアセンブリ２５５０の代替的な実施形態を示すものであり得、（右側及び左側）側面図により示されている。サポート部材５０１は、フェイスソーキングデバイスの前面に対して、垂直方向に調節され、及び／又は、前後方向に調節され得る。図２５Ｆは、ヘッドレストサブアセンブリ２５５０を示すものであり得るが、図２５Ｅに示されている断面線２５Ｆ−２５Ｆに沿った断面図として示されている。この断面図は、垂直方向の調節及び／又は前後調節を実現するために、サポート部材５０１がどのように枢動され得るかを示すものであり得る。
【０４２８】
ある実施形態では、ヘッドレストサブアセンブリ２５５０は、サポート部材５０１と、サポート部材５０１に連通している快適な外側表面５０２とを含むことが可能である。ある実施形態では、ヘッドレストサブアセンブリ２５５０は、高さ調節手段を含むことが可能である。ある実施形態では、高さ調節手段は、少なくとも１つのストラット２５１１を含むことが可能である。それぞれのストラット２５１１は、第３の末端部２５１２と、第３の末端部２５１２の反対側に配設されている第４の末端部２５１３とを含むことが可能である。
【０４２９】
ある実施形態では、第４の末端部２５１３は、ベッセル２００の上部開口２２６における領域、又は、ベッセル２００の上部開口２２６に近い領域に取り付けるように構成され得る。例えば、及び、本発明の範囲を限定することなく、ある実施形態では、上部開口２２６に近いことは、上部開口２２６から５インチ以下とすることができる。他の実施形態では、上部開口２２６に近いことは、他の距離とすることができる。ある実施形態では、第４の末端部２５１３は、枢動可能なロッキング手段２５２０を含むことが可能である。枢動可能なロッキング手段２５２０は、第４の末端部２５１３をその領域に取り付けることが可能である。枢動可能なロッキング手段２５２０は、上部開口２２６の上に（又は、リム２２５の上に）置かれる回転可能な軸部材２５２１を含むことが可能である。図２５Ｆでは、回転可能な軸部材２５２１は、プーリー部材の中心を通過する短いロッドを備えるプーリー部材として示され得る。第４の末端部２５１３がプーリー部材の周りで曲がり、プーリー部材がその中に存在するためのポケットを形成しているので、この短いロッドは、第４の末端部２５１３によってそれぞれの側で捕えられ得る。例えば、図２５Ｆを参照されたい。
【０４３０】
回転可能な軸部材２５２１が上部開口２２６の上部において枢動するときに、サポート部材５０１（又は、ストラップ）は、ベッセル２００の内部容積２２０の中で、高さ方向及び前後に移動する方向の両方に、移動することが可能である。また、枢動可能なロッキング手段２５２０は、所望の調節をロックするための摩擦クランプ２５２２を含むことが可能である。回転可能な軸部材２５２１を枢動させることによって所望の調節が行われるときに、所望の調節は、摩擦クランプ２５２２によって適切な場所にロックされ得る。示されているように、摩擦クランプ２５２２は、ウイングボルト、又は、いくつかの他の摩擦クランプ手段とすることができる。
【０４３１】
図２５Ｇは、ヘッドレストサブアセンブリ２５６０の代替的な実施形態を示すものであり得、側部の背面図により示されている。サポート部材５０１は、フェイスソーキングデバイスの前面に対して、垂直方向に調節され、及び／又は、前後方向に調節され得る。また、図２５Ｇは、断面線２５Ｈ−２５Ｈを示すものであり得る。図２５Ｈは、ヘッドレストサブアセンブリ２５６０を示すものであり得るが、断面線２５Ｈ−２５Ｈに沿った断面図として示されている。この断面図は、垂直方向の調節及び／又は前後調節を実現するために、サポート部材５０１がどのように枢動され得るかを示すものであり得る。
【０４３２】
ある実施形態では、ヘッドレストサブアセンブリ２５６０は、サポート部材５０１と、サポート部材５０１に連通している快適な外側表面５０２とを含むことが可能である。ある実施形態では、ヘッドレストサブアセンブリ２５６０は、高さ調節手段を含むことが可能である。ある実施形態では、高さ調節手段は、少なくとも１つのストラット２５１１を含むことが可能である。それぞれのストラット２５１１は、第３の末端部２５１２と、第３の末端部２５１２の反対側に配設されている第４の末端部２５１３とを含むことが可能である。
【０４３３】
ある実施形態では、第４の末端部２５１３は、ベッセル２００の上部開口２２６における領域、又は、ベッセル２００の上部開口２２６に近い領域に取り付けるように構成され得る。例えば、及び、本発明の範囲を限定することなく、ある実施形態では、上部開口２２６に近いことは、上部開口２２６から５インチ以下とすることができる。他の実施形態では、上部開口２２６に近いことは、他の距離とすることができる。ある実施形態では、第４の末端部２５１３は、枢動可能なロッキング手段２５２０を含むことが可能である。枢動可能なロッキング手段２５２０は、第４の末端部２５１３をその領域に取り付けることが可能である。枢動可能なロッキング手段２５２０は、上部開口２２６の上に（又は、リム２２５の上に）置かれ得る回転可能な軸部材２５２１を含むことが可能である。
【０４３４】
回転可能な軸部材２５２１が上部開口２２６の上部において枢動するときに、サポート部材５０１（又は、ストラップ）は、ベッセル２００の内部容積２２０の中で、高さ方向及び前後に移動する方向の両方に、移動することが可能である。また、枢動可能なロッキング手段２５２０は、所望の調節をロックするための摩擦クランプ２５２２を含むことが可能である。回転可能な軸部材２５２１を枢動させることによって所望の調節が行われるときに、所望の調節は、摩擦クランプ２５２２によって適切な場所にロックされ得る。示されているように、摩擦クランプ２５２２は、ウイングボルト、又は、いくつかの他の摩擦クランプ手段とすることができる。
【０４３５】
例えば、及び、本発明の範囲を限定することなく、枢動可能なロッキング手段２５２０は、回転可能な軸部材２５２１としての役割を果たす円筒形状の細長い部材から組み立てられ得る。
【０４３６】
ある実施形態では、ヘッドレストサブアセンブリ２５００、２５４０、２５５０、及び／又は２５６０は、前後調節手段を含むことが可能である。前後調節手段は、ベッセル２００の内部容積２２０の中に存在している顔９０１０の経線に沿って、サポート部材５０１（又は、ストラップ）の場所を変化させるように構成され得る。ある実施形態では、サポート部材５０１（又は、ストラップ）の経線は、内部容積２２０の中に存在している顔９０１０の経線に対して垂直になっていることが可能である。前後調節手段は、ベッセル２００の少なくとも１つの壁部２０１に、又は、ベッセル２００の少なくとも１つのベース２１５に物理的に接触していることが可能である。
【０４３７】
ある実施形態では、前後調節手段は、摩擦クランプ２５２２及び／又はストラット取り付け手段２５３０（例えば、ウイングボルト２５３１）をさらに含むことが可能である。例えば、図２５Ｅ及び図２５Ｈを参照されたい。図２５Ｅ及び図２５Ｈにおいて、直線状の両矢印は、摩擦クランプ２５２２が前後方向にスライドされ得ることを示すものであり得る。
【０４３８】
ある実施形態では、前後調節手段は、少なくとも１つのトラックをさらに含むことが可能である。少なくとも１つのトラックは、ベッセル２００の外壁面２０２、内壁面２０３、又は、少なくとも１つのベース２１５の内側表面（例えば、底部内側表面２１７）の上に位置付けされ得る。少なくとも１つのトラックは、第４の末端部２５１３を受け入れて捕えるように構成され得る。第４の末端部２５１３は、少なくとも１つのトラックの溝部の中をスライドし、内部容積２２０の中に存在している顔の経線に沿って、サポート部材５０１（又は、ストラップ）の経線を変化させることが可能である。トラック及びフランジの実施形態に関して、図２６Ａ及び図２６Ｅを参照されたい。
【０４３９】
図２６シリーズの図は、図２６Ａから図２６Ｆを含むことが可能である。これらの図２６シリーズの図は、追加的なヘッドレストサブアセンブリを示すものであり得、それは、異なる前後調節手段、異なる高さ調節手段、及び／又は、ベッセル（例えば、ベッセル２００）に連通し得る異なる方式のサポート部材５０１のうちの１つ又は複数に焦点を合わせている可能性がある。
【０４４０】
ある実施形態では、前後調節手段及び／又は高さ調節手段は、少なくとも１つのトラック２６７１をさらに含むことが可能である。少なくとも１つのトラック２６７１は、外壁面２０２（例えば、図２６Ａを参照）、内壁面２０３（例えば、図２６Ｅを参照）、又は、少なくとも１つのベース２１５の内側（例えば、底部内側表面２１７）に位置付けされ得る。少なくとも１つのトラック２６７１は、第４の末端部２５１３を受け入れて捕えるように構成され得る。第４の末端部２５１３は、少なくとも１つのトラック２６７１の溝部の中をスライドし、サポート部材５０１（又は、ストラップ）の高さ及び／又は前後の場所を変化させることが可能である。第４の末端部２５１３は、フランジ幾何学形状を含むことが可能であり、フランジ幾何学形状は、少なくとも１つのトラック２６７１の溝部によって（ある実施形態では、除去可能に）捕えられるように構成され得る。例えば、図２６Ａ及び図２６Ｅを参照されたい。
【０４４１】
図２６Ａは、トラック及びフランジの実施形態を使用する、サポート部材５０１に関する前後調節手段及び／又は高さ調節手段のうちの１つ又は複数を示すものであり得、右側から左側への断面図（すなわち、横断幅方向の断面図）により示されている。図２６Ｅは、トラック及びフランジの実施形態を使用する、サポート部材５０１に関する前後調節手段及び／又は高さ調節手段のうちの１つ又は複数を示すものであり得、右側から左側への断面図（すなわち、横断幅方向の断面図）により示されている。
【０４４２】
ある実施形態では、所定の長さの少なくとも１つのトラック２６７１が、垂直方向に延在しており、サポート部材５０１（又は、ストラップ）の高さ調節を可能にすることができる。ある実施形態では、所定の長さの少なくとも１つのトラック２６７１は、少なくとも１つの側壁に沿って水平方向に延在しており、サポート部材５０１（又は、ストラップ）の前後（すなわち、前面−後面）調節を可能にすることができる。ある実施形態では、所定の長さの少なくとも１つのトラック２６７１は、少なくとも１つの側壁２０１に沿って、垂直方向の様式及び水平方向の様式の両方で延在しており、サポート部材５０１（又は、ストラップ）の高さ及び前後の両方の位置決めにおける調節を可能にすることができる。例えば、斜め方向のトラック、卵形トラック、又は半卵形トラックが使用され得、そのようなトラックは、サポート部材５０１（又は、ストラップ）の高さ及び前面から後面への両方の位置決めにおける調節を可能にすることができる。
【０４４３】
ある実施形態では、第４の末端部２５１３は、溝部に沿って相補的な複数の孔部を備えるばね荷重式のピンのシステムによって、少なくとも１つのトラック２６７１に沿って様々な位置にロックされ得る。
【０４４４】
ある実施形態では、第４の末端部２５１３は、第４の末端部２５１３が静止状態を有することによって、少なくとも１つのトラック２６７１に沿って様々な位置にロックされ得、その静止状態は、溝部の中での摩擦嵌めを引き起こし、それは、ばね荷重式のボタンによって押し下げられたときに、静止状態摩擦嵌めの低減が起こり得、第４の末端部２５１３が少なくとも１つのトラック２６７１に沿って異なる位置へスライドすることができるようになっている。
【０４４５】
ある実施形態では、それぞれの少なくとも１つのストラット２５１１は、２つのサブ−ストラットから構成され得る。２つのサブ−ストラットのうちの一方が他方のサブ−ストラットのキャビティの中へフィットすることができるという点において、これらの２つのサブ−ストラットは、互いに相補的とすることができる。これらの２つのサブ−ストラットは、テレスコープ方式で互いに対して直線的に並進するように構成され得る。サポート部材５０１（又は、ストラップ）の高さは、このテレスコープ式の機能に従って変化され得る。例えば、図２６Ｂ、図２６Ｃ、及び図２６Ｄを参照されたい。
【０４４６】
図２６Ｂは、テレスコープ式のストラットの実施形態を使用する、サポート部材５０１のための高さ調節手段を示すものであり得、右側から左側への断面図（すなわち、横断幅方向の断面図）により示されている。
【０４４７】
図２６Ｃは、テレスコープ式のストラットの実施形態を使用する、サポート部材５０１のための高さ調節手段を示すものであり得、右側から左側への断面図（すなわち、横断幅方向の断面図）により示されている。少なくとも２つの異なるストラットは、少なくとも１つのベース２１５（例えば、底部内側表面２１７）に連通していることが可能である。
【０４４８】
図２６Ｄは、テレスコープ式のストラットの実施形態を使用する、サポート部材５０１のための高さ調節手段を示すものであり得、右側から左側への断面図（すなわち、横断幅方向の断面図）により示されている。これらのストラットの少なくとも１つは、少なくとも１つのベース２１５（例えば、底部内側表面２１７）に連通していることが可能である。
【０４４９】
ある実施形態では、２つのサブ−ストラットのテレスコープ式の機能は、１つのそのようなサブ−ストラットの少なくとも一部分が他方のサブ−ストラットの内径（又は、内側キャビティ）の一部分の中へフィットすることによって達成され得る。そのような実施形態では、相補的な複数の孔部を備えるばね荷重式のピンメカニズムを使用し、少なくとも１つのストラット２５１１の経線に沿って、テレスコープ式の高さを変えることは、変化する高さの様々な位置を設定又はロックするために使用され得る。また、ある実施形態では、より大きい直径を有するサブ−ストラットは、少なくとも１つのスプリングを収納することが可能である。
【０４５０】
図２６Ｆは、枢動可能なロッキング手段を使用する、サポート部材５０１のための高さ調節手段及び前後調節手段を示すものであり得、右側から左側への断面図（すなわち、横断幅方向の断面図）により示されている。図２６Ｆに示されている枢動可能なロッキング手段は、図２５Ｇ及び図２５Ｈに示されている枢動可能なロッキング手段２５２０と構造的に及び機能的に同様とすることができる。図２６Ｆは、「Ｊ」字フック２６８１を含むことが可能である。「Ｊ」字フック２６８１は、サポート部材５０１がベッセル（例えば、ベッセル２００）に連通するための手段を提供することが可能である。「Ｊ」字フック２６８１は、ベッセルの取り付けの場所を提供することが可能である。「Ｊ」字フック２６８１の中の「Ｊ」字の下側の末端部分は、ベッセルの下向きに向く上側外側リップ部の上に取り付けるか又は引っ掛けることが可能である。例えば、図２６Ｆを参照されたい。摩擦クランプ２５２２とともに、「Ｊ」字フック２６８１は、サポート部材５０１の異なる前後調節及び／又は異なる高さ調節を固定するための手段を提供することが可能である。「Ｊ」字フック２６８１の上部部分は、回転可能な軸部材２５２１に取り付けられ得、回転可能な軸部材２５２１は、リム２２５の上に置かれ得る。摩擦クランプ２５２２は、回転可能な軸部材２５２１に係合することが可能である。「Ｊ」字フック２６８１は、摩擦クランプ２５２２に相補的とすることができる。ベッセル（例えば、ベッセル２００）のリム２２５が下向きに向く上側外側リップ部を含み得るときに、この実施形態が用いられ得る。
【０４５１】
ある実施形態では、少なくとも１つのストラット２５１１は中空であり、中実かつ耐水性の外側を有することが可能であり、この少なくとも１つのストラット２５１１が、ホース４２０もしくはチュービング４２０としての役割、又は、ハウジングホース４２０もしくはチュービング４２０の部分を収容するための導管としての役割を果たすことができるようになっている。そのような実施形態では、所与のヘッドレストサブアセンブリ及び呼吸装置の実施形態は、互いに取り付けられ得る。いくつかのそのような実施形態では、第２の末端部４２２は、中空のストラット２５１１に接続することが可能であり、呼吸ガスがそのようなストラット２５１１の中空の内側を自由に通ることができるようになっている。そのような実施形態では、第４の末端部２５１３は、液体１０１の外側に位置付けされ得、少なくとも１つのベッセル−チューブ−ホース−コネクタ（例えば、４３０）が、第４の末端部２５１３に位置付けされ得るようになっている。
【０４５２】
ある実施形態では、構造的なヘッドレストサブアセンブリ（例えば、５００、２３００、２４００、２５００、２５４０、２５５０、及び／又は２５６０）及び／又はサポート部材５０１は、ユーザ９０００の頭部を支持するのに十分に浮揚性のある（高密度の）液体１０１で交換され得る（及び／又は増強される）。例えば、及び、本発明の範囲を限定することなく、液体１０１は、約５％〜約３５％の範囲の塩分濃度を有する生理食塩水とすることができる。
【０４５３】
図７シリーズの図は、図７Ａから図７Ｎを含むことが可能である。この図７シリーズの図は、ヒータサブアセンブリ７００、その対応するパーツ、構造体、及び、そのコミュニケーション関係の例示的な実施形態を示すことに焦点を合わせている可能性がある。
【０４５４】
ある実施形態では、フェイスソーキングデバイス１００は、ヒータサブアセンブリ７００を含むことが可能である。また、ヒータサブアセンブリ７００は、より簡単に、ヒータ７００として知られ得る。ヒータ７００は、液体１０１を加熱するように構成され得る。ヒータ７００のいくつかの部分は、液体１０１のいくらかの部分に除去可能に物理的に接触していることが可能である。ヒータ７００は、液体１０１を加熱するための手段を含むことが可能である。ある実施形態では、液体１０１を加熱するためのこの手段は、少なくとも１つの加熱要素７０１とすることができる。ヒータ７００は、少なくとも１つの加熱要素７０１を含むことが可能である。加熱要素７０１は、電力を受け入れ、加熱要素、すなわち、要素７０２から（例えば、電気抵抗を通して、及び／又は、磁気誘導を通して）熱を作り出すように構成され得る。
【０４５５】
ある実施形態では、ヒータ７００の少なくともいくつかの部分は、内部体積２２０から除去可能であり得る。ある実施形態では、少なくとも１つの加熱要素７０１サブアセンブリは、内部容積２２０の中に除去可能に位置付けされ得る。例えば、図７Ｍ及び図７Ｎを参照されたい。ある実施形態では、ヒータ７００の少なくともいくつかの部分は、少なくとも１つの内壁面２０３、又は、少なくとも１つのベース２１５の内側表面（例えば、底部内側表面２１７）に除去可能に取り付けることが可能である。ある実施形態では、少なくとも１つの加熱要素７０１サブアセンブリは、電源１１１５に連通している電力コード１１１６、電源１１１５に連通している電気配線、及び／又は、電源１１１５に連通している電気配線に接続するための電気端子７０６のうちの１つ又は複数を含むことが可能である。電力コード１１１６は、ベッセル２００の少なくとも１つのポート２１０を通過することが可能である。例えば、図２Ｂ及び図２Ｅを参照されたい。ある実施形態では、少なくとも１つの加熱要素７０１は、少なくとも１つの内壁面２０３、又は、少なくとも１つのベース２１５の内側表面（例えば、底部内側表面２１７）に恒久的に取り付けられ得る。ある実施形態では、少なくとも１つの加熱要素７０１は、少なくとも１つの内壁面２０３、又は、少なくとも１つのベース２１５の内側表面と一体的になっていることが可能である。
【０４５６】
図７Ｂは、ヒータサブアセンブリ７００を示すことが可能であるが、上部斜視分解図により示されており、ヒータサブアセンブリ７００は、ベッセル（例えば、ベッセル２００）から分解されている可能性がある。この分解図では、少なくとも１つの加熱要素７０１は、シールド７１５及びベッセルに関連して示されている可能性がある。ある実施形態では、少なくとも１つの加熱要素７０１の実質的にすべては、シールド７１５と少なくとも１つのベース２１５のいくらかの部分（例えば、底部内側表面２１７のいくらかの部分）との間に配設され得る。例えば、図７Ｂを参照されたい。ある実施形態では、接続ブッシング７０４、電気端子７０６、及び電気配線７０７は、シールド７１５と少なくとも１つのベース２１５のいくらかの部分（例えば、底部内側表面２１７のいくらかの部分）との間に配設されていなくてもよい。例えば、少なくとも１つの加熱要素７０１の接続ブッシング７０４、電気端子７０６、及び、電気配線７０７のコンポーネントに関して、図７Ｉを参照されたい。
【０４５７】
図７Ｉから図７Ｌは、少なくとも１つの加熱要素７０１の異なる図であり得る。図７Ｉは、ヒータサブアセンブリ７００の少なくとも１つの加熱要素７０１を示すものであり得、上面図により示されている。図７Ｊは、少なくとも１つの加熱要素７０１を示すものであり得、底面図により示されている。図７Ｋは、少なくとも１つの加熱要素７０１を示すものであり得、正面図により示されている。図７Ｌは、少なくとも１つの加熱要素７０１を示すものであり得、背面図により示されている。
【０４５８】
ある実施形態では、少なくとも１つの加熱要素７０１は、要素７０２及びブッシング７０３を含むことが可能である。要素７０２は、ブッシング７０３に物理的に及び電気的に接続され得る。ブッシング７０３は、ベッセル（例えば、ベッセル２００）に接続するための構造体、及び、電気端子７０６を介する電気的な接続のための構造体を含むことが可能である。例えば、ある実施形態では、ブッシング７０３は、フランジ７０５、接続ブッシング７０４、電気端子７０６、及び電気配線７０７を含むことが可能である。一方、要素７０２は、電力を供給されるとき、熱を発することが可能であり、それは、液体１０１、及び／又は、液体１０１の中へ放出されたガスを加熱することが可能である。
【０４５９】
ある実施形態では、要素７０２は、少なくとも実質的に金属から構築され得る。ある実施形態では、金属は、鋼、ステンレス鋼、銅、及び／又はインコロイのうちの１つ又は複数とすることができる。ステンレス鋼（例えば、タイプ３１６、３２１Ｌなど）及びインコロイ（例えば、タイプ８４０、８００など）は、液体１０１が様々な生理食塩水溶液であり得るときに適当とすることができる。電流が、電気端子７０６のうちの１つ、例えば、プラスの電気端子に送達され得るときには、前記電流は、金属を通過し、残りの電気端子、例えば、マイナスの電気端子から出て、完全な回路を形成することが可能であり、金属は、熱くなることが可能であり、要素７０２に物理的に接触している可能性のある液体１０１の中へ熱を放出することが可能である。
【０４６０】
ある実施形態では、要素７０２は、コーティングを含み、コロージョン及び／又は衝撃から要素７０２を保護することが可能である。ある実施形態では、そのようなコーティングは、非導電性の材料のシースとすることができる。ある実施形態では、コーティングは、耐水性とすることができる。ある実施形態では、このコーティングは、シリコーンエラストマーとすることができる。
【０４６１】
ある実施形態では、１つの要素７０２ごとに１つのブッシング７０３が存在することが可能である。例えば、図７Ｉ及び図７Ｊを参照されたい。要素７０２は、要素７０２の全体が上方から見られ得るときに全体的な形状を含むことが可能であり、全体的な形状は、「Ｔ」字形状（例えば、図２７Ｆ及び図２８Ｃを参照）、「Ｌ」字形状（例えば、図１７Ｂを参照）、「Ｉ」字形状、「Ｊ」字形状、及び／又は、１つのベンドを備える直線的な形状（例えば、図７Ｉ及び図７Ｊを参照）などを含む群から選択され得る。ある実施形態では、１つの要素７０２ごとに１つのブッシング７０３が存在することが可能である場合に、両方の電気端子７０６（プラス及びマイナス）は、接続ブッシング７０４の一方の側に、すなわち、フランジ７０５の一方の側に位置付けされ得る。例えば、図７Ｌを参照されたい。
【０４６２】
ある実施形態では、１つの要素７０２ごとに１つのブッシング７０３が存在することが可能である場合に、少なくとも１つの加熱要素７０１の据え付けは、例えば、接続ブッシング７０４の少なくとも一部分を内部容積２２０側からブッシング孔部７０８の中へ通すことによって、内側の内部容積２２０から起こることが可能である（例えば、全体的な形状が１つのベンドを備える直線的な形状であり得るとき）。例えば、図７Ｍ及び図７Ｎを参照されたい。
【０４６３】
ある実施形態では、１つの要素７０２ごとに１つのブッシング７０３が存在することが可能である場合に、少なくとも１つの加熱要素７０１の据え付けは、例えば、要素７０２をブッシング孔部７０８の中へ通し、次いで、内部容積２２０の中へ通すことによって、外側の内部容積２２０から（例えば、機械的なコンパートメント２５１から）起こることが可能である。この据え付けの実施形態は、図７シリーズの図には示されていない。
【０４６４】
ある実施形態では、少なくとも１つの加熱要素７０１は、低ワット密度（LWD）消費を含むことが可能であり、及び／又は、他の実施形態では、高ワット密度（HWD）消費を含むことが可能である。ある実施形態では、ＬＷＤは、１平方インチ当たり約５５ワット以下とすることができ、ＨＷＤは、１平方インチ当たり５５ワットよりも大きいことが可能である。一方、ある実施形態では、ＬＷＤは、１平方インチ当たり約６０ワット以下とすることができ、ＨＷＤは、１平方インチ当たり６０ワットよりも大きいことが可能である。（この段落で使用されているような「約」は、ある実施形態では、プラス又はマイナス２ワットを意味している可能性がある。）要素７０２表面積が大きくなればなるほど、液体１０１を加熱するために必要とされる１平方インチ当たりのワット数は低くなり、プラスチックパーツの溶融及び／又は変形に関する懸念が少なくなる。そのような表面積を増加させることは、より長い（長さ方向）要素７０２を使用することによって、及び／又は、要素７０２をコイル状に巻くことによって、達成され得る。また、少なくとも１つの加熱要素７０１の１平方インチ当たりのワット数が低くなればなるほど、少なくとも１つの加熱要素７０１が（時間的に）長く持ちこたえることが可能である。
【０４６５】
例えば、及び、本発明の範囲を限定することなく、図７シリーズの実施形態に示されているそれぞれの少なくとも１つの加熱要素７０１は、ＬＷＤとすることができる。例えば、及び、本発明の範囲を限定することなく、図７シリーズの実施形態に示されているそれぞれの少なくとも１つの加熱要素７０１は、ＨＷＤとすることができる。
【０４６６】
ある実施形態では、要素７０２は、要素７０２の全体よりも小さく見られ得るときに、（全体的な形状と比べて）クローズアップ形状を含むことが可能であり、クローズアップ形状が、コイル、らせん、ジグザグ、ベンド、曲線、及び／又は、直線的なラン（linear run）などを含む群から選択され得るようになっている
【０４６７】
ある実施形態では、ブッシング７０３は、フランジ７０５、接続ブッシング７０４、及び電気端子７０６を含むことが可能である。ある実施形態では、電気配線７０７は、電気端子７０６に取り付けられ得る。ある実施形態では、ブッシング７０３は、電気端子７０６に取り付けられ得る電気配線７０７を含むことが可能である。フランジ７０５は、接続ブッシング７０４、電気端子７０６、及び、電気配線７０７とは別々の要素７０２とすることができる。例えば、図７Ｉ及び図７Ｊを参照されたい。フランジ７０５は、ブッシング孔部７０８の内径よりも大きくなっている可能性のある外径を有することが可能であり、少なくとも１つの加熱要素７０１がベッセル（例えば、ベッセル２００）に取り付けられ得るときに、フランジ７０５及び要素７０２が内側容積２２０の中に残るようになっている。例えば、図７Ｍを参照されたい。図７Ｍは、ベッセル２００の内側容積２２０の中に配設された状態になっているフランジ７０５及び要素７０２を示すものであり得るが、ベッセル２００の後面内壁（例えば、第２の側壁２０７の内壁面２０３）から分解された状態になっており、上面斜視図により示されている。ブッシング孔部７０８は、後面内壁（例えば、第２の側壁２０７の内壁面２０３）の一部分を通る孔部とすることができ、内側容積２２０から機械的なコンパートメント２５１の中への通路を提供する。ある実施形態では、ブッシング孔部７０８は、ベッセルライニング２００ａの一部分を通る孔部とすることができる。ある実施形態では、ブッシング孔部７０８は、接続ブッシング７０４の外側ネジ部に相補的であり得る内側ネジ部を含むことが可能である。例えば、図７Ｍ及び図７Ｎを参照されたい。
【０４６８】
図７Ｍ及び図７Ｎは、ともに、少なくとも１つの加熱要素７０１がどのようにベッセル（例えば、ベッセル２００）に取り付けられ得るかを示すものであり得る。図７Ｎは、ベッセル２００の内側容積２２０の中に配設されている要素７０２、フランジ、７０５、及びガスケット／ワッシャ７０９を示すものであり得るが、ベッセル２００の後面内壁（例えば、第２の側壁２０７の内壁面２０３）から分解された状態になっており、機械的なコンパートメントの部分的な内側図も示す後面斜視切り欠き図により示されている。少なくとも１つの加熱要素７０１がベッセル（例えば、ベッセル２００）に固定され得ると、要素７０２、フランジ、７０５、及びガスケット／ワッシャ７０９が、ベッセル２００の内側容積２２０の中に配設され得る。例えば、図７Ｍ及び図７Ｎを参照されたい。少なくとも１つの加熱要素７０１がベッセル（例えば、ベッセル２００）に固定され得ると、接続ブッシング７０４の部分、電気端子７０６、電気配線７０７、他のガスケット／ワッシャ７０９、及び、少なくとも１つのナット７１０が、ベッセル２００の機械的なコンパートメント２５１の中に配設され得る。例えば、図７Ｎを参照されたい。少なくとも１つのナット７１０は、接続ブッシング７０４の外側ネジ部に相補的であり得る内側ネジ部を有することが可能である。少なくとも１つのナット７１０は、接続ブッシング７０４の外側ネジ部の上にネジ回しすることが可能であり、摩擦によって、少なくとも１つのナット７１０とフランジ７０５との間に配設されている少なくとも１つの壁部２０１の一部分（又は、少なくとも１つの側壁２０５の一部分、もしくは、第２の側壁２０７の一部分）を固定することが可能である。（機械的なコンパートメント２５１側及び／又は内側容積２２０側の）いずれかの側又は両側に１つ又は複数のガスケット／ワッシャ７０９を含むことは、液体１０１漏出を防止及び／又は最小化することが可能である。１つ又は複数のガスケット／ワッシャ７０９は、接続ブッシング７０４の外側ネジ部の周りにフィットするようにサイズ決めされた直径を有する内側孔部を有することが可能である。１つ又は複数のガスケット／ワッシャ７０９は、様々なデュロメーター硬さを有する、シリコーン及び／又はゴムを含む、１つ又は複数のプラスチック又はエラストマーから実質的に構築され得る。
【０４６９】
図７Ｍ及び図７Ｎは、後面壁（例えば、第２の側壁２０７の内壁面２０３）においてベッセル（例えば、ベッセル２００）に取り付けられている少なくとも１つの加熱要素７０１を示すものであり得るが、他の実施形態では、少なくとも１つの加熱要素７０１は、任意の他の少なくとも１つの壁部２０１及び／又は少なくとも１つのベース２１５に取り付けられ得ることに留意されたい。そのような実施形態は、示されていない可能性がある。そのような取り付けは、接続ブッシング７０４（外側ネジ部を備える）、フランジ７０５、ガスケット／ワッシャ７０９、及び、少なくとも１つのナット７１０（相補的な内側ネジ部を備える）を依然として利用することが可能である。
【０４７０】
ある実施形態では、少なくとも１つの加熱要素７０１は、少なくとも１つの要素サポート手段を含むことが可能である。少なくとも１つの要素サポート手段は、内壁面２０３及び／又は底部内側表面２１７に物理的に接触しないように要素７０２を維持するように構成され得る。少なくとも１つの要素サポート手段は、ブッシング７０３及びブッシング孔部７０８を含むことが可能である。ある実施形態では、少なくとも１つの要素サポート手段は、１つ又は複数のガスケット／ワッシャ７０９、及び、少なくとも１つのナット７１０をさらに含むことが可能である。少なくとも１つのナット７１０は、接続ブッシング７０４の外側ネジ部に相補的であり得る内側ネジ部を有することが可能である。例えば、図７Ｎを参照されたい。１つ又は複数のガスケット／ワッシャ７０９は、接続ブッシング７０４の外側ネジ部の周りにフィットするようにサイズ決めされた直径を有する内側孔部を有することが可能である。例えば、図７Ｍを参照されたい。
【０４７１】
図７Ｈは、ベッセルライニング２００ａの上面斜視図であり得、ベッセルライニング２００ａの部分的な内側図を示しているが、ヒータサブアセンブリ７００、呼吸装置（例えば、呼吸装置４００）、及び、ヘッドレストサブアセンブリ（例えば、ヘッドレストサブアセンブリ５００）、並びに、ガスディフューザ（例えば、ガスディフューザ８００）の部分は除去されている。図７Ｈは、要素受け入れチャネル７１１及びブッシング孔部７０８を示すものであり得る。ある実施形態では、底部内側表面２１７は、要素受け入れチャネル７１１を含むことが可能である。ある実施形態では、要素受け入れチャネル７１１は、底部内側表面２１７の領域又は一部分とすることができ、この領域又はこの部分は、要素７０２を収容するように構成され得るが、底部内側表面２１７の実質的にすべて、及び／又は、少なくとも１つの壁部２０１（もしくは、少なくとも１つの側壁２０５又は内壁面２０３）の実質的にすべてが、少なくとも１つの要素サポート手段は別として、要素７０２に接触していない。ある実施形態では、要素受け入れチャネル７１１は、３つの異なる少なくとも１つの壁部２０１（又は、３つの異なる少なくとも１つの側壁２０５）によって、３つの側面の境界を決められ得る。ある実施形態では、要素受け入れチャネル７１１は、ＬＥＤハウジング９５０によって１つの側面の境界を決められ得る。ある実施形態では、要素受け入れチャネル７１１は、以下のように４つの側面の境界を決められ得、すなわち、２つの異なるが隣接する少なくとも１つの壁部２０１（又は、３つの異なる少なくとも１つの側壁２０５）によって２つの側面の境界を決められ、ブッシング孔部７０８によって１つの側面の境界を決められ、ＬＥＤハウジング９５０によって最後の側面の境界を決められている。例えば、図７Ｈを参照されたい。
【０４７２】
図７Ａは、ベッセル（例えば、ベッセル２００）に連通している（例えば、取り付けられている）状態の、組み立てられたヒータサブアセンブリ７００を示すものであり得、上面斜視図により示されているが、呼吸装置（例えば、呼吸装置４００）、ヘッドレストサブアセンブリ（例えば、ヘッドレストサブアセンブリ５００）、及び、ガスディフューザ（例えば、ガスディフューザ８００）の部分は除去されている。しかし、ヒータサブアセンブリ７００がベッセル（例えば、ベッセル２００）に組み立てられて取り付けられ得るときに、この上面斜視図により、シールド７１５の態様だけを見ることが可能である。シールド７１５は、ヒータサブアセンブリ７００のコンポーネントとすることができる。すなわち、ある実施形態では、ヒータサブアセンブリ７００は、シールド７１５を含むことが可能である。
【０４７３】
図７Ｃから図７Ｇは、異なる図によりシールド７１５を示すことに焦点を合わせている可能性がある。図７Ｃは、シールド７１５を示すものであり得、上面図により示されている。図７Ｄは、シールド７１５を示すものであり得、底面図により示されている。図７Ｅは、シールド７１５を示すものであり得、正面図により示されている。図７Ｆは、シールド７１５を示すものであり得、背面図により示されている。図７Ｇは、シールド７１５を示すものであり得、長手方向の側面図により示されている。
【０４７４】
シールド７１５は、要素７０２に物理的に接触することからユーザ９０００を保護するように構成され、及び／又は、接触するには熱い可能性のある少なくとも１つの加熱要素７０１のコンポーネントに物理的に接触することからユーザ９０００を保護するように構成され得る。シールド７１５は、要素７０２にオブジェクトが接触することを最小化するように構成され、及び／又は、熱い可能性のある少なくとも１つの加熱要素７０１のコンポーネントにオブジェクトが接触することを最小化するように構成され得る。そのようなオブジェクトは、人間の小指の直径と同様にサイズ決めされ得る。ある実施形態では、シールド７１５は、耐熱性の熱成形プラスチックから実質的に構築され得る。例えば、及び、本発明の範囲を限定することなく、シールド７１５は、塩素化ポリ塩化ビニル（CPVC）などから構築され得る。また、シールド７１５に関するそのような構築材料は、液体１０１の中の浮力を回避及び／又は最小化するのに十分に高密度になっていることが可能であり、すなわち、シールド７１５は、液体１０１の中に沈む傾向があるようになっている。
【０４７５】
ある実施形態では、シールド７１５は、上側平面的表面７１６を備える平面的な部材を含むことが可能である。この上側平面的表面は、要素７０２、及び／又は、少なくとも１つの加熱要素７０１のコンポーネントの接触を防止するバリアとして機能する物理的な構造体とすることができる。上側平面的表面７１６の形状は、要素７０２の全体的な形状、及び／又は、内側容積２２０の中の要素７０２の場所によって、拘束及び／又は限定され得る。上側平面的表面７１６の形状は、内側容積２２０の中のガス−ディフューザ−チュービング８０１の場所によって、拘束及び／又は限定され得、上側平面的表面７１６は、ガス−ディフューザ−チュービング８０１からの気泡の放出を遮断も妨害もしないことが可能であるようになっている。いくつかの例示的な実施形態では、ガス−ディフューザ−チュービング８０１は、底部内側表面２１７の中間及び／又は中央に集中され得、従って、そのような実施形態では、上側平面的表面７１６は、底部内側表面２１７のそのような中央の上に、及び／又は、そのような中間の上に位置付けされなくてもよい。ある実施形態では、内側容積２２０の中に位置付けられ得るすべての要素７０２を実質的にカバーするのに十分な上側平面的表面７１６が存在することが可能である。例えば、図７Ｂを参照されたい。図７Ｂでは、１つのシールド７１５及び１つの連続的な上側平面的表面７１６が存在することが可能であるが、それは、上方から見たときに、２つのプロングを備えた「Ｕ」字形状になっていることが可能であり、そのような２つのプロングのそれぞれは、１つの要素７０２をカバーしている。例えば、図７Ｃ及び図７Ｄを参照されたい。ある実施形態では、内側容積２２０の中に位置付けされ得るすべての要素７０２を実質的にカバーするのに十分な上側平面的表面７１６が存在することが可能であるが、ガス−ディフューザ−チュービング８０１からの気泡をカバーも妨害もしないようになっている。
【０４７６】
ある実施形態では、シールド７１５は、液体通過手段７１７を含むことが可能である。例えば、図７Ａ、図７Ｂ、図７Ｃ、図７Ｄ、及び図７Ｇを参照されたい。液体通過手段７１７は、シールド７１５の上側平面的表面７１６を通る少なくとも１つの開口を含むことが可能である。液体１０１は、液体通過手段７１７を通過することが可能であり、液体１０１が、要素７０２（又は、要素７０２のコーティング）に除去可能に物理的な接触をすることができるようになっている。ある実施形態では、液体通過手段７１７は、複数のそのような開口を含むことが可能である。例えば、図７Ａ、図７Ｂ、図７Ｃ、図７Ｄ、及び図７Ｇを参照されたい。ある実施形態では、複数のそのような開口は、スロット（スリット）、孔部、平行なスロット、幾何学的パターンの孔部、幾何学的パターンのスロット、直線的なスロット、湾曲したスロット、メッシュ、及び／又は、それらの組み合わせなどのうちの１つ又は複数から選択され得る。平行な直線的スロットは、液体通過手段７１７に関して、図７シリーズの図に示されている可能性がある。ある実施形態では、スロットは、水平方向に（又は、実質的に水平方向に）延びていることが可能である。ある実施形態では、スロットは、垂直方向に（又は、実質的に垂直方向に）延びていることが可能である。
【０４７７】
ある実施形態では、要素７０２は、リム２２５よりも少なくとも１つのベース２１５の近くに位置付けされ得、液体１０１を加熱することが、液体１０１の対流フローを発生させ、内部容積２２０の中をより高密度の（より冷たい）液体１０１が下向きに移動し、より低密度の（より温かい）液体１０１が上向きに移動するようになっている。また、ある実施形態では、液体１０１のそのような対流フローは、液体通過手段７１７の構造的な幾何学形状によって（それほど）妨げられないことが可能である。また、ある実施形態では、液体１０１のそのような対流フローは、液体通過手段７１７の構造的な幾何学形状によって容易にされ得る。ある実施形態では、液体１０１のそのような対流フローは、内部容積２２０の中の垂直方向に配向された液体１０１の渦に関するものとすることができる。そのような垂直方向に配向された液体１０１の渦は、実質的に均一な液体１０１の温度を容易にすることが可能である。
【０４７８】
ある実施形態では、シールド７１５は、シールド取り付け手段７１８を含むことが可能である。ある実施形態では、シールド取り付け手段７１８は、いかにしてシールド７１５が、ベッセル（例えば、ベッセル２００）、呼吸装置、及び／又はヘッドレストサブアセンブリのうちの１つ又は複数に取り付けることができるかというようになっている可能性がある。図７Ａ及び図７Ｂでは、シールド７１５は、シールド取り付け手段７１８を介してベッセル２００に取り付けることが可能である。シールド取り付け手段７１８は、底部内側表面２１７の（又は、少なくとも１つのベース２１５の）相補的で支持的な構造体７２０の上に置くことができる構造体を含むことが可能である。底部内側表面２１７のそのような相補的で支持的な構造体７２０は、ベッセルライニング２００ａのものとすることができる。例えば、図７Ｈを参照されたい。ある実施形態では、この相補的で支持的な構造体７２０は、ブッシング孔部７０８の上部領域、及び／又は、ＬＥＤハウジング９５０の上部とすることができ、その両方又はいずれかは、底部内側表面２１７の構造体、少なくとも１つのベース２１５の構造体、及び／又は、ベッセルライニング２００ａの構造体とすることができる。例えば、図７Ｈを参照されたい。ある実施形態では、上方から見たときに、シールド７１５が、２つのプロングを備える「Ｕ」字形状を有することが可能である場合には、それぞれのプロングの末端部において、相補的で支持的な構造体７２０の上に置くことができる構造体を含むことが可能であり、この構造体は、シールド脚部７１９とすることができる。それぞれのそのようなプロングは、シールド脚部７１９の中で終端することが可能である。例えば、図７Ｂ、図７Ｅ、図７Ｆ、及び図７Ｇを参照されたい。それぞれのそのようなシールド脚部７１９は、底部内側表面２１７及び／又は要素受け入れチャネル７１１の上に置くことが可能である。
【０４７９】
また、ある実施形態では、シールド７１５は、シールド−バック−パネル７２１を含むことが可能である。シールド７１５が内側容積２２０の中に据え付けられ得るときに、シールド−バック−パネル７２１は、ベッセル２００の少なくとも１つの壁部２０１、少なくとも１つの側壁２０５、及び／又は第２の側壁２０７の中の、１つ又は複数のポート２１０をカバーすることが可能である。例えば、そのような１つ又は複数のポート２１０に関して、図７Ｈを参照されたい。例えば、シールド−バック−パネル７２１に関して、図７Ｅ、図７Ｆ、及び図７Ｇを参照されたい。ある実施形態では、シールド−バック−パネル７２１は、「Ｕ」字形状のシールド７１５の２つのプロングの間に配設され得る。
【０４８０】
ある実施形態では、ヒータ７００は、液体１０１を加熱するための手段を制御するためのサーモスタット１１０７（例えば、図１１Ａを参照）を含むことが可能である。サーモスタット１１０７が温度センサ１１０６を介して液体１０１温度を感知することによって、サーモスタット１１０７は、液体１０１の温度が変化するのに従って、液体１０１を加熱するための手段のスイッチを入れたり切ったりすることが可能である（例えば、図１１Ａを参照）。サーモスタット１１０７は、液体１０１を加熱するための手段に電気的に連通していることが可能である。すなわち、ある実施形態では、サーモスタット１１０７は、液体温度感知手段（例えば、温度センサ１１０６）を含むことが可能である。ある実施形態では、サーモスタット１１０７は、華氏１１０度以下において液体１０１を維持するように構成され得る。ある実施形態では、サーモスタット１１０７は、華氏１１６度以下において液体１０１を維持するように構成され得る。ある実施形態では、サーモスタット１１０７は、液体１０１を加熱するための手段（例えば、少なくとも１つの加熱要素７０１）に近接する液体１０１を華氏１１６度以下で加熱するように構成され得る。ここで、近接することは、液体１０１を加熱するための手段（例えば、少なくとも１つの加熱要素７０１）の２０インチ以内とすることができる。ある実施形態では、サーモスタット１１０７は、製造の間に事前設定され得、液体１０１がユーザ９０００に有害となり得る温度まで加熱されることができないようになっている。ある実施形態では、ヒータ７００は、気泡１２５生産（放出）を制御することができる泡コントローラと同様のコントローラ１１００によって、スイッチを入り切りされ得る。ある実施形態では、液体１０１を加熱するための手段（例えば、少なくとも１つの加熱要素７０１）は、サーモスタット１１０７によって、スイッチを入り切りされ得る。ある実施形態では、独立したサーモスタット１１０７のすべての機能は、コントローラ１１００によって果たされ得（例えば、下記の図１１Ａ及び図１１Ａの議論を参照）、そのケースでは、独立したサーモスタット１１０７が存在していなくてもよい。また、ある実施形態では、泡コントローラは、ヒータ７００のスイッチを入り切りすることが可能であり、ヒータ７００のスイッチが入れられ得るときには、温度は、次いで、サーモスタット１１０７によって制御され得る。
【０４８１】
ある実施形態では、ヒータ７００は、電源１１１５を含むことが可能である。他の実施形態では、電源１１１５は、所与のフェイスソーキングデバイスから独立していることが可能である。電源１１１５は、液体１０１を加熱するための手段、サーモスタット１１０７、コントローラ１１００、及び／又は、所与のフェイスソーキングデバイスの任意の他の電気コンポーネントのうちの１つ又は複数に、電力を供給するように構成され得る。ある実施形態では、電源１１１５は、一方の端部において電気取出口に除去可能に接続されている電気コード１１１６とすることができ、残りの端部は、液体１０１を加熱するための手段、サーモスタット１１０７、コントローラ１１００、及び／又は、所与のフェイスソーキングデバイスの任意の他の電気コンポーネントのうちの１つ又は複数に電気的に連結され得る。
【０４８２】
ある実施形態では、液体１０１を加熱するための手段は、液体循環ポンプ（図示せず）を含むことが可能である。ある実施形態では、ヒータ７００は、液体循環ポンプを含むことが可能である。この実施形態は、図には示されていないことに留意されたい。そのような実施形態では、液体１０１の加熱は、液体循環ポンプモータによって提供され得、すなわち、熱は、液体循環ポンプモータの動作から出てくる熱から生じ得る。そのような実施形態では、少なくとも１つの内壁面２０３、又は、少なくとも１つのベース２１５の内側表面は、少なくとも１つのインテイクベント（ポート）を含み、内側容積２２０から液体循環ポンプへ液体１０１を提供することが可能である。また、そのような実施形態では、少なくとも１つの内壁面２０３、又は、少なくとも１つのベース２１５の内側表面は、少なくとも１つの出口ジェット（戻り）を含むことが可能であり、そこでは、液体１０１が、液体循環ポンプから吐き出され、内側容積２２０の中へ戻ることが可能である。
【０４８３】
ある実施形態では、液体１０１を加熱するための手段は、内部容積２２０の外側に除去可能に位置付けされ得るヒータ７００の加熱部分を含むことが可能である。そのような実施形態では、この加熱部分は、ブロックヒータとすることができ、液体１０１は、内部容積２２０の外部にあるチャンバの中へ給送され得、この加熱部分は、このチャンバの中に位置付けされ得、次いで、加熱された少なくともいくらかの液体１０１が、内部容積２２０に戻され得る。そのような液体１０１のフローは、様々なポンピング手段、様々なインペラ手段、対流手段、及び／又は、液体１０１のいくらかを内部容積２２０からチャンバへ移動させて内部容積２２０に戻すのに適切な任意の他の手段によるものとすることができる。この実施形態は、図には示されていない可能性がある。
【０４８４】
ある実施形態では、液体１０１を加熱するための手段は、少なくとも１つの加熱要素７０１、液体循環ポンプ、及び／又はブロックヒータなどのうちの１つ又は複数から選択され得る。
【０４８５】
ある実施形態では、液体１０１を加熱するための手段は、ガスディフューザ（例えば、ガスディフューザ８００）から放出され得るガス（例えば、空気、酸素、窒素、二酸化炭素、及び／又は亜酸化窒素など）を加熱することによって動作することが可能である。そのような加熱されたガスは、次いで、液体１０１を加熱することが可能である。
【０４８６】
図２７Ａは、フェイスソーキングデバイスの様々な実施形態に関するＵ字形状のヒータの実施形態２７００の分解斜視図の例示的な実施形態を示すものであり得る。そのような構成は、図２８Ｄに概略的に示されている可能性がある。そのような実施形態では、要素７０２は、Ｕ字形状になっていることが可能であり、また、要素７０２を除去可能にカバーすることができるシールド７１５も、Ｕ字形状になっていることが可能である。要素７０２及びシールド７１５は、ベッセルの４つの内側周囲側部のうちの３つに沿って、それぞれ延びていることが可能である（例えば、後面壁には沿っていない）。また、ベース２１５の底部内側表面２１７は、要素受け入れチャネル２７４５を含むことが可能であり、要素受け入れチャネル２７４５は、ベッセルの４つの内側周囲側部のうちの３つに沿って、それぞれ延びていることが可能である（例えば、後面壁には沿っていない）。それぞれの接続ブッシング２７３６及び２７３７は、２つのブッシング孔部２７６１及び２７６２を介して、後面壁を通過することが可能である。それぞれの電気端子７０６は、それぞれの接続ブッシング２７３６及び２７３７に接続され得、サーモスタット１１０７、コントローラ１１００、及び／又は電源１１１５への電気的な接続は、機械的なコンパートメント２５１の中で行われ得るようになっている。図２７Ｃは、図２７ＡのＵ字形状のヒータの実施形態２７００の組み立てられた斜視図の例示的な実施形態を示すものであり得る。
【０４８７】
図２７Ｂは、フェイスソーキングデバイスの様々な実施形態に関するＵ字形状のヒータの実施形態２７０５の分解斜視図の例示的な実施形態を示すものであり得る。そのような構成は、図２８Ｆに概略的に示されている可能性がある。そのような実施形態では、要素７０２は、Ｕ字形状になっていることが可能であり、また、要素７０２を除去可能にカバーすることができるシールド７１５も、Ｕ字形状になっていることが可能である。要素７０２及びシールド７１５は、ベッセルの４つの内側周囲側部のうちの３つに沿って、それぞれ延びていることが可能である（例えば、前面壁には沿っていない）。また、ベース２１５の内側表面２１７は、要素受け入れチャネル２７４５を含むことが可能であり、要素受け入れチャネル２７４５は、ベッセルの４つの内側周囲側部のうちの３つに沿って、それぞれ延びていることが可能である（例えば、前面壁には沿っていない）。それぞれの接続ブッシング２７３６及び２７３７は、２つのブッシング孔部２７６１及び２７６２を介して、ベース２１５を通過することが可能である（図２７Ｂには示されていない）。Ｕ字形状のヒータ２７０５の実施形態において、第１のブッシング孔部２７６１及び第２のブッシング孔部２７６２は、少なくとも１つのベース２１５又は第４の側壁２０９の中に位置付けされ得る。
【０４８８】
図２７Ｄは、フェイスソーキングデバイスの様々な実施形態に関するＯ字形状のヒータの実施形態２７１０の分解斜視図の例示的な実施形態を示すものであり得る。そのような実施形態では、要素７０２は、Ｏ字形状になっていることが可能であり、また、要素７０２を除去可能にカバーすることができるシールド７１５も、Ｏ字形状になっていることが可能である。ある実施形態では、そのような「Ｏ」字形状は、壁掛用絵画フレーム形状と同様に、楕円形形状、正方形形状、及び／又は長方形形状に類似していることが可能である。要素７０２及びシールド７１５は、ベッセルの４つの内側周囲側部のうちの４つに沿って、それぞれ延びていることが可能である。また、ベース２１５の底部内側表面２１７は、要素受け入れチャネル２７４５を含むことが可能であり、要素受け入れチャネル２７４５は、ベッセルの４つの内側周囲側部のうちの４つに沿って、それぞれ延びていることが可能である。それぞれの接続ブッシング２７３６及び２７３７は、２つのブッシング孔部２７６１及び２７６２を介して、後面壁を通過することが可能である。それぞれの電気端子７０６は、それぞれの接続ブッシング２７３６及び２７３７に接続され得、サーモスタット１１０７、コントローラ１１００、及び／又は電源１１１５への電気的な接続は、機械的なコンパートメントの中で行われ得るようになっている。
【０４８９】
ある実施形態では、Ｏ字形状のヒータの実施形態２７１０のシールド７１５の第１の縁部２７５１は、シールド７１５が組み立てられ得るときに、ガスディフューザメンブレンの中にロックすることが可能である。Ｏ字形状のヒータの実施形態２７１０は、他のヒータの実施形態よりも長い全体的な要素７０２を含むことが可能であり、比較的に低いワット数要件を生み出し、そして、それは、より低い熱負荷を、取り囲む材料に与えることが可能である。そのような４辺を持つシールド７１５は、３辺を持つシールド７１５よりも強くなっていることが可能であり、破損しにくい可能性がある。
【０４９０】
図２７Ｅは、フェイスソーキングデバイスの様々な実施形態に関する後面壁付きのヒータの実施形態２７１５の分解斜視図の例示的な実施形態を示すものであり得る。そのような構成は、図２８Ａに概略的に示されている可能性がある。そのような実施形態では、要素７０２は、直線的又はＩ字形状になっていることが可能であり、要素７０２を除去可能にカバーすることができるシールド７１５は、平面的な部材とすることができる。要素７０２及びシールド７１５は、ベッセルの底部後面壁に沿って、それぞれ延びていることが可能である。この後面壁ヒータの実施形態２７１５は、他のヒータの実施形態、例えば、Ｕ字形状のヒータの実施形態２７００よりも短い直線的な距離を占有することが可能であるので、後面壁ヒータの実施形態２７１５は、（Ｕ字形状又はＯ字形状の要素７０２と比較して）比較的に高いワット数になっている可能性があり、それは、より大きい熱を発生させる可能性があり、従って、ヒータの実施形態２７１５の中の要素７０２は、要素受け入れトレイ２７４８の中に収納され得る。要素受け入れトレイ２７４８は、要素７０２が、ベース２１５に、例えば、底部内側表面２１７に直接的に接触しないように、及び／又は、内側表面２０３に直接的に接触しないように維持するように構成され得る。要素受け入れトレイ２７４８は、塩素化ポリ塩化ビニル（CPVC）などのような、耐熱性の熱可塑性物質から構築され得る。ベース２１５の内側表面２１７は、要素受け入れチャネル２７４５を含むことが可能であり、また、要素受け入れチャネル２７４５は、ベッセルの底部後面壁に沿って延びていることが可能である。要素受け入れトレイ１６４８は、要素受け入れチャネル２７４５の中にフィットするように構成され得る。接続ブッシング２７３５は、ブッシング孔部２７６０を介して、側壁を通過することが可能である。（他の同様の実施形態では、要素７０２は、全体的なＬ字形状を有することが可能であり、接続ブッシング２７３５が、ブッシング孔部２７６０を介して、後面壁を通過することができるようになっている。例えば、図２８Ｂを参照されたい。）１対の電気端子７０６が、単一の接続ブッシング２７３５から突出することが可能である（又は、アクセス可能である）。図２７Ｇは、図２７Ｅの後面壁ヒータの実施形態２７１５の組み立てられた斜視図の例示的な実施形態を示すものであり得る。
【０４９１】
図２７Ｆは、フェイスソーキングデバイスの様々な実施形態に関するＴ字形状のヒータの実施形態２７２０の分解斜視図の例示的な実施形態を示すものであり得る。そのような構成は、図２８Ｃに概略的に示されている可能性がある。そのような実施形態では、要素７０２は、Ｔ字形状になっていることが可能であり、要素７０２を除去可能にカバーすることができるシールド７１５は、平面的な部材とすることができる。要素７０２及びシールド７１５は、ベッセルの底部後面壁に沿って、それぞれ延びていることが可能である。このＴ字形状のヒータの実施形態２７２０は、他のヒータの実施形態、例えば、ヒータの実施形態２７００よりも短い直線的な距離を占有することが可能であるので、ヒータの実施形態２７１５は、（Ｕ字形状又はＯ字形状の要素７０２と比較して）比較的に高いワット数になっている可能性があり、それは、より大きい熱を発生させる可能性があり、従って、ヒータの実施形態２７１５の中の要素７０２は、要素受け入れトレイ２７４８の中に収納され得る。要素受け入れトレイ２７４８は、要素７０２が、ベース２１５に、例えば、内側表面２１７に直接的に接触しないように、及び／又は、内側表面２０３に直接的に接触しないように維持するように構成され得る。要素受け入れトレイ２７４８は、ＣＰＶＣなどのような、耐熱性の熱可塑性物質から構築され得る。ベース２１５の内側表面２１７は、要素受け入れチャネル２７４５を含むことが可能であり、また、要素受け入れチャネル２７４５は、ベッセルの底部後面壁に沿って延びていることが可能である。要素受け入れトレイ２７４８は、要素受け入れチャネル２７４５の中にフィットするように構成され得る。接続ブッシング２７３５は、ブッシング孔部２７６０を介して、側壁を通過することが可能である。１対の電気端子７０６は、単一の接続ブッシング２７３５から終端することが可能であり、２つの電気端子７０６への電気的な接続は、機械的なコンパートメント内で行われ得る。図２７Ｇは、図２７ＧのＴ字形状のヒータの実施形態２７２０の組み立てられた斜視図の例示的な実施形態を示すものであり得る。
【０４９２】
図２７Ｈは、フェイスソーキングデバイスの様々な実施形態に関するダブルヒータの実施形態２７２５の分解斜視図の例示的な実施形態を示すものであり得る。そのような構成は、図２８Ｈに概略的に示されている可能性がある。図２７Ｉは、図２７Ｈのダブルヒータの実施形態２７２５の組み立てられた斜視図の例示的な実施形態を示すものであり得る。ダブルヒータの実施形態２７２５では、別々の、別個の、及び平行な加熱要素７０１サブアセンブリのペアが存在することが可能である。それぞれの加熱要素７０１サブアセンブリは、前面壁から後面壁の方向に延びていることが可能であり、それぞれの接続ブッシング２７３５は、機械的なコンパートメント２５１の中の後面壁を通って終端している。
【０４９３】
ある実施形態では、所与の加熱要素７０１サブアセンブリは、少なくとも２つの電気端子７０６（単一の接続ブッシング当たり１対として、又は、１つの接続ブッシング当たり１つの電気端子のいずれか）、少なくとも１つの接続ブッシング２７３５、及び少なくとも１つの要素７０２を含むことが可能である。少なくとも１つの要素７０２は、それぞれの電気端子７０６の間に配設されており、それぞれの電気端子７０６に電気的に連結され得る。少なくとも２つの電気端子７０６は、少なくとも１つの接続ブッシング２７３５の一方の側に位置付けされ得、少なくとも１つの要素７０２は、少なくとも１つの接続ブッシング２７３５の対向する側に位置付けされている。２つの電気端子７０６は、電源１１１５、コントローラ１１００、及び／又はサーモスタット１１０７に電気的に連結されるように構成され得る。少なくとも１つの接続ブッシング２７３５は、ベッセル、又は、ベッセルに取り付けられているアダプタ２７７５に取り付けるように構成され得る。例えば、アダプタ２７７５に関して、図２７Ｄを参照されたい。
【０４９４】
ある実施形態では、加熱要素７０１サブアセンブリは、フランジ２７３８を含むことが可能である。例えば、図２７Ａを参照されたい。フランジ２７３８は、１つ又は２つの電気端子７０６から少なくとも１つの要素７０２を分離することが可能である。
【０４９５】
ある実施形態では、少なくとも１つの接続ブッシング２７３５は、単一の接続ブッシング２７３５を含むことが可能である。例えば、図２７Ｅ及び図２７Ｆを参照されたい。少なくとも１つの要素７０２は、少なくとも１つの要素７０２の全体が見られ得るときの全体的な形状を含むことが可能であり、全体的な形状が、「Ｔ」字形状（例えば、図２７Ｆ及び図２８Ｃを参照）、「Ｌ」字形状（例えば、図２８Ｂを参照）、「Ｉ」字形状、及び「Ｊ」字形状などを含む群から選択され得るようになっている。ある実施形態では、単一の接続ブッシング２７３５が存在し得る場合に、両方の電気端子７０６（プラス及びマイナス）は、単一の接続ブッシング２７３５の一方の側に、すなわち、フランジの一方の側に位置付けされ得る。
【０４９６】
ある実施形態では、単一の接続ブッシング２７３５が存在し得る場合に、加熱要素７０１サブアセンブリの据え付けは、例えば、少なくとも１つの要素７０２、及び、単一の接続ブッシング２７３５の少なくとも一部分を、ブッシング孔部２７６０の中へ、内部容積２２０の中へ通すことによって、外側の内部容積２２０から（例えば、機械的なコンパートメント２５１から）起こることが可能である。
【０４９７】
ある実施形態では、単一の接続ブッシング２７３５が存在し得る場合に、加熱要素７０１サブアセンブリの据え付けは、例えば、単一の接続ブッシング２７３５の少なくとも一部分を内部容積２２０側からブッシング孔部２７６０の中へ通すことによって、内側の内部容積２２０から起こることが可能である（例えば、全体的な形状が「Ｔ」字形状であり得るとき）。例えば、図２７Ｅ及び図２７Ｆを参照されたい。
【０４９８】
ある実施形態では、少なくとも１つの接続ブッシング２７３５は、２つの別個の接続ブッシング、すなわち、第１の接続ブッシング２７３６及び第２の接続ブッシング２７３７を含むことが可能である。例えば、図２７Ａ、図２７Ｂ、及び図２７Ｄを参照されたい。少なくとも１つの要素は、少なくとも１つの要素の全体が見られ得るときの全体的な形状を含むことが可能であり、全体的な形状が、「Ｕ」字形状（例えば、図２７Ａ及び図２７Ｂ、並びに、図２８Ｄ、図２８Ｅ、及び図２８Ｆを参照）、「Ｏ」字形状（例えば、図２７Ｄ及び図２８Ｇを参照）、卵形形状、馬蹄形形状、及び半円形形状などを含む群から選択され得るようになっている。ある実施形態では、２つの別個の接続ブッシング（例えば、第１の接続ブッシング２７３６及び第２の接続ブッシング２７３７）が存在し得る場合に、１つの電気端子７０６（プラス又はマイナス）が、それぞれの別個の接続ブッシングの一方の側に位置付けされ得る。ある実施形態では、２つの別個の接続ブッシングが存在し得る場合に、加熱要素７０１サブアセンブリの据え付けは、例えば、それぞれの接続ブッシングの少なくとも一部分を内部容積２２０側から２つの別個のブッシング孔部の中へ通すことによって、内側の内部容積２２０から起こることが可能である。例えば、図２７Ａ、図２７Ｂ、及び図２７Ｄを参照されたい。
【０４９９】
例えば、及び、本発明の範囲を限定することなく、ヒータの実施形態２７００（例えば、図２７Ａを参照）、２７０５（例えば、図２７Ｂを参照）、及び２７１０（例えば、図２７Ｄを参照）は、ＬＷＤとすることができ、一方、ヒータの実施形態２７１５（例えば、図２７Ｅを参照）及び２７２０（例えば、図２７Ｆを参照）は、ＨＷＤとすることができる。
【０５００】
ある実施形態では、所与のヒータの実施形態は、シールド７１５を含むことが可能である。シールド７１５は、第１の縁部２７５１及び対向する第２の縁部２７５２を含むことが可能である。例えば、図２７Ａを参照されたい。シールド７１５は、加熱要素７０１サブアセンブリ、とりわけ、少なくとも１つの要素７０２に物理的に接触することからユーザ９０００を保護するように構成され得る。ある実施形態では、シールド７１５は、耐熱性の熱成形プラスチックから構築され得る。例えば、及び、本発明の範囲を限定することなく、シールドは、ＣＰＶＣから構築され得る。シールド７１５は、少なくとも１つの要素７０２の経線に（例えば、全体的な形状に）平行であり得るシールド経線を含むことが可能である。シールド７１５の第１の縁部２７５１は、底部内側表面２１７に取り付ける（もしくは、接触する）ことが可能であり、又は、内壁面２０３よりも底部内側表面２１７の近くに取り付けることが可能である。ある実施形態では、そのような取り付けは、除去可能になっていることが可能である。第２の縁部２７５２は、内壁面２０３に、又は、底部内側表面２１７よりも内壁面２０３の近くに、取り付ける（又は、接触する）ことが可能である。
【０５０１】
ある実施形態では、シールド７１５は、平面的な細長い部材とすることができる。平面的な細長い部材は、シールド経線及びシールドの横断方向の幅２７５３を含むことが可能である。シールド経線及びシールドの横断方向の幅２７５３は、互いに対して実質的に垂直になっていることが可能である。第１の縁部２７５１及び第２の縁部２７５２は、互いの反対側に配設されており、シールドの横断方向の幅２７５３だけ分離され得る。例えば、図２７Ａを参照されたい。
【０５０２】
ある実施形態では、シールド７１５は、液体通過手段７１７を含むことが可能である。例えば、図２７Ａを参照されたい。液体通過手段７１７は、シールド７１５の対向する主要表面を通る少なくとも１つの開口を含むことが可能である。液体１０１は、液体通過手段７１７を通過することが可能であり、液体１０１が、少なくとも１つの要素７０２、又は、少なくとも１つの要素７０２のコーティングに除去可能に物理的な接触をすることができるようになっている。ある実施形態では、液体通過手段７１７は、複数の孔部を含むことが可能である。例えば、図２７Ｂを参照されたい。いくつかのそのような孔部は、２つのグループに位置付けされ得、第１のグループは、第２の縁部２７５２よりも第１の縁部２７５１の近くに位置付けされており、第２のグループは、第１の縁部２７５１よりも第２の縁部２７５２の近くに位置付けされている。ある実施形態では、液体通過手段７１７は、複数のスロット（スリット）を含むことが可能である。ある実施形態では、複数のスロットは、平行になっていることが可能である。例えば、図２７Ａを参照されたい。ある実施形態では、複数のスロットは、水平方向に延びていることが可能である。ある実施形態では、そのような水平方向のスロットは、スリットの２つの列、すなわち、第２の縁部１６５２よりも第１の縁部１６５１の近くに位置付けされている第１の列、及び、第１の縁部１６５１よりも第２の縁部１６５２の近くに位置付けされている第２の列に、グループ化され得る。ある実施形態では、複数のスロットは、垂直方向に延びていることが可能である。例えば、図２７Ａを参照されたい。
【０５０３】
ある実施形態では、少なくとも１つの要素７０２は、リム２２５よりも少なくとも１つのベース２１５の近くに位置付けされ得、液体１０１を加熱することは、液体１０１の対流フローを発生させ、より高密度の（より冷たい）液体１０１が下向きに移動し、より低密度の（より温かい）液体１０１が内部容積２２０の中を上向きに移動するようになっている。また、液体１０１のそのような対流フローは、液体通過手段７１７の構造的な幾何学形状によって容易にされ得、比較的に冷たい液体１０１が、第１の縁部２７５１の近くにある液体通過手段７１７に進入し、少なくとも１つの要素７０２によって加熱され得、比較的に温かい液体１０１が、第２の縁部２７５２の近くにある液体通過手段７１７から離れることができるようになっている。
【０５０４】
ある実施形態では、少なくとも１つの要素７０２は、ベッセルのリム２２５よりも少なくとも１つのベース２０５の近くにおいて、ベッセル（例えば、ベッセル２００）の中で垂直方向（上／下方向）に位置付けされ得る。少なくとも１つの要素７０２のそのような垂直方向の位置決めは、液体１０１の対流フローを容易にすることが可能である。いくつかの例示的な実施形態では、少なくとも１つの要素７０２は、底部内側表面２１７に物理的に接触していないことが可能であり、また、任意の内壁面２０３にも物理的に接触していないことが可能である。それは、少なくとも１つの要素７０２が底部内側表面２１７及び／又は任意の内壁面２０３に物理的に接触する場合に生じ得る製造コストの増加を回避するために行われ得る。その理由は、少なくとも１つの要素７０２が底部内側表面２１７及び／又は任意の内壁面２０３に物理的に接触する場合には、次いで底部内側表面２１７及び／又は内壁面２０３は、少なくとも要素７０２により作り出される熱の下での変形を回避するためにより大きい熱負荷に耐えることができる材料（例えば、CPVC）から構築することを必要とする可能性があるからである。そのような耐熱性の構築材料は、耐熱性の低い対応する材料よりも多くのコストがかかる可能性がある。
【０５０５】
ある実施形態では、要素７０２は、ベッセルの前面壁よりもベッセル２００の後面壁の近くに位置付けされ得る。例えば、図２７Ｅ及び図２７Ｆを参照されたい。ある実施形態では、例えば、全体的な形状が、直線的（例えば、「Ｉ」字形状）、「Ｔ」字形状、「Ｊ」字形状、及び／又は「Ｌ」字形状であり得るときなどに、少なくとも１つの要素７０２の大部分は、後面壁に平行になっていることが可能である。例えば、図２７Ｅ、図２７Ｆ、図２８Ａ、図２８Ｂ、及び図２８Ｃを参照されたい。
【０５０６】
ある実施形態では、少なくとも２つの電気端子７０６は、組み立てられたときに、側壁２０５及び／又はベース２１５から突出することが可能である。例えば、図２７シリーズの図を参照されたい。例えば、及び、本発明の範囲を限定することなく、全体的な形状は、直線的、「Ｉ」字形状、「Ｌ」字形状、又は「Ｊ」字形状になっていることが可能である。ある実施形態では、少なくとも２つの電気端子７０６は、組み立てられたときに、機械的なコンパートメント２５１の中へ突出することが可能である。
【０５０７】
ある実施形態では、少なくとも２つの電気端子７０６は、後面壁（例えば、図７Ｎの中の第２の側壁２０７）から突出することが可能である。例えば、図２７Ｅ及び図２７Ｆを参照されたい。例えば、及び、本発明の範囲を限定することなく、全体的な形状は、「Ｌ」字形状、「Ｉ」字形状、直線的な形状、「Ｊ」字形状、又は「Ｔ」字形状になっていることが可能である。
【０５０８】
ある実施形態では、前面壁（例えば、第４の側壁２０９）は、ネック−ガスケット−アコモデータ３３５が位置付けされ得る場所とすることができる。ある実施形態では、後面壁は、前面壁に対向していることが可能である。ある実施形態では、２つの側壁（例えば、第１の側壁２０６及び第３の側壁２０８）が存在することが可能であり、それぞれの側壁は、前面壁から後面壁へ延びていることが可能である。ある実施形態では、前面壁は、第４の側壁２０９とすることができ、後面壁は、第２の側壁２０７とすることができ、側壁は、第１の側壁２０６及び／又は第３の側壁２０８とすることができる。
【０５０９】
ある実施形態では、少なくとも１つの要素７０２は、４つの側部のうちの３つに沿って、少なくとも１つのベース２１５の内側周囲部の周りに延びていることが可能である。例えば、図２７Ａ、図２７Ｂ、図２８Ｄ、図２８Ｅ、及び図２８Ｆを参照されたい。例えば、及び、本発明の範囲を限定することなく、全体的な形状は、上方から見たときに、「Ｕ」字形状、馬蹄形形状、「Ｗ」字形状、「Ｍ」字形状になっていることが可能である。ある実施形態では、少なくとも２つの電気端子７０６は、後面壁、前面壁、側壁、又はベース２１５から突出することが可能である（例えば、図２７Ｂを参照）。いくつかのそのような実施形態では、それぞれが１つの電気端子７０６を備える２つの別個の接続用ブッシング、すなわち、第１の接続ブッシング１６３６及び第２の接続ブッシング１６３７が存在することが可能である。例えば、図２７Ａ及び図２７Ｂを参照されたい。
【０５１０】
ある実施形態では、少なくとも１つの要素７０２は、４つの側部のうちの４つに沿って、少なくとも１つのベース２１５の内側周囲部の周りに延びていることが可能である。例えば、図２７Ｄ及び図２８Ｇを参照されたい。例えば、及び、本発明の範囲を限定することなく、全体的な形状は、「Ｏ」字形状、円形形状、又は卵形形状になっていることが可能である。ある実施形態では、少なくとも２つの電気端子７０６は、後面壁（例えば、図２７Ｄを参照）、前面壁、側壁、又はベース２１５から突出することが可能である。いくつかのそのような実施形態では、それぞれが１つの電気端子７０６を備える２つの別個の接続用ブッシング、例えば、第１の接続ブッシング１６３６及び第２の接続ブッシング１６３７が存在することが可能である。例えば、図２７Ｄを参照されたい。
【０５１１】
ある実施形態では、ヒータは、２つの（別個の）加熱要素７０１サブアセンブリを含むことが可能である。例えば、図２７Ｈを参照されたい。それぞれの加熱サブアセンブリは、（内部容積２２０の中へ据え付けられたときに）互いに平行になっていることが可能である。それぞれの要素７０２は、後面壁から前面壁に向けて延びていることが可能である。例えば、図２７Ｈを参照されたい。ある実施形態では、それぞれの少なくとも１つの要素の大部分は、側壁（例えば、第１の側壁２０６及び／又は第３の側壁２０８）に平行になっていることが可能である。例えば、図２７Ｈを参照されたい。ある実施形態では、それぞれの要素７０２は、他の側壁２０５よりもある側壁２０５の近くに位置付けされ得、それぞれの要素７０２が、それぞれの側壁２０５（右側及び左側）に近接して位置付けされ得るようになっている。ある実施形態では、それぞれの加熱要素７０１サブアセンブリの少なくとも２つの電気端子７０６は、後面壁（例えば、図２７Ｈを参照）、前面壁、いずれかの側壁、又はベース２１５から突出することが可能である。ある実施形態では、それぞれの加熱要素７０１サブアセンブリの少なくとも２つの電気端子７０６は、機械的なコンパートメント２５１の中へ突出することが可能である。
【０５１２】
ある実施形態では、少なくとも１つの接続ブッシング２７３５（又は、第１の接続ブッシング２７３６及び第２の接続ブッシング２７３７）は、少なくとも１つの壁部２０１（例えば、少なくとも１つの側壁２０５）及び／又は少なくとも１つのベース２１５に取り付けられ得る。ある実施形態では、アダプタ２７７５が、少なくとも１つの壁部２０１（例えば、少なくとも１つの側壁２０５）及び／又は少なくとも１つのベース２１５に取り付けられ得る。いくつかの例示的な実施形態では、少なくとも１つの接続ブッシング２７３５（又は、第１の接続ブッシング２７３６及び第２の接続ブッシング２７３７）は、後面壁に取り付けられるか、又は、アダプタ２７７５に取り付けられ得、そして、アダプタ２７７５は、後面壁に接続され得、少なくとも２つの電気端子７０６が機械的なコンパートメント２５１からアクセス可能であり得るようになっている。例えば、図２７Ａ、図２７Ｄ、図２７Ｆ、及び図２７Ｈを参照されたい。
【０５１３】
ある実施形態では、ヒータは、ブッシング取り付け手段を含むことが可能である。ブッシング取り付け手段は、所与の加熱要素７０１サブアセンブリをベッセル２００に取り付けるように構成され得る。ブッシング取り付け手段は、少なくとも１つの接続ブッシング２７３５（又は、第１の接続ブッシング２７３６及び第２の接続ブッシング２７３７）、及び、少なくとも１つのブッシング孔部２７６０（又は、第１のブッシング孔部２７６１及び第２のブッシング孔部２７６２）を含むことが可能である。少なくとも１つのブッシング孔部２７６０（又は、第１のブッシング孔部２７６１及び第２のブッシング孔部２７６２）は、少なくとも１つの壁部２０１（例えば、図２７Ａ、図２７Ｄ、及び図２７Ｆを参照）又は少なくとも１つのベース２１５を通過することが可能である。少なくとも１つのブッシング孔部２７６０（又は、第１のブッシング孔部２７６１及び第２のブッシング孔部２７６２）は、少なくとも１つの壁部２０１又は少なくとも１つのベース２１５の中に位置付けされ得る。ある実施形態では、少なくとも１つのブッシング孔部２７６０は、第１のブッシング孔部２７６１及び第２のブッシング孔部２７６２を含むことが可能であり、それは、２つの別個の及び別々の孔部とすることができる。
【０５１４】
ある実施形態では、少なくとも１つのブッシング孔部２７６０は、少なくとも１つの接続ブッシング２７３５を受け入れるようにサイズ決めされ得る。ある実施形態では、少なくとも１つのブッシング孔部２７６０は、バルクヘッドなどのようなアダプタ２７７５を受け入れるようにサイズ決めされ得る。ある実施形態では、少なくとも１つのブッシング孔部２７６０は、ネジ山が付けられていなくてもよい。ある実施形態では、少なくとも１つのブッシング孔部２７６０は、ブッシング孔部７０８と機能的に同等とすることができることに留意されたい。ある実施形態では、少なくとも１つのブッシング孔部２７６０は、ブッシング孔部７０８と構造的に同等とすることができることに留意されたい。
【０５１５】
ある実施形態では、第１のブッシング孔部２７６１は、第１の接続ブッシング２７３６を受け入れるようにサイズ決めされ得る。ある実施形態では、第１のブッシング孔部２７６１は、バルクヘッドなどのようなアダプタ２７７５を受け入れるようにサイズ決めされ得る。ある実施形態では、第１のブッシング孔部２７６１は、ネジ山が付けられていなくてもよい。ある実施形態では、第２のブッシング孔部２７６２は、第２の接続ブッシング２７３７を受け入れるようにサイズ決めされ得る。ある実施形態では、第２のブッシング孔部２７６２は、バルクヘッドなどのようなアダプタ２７７５を受け入れるようにサイズ決めされ得る。ある実施形態では、第２のブッシング孔部２７６２は、ネジ山が付けられていなくてもよい。
【０５１６】
少なくとも１つのブッシング孔部２７６０（又は、第１のブッシング孔部２７６１及び第２のブッシング孔部２７６２）が、ネジ山を付けられていない可能性がある実施形態では（例えば、内側ネジ部又は雌ネジ部）、ブッシング孔部ネジ部の排除が、ベッセル（例えば、ベッセル２００）全体の交換を必要とする可能性のある、クロススレッディング（cross threading）の問題、及び／又は、締め付け過ぎによるスレッドストリッピングの問題を防止することができるという点において、そのような実施形態は例示的とすることができる。例えば、図２７Ｆ又は図２７Ａを参照されたい。
【０５１７】
ある実施形態では、少なくとも１つのブッシング孔部２７６０（又は、第１のブッシング孔部２７６１及び第２のブッシング孔部２７６２）は、内側のネジ山が付けられており（雌型ネジ山が付けられており）、少なくとも１つの接続ブッシング２７３５（又は、第１の接続ブッシング２７３６及び第２の接続ブッシング２７３７）の相補的なネジ部（外側ネジ部）を受け入れることが可能である。
【０５１８】
ある実施形態では、少なくとも１つのブッシング孔部２７６０（又は、第１のブッシング孔部２７６１及び第２のブッシング孔部２７６２）は、内側のネジ山が付けられており（雌型ネジ山が付けられており）、ダブルネジ山付きのアダプタの外部外側ネジ部（雄ネジ部）の相補的なネジ部を受け入れることが可能である。ある実施形態では、シーラント、例えば、シリコーンが、少なくとも１つのブッシング孔部２７６０（又は、第１のブッシング孔部２７６１及び第２のブッシング孔部２７６２）の中で、及び／又は、その周りで使用され得る。
【０５１９】
ある実施形態では、ブッシング取り付け手段は、少なくとも１つのナット２７７０を含むことが可能である。例えば、図２７Ａ又は図２７Ｆを参照されたい。少なくとも１つのナット２７７０は、内側ネジ部（雌ネジ部）を含み、少なくとも１つの接続ブッシング２７３５（又は、第１の接続ブッシング２７３６及び第２の接続ブッシング２７３７）の相補的な外側ネジ部に取り付けることが可能である。ある実施形態では、少なくとも１つのナット２７７０は、内部容積２２０の外側から、少なくとも１つの接続ブッシング２７３５（又は、第１の接続ブッシング２７３６及び第２の接続ブッシング２７３７）の相補的なネジ部に取り付けられ得る。ある実施形態では、少なくとも１つのナット２７７０は、少なくとも１つのナット７１０と機能的に同等とすることができることに留意されたい。ある実施形態では、少なくとも１つのナット２７７０は、少なくとも１つのナット７１０と構造的に同等とすることができることに留意されたい。
【０５２０】
ある実施形態では、ブッシング取り付け手段は、少なくとも１つのガスケット２７８０、ワッシャ２７８０、及び／又はＯリングなどを含むことが可能である。少なくとも１つのガスケット２７８０、ワッシャ２７８０、又はＯリングは、少なくとも１つの接続ブッシング２７３５（又は、第１の接続ブッシング２７３６及び第２の接続ブッシング２７３７）の周囲部（例えば、外径）の境界を定めるようにサイズ決めされ得る。ある実施形態では、少なくとも１つのガスケット２７８０、ワッシャ２７８０、又はＯリングは、少なくとも１つのナット２７７０と、少なくとも１つの壁部２０１の表面又は少なくとも１つのベース２１５の表面との間に配設され得る。ある実施形態では、少なくとも１つのガスケット２７８０、ワッシャ２７８０、又はＯリングは、少なくとも１つの接続ブッシング２７３５（又は、第１の接続ブッシング２７３６及び第２の接続ブッシング２７３７）のフランジ２７３８と、内壁面２０３又は底部内側表面２１７との間に配設され得る。固定されたときに、フランジ２７３８は、少なくとも１つのガスケット２７８０、ワッシャ２７８０、及び／又はＯリングを押すことが可能である。少なくとも１つのガスケット２７８０、ワッシャ２７８０、又はＯリングは、とりわけ、機械的なコンパートメント２５１の中への液体１０１漏出を緩和するために使用され得る。ある実施形態では、ガスケット２７８０、ワッシャ２７８０、及び／又はＯリングは、ガスケット／ワッシャ７０９と機能的に同等とすることができることに留意されたい。ある実施形態では、ガスケット２７８０、ワッシャ２７８０、及び／又はＯリングは、ガスケット／ワッシャ７０９と構造的に同等とすることができることに留意されたい。
【０５２１】
ある実施形態では、ブッシング取り付け手段は、少なくとも１つのアダプタ２７７５をさらに含むことが可能である。例えば、図２７Ｄを参照されたい。ある実施形態では、少なくとも１つのアダプタ２７７５は、バルクヘッド及び／又はダブルネジ山付きのアダプタ（すなわち、外側の及び内側ネジ部を備える）を含むことが可能である。ある実施形態では、少なくとも１つのアダプタ１６７５は、耐熱性の熱成形プラスチックから実質的に構築され得る。例えば、及び、本発明の範囲を限定することなく、少なくとも１つのアダプタ２７７５は、ＣＰＶＣなどから実質的に構築され得る。
【０５２２】
ある実施形態では、ブッシング孔部２７６０（又は、第１のブッシング孔部２７６１及び第２のブッシング孔部２７６２）は、バルクヘッドの外側の周囲部を受け入れるようにサイズ決めされ得る。バルクヘッドは、内側の雌型ネジ山付きの孔部を含むことが可能である。内側の雌型ネジ山付きの孔部は、少なくとも１つの接続ブッシング２７３５（第１の接続ブッシング２７３６及び第２の接続ブッシング２７３７）の相補的なネジ部を受け入れるようにサイズ決めされ得る。ある実施形態では、バルクヘッドは、ブッシング孔部２７６０（又は、第１のブッシング孔部２７６１及び第２のブッシング孔部２７６２）に恒久的に取り付けられ得る。ある実施形態では、バルクヘッドは、ブッシング孔部２７６０（又は、第１のブッシング孔部２７６１及び第２のブッシング孔部２７６２）に除去可能に取り付けられ得る。ある実施形態では、バルクヘッドは、インサートとすることができ、ベッセル（例えばベッセル２００）は、モールドインサートとしてバルクヘッドの周りに成形され得る。ある実施形態では、バルクヘッドは、摩擦嵌め、超音波溶着、熱溶着、溶剤結合、及び／又は化学接着剤によって、ブッシング孔部２７６０（又は、第１のブッシング孔部２７６１及び第２のブッシング孔部２７６２）に取り付けられ得る。
【０５２３】
ある実施形態では、ダブルネジ山付きのアダプタ（すなわち、別のタイプのブッシング）は、外部外側ネジ部（雄ネジ部）及び内部内側ネジ部（雌ネジ部）を含むことが可能である。ブッシング孔部２７６０（又は、第１のブッシング孔部２７６１及び第２のブッシング孔部２７６２）は、内側のネジ山が付けられており（雌型ネジ山が付けられており）、ダブルネジ山付きのアダプタの外部外側ネジ部（雄ネジ部）を受け入れるようにサイズ決めされ得る。内部内側ネジ部は、少なくとも１つの接続ブッシング２７３５（又は、第１の接続ブッシング２７３６及び第２の接続ブッシング２７３７）の相補的なネジ部を受け入れるようにサイズ決めされ得る。
【０５２４】
いくつかの例示的な実施形態では、アダプタ２７７０の実施形態（例えば、バルクヘッド又はダブルネジ山付きのアダプタ）は、ベッセル（例えば、ベッセル２００）への少なくとも１つの接続ブッシング２７３５（又は、第１の接続ブッシング２７３６及び第２の接続ブッシング２７３７）の直接接続よりも好ましい可能性がある。その理由は、アダプタ２７７０を中間体として使用することは、具体的にはより高い熱負荷を受けるように設計された熱可塑性物質（例えば、CPVC）のアダプタ２７７０を構築することを可能にすることができ、従って、ベッセル材料の大部分は、より高い熱負荷を受けるように設計される必要がないからである。従って、そのような実施形態は、ベッセルの大部分（又は、全体）がより高い熱負荷を受けることができる材料から構築され得る実施形態よりも、製造するのが安価となる。
【０５２５】
ある実施形態では、本明細書において、２つのパーツを接続するためのネジ部及び相補的なネジ部の任意の適用例は、テーパを付けられたネジ部を用い、そのような接続の摩擦及び安全を増加させることが可能である。ある実施形態では、テーパを付けられたネジ部の使用は、ガスケット、ワッシャ、及び／又はＯリング（例えば、ガスケット２７８０、ワッシャ２７８０、及び／又はガスケット／ワッシャ７０９）の代わりに使用され得る。
【０５２６】
図２８Ａから図２８Ｈは、上部概略図により示されているように、様々な要素７０２レイアウト構成を示すものであり得、ヒータ（要素７０２）の様々な全体的な形状を示している。これらの図２８の図は、図２７シリーズの議論において上述されてきた。
【０５２７】
図２８Ａは、ベッセルの後面に近接する直線的な要素７０２を示すものであり得、要素７０２は、ベッセルの側壁２０５からベッセルに進入している。ある実施形態では、線形であり得る全体的な形状を有する要素７０２は、単一のベンドを含むことが可能であり、そのような要素７０２は、自分に折り重なっており、１対の電気端子７０６を備える１つの接続ブッシングが存在することができるようになっている。例えば、そのような直線的な要素７０２の描写に関して、図７Ｉ及び図７Ｊを参照されたい。
【０５２８】
図２８Ｂは、ベッセルの後面に近接するＬ字形状の要素７０２を示すものであり得、要素７０２は、後面からベッセルに進入している。
【０５２９】
図２８Ｃは、ベッセルの後面に近接するＴ字形状の要素７０２を示すものであり得、要素７０２は、後面からベッセルに進入している。
【０５３０】
図２８Ｄは、Ｕ字形状の要素７０２を示すものであり得、要素７０２は、ベッセルの後面からベッセルに進入している。
【０５３１】
図２８Ｅは、Ｕ字形状の要素７０２を示すものであり得、要素７０２は、ベッセルの前面からベッセルに進入している。例えば、図２８Ｅでは、２つの接続ブッシング２７３６及び２７３７が、後面壁又はベース２１５の代わりに、前面壁を通って延在することが可能であることを除いて、図２８Ｅは、実施形態２７００及び２７０５と同様に、Ｕ字形状のヒータの実施形態を示すものであり得る。
【０５３２】
図２８Ｆは、Ｕ字形状の要素７０２を示すものであり得、要素７０２は、ベッセルの底部からベッセルに進入している。
【０５３３】
図２８Ｇは、おおよそのＯ字形状の要素７０２を示すものであり得、要素７０２は、ベッセルの後面からベッセルに進入している。例えば、図２８Ｇは、Ｏ字形状のヒータの実施形態を示すものであり得、後面壁を通って機械的なコンパートメント（図示せず）の中へ終端する（１対の電気端子７０６を備える）１つの接続ブッシング２７３５が存在することが可能である。
【０５３４】
図２８Ｈは、１対の直線的な要素７０２を示すものであり得、それぞれが、対向しているが平行な側壁２０５に近接しており、要素７０２は、ベッセルの後面からベッセルに進入している。図２８Ｈは、図７シリーズの図に示されているような例示的なヒータ７００の実施形態の要素７０２のレイアウト構成の代表図である可能性がある。
【０５３５】
ある実施形態では、様々な加熱機器（例えば、ヒータ７００サブアセンブリ）に加えて、様々なチリング機器が存在することが可能である。又は、他の実施形態では、様々な加熱機器の代替は、様々なチリング機器とすることができる。ある実施形態では、フェイスソーキングデバイス（例えば、１００）は、室温より下の温度まで液体１０１を冷やすためのチラーを含むことが可能である。ある実施形態では、フェイスソーキングデバイス（例えば、フェイスソーキングデバイス１００）は、液体１０１の凝固点より上の温度まで液体１０１を冷やすためのチラーを含むことが可能である。加えて又は代替的に、ある実施形態では、液体１０１は、水氷などのような氷の導入によって冷やされ得る。又は、液体１０１は、内側容積２２０の中への導入の前に冷やされ得る。
【０５３６】
チラー、チリング機器の使用によって、及び／又は、氷もしくは冷やされた液体１０１の導入によって、液体１０１を冷やすことは、次いで、冷やされた液体１０１の中へ除去可能に浸され得る顔９０１０又は他の身体のパーツを治療するために、様々な寒冷療法が使用されることを可能にすることができる。ある実施形態では、液体１０１は、実質的に氷とすることができる。追加的に又は代替的に、温熱（又は、高温）療法は、寒冷療法と交互に行われ得る。温かさ及び冷たさがそのように交互になっていることは、血流を増加させること、細胞の毒素（例えば、それに限定されないが、乳酸）の除去を容易にすること、及び／又は、火傷を負った組織又は外傷組織の治癒を推進させることを支援することが可能である。
【０５３７】
ここで、図８の図の議論を見てみる。図８シリーズの図は、図８Ａから図８Ｇを含む。図８シリーズの図は、エアレータの部分の例示的な実施形態を示すものであり得る。ある実施形態では、フェイスソーキングデバイス１００は、様々なエアレータの実施形態を含むことが可能である。そのようなエアレータは、ベッセル２００の内部容積２２０の中の液体１０１の中へ気泡１２５を放出することが可能である。ある実施形態では、所与のエアレータの実施形態は、ガスのストリームをベッセル２００の内側空間の底部の近くの少なくとも１つのポイントに供給することによって、ガスのストリームを提供することが可能であり、ベッセル２００が十分な量の液体１０１を含み得るときに、液体１０１の中へ泡１２５が放出されることが可能であるようになっている。エアレータの実施形態（例えば、ガスディフューザ）のいくつかの部分は、ベッセル２００と物理的に接触していることが可能である。例えば、図８Ａ、図８Ｃ、図８Ｄ、及び図８Ｅを参照されたい。
【０５３８】
ある実施形態では、エアレータは、ガスディフューザ及びガス供給源を含むことが可能である。ある実施形態では、ガス供給源は、ガスディフューザに連結され得、ガス供給源からのガスが、ガスディフューザに提供され得るようになっている。ある実施形態では、ガスディフューザは、多孔性の構造体を含むことが可能である。ある実施形態では、ガスディフューザは、複数の細孔を含むことが可能である。ある実施形態では、多孔性の構造体は、複数の細孔とすることができる。ある実施形態では、ガスディフューザは、内部容積２２０の中に位置付けされているか、又は、ガスディフューザからの気泡１２５が内部容積２２０の中へ放出されるように位置決めされ得る。ガス供給源は、少なくともいくらかのガスをガスディフューザに提供することが可能である。ある実施形態では、ガス供給源は、圧縮ガスを含むシリンダ（例えば、ガスシリンダ）、又は、大気をポンプ送りするための空気ポンプのうちの１つ又は複数から選択され得る。ある実施形態では、ガスディフューザは、次いで、複数の細孔を通して、及び／又は、多孔性の構造体を通して、ガスの少なくともいくらかを放出することが可能である。液体１０１がベッセル２００の内部容積２２０のいくらかの部分を占有することが可能であるときに、複数の細孔を通してガスの少なくともいくらかを放出することは、液体１０１の中への気泡１２５の放出をもたらし得る。これは、ガスの成分に応じて、溶解酸素を含む、液体１０１の中の溶解ガス（及び、非溶解ガス）の量を増加させることが可能である。
【０５３９】
ある実施形態では、ガスディフューザは、ベッセル２００の少なくとも１つのベース２１５の内側表面の上に（例えば、底部内側表面２１７の一部分に）位置付けされ得る。例えば、図８Ａ、図８Ｃ、図８Ｄ、及び図８Ｅを参照されたい。ある実施形態では、ガスディフューザは、内部容積２２０の中に位置付けされ得る。ある実施形態では、ガスディフューザは、１つ又は複数のガス−ディフューザ−チュービング８０１を含むことが可能である。例えば、ガスディフューザ８００は、１つ又は複数のガス−ディフューザ−チュービング８０１を含むことが可能である。例えば、図８シリーズの図を参照されたい。
【０５４０】
ある実施形態では、ガスディフューザは、ベッセル２００の内壁面２０３に最大液体レベルよりも下に接続され得る。ある実施形態では、ガスディフューザ、又は、その一部分は、ベッセル２００の内壁面２０３の上に位置付けされ得る。ある実施形態では、ガスディフューザは、ベッセル２００の内壁面２０３から除去可能であり得る。
【０５４１】
ある実施形態では、ガスディフューザは、ベッセル２００の内壁面２０３と一体的になっていることが可能である。複数の細孔（及び／又は、多孔性の構造体）が、ベッセル２００の少なくとも１つの内壁面２０３から空気（又は、何らかの他のガス）を放出することが可能である。ある実施形態では、ガスディフューザ、及び、ベッセル２００の内壁面２０３は、単一の製造品とすることができる。そのような実施形態では、少なくとも１つの壁部２０１及びガスディフューザは、単一の製造品として射出成形され得、空気ライン配管系統は、内壁面２０３と外壁面２０２との間の空間の中に成形される必要がある。例えば、それは、ベッセルライニング２００ａとベッセルカバー２００ｂとの間である。
【０５４２】
ある実施形態では、ガスディフューザは、ベッセル２００の底部内側表面２１７と一体的になっていることが可能である。複数の細孔（及び／又は、多孔性の構造体）は、ベッセル２００の底部内側表面２１７から空気（又は、何らかの他のガス）を放出することが可能である。ある実施形態では、ガスディフューザ、及び、ベッセル２００の底部内側表面２１７は、単一の製造品とすることができる。そのような実施形態では、少なくとも１つのベース２１５及びガスディフューザは、単一の製造品として射出成形され得、空気ライン配管系統は、底部内側表面２１７と外壁面２０２との間の空間の中に成形される必要がある。例えば、それは、ベッセルライニング２００ａとベッセルカバー２００ｂとの間である。例えば、及び、本発明の範囲を限定することなく、図２７Ａの中の例えば、ガスディフューザ８００を参照されたい。それは、底部内側表面２１７と一体的になっていることが可能である。図２７Ａの中のガスディフューザ８００の上部からの２Ｄ図は、形状が円形である必要はなく、それに限定されないが、直線的なラン、曲線の有無にかかわらない；長円形；楕円形；正多角形、丸みを帯びた角部の有無にかかわらない；及び／又は、非正多角形、丸みを帯びた角部の有無にかかわらない；などのような他の２Ｄ幾何学的形状であることも可能であることに留意されたい。
【０５４３】
ある実施形態では、ガスディフューザは、ガスディフューザ８００とすることができる。例えば、図８シリーズの図を参照されたい。図８Ａは、フェイスソーキングデバイス１００のガスディフューザ８００の部分を示すものであり得、上面図により示されているが、呼吸装置（例えば、呼吸装置４００）、ヘッドレストサブアセンブリ（例えば、ヘッドレストサブアセンブリ５００）、及びシールド７１５は除去されている。図８Ｂは、ベッセル（例えば、ベッセル２００）から分解されているガスディフューザ８００の部分を上面斜視図により示している可能性がある。
【０５４４】
ある実施形態では、ガスディフューザ８００は、１つ又は複数のガス−ディフューザ−チュービング８０１を含むことが可能である。例えば、及び、本発明の範囲を限定することなく、様々な実施形態では、１つ、２つ、３つ、４つ、５つ、又は６つの別個のガス−ディフューザ−チュービング８０１が存在することが可能である。例えば、図８シリーズの図は、３つのガス−ディフューザ−チュービング８０１を備える実施形態を示すものであり得、図２９は、１つ又は２つのガス−ディフューザ−チュービング８０１の異なるレイアウト構成を示すものであり得る。追加的に、１つのガス−ディフューザ−チュービング８０１は、２つ以上のガス−ディフューザ−チュービング８０１レイアウト構成に実質的に同等であり得るレイアウト構成の上にループ形状にされ得る（及び／又は曲げられている）。例えば、図２９を参照されたい。
【０５４５】
ある実施形態では、１つ又は複数のガス−ディフューザ−チュービング８０１から選択されるそれぞれのガス−ディフューザ−チュービング８０１は、多孔性の細長い部材８０３及び中央の細長い部材８０５を含むことが可能である。いくつかの例示的な実施形態では、多孔性の細長い部材８０３及び中央の細長い部材８０５は、互いに同軸になっている。例えば、図８Ｅ及び図８Ｄを参照されたい。図８Ｃは、ガスディフューザ８００の部分を示すものであり得、上面図により示されており、ガス−ディフューザ−チュービング８０１を通る横断幅方向の断面線８Ｄ−８Ｄを伴っている。図８Ｄは、ガス−ディフューザ−チュービング８０１を通る断面線８Ｄ−８Ｄに沿った横断幅方向の断面図であり得、図８Ｄは、詳細８Ｅの領域も示している可能性がある。図８Ｅは、詳細８Ｅのクローズアップ図であり得、ガス−ディフューザ−チュービング８０１のクローズアップ断面詳細を示している。図８Ｅの中の詳細８Ｅのこの断面クローズアップは、多孔性の細長い部材８０３及び中央の細長い部材８０５、並びに、互いに対するそれらの同軸の関係を示すものであり得る。
【０５４６】
ある実施形態では、中央の細長い部材８０５は、多孔性の細長い部材８０３のキャビティの中に位置付けされ得る。例えば、図８Ｅ及び図８Ｄを参照されたい。ある実施形態では、中央の細長い−部材８０５は、リジッド又はセミリジッドとすることができ、ガス−ディフューザ−チュービング８０１の中のベンドが保持されることを可能にする。例えば、図２９に示されている１つ又は複数のガス−ディフューザ−チュービング８０１のいくつかの様々なレイアウト構成を参照されたい。ある実施形態では、中央の細長い部材８０５は、金属から実質的に構築され得る。例えば、及び、本発明の範囲を限定することなく、ある実施形態では、そのような金属は、アルミニウム、銅、及び／又は鋼などから選択され得る。ある実施形態では、中央の細長い部材８０５は、絶縁された金属ワイヤであり、金属ワイヤに対するコロージョンを最小化し、及び／又は、故意でない電池を形成することを最小化することが可能である。そのような絶縁体は、熱可塑性物質及び／又はエラストマーとすることができる。
【０５４７】
ある実施形態では、多孔性の細長い部材８０３は、多孔性の材料から実質的に構築され得る。ある実施形態では、この多孔性の材料は、ガスディフューザ８００の複数の細孔を含むことが可能である。ある実施形態では、この多孔性の材料は、エラストマー材料とすることができる。ある実施形態では、この多孔性の材料は、連続気泡フォーム材料とすることができる。
【０５４８】
ある実施形態では、１つ又は複数のガス−ディフューザ−チュービング８０１から選択されるそれぞれのガス−ディフューザ−チュービング８０１は、２つの末端部、すなわち、第１の端部８０７、及び、反対側に配設されている第２の端部８０９を含むことが可能である。例えば、図８Ｂを参照されたい。ある実施形態では、第１の端部８０７及び第２の端部８０９が構造的に同等であり得るという点において、第２の端部８０９から第１の端部８０７を表示することは、任意であり、単に命名規則のためのものであり得ることに留意されたい。ある実施形態では、第１の端部８０７は、ガス供給源、又は、ガス供給源に接続され得る中間体のいずれかに接続され得る。ある実施形態では、第２の端部８０９は、端部キャップ８１１、ガス供給源、又は、中間体もしくは異なる中間体に接続され得る。図８シリーズの図に示されている実施形態は、端部キャップ８１１に接続されている第２の端部８０９を示すものであり得る。例えば、端部キャップ８１１に関して、図８Ｆを参照されたい。ある実施形態では、中間体は、コネクタ８１３（もしくは、コネクタ３０１３）又は空気ラインチュービング８１９のうちの１つ又は複数を含むことが可能である。図８シリーズの図に示されている実施形態は、コネクタ８１３に接続されている第１の端部８０７を示すものであり得る。例えば、コネクタ８１３に関して、図８Ｇを参照されたい。
【０５４９】
ある実施形態では、ガスディフューザ８００は、１つ又は複数の端部キャップ８１１を含むことが可能である。例えば、図８Ｂ及び図８Ｆを参照されたい。ある実施形態では、端部キャップ８１１は、ガス−ディフューザ−チュービング８０１の末端部８０７又は８０９のうちの少なくとも１つに取り付けることが可能であり、末端部８０７又は８０９からのガス漏れを防止する。例えば、図８Ｂ及び図８Ｆを参照されたい。図８Ｆは、端部キャップ８１１に除去可能に連結されているガス−ディフューザ−チュービング８０１を示すものであり得、ガス−ディフューザ−チュービング８１１及び端部キャップ８１１は、ベッセル（例えば、ベッセル２００）のフランジ−レシーバ８２０から分解され得、ベッセルの内側の部分的な上面斜視図により示されている。ある実施形態では、端部キャップ８１１は、末端部、すなわち、ガス−ディフューザ−チュービング８０１の第１の端部８０７及び／又は第２の端部８０９のうちの少なくとも１つへの取り付けのためのホースバーブを含むことが可能である。ある実施形態では、端部キャップ８１１ホースバーブは、中空でなくてもよい。ある実施形態では、端部キャップ８１１ホースバーブは、中実とすることができる。すなわち、端部キャップ８１１は、ガス−ディフューザ−チュービング８０１の第１の端部８０７又は第２の端部８０９に対するプラグとして機能するための構造体を有することが可能である。この構造体は、多孔性の細長い部材８０３の内径の中への挿入のためのホースバーブを含むことが可能である。ある実施形態では、ガス−ディフューザ−チュービング８０１の単に１つの末端部だけ、すなわち、第１の端部８０７又は第２の端部８０９が、それに取り付けられる端部キャップ８１１を有することが可能であり、残りの末端部は、空気ラインチュービング８１９に接続されるか、又は、中間体を通して空気ラインチュービング８１９に接続され得る。例えば、図２９及び図８Ｇを参照されたい。ある実施形態では、両方の末端部、すなわち、ガス−ディフューザ−チュービング８０１の第１の端部８０７及び第２の端部８０９が、空気ラインチュービング８１９に接続されているか、又は、両方とも中間体に接続され得ることに留意されたい。例えば、図２９（端部キャップ８１１なしのレイアウト構成）を参照されたい。
【０５５０】
ある実施形態では、端部キャップ８１１は、ホースバーブに加えて、フランジ８１２を含むことが可能である。ある実施形態では、端部キャップ８１１は、２つの対向するフランジ８１２を含むことが可能であり、ホースバーブは、両方の対向するフランジ８１２の間に配設され得る。ある実施形態では、端部キャップ８１１は、フランジ−レシーバ８２０に取り付けることが可能である。例えば、図８Ｆを参照されたい。図８Ｆでは、フランジ８１２は、フランジ−レシーバ８２０によって除去可能に捕えられ得る。それぞれのフランジ８１２とそれぞれのフランジ−レシーバ８２０との間のフィットの性質は、圧入又は摩擦嵌めとすることができる。フランジ−レシーバ８２０は、フランジ８１２を受け入れるようにサイズ決めされている１対の反対側に配設されているスロットを含むことが可能である。例えば、図８Ｆを参照されたい。
【０５５１】
ある実施形態では、フランジ−レシーバ８２０は、ベッセル２００の内壁面２０３、少なくとも１つのベース２１５、底部内側表面２１７、シールド７１５、又はＬＥＤハウジング９５０に取り付けられ得る（又は、それと一体的になっている）。図８Ｆでは、フランジ−レシーバ８２０は、内壁面２０３に近接して、底部内側表面２１７に取り付けることが可能である。ある実施形態では、この近接距離は、４インチ以下とすることができる。
【０５５２】
ある実施形態では、ガスディフューザ８００は、コネクタ８１３を含むことが可能である。例えば、図８Ｂ及び図８Ｇを参照されたい。コネクタ８１３は、中間体とすることができる。ある実施形態では、コネクタ８１３は、ガス−ディフューザ−チュービング８０１の１つの末端部、すなわち、第１の端部８０７及び／又は第２の端部８０９の多孔性の細長い部材８０３の内径の中への挿入のための中空のホースバーブ８１５を含むことが可能である。例えば、図８Ｇを参照されたい。図８Ｇは、図８Ｆと反対側の図であり得、図８Ｇは、コネクタ８１３から、及び、ベッセルの内部後面壁（例えば、第２の側壁２０７の内壁面２０３）から分解されているガス−ディフューザ−チュービング８０１を示すことが可能であり、ベッセルの内側の部分的な上面斜視図により示されている。図８シリーズの図に示されているように、コネクタ８１３のホースバーブ８１５に除去可能に接続され得るのは、第１の端部８０７とすることができる。例えば、図８Ｇを参照されたい。（ある実施形態では、コネクタ３０１３は、ガス−ディフューザ−チュービング８０１の１つの末端部、すなわち、第１の端部８０７及び／又は第２の端部８０９の多孔性の細長い部材８０３の内径の中への挿入のための中空のホースバーブ８１５を含むことが可能である。例えば、図３０Ａ及び図３０Ｂを参照されたい。）ある実施形態では、コネクタ（例えば、８１３又は３０１３）は、ガス−ディフューザ−チュービング８０１の末端部の少なくとも１つ、すなわち、第１の端部８０７及び／又は第２の端部８０９を、空気ラインチュービング８１９の末端部に接続すること（例えば、図３０Ｂを参照）；又は、ガス−ディフューザ−チュービング８０１の末端部の少なくとも１つ、すなわち、第１の端部８０７及び／又は第２の端部８０９をガス供給源に接続することのうちの１つ又は複数のためのものとすることができる。従って、いずれのコネクタ（例えば、８１３又は３０１３）も、中間体とすることができる。異なるサイズ及び／又はスタイルのコネクタ（例えば、８１３及び／又は３０１３）は、例えば、ホースバーブ（例えば、８１５又は８１７）の相違を有する、これらの異なる接続部のそれぞれのために使用され得ることに留意されたい。例えば、及び、本発明の範囲を限定することなく、ホースバーブ８１５は、多孔性の細長い部材８０３の内径の中へフィットするように構成され得る。一方、ホースバーブ８１７は、空気ラインチュービング８１９の内径の中へフィットするように構成され得る。両方のホースバーブ（例えば、８１５又は８１７）は、所与のホースバーブの中のガスフローを容易にすることが可能である。ある実施形態では、他のコネクタが、空気ラインチュービング８１９の別の末端部をガス供給源（図示せず）に接続することが可能である。
【０５５３】
ある実施形態では、ホースバーブ８１７は、より広くは、空気ラインチュービングコネクタ８１７として特徴付けられ得ることに留意されたい。及び、ある実施形態では、空気ラインチュービングコネクタ８１７は、ホースバーブ８１７を含むことが可能である。ある実施形態では、空気ラインチュービングコネクタ８１７は、ナット８３２（それは、内側ネジ部を有することが可能である）への相補的な接続のための外側ネジ部などのような、ネジ部のいくらかの部分を含むことが可能である。例えば、ナット８３２に関して、図８Ｇ、図７Ｎ、及び図９Ｃを参照されたい。
【０５５４】
ある実施形態では、コネクタ（例えば、８１３又は３０１３）は、ベッセル２００の内壁面２０３、少なくとも１つのベース２１５、ベッセル２００の底部内側表面２１７、熱シールド７１５、又はＬＥＤハウジング９５０に取り付けることが可能である。ある実施形態では、コネクタ（例えば、８１３又は３０１３）は、ベッセル２００の内壁面２０３（例えば、後面壁）に近接するベッセル２００の底部内側表面２１７に取り付けることが可能である。例えば、図８Ｇ、図３０Ａ、及び図３０Ｂを参照されたい。ある実施形態では、この近接距離は、２インチ以下とすることができる。ある実施形態では、この取り付けの性質は、除去可能とすることができ、一方、他の実施形態では、この取り付けは、恒久的である。図８Ｇは、少なくとも１つのポート２１０において後面壁の内壁面２０３に接続するためのコネクタ８１３を示すものであり得る。
【０５５５】
どのようにコネクタが、ベッセル２００の内壁面２０３、少なくとも１つのベース２１５、ベッセル２００の底部内側表面２１７、シールド７１５、又はＬＥＤハウジング９５０に取り付けることができるかという点において、コネクタ８１３は、コネクタ３０１３とは異なっていることが可能である。ガスの少なくともいくらかがどのように空気ラインチュービング８１９から内部体積２２０の中の１つ又は複数のガス−ディフューザ−チュービング８０１へ送達され得る（通される）かという点において、コネクタ８１３は、コネクタ３０１３とは異なっていることが可能である。コネクタ８１３は、内壁面２０３（例えば、後面壁）を通り（実質的に乾燥している）機械的なコンパートメント２５１の中への少なくとも１つのポート２１０を介して、バルクヘッド接続様式で使用され得る。ある実施形態では、内部容積２２０側において、内壁面２０３（例えば、後面壁）をシールするためのガスケット８３１が存在することが可能である。例えば、図８Ｇを参照されたい。ガスケット８３１は、ホースバーブ８１７の一部分の境界を除去可能に定めることが可能である。ある実施形態では、機械的なコンパートメント２５１側において、空気ラインチュービング８１９の末端部への接続のためのホースバーブ８１７の部分（又は、ネジ部８１７）が存在することが可能である。ある実施形態では、コネクタ８１３は、空気ラインチュービング８１９の末端部への接続のためのホースバーブ８１７（及び／又はネジ部８１７）を含むことが可能である。ある実施形態では、機械的なコンパートメント２５１側において、ワッシャ及び／又はナット８３２が存在することが可能であり、コネクタ８１３が、機械的なコンパートメント２５１の中への任意の（又は、最小）液体１０１漏出なしに、内壁面２０３に固定され得ることを確実にする。例えば、図８Ｇ、図７Ｎ、及び図９Ｃを参照されたい。
【０５５６】
一方、コネクタ３０１３は、「持ち上げて越える」構成において使用され得、空気ラインチュービング８１９の一部分は、リム２２５の上方へ（又は、上部開口２２６の上方へ、もしくは、リム２２５の中の上部スロットの上方へ）、及び、コネクタ３０１３が存在し得る内部容積２２０の中の液体１０１の中へ下方に持っていかれ得る。例えば、図３０Ａ及び図３０Ｂを参照されたい。図３０Ａは、ベッセル２００の内部容積２２０の中に位置付けされている１つ又は複数のガス−ディフューザ−チュービング８０１を空気ラインチュービング８１９に固定する「持ち上げて越える」様式を示すものであり得る。空気ラインチュービング８１９の一部分は、内部容積２２０の外側に位置付けされ得る。「持ち上げて越える」は、ベッセル２００のリム２２５に対するものとすることができる。図３０Ｂは、図３０Ａの接続領域のクローズアップ詳細図であり得、そこでは、１つ又は複数のガス−ディフューザ−チュービング８０１が、コネクタ３０１３を介して空気ラインチュービング８１９に除去可能に連結され得る。ある実施形態では、内部容積２２０の中にあり得る空気ラインチュービング８１９は、ベッセル（例えば、ベッセル２００）の後面壁に沿った溝部の中へフィットされていることが可能である。ある実施形態では、この溝部は、空気ラインチュービングチャネル３０２１とすることができる。ある実施形態では、空気ラインチュービングチャネル３０２１は、底部内側表面２１７からリム２２５へ実質的に垂直方向の様式で延びていることが可能である。例えば、図３０Ａを参照されたい。
【０５５７】
ある実施形態では、コネクタ３０１３は、ベッセル２００の内壁面２０３、少なくとも１つのベース２１５、ベッセル２００の底部内側表面２１７、シールド７１５、及び／又はＬＥＤハウジング９５０などのいくらかの領域によって（例えば、スナップフィット又は摩擦嵌めを介して）捕えられることになるフランジ３０１９を含むことが可能である。例えば、図３０Ｂを参照されたい。図３０Ｂでは、フランジ３０１９は、フランジ−レシーバ３０２０によって除去可能に捕えられ得る。ある実施形態では、フランジ−レシーバ３０２０は、ベッセル２００の内壁面２０３、少なくとも１つのベース２１５、ベッセル２００の底部内側表面２１７、シールド７１５、及び／又はＬＥＤハウジング９５０などに取り付けられ得る（又は、それと一体的になっている）。フランジ３０１９とフランジ−レシーバ３０２０との間のフィットの性質は、圧入又は摩擦嵌めとすることができる。フランジ−レシーバ３０２０は、フランジ３０１９を受け入れるようにサイズ決めされている１対の反対側に配設されているスロット（すなわち、溝部）を含むことが可能である。例えば、図３０Ｂを参照されたい。図３０Ｂでは、フランジ−レシーバ３０２０は、内壁面２０３（例えば、後面壁）に近接して、底部内側表面２１７に取り付けられ得る（又は、それと一体的になっている）。ある実施形態では、この近接距離は、４インチ以下とすることができる。
【０５５８】
ある実施形態では、コネクタ３０１３は、ガス−ディフューザ−チュービング８０１の１つの末端部、すなわち、第１の端部８０７及び／又は第２の端部８０９の多孔性の細長い部材８０３の内径の中への挿入のための中空のホースバーブ８１５を含むことが可能である。例えば、図３０Ｂを参照されたい。ある実施形態では、コネクタ３０１３は、１つの末端部の空気ラインチュービング８１９の内径の中への挿入のための中空のホースバーブ８１７を含むことが可能である。例えば、図３０Ｂを参照されたい。
【０５５９】
ある実施形態では、１つ又は複数のガス−ディフューザ−チュービング８０１は、ベッセル２００の内部容積２２０の中に位置付けされ得る。例えば、図８Ａ、図８Ｃ、図８Ｄ、及び図８Ｅを参照されたい。ある実施形態では、１つ又は複数のガス−ディフューザ−チュービング８０１は、ベッセル２００の内壁面２０３、少なくとも１つのベース２１５、ベッセル２００の底部内側表面２１７、シールド７１５、及び／又はＬＥＤハウジング９５０に物理的に接触して位置付けされ、又は、それに近接して位置付けされ得る。ある実施形態では、１つ又は複数のガス−ディフューザ−チュービング８０１の部分は、ベッセル２００の底部内側表面２１７に物理的に接触して、又は、それに近接して位置付けされ得る。例えば、及び、本発明の範囲を限定することなく、近接してことは、２インチ以下とすることができる。例えば、図８Ａ、図８Ｃ、図８Ｄ、及び図８Ｅを参照されたい。
【０５６０】
ある実施形態では、１つ又は複数のガス−ディフューザ−チュービング８０１から選択される１つのガス−ディフューザ−チュービング８０１の少なくとも一部分は、ベッセル２００の少なくとも１つのベース２１５の長手方向の中心線の一部分に沿って位置付けされ得る。例えば、図８Ａ及び図８Ｃを参照されたい。ある実施形態では、少なくとも１つのベース２１５のこの長手方向の中心線に沿って、１つ又は複数のガス−ディフューザ−チュービング８０１の部分を位置付けすることが望ましい可能性があり、顔９０１０がベッセル２００の中の液体１０１の一部分の中に浸され得るときに、よりユーザ９０００の顔９０１０と相互作用し、又は、ユーザ９０００の顔９０１０に利益を与える可能性が高い場所において、気泡１２５密度が放出される可能性がより高くなり得るようになっている。
【０５６１】
ある実施形態では、ベッセル２００の内部容積２２０の中に位置付けされている１つ又は複数のガス−ディフューザ−チュービング８０１は、１つ又は複数のガス−ディフューザ−チュービング８０１から選択されるそれぞれのガス−ディフューザ−チュービング８０１の第１の端部８０７がベッセル２００の前面壁よりもベッセル２００の後面壁の近くに位置付けされ得る状態のレイアウト構成で配置され得る。ある実施形態では、ベッセル２００の内部容積２２０の中に位置付けされている１つ又は複数のガス−ディフューザ−チュービング８０１は、１つ又は複数のガス−ディフューザ−チュービング８０１から選択されるそれぞれのガス−ディフューザ−チュービング８０１の第２の端部８０９がベッセル２００の後面壁よりもベッセル２００の前面壁の近くに位置付けされ得る状態のレイアウト構成で配置され得る。例えば、図８Ａ及び図８Ｃを参照されたい。
【０５６２】
ある実施形態では、１つ又は複数のガス−ディフューザ−チュービング８０１から選択されるそれぞれのガス−ディフューザ−チュービング８０１は、後面壁から前面壁に向けて（実質的に）直線状になっている直線的方向に進行することが可能である。例えば、図８Ａ及び図８Ｃを参照されたい。
【０５６３】
ある実施形態では、１つ又は複数のガス−ディフューザ−チュービング８０１から選択されるそれぞれのガス−ディフューザ−チュービング８０１は、後面壁から前面壁に向けて、第１の長さにわたって直線状になっている直線的な方向に進行することが可能であり、次いで、ガス−ディフューザ−チュービング８０１は、１つ又は複数のベンドを伴って進行することが可能であるが、ベンドの最大数は、底部内側表面２１７の表面積；ＬＥＤハウジング９５０間の表面積；少なくとも１つの側壁２０５間の表面積；及び／又は、シールド７１５の長手方向アーム（プロング）間の表面積によって、限定及び／又は拘束され得る。例えば、図２９を参照されたい。
【０５６４】
ある実施形態では、上方から見たときの、１つ又は複数のガス−ディフューザ−チュービング８０１のいくつかのレイアウト構成は、文字Ｕ、文字Ｗ（丸みを帯びた角部を備える）、文字Ｉ、文字Ｌ、数１、楕円形、円形、丸みを帯びた角部を備える矩形、ＬＥＤハウジング９５０間にフィットすることができる他のパターン、少なくとも１つの側壁２０５間にフィットすることができる他のパターン、及び／又は、シールド７１５の長手方向アーム（プロング）の間にフィットすることができる他のパターンなどに似ていることが可能である。例えば、図２９を参照されたい。より大きい量又は密度の気泡１２５を放出及び／又は方向付けし、及び／又は、より大きい量又は密度の気泡１２５をユーザ９００の顔９０１０に接触させるパターンが、望ましく例示的である可能性がある。
【０５６５】
ある実施形態では、空気ラインチュービング８１９は、ガス供給源から１つ又は複数のガス−ディフューザ−チュービング８０１へのガスの少なくともいくらかの送達に関する囲まれた非多孔性の経路を提供することが可能である。空気ラインチュービング８１９の一部分は、図３０Ｂに示されている可能性があり、そうでなければ、空気ラインチュービング８１９は、示されていない可能性がある。
【０５６６】
ある実施形態では、空気ラインチュービング８１９は、ガス供給源から１つ又は複数のガス−ディフューザ−チュービング８０１へ延びていることが可能である。ある実施形態では、空気ラインチュービング８１９は、ガス供給源からコネクタ８１３又はコネクタ３０１３へ延びていることが可能であり、コネクタ８１３又はコネクタ３０１３は、１つ又は複数のガス−ディフューザ−チュービング８０１に接続され得る。上述されているように、空気ラインチュービング８１９のいくらかの部分は、ポート２１０を通してベッセル２００の後面壁の中に通され得る（例えば、図８Ｇを参照）。上述されているように、空気ラインチュービング８１９のいくらかの部分は、リム２２５の上方、又は、ベッセル２００の上部開口２２６の上方を通され、内部容積２２０の中へ通され得る。例えば、図３０Ａ及び図３０Ｂを参照されたい。
【０５６７】
また、ある実施形態では、エアレータは、空気ラインチュービング８１９を含むことが可能である。空気ラインチュービング８１９は、ガス供給源をガスディフューザ（例えば、ガスディフューザ８００）に接続し、ガス、又は、ガスの少なくともいくつかをガス供給源からガスディフューザへ送達するための囲まれた経路（及び、非多孔性の経路）を提供することが可能である。ある実施形態では、１つ又は複数の逆止バルブが、空気ラインチュービング８１９の長さに沿って配設され得る。逆止バルブは、液体１０１がガス供給源に向けて空気ラインチュービング８１９の中をトラベルすることを防止することが可能である。
【０５６８】
ある実施形態では、空気ポンプは、ガスディフューザ（例えば、ガスディフューザ８００）へのガスの供給源として、１つ又は複数のシリンダ（ガスシリンダ）と交換され得る。これらの１つ又は複数のシリンダの中のガスは、人間の皮膚に安全であり得るガス、又は、陸上脊椎動物皮膚に安全であり得るガスから選択され得る。１つ又は複数のガスシリンダは、圧縮空気シリンダ、酸素シリンダ、窒素シリンダ、二酸化炭素シリンダ、及び／又は亜酸化窒素などから選択され得る。そのような実施形態では、適当な圧力調整器が、シリンダ及び／又はガスディフューザの間で使用され得る。
【０５６９】
ある実施形態では、空気ポンプは、大気を受け入れ、そのような空気をガスディフューザ（例えば、ガスディフューザ８００）の中へ押し込むことが可能である。ある実施形態では、空気ポンプは、電力コード１１１６を含むことが可能である。電力コード１１１６は、電気取出口などのように、電力供給源１１１５から電力を受け入れることが可能である。空気ポンプによって受け入れられる電力は、空気をガスディフューザに送達するのに十分な力で空気をポンプ送りする（及び、圧縮する）ために必要な動力を提供することが可能である。
【０５７０】
ある実施形態では、空気ポンプは、内部容積２２０の外側に位置付けされ得る。ある実施形態では、空気ポンプは、機械的なコンパートメント２５１の内側に、又は、部分的に内側に位置付けされ得る。ある実施形態では、空気ポンプは、ベッセル２００の外側に位置付けされ得る。ある実施形態では、ガスディフューザは、内部容積２２０の中に位置付けされ得、複数の細孔が、内部容積２２０の中へ空気を放出することができるようになっている。
【０５７１】
ある実施形態では、空気ポンプは、外壁面２０２の上に収納され得る。ある実施形態では、空気ポンプは、少なくとも１つのベース２１５の中に収納され得る。
【０５７２】
ある実施形態では、空気ポンプは、圧縮機１１１０と交換され得る（例えば、図１１Ａを参照）。ある実施形態では、空気ポンプは、圧縮機１１１０とすることができる。そのような実施形態では、圧縮機１１１０は、２つ以上のフェイスソーキングデバイス１００に空気を供給するように構成され得る。１つ又は複数の圧縮機１１１０は、複数のフェイスソーキングデバイス１００を動作させるために使用され得る。圧縮機１１１０が、任意のフェイスソーキングデバイス１００に空気を供給する使用され得るときには、マニホールド、逆止バルブ、バルブ、フィルタ、オイルトラップ、及び／又は圧力調整器などのような、追加的な配管系統コンポーネントも含まれ得る。
【０５７３】
ある実施形態では、エアレータは、泡コントローラを含むことが可能である。ある実施形態では、泡コントローラは、圧力調整器とすることができ、また、ガス供給源又は空気ラインチュービング８１９に連通していることが可能である。ある実施形態では、泡コントローラは、空気ポンプ又は圧縮機１１１０に電気的に連通していることが可能である。空気ポンプ又は圧縮機１１１０が（例えば、出力圧力によって測定されるときに）どの程度の強さで働くことができるかを制御することによって、泡コントローラは、ガスディフューザから作り出される泡１２５の強度（密度）を制御することが可能である。泡コントローラは、ユーザ９０００によって係合されるように構成され得る。
【０５７４】
ある実施形態では、泡コントローラは、アナログ設計又はデジタル設計のいずれかのダイアルタイプコントローラとすることができる。そのような実施形態では、ユーザ９０００は、ダイアルを回転させ、作り出される泡の強度を増加又は減少させることが可能である。また、そのような実施形態では、ユーザ９０００は、空気ポンプのスイッチを入り切りすることが可能である。
【０５７５】
ある実施形態では、泡コントローラは、ベッセル２００の外壁面２０２の１つの上に装着され得る。そのような実施形態では、泡コントローラから空気ポンプ又は圧縮機１１１０への配線は、少なくとも１つの壁部２０１及び／又は少なくとも１つのベース２１５を通して、及び、その中を、少なくとも部分的に延在し得る。例えば、それは、少なくとも部分的に、ベッセルライニング２００ａとベッセルカバー２００ｂとの間である。
【０５７６】
ある実施形態では、泡コントローラは、空気ポンプ又は圧縮機１１１０の上に装着され得る。ある実施形態では、泡コントローラは、独立型になっており、泡コントローラと空気ポンプ又は圧縮機１１１０との間に配設されている少なくとも１つのワイヤを介して、空気ポンプ又は圧縮機１１１０に電気的に連通していることが可能である。
【０５７７】
ある実施形態では、泡コントローラの機能性のすべては、コントローラ１１００によって果たされ得、独立した泡コントローラは存在しなくてもよい。
【０５７８】
ある実施形態では、所与のフェイスソーキングデバイス（例えば、フェイスソーキングデバイス１００）は、少なくとも１つの電磁（ＥＭ）エミッタ９００を含むことが可能である。例えば、図９シリーズの図を参照されたい。ある実施形態では、少なくとも１つのＥＭエミッタ９００は、約１ピコメートル（ｐｍ）〜約１００メガメートル（Ｍｍ）の範囲から選択される波長のＥＭ放射線を放射することが可能である。別段の記述がない限り、「約」は、この文脈において、プラス又はマイナス１０％を意味することが可能であることに留意されたい。ある実施形態では、少なくとも１つのＥＭエミッタ９００は、ガンマ線から極低周波数（extremely low frequency）の範囲から選択される波長のＥＭ放射線を放射することが可能である。ある実施形態では、少なくとも１つのＥＭエミッタ９００は、ガンマ線、硬Ｘ線、軟Ｘ線、極端紫外線（ＵＶ）、近ＵＶ、可視光、近赤外線（ＩＲ）、中ＩＲ、遠ＩＲ、マイクロ波、電波、超低周波数（ultra low frequency）、超超低周波数（super low frequency）、及び／又は極低周波数などを含む群のうちの１つ又は複数から選択される波長のＥＭ放射線を放射することが可能である。
【０５７９】
少なくとも１つのＥＭエミッタ９００は、必ずしも、ＥＭスペクトル全体にわたって放射することができる単一のデバイスであり得る必要はなく（所与の範囲の波長を作り出すために、異なる技術が必要とされる可能性があるので）、むしろ、少なくとも１つのＥＭエミッタ９００は、多数のＥＭ放射デバイスとすることができ、それぞれの異なるＥＭ放射デバイスは、特定の範囲の波長を放射することが可能であり得、これらの異なるＥＭ放射デバイスが、集合的にグループとして、ＥＭスペクトル全体又はその一部分をカバーすることができるようになっていることに留意されたい。
【０５８０】
例えば、及び、本発明の範囲を限定することなく、人間の皮膚、哺乳類の皮膚、及び／又は陸上脊椎動物の皮膚の治療がそのような治療される皮膚の利益を受けることができる実施形態では、可視光スペクトル（約３８０ナノメートル（ｎｍ）〜約７７０ｎｍ）、近ＵＶ、ＵＶ、及び／又は近ＩＲの波長が、少なくとも１つのＥＭエミッタ９００から放射され得る。そのような波長でそのような皮膚を治療することは、「光線療法」として知られている可能性があり、皮膚組織及び／又は有機体が利益を受ける。しかし、本発明まで、そのような光線療法は、皮膚を液体１０１の中に同時に除去可能に浸漬することに組み合わせて、及び／又は、泡１２５への暴露と組み合わせて、実行されなかった。泡１２５は、下記の図１２シリーズの図の議論においてさらに議論されているような光学的な連鎖反応（OCR）を介して、そのような光線療法の有効性を向上させることが可能であり、及び／又は、液体１０１自身（ある実施形態では、添加剤を伴う）も、そのような光線療法の有効性を向上させることが可能である。
【０５８１】
ある実施形態では、少なくとも１つのＥＭエミッタ９００は、発光ダイオード（ＬＥＤ）、白熱電球（ハロゲン光源を含む）、蛍光光源、高強度放電（ＨＩＤ）光源、水銀ランプ、メタルハライドランプ、高圧ナトリウム（ＨＰＳ）光源、レーザ、メーザ、トランスデューサ、マグネトロン、クライストロン、進行波管（TWT）、ジャイロトロン、（少なくともより低いＥＭ周波数における）電界効果トランジスタ、トンネルダイオード、ガンダイオード（transferred electron device（ＴＥＤ））、及び／又はＩＭＰＡＴＴダイオード（impact ionization avalanche transit-time diode）などのうちの１つ又は複数を含むことが可能である。
【０５８２】
ある実施形態では、少なくとも１つのＥＭエミッタ９００は、可視スペクトル（人間にとって可視である）の中の光を放射するように構成され得る。ある実施形態では、少なくとも１つのＥＭエミッタ９００は、赤外線（ＩＲ）、近赤外線、及び紫外線（ＵＶ）などのような、非可視スペクトルの中の光を放射するように構成され得る。ある実施形態では、少なくとも１つのＥＭエミッタ９００は、少なくとも１つのＬＥＤとすることができる。現在、様々なＬＥＤが、ＵＶスペクトルから可視スペクトルを通りＩＲスペクトルの中への光を放射するために利用可能であり得る。ある実施形態では、少なくとも１つのＥＭエミッタ９００は、少なくとも１つの白熱光源及び／又は少なくとも１つの蛍光ランプ供給源とすることができる。
【０５８３】
ある実施形態では、少なくとも１つのＥＭエミッタ９００は、ベッセル（例えば、ベッセル２００）、呼吸装置（例えば、呼吸装置４００）、ヘッドレストサブアセンブリ（例えば、ヘッドレストサブアセンブリ５００）、ヒータサブアセンブリ（例えば、シールド７１５）、及び／又は、ガスディフューザ（例えば、ガスディフューザ８００）のうちの１つ又は複数に除去可能に取り付けられ得る。ある実施形態では、少なくとも１つのＥＭエミッタ９００は、内部容積２２０の中に電磁放射線（ＥＭ）を放射するように構成され得、放射されたＥＭが、液体１０１を通してユーザ９０００の顔９０１０を照射する（すなわち、照らす）ことができるようになっている。ＥＭがそこから放射され得る、少なくとも１つのＥＭエミッタ９００の一部分は、内部容積２２０に向けて方向付けされ得る。
【０５８４】
ある実施形態では、少なくとも１つのＥＭエミッタ９００は、除去可能であって内部容積２２０の中へ設置され得る独立型のコンポーネントとすることができる。ある実施形態では、少なくとも１つのＥＭエミッタ９００は、少なくとも１つの壁部２０１及び／又は少なくとも１つのベース２１５のコンポーネントとして構築され得、放射されたＥＭが、内部容積２２０に向けて方向付けされ得るようになっている。例えば、及び、本発明の範囲を限定することなく、ある実施形態では、少なくとも１つのＥＭエミッタ９００は、インサートとして構築され得、その場合に、少なくとも１つの壁部２０１及び／又は少なくとも１つのベース２１５が、そのようなインサートの周りに成形され得る。
【０５８５】
ある実施形態では、少なくとも１つのＥＭエミッタ９００は、電源１１１５を含むことが可能である。ある実施形態では、少なくとも１つのＥＭエミッタ９００は、コントローラ１１１０を介して、直接的又は間接的のいずれかで、電源１１１５から電力を受けることが可能である。電源１１１５は、バッテリとすることができ、ある実施形態では、少なくとも１つのバッテリは、再充電可能であり得る。ある実施形態では、電源１１１５は、所与のフェイスソーキングデバイスから独立していることが可能である。ある実施形態では、電源１１１５は、例えば、壁部の電気取出口に接続されている電気コード１１１６などに、有線接続され得る。そのような電気コード１１１６は、少なくとも１つのポート２１０を通過することが可能であり、また、電気コードガスケットによってシールされ、液体１０１の漏出を防止することが可能である。
【０５８６】
ある実施形態では、少なくとも１つのＥＭエミッタ９００から放射されたそのようなＥＭは、ユーザ９０００の様々な光線療法治療に関して使用され得る。多数の研究が、光線療法からの相当な皮膚利益を示した。そのような皮膚利益は、より早いにきび治癒のために皮膚組織修復を推進させること；皮膚問題に関連付けられる痛みを低減すること；にきびに関連付けられる発赤を低減すること；皮膚炎症を減少させること；細孔サイズを低減すること、及び／又は、拡大された細孔を最小化すること；にきび後の瘢痕を低減すること；より健康的な皮膚色調を推進させること；及び／又は、より滑らかな皮膚の色艶を推進させることなどを含むことが可能である。皮膚に直接的な利益を有する光線療法に加えて、光線療法は、例えば、光線療法はユーザ９０００にとって鎮静的でありリラックスできるものであり得ることなど、間接的な利益を提供することが可能である。そのような鎮静的でリラックスできる光線療法は、次いで、ストレスを解消し、頭痛を緩和することが可能である。ストレスを解消することは、血液圧力の低下、損傷を受けた皮膚の治癒、及び、より強力な免疫システムを助長することが可能である。ある実施形態では、様々なフェイスソーキングデバイス（例えば、フェイスソーキングデバイス１００）は、液体１０１の有無にかかわらず、光線療法目的のために使用され得る。
【０５８７】
強力なＥＭが少なくとも１つのＥＭエミッタ９００から放射され得る、ある実施形態では、ユーザ９０００に対するＥＭ暴露を限定することができるタイマ及び／又はフィルタなどのような、様々な安全メカニズムが、ユーザ９０００を保護するために用いられ得る。強力なＥＭは、ＩＲ、ＵＶ、及び、十分な輝度の可視光をも含むことが可能である。強力なＥＭは、所与の十分な暴露時間にわたってユーザ９０００を害し得るＥＭ、及び／又は、ユーザ９０００にとって不快となるような十分な強度を有するＥＭとすることができる。
【０５８８】
ある実施形態では、少なくとも１つのＥＭエミッタ９００から放射されたＵＶ  ＥＭは、皮膚の日焼けの目的、例えば、顔の日焼けのために使用され得る。
【０５８９】
ある実施形態では、少なくとも１つのＥＭエミッタ９００から放射されたＵＶ  ＥＭ（又は、より高エネルギーのＥＭ）は、液体１０１の中の、及び／又は、放射されたＵＶ  ＥＭ（又は、より高エネルギーのＥＭ）を受ける内部容積２２０の中の内側（内部）表面の上の微生物負荷を殺菌又は低減するために使用され得る。
【０５９０】
ある実施形態では、少なくとも１つのＥＭエミッタ９００は、液体１０１から遮蔽及び／又は絶縁され得、液体１０１が、少なくとも１つのＥＭエミッタ９００の電子機器を濡らすことができないようになっている。そのような遮蔽及び／又は絶縁は、意図的でない短絡を緩和するためのものであり、及び／又は、ユーザ９０００の意図的でない感電死を緩和するためのものであり得る。そのような実施形態は、低い電圧及び／又はリーク検出手段を利用することが可能である。様々なフェイスソーキングデバイスの実施形態（例えば、フェイスソーキングデバイス１００）の任意の電気コンポーネントの電子機器の中への液体１０１のリークを検出すると、リーク検出手段は、そのような電気コンポーネントへの電流を打ち切ることが可能である。
【０５９１】
ここで、図９シリーズの図に示されている少なくとも１つのＥＭエミッタ９００の実施形態を見てみる。ある実施形態では、少なくとも１つのＥＭエミッタ９００は、少なくとも１つのＬＥＤアレイ９０１を含むことが可能である。図９シリーズの図は、図９Ａから図９Ｃを含むことが可能である。図９Ａは、ベッセルライニング２００ａの所与のＬＥＤハウジング９５０の中に挿入されるように示されている少なくとも１つのＬＥＤアレイ９０１の部分図であり得、ベッセル（例えば、ベッセル２００）の部分的な内側図を示す上面斜視図により示されている。図９Ａに示されているＬＥＤハウジング９５０は、切り欠きされている可能性がある。図９Ｂは、少なくとも１つのＬＥＤアレイ９０１を示すものであり得、少なくとも１つのＬＥＤアレイ９０１は、分解されており、ベッセルライニング２００ａとベッセルカバー２００ｂとの間に配設されており、ベッセルライニング２００ａ及びベッセルカバー２００ｂは、ベッセル（例えば、ベッセル２００）を形成することが可能である。図９Ｃは、フェイスソーキングデバイス（例えば、フェイスソーキングデバイス１００）のベッセル（例えば、ベッセル２００）のベッセルライニング２００ａの底面斜視図であり得る。図９Ｃは、少なくとも１つのＬＥＤアレイ９０１に関して、ＬＥＤハウジング９５０へのアクセスを示すものであり得る。
【０５９２】
ある実施形態では、少なくとも１つのＬＥＤアレイ９０１は、２つのＬＥＤアレイ９０１を含むことが可能である。例えば、図２Ｇ、図９Ｂ、及び図９Ｃを参照されたい。ある実施形態では、少なくとも１つのＬＥＤアレイ９０１は、１つ、２つ、３つ、４つ、５つ、６つ、７つ、８つ、９つ、又は１０個のＬＥＤアレイ９０１を含むことが可能である。
【０５９３】
ある実施形態では、所与の少なくとも１つのＬＥＤアレイ９０１は、細長い部材とすることができる。ある実施形態では、この細長い部材は、その細長い部材の経線に沿って、少なくとも１つのＬＥＤ９０２を含むことが可能である。例えば、図９Ａを参照されたい。ある実施形態では、少なくとも１つのＬＥＤ９０２は、その細長い部材の経線に沿って、複数のＬＥＤ（発光ダイオード）を含むことが可能である。その複数のＬＥＤ又は少なくとも１つのＬＥＤ９０２は、（少なくとも１つのＥＭエミッタ９００に関して上述されているように）ＥＭ及び／又は光を外向きに放射するように構成され得る。ある実施形態では、複数のＬＥＤ又は少なくとも１つのＬＥＤ９０２は、その細長い部材の一方の側だけに配設され得、顔９０１０が内部容積２２０の一部分の中に除去可能であり得るときに、ＥＭが顔９０１０に向けて放射され得るようになっている。例えば、図２Ｇ及び図９Ａを参照されたい。そのような細長い部材の少なくとも１つの端部において、電気的な接続及び／又は電気的なワイヤが突出していることが可能である。そのような電気的なワイヤは、コントローラ１１００（例えば、機械的なコンパートメントの中にある）及び／又は電源１１１５に接続することが可能である。例えば、図９Ｂ及び図９Ｃを参照されたい。ある実施形態では、少なくとも１つのＬＥＤアレイ９０１は、リジッドからセミリジッドとすることができる。ある実施形態では、少なくとも１つのＬＥＤアレイ９０１は、可撓性とすることができる。
【０５９４】
ある実施形態では、少なくとも１つのＬＥＤアレイ９０１は、ＬＥＤハウジング９５０の中に収納され得る。例えば、図９Ａを参照されたい。ある実施形態では、それぞれの少なくとも１つのＬＥＤアレイ９０１ごとに、１つのＬＥＤハウジング９５０が存在することが可能である。ある実施形態では、ＬＥＤハウジング９５０は、少なくとも１つのベース２１５のコンポーネントとすることができる。ある実施形態では、ＬＥＤハウジング９５０は、ベッセルライニング２００ａの底部のコンポーネントとすることができる。ある実施形態では、ＬＥＤハウジング９５０は、底部内側表面２１７から内部容積２２０の中へ突出することが可能である。例えば、図９Ａを参照されたい。ある実施形態では、ＬＥＤハウジング９５０は、キャビティ、すなわち、ＬＥＤハウジング−キャビティ９５１を含むことが可能であり、それは、少なくとも１つのＬＥＤアレイ９０１の実質的にすべてにフィットするようにサイズ決めされ得る。ある実施形態では、ＬＥＤハウジング−キャビティ９５１は、少なくとも１つのベース２１５の底部からアクセス可能であり得る。ある実施形態では、ＬＥＤハウジング−キャビティ９５１は、ベッセルライニング２００ａの底部からアクセス可能であり得る。ある実施形態では、ＬＥＤハウジング−キャビティ９５１は、スロットとすることができる。例えば、図９Ｃを参照されたい。また、ある実施形態では、ＬＥＤハウジング９５０は、開口９５２を含むことが可能であり、それは、ベッセルライニング２００ａの後面壁からアクセス可能であり得る。ある実施形態では、開口９５２は、ＬＥＤハウジング−キャビティ９５１へのアクセスを提供することが可能である。例えば、図９Ｃを参照されたい。少なくとも１つのＬＥＤアレイ９０１に接続されている電気的なワイヤは、開口９５２から突出することが可能である。これらの電気的なワイヤは、機械的なコンパートメント２５１の中へ突出することが可能である。これらの電気的なワイヤは、コントローラ１１００及び／又は電源１１１５に接続することが可能である。
【０５９５】
ある実施形態では、それぞれのＬＥＤハウジング９５０の少なくともいくつかの部分は、光学的に透明であり、少なくとも１つのＥＭエミッタ９００から（又は、少なくとも１つのＬＥＤアレイ９０１から）内部容積２２０の中へのＥＭ放射を可能にすることができる。ある実施形態では、それぞれのＬＥＤハウジング９５０の少なくともいくつかの部分は、少なくともウィンドウを含むことが可能であり、ウィンドウは、光学的に透明とすることができる。
【０５９６】
図１０シリーズの図は、図１０Ａ及び図１０Ｂを含むことが可能である。これらの図１０の図は、メンブレンスイッチサブアセンブリ１０００の図であり得る。ある実施形態では、このメンブレンスイッチサブアセンブリ１０００は、ユーザ９０００が、機械的なコンパートメント２５１の中に収納されたコントローラ１１００を使用し、制御し、動作させ、更新し、プログラムし、及び／又は、トラブルシューティングをするための少なくとも１つのローカル手段とすることができる。ローカルは、メンブレンスイッチサブアセンブリ１０００が所与のフェイスソーキングデバイスの実施形態（例えば、フェイスソーキングデバイス１００）に取り付けられ得ることを意味することが可能である。ある実施形態では、このメンブレンスイッチサブアセンブリ１０００は、ユーザ９０００が、所与のフェイスソーキングデバイスの実施形態（例えば、フェイスソーキングデバイス１００）の様々な電子的なコンポーネントを使用し、制御し、動作させ、更新し、及び／又は、トラブルシューティングをするための少なくとも１つのローカル手段とすることができる。ある実施形態では、これらの様々な電子的なコンポーネントは、ヒータサブアセンブリ（例えば、ヒータサブアセンブリ７００）、ガスディフューザ（例えば、ガスポンプ、圧縮機１１１０、及び／又はソレノイドバルブ）、少なくとも１つのＥＭエミッタ（例えば、少なくとも１つのLEDアレイ９０１）、コントローラ１１００、機械的なコンパートメント２５１を冷却するためのファン１１１７、サーモスタット１１０７、及び／又は泡コントローラなどのうちの１つ又は複数を含むことが可能である。
【０５９７】
図１０Ａは、メンブレンスイッチサブアセンブリ１０００のメンブレンスイッチカバー１００１の上面図であり得、フェイスソーキングデバイス（例えば、フェイスソーキングデバイス１００）の部分的な上面図により示されている。図１０Ｂは、ベッセル（例えば、ベッセル２００）から分解されているメンブレンスイッチサブアセンブリ１０００の部分を示すものであり得、上部斜視分解図により示されている。
【０５９８】
ある実施形態では、所与のフェイスソーキングデバイスは、メンブレンスイッチサブアセンブリ１０００を含むことが可能である。ある実施形態では、メンブレンスイッチサブアセンブリ１０００は、メンブレンスイッチカバー１００１及びメンブレンスイッチ電子機器１００７を含むことが可能である。例えば、図１０Ｂを参照されたい。
【０５９９】
ある実施形態では、メンブレンスイッチカバー１００１は、実質的に平面的な部材とすることができる。しかし、メンブレンスイッチカバー１００１は、ユーザ９０００がメンブレンスイッチカバー１００１を係合させることができる場所に関する、隆起した又は凹んだ上側表面幾何学形状の１つ又は複数の領域を含むことが可能である。隆起した又は凹んだ上側表面幾何学形状のこれらの領域は、１つ又は複数の係合部（engagement）のエリア１００２、及び／又は、係合部及び／又はステータスインジケータのエリア１００５とすることができる。すなわち、ある実施形態では、メンブレンスイッチカバー１００１は、１つ又は複数の係合部のエリア１００２、及び／又は、係合部及び／又はステータスインジケータのエリア１００５を含むことが可能である。例えば、図１０Ａを参照されたい。ある実施形態では、１つ又は複数の係合部のエリア１００２のうちの少なくとも１つに近接して、メンブレンスイッチカバー１００１の領域は、メンブレンスイッチカバー１００の下に配設されているＬＥＤなどのような、表示手段からのステータスインジケータを許容又はリレーするように構成され得る。ある実施形態では、この領域は、少なくとも１つのステータスインジケータ１００３とすることができる。ある実施形態では、近接してことは、１インチ以下とすることができる。ある実施形態では、メンブレンスイッチカバー１００１は、耐水性になっていることが可能である。ある実施形態では、１つ又は複数の係合部のエリア１００２、少なくとも１つのステータスインジケータ１００３、及び／又は、係合部及び／又はステータスインジケータのエリア１００５は、実質的に透明とすることができる。ある実施形態では、１つ又は複数の係合部のエリア１００２、少なくとも１つのステータスインジケータ１００３、及び／又は、係合部及び／又はステータスインジケータのエリア１００５は、透明とすることができる。
【０６００】
ある実施形態では、係合部及び／又はステータスインジケータのエリア１００５は、平坦になっていることが可能である。ある実施形態では、係合部及び／又はステータスインジケータのエリア１００５は、実質的に平坦になっていることが可能である。ある実施形態では、係合部及び／又はステータスインジケータのエリア１００５は、メンブレンスイッチカバー１００１の下に配設されているスクリーン（モニタ）などのような、表示手段からのステータスインディケーションを許容又はリレーするように構成され得る。このスクリーン（モニタ）は、ＬＥＤスクリーン及び／又はＬＣＤ（液晶ディスプレイ）スクリーンとすることができる。
【０６０１】
ある実施形態では、メンブレンスイッチ電子機器１００７は、１つ又は複数のセンサ１００８、及び、１つ又は複数のセンサ１００８を接続させる配線１００９を含むことが可能である。例えば、図１０Ｂを参照されたい。ある実施形態では、メンブレンスイッチ電子機器１００７は、メンブレンスイッチカバー１００１の下に配設され得る。ある実施形態では、メンブレンスイッチ電子機器１００７は、メンブレンスイッチカバー１００１の底部表面の少なくともいくつかに物理的に接触していることが可能である。ある実施形態では、係合部１００２のそれぞれのエリアに関して、１つのセンサ１００８が存在することが可能である。例えば、図１０Ｂを参照されたい。ある実施形態では、係合部及び／又はステータスインジケータ１００５のエリアの下に配設されているセンサが存在することが可能である（図示せず）。ある実施形態では、それぞれのセンサ１００８は、係合部１００２の所与のエリアに直接的に及ぼされるユーザ９０００圧力を受け取ることが可能であり、それは、次いで、センサ１００８に与えられ得る。ある実施形態では、配線１００９の少なくともいくつかは、コントローラ１１００につながる通路１０２２を通過することが可能である。例えば、図１０Ｂを参照されたい。
【０６０２】
図１０Ａ及び図１０Ｂは、５つの係合部のエリア１００２、及び、５つのセンサ１００８を示しているが、ある実施形態では、より多くの又はより少ない係合部のエリア１００２及びセンサ１００８が存在することが可能であることに留意されたい。また、例えば、及び、本発明の範囲を限定することなく、同一の又は同等の機能性が、１つの係合部のエリアと、その１つの係合部のエリアの下に配設されており、その１つの係合部のエリアに連通する、１つのセンサとによって実現され得る。
【０６０３】
機能性の観点から、メンブレンスイッチサブアセンブリ１０００は、所与のフェイスソーキングデバイスの実施形態の任意の電子的なコンポーネントのスイッチを入り切りすること；所与のヒータサブアセンブリのスイッチを入り切りすること；最大液体１０１温度を設定すること；最小液体１０１温度を設定すること；所望の液体１０１温度を設定すること；液体１０１を温めること又は冷却すること；アラームを設定すること；アラームを切ること；（任意の電子的なコンポーネントに関する）タイマを設定すること；左側の電子機器から別々に右側の電子機器を制御すること（例えば、右側のＬＥＤアレイ９０１−対−左側のＬＥＤアレイ９０１）；機械的なコンパートメント２５１の中のファン１１１７のスイッチを入り切りすること；ガスポンプのスイッチを入り切りすること；圧縮機１１１０のスイッチを入り切りすること；ソレノイドバルブを開閉すること；ガスディフューザからの気泡１２５の生産の強度を変化させること；少なくとも１つのＥＭエミッタ９００のスイッチを入り切りすること；少なくとも１つのＥＭエミッタ９００を弱める又は強めること；及び／又は、ＬＥＤアレイ９０１からライトカラーパターンを選択することなどのうちの１つ又は複数に関して、コントローラ１１００への入力を開始するために使用され得る。ステータスインディケーションなどのような、いくつかの出力は、少なくとも１つのステータスインジケータ１００３に、及び／又は、係合部及び／又はステータスインジケータのエリア１００５に表示され得る。
【０６０４】
ある実施形態では、メンブレンスイッチサブアセンブリ１０００は、ベッセル２００のルーフ１０２０の上に位置付けされ得る。例えば、図１０Ａ及び図１０Ｂを参照されたい。ある実施形態では、ベッセル２００は、ルーフ１０２０を含むことが可能である。ある実施形態では、ルーフ１０２０は、ベッセル２００の後面部分に沿ったリム２２５に近接して（例えば、第２の側壁２０７の上方に）位置付けされ得る。例えば、図１０Ａ及び図１０Ｂを参照されたい。ある実施形態では、近接してことは、３インチ以下とすることができる。
【０６０５】
ある実施形態では、ルーフ１０２０は、リム２２５の上側外側表面又はその一部分とすることができ、又は、リム２２５に近接していることが可能である。ある実施形態では、ルーフ１０２０は、実質的に平坦な上側表面とすることができる。ある実施形態では、ルーフ１０２０は、ベッセル２００の内部容積２２０の底部内側表面２１７に対して、実質的に水平方向の平坦な構造体とすることができる。ある実施形態では、ルーフ１０２０は、スロープを含むことが可能である。ある実施形態では、ルーフ１０２０は、機械的なコンパートメント２５１に対するルーフとすることができる。ある実施形態では、ルーフ１０２０は、機械的なコンパートメント２５１少なくともいくらかの部分の上方に配設され得る。
【０６０６】
ある実施形態では、ルーフ１０２０は、メンブレンスイッチカバー１００１、及び、メンブレンスイッチ電子機器１００７の実質的にすべて（通路１０２２を通過し得る配線１００９の部分をマイナスする）を受け入れるように構成されている平坦な凹部を含むことが可能である。例えば、図１０Ｂを参照されたい。この平坦な凹部は、メンブレンスイッチ受け入れ凹部１０２１とすることができる。ある実施形態では、メンブレンスイッチ電子機器１００７の実質的にすべて（通路１０２２を通過し得る配線１００９の部分をマイナスする）は、メンブレンスイッチカバー１００１とメンブレンスイッチ受け入れ凹部１０２１との間に配設され得る。例えば、図１０Ｂを参照されたい。ある実施形態では、メンブレンスイッチ受け入れ凹部１０２１は、通路１０２２を含むことが可能である。例えば、図１０Ｂを参照されたい。ある実施形態では、通路１０２２は、メンブレンスイッチ受け入れ凹部１０２１から機械的なコンパートメント２５１の中への孔部とすることができる。通路１０２２は、配線１００９のいくつかが機械的なコンパートメント２５１の中へ通ることを可能にすることができる。ある実施形態では、そのような配線１００９のいくつかは、コントローラ１１００に接続することが可能である。ある実施形態では、通路１０２２は、シリコーン及び／又はガスケットもしくはＯリングなどのような、シーラーを含み、機械的なコンパートメント２５１の中への流体漏出を最小化することが可能である。
【０６０７】
図１１Ａは、フェイスソーキングデバイスの（例えば、フェイスソーキングデバイス１００に関する）コントローラ１１００の例示的な実施形態を示すものであり得、ブロック図として示されている。ある実施形態では、コントローラ１１００は、所与のフェイスソーキングデバイスの実施形態の１つ又は複数の電気コンポーネントの動作機能性を制御することが可能である。ある実施形態では、コントローラ１１００は、所与のフェイスソーキングデバイスの実施形態の１つ又は複数の電気コンポーネントに連通していることが可能である。ある実施形態では、所与のフェイスソーキングデバイスの実施形態の１つ又は複数の電気コンポーネントは、ヒータサブアセンブリ（例えば、ヒータサブアセンブリ７００、例えば、加熱要素７０１）、ガスディフューザ（例えば、空気ポンプ、圧縮機１１１０、及び／又はソレノイドバルブ）、少なくとも１つのＥＭエミッタ（例えば、少なくとも１つのＬＥＤアレイ９０１）、メンブレンスイッチサブアセンブリ１０００、レベルインジケータ１１０５、温度センサ１１０６、サーモスタット１１０７、出力手段１１０３、ネットワークアダプタ１１０４、電源１１１５、及び／又は、機械的なコンパートメント２５１を冷却するためのファン１１１７などのうちの１つ又は複数を含むことが可能である。
【０６０８】
ある実施形態では、コントローラ１１００は、プロセッサ１１０１及びメモリ１１０２を含むことが可能である。例えば、図１１Ａを参照されたい。ある実施形態では、メモリ１１０２及びプロセッサ１１０１は、互いに連通していることが可能である。ある実施形態では、そのような連通は、電気配線、光学的な配線、回路配線、１つ又は複数の集積された（プリントされた）回路基板（ＰＣＢ）、及び／又はチップを介するものとすることができる。ある実施形態では、メモリ１１０２は、ソフトウェア（例えば、コード）を非一時的に記憶することが可能であり、プロセッサ１１０１は、ソフトウェアを実行し、１つ又は複数の電子的なコンポーネントを制御することが可能である。
【０６０９】
ある実施形態では、メンブレンスイッチサブアセンブリ１０００は、（直接的に［例えば、いくつかの配線１００９を介して］、又は、バスを介してのいずれかによって）プロセッサ１１０１に電気的に連通していることが可能である。例えば、図１１Ａを参照されたい。ある実施形態では、そのような電気的な連通は、電気配線を介して、例えば、いくつかの配線９０００を介するものとすることができる。ある実施形態では、メンブレンスイッチサブアセンブリ１０００は、ユーザ９０００入力を受け取ることが可能である。ある実施形態では、メンブレンスイッチサブアセンブリ１０００は、（メモリ１１０２の中に非一時的に記憶されているソフトウェア及び／又はコードに従って解釈するために、）それらの受け取られたユーザ９０００入力をプロセッサ１１０１に方向付け又は伝達することが可能である。
【０６１０】
ある実施形態では、プロセッサ１１０１が解釈することができ得る（例えば、メンブレンスイッチサブアセンブリ１０００からの）ユーザ９０００入力は、以下のもののうちの１つ又は複数から選択され得る。それは、所与のフェイスソーキングデバイスの実施形態の任意の電子的なコンポーネントのスイッチを入り切りすること；所与のヒータサブアセンブリのスイッチを入り切りすること；最大液体１０１温度を設定すること；最小液体１０１温度を設定すること；所望の液体１０１温度を設定すること；液体１０１を温めること又は冷却すること；アラームを設定すること；アラームを切ること；（任意の電子的なコンポーネントに関する）タイマを設定すること；左側の電子機器から別々に右側の電子機器を制御すること（例えば、右側のＬＥＤアレイ９０１−対−左側のＬＥＤアレイ９０１）；機械的なコンパートメント２５１の中のファン１１１７のスイッチを入り切りすること；ガスポンプのスイッチを入り切りすること；圧縮機１１１０のスイッチを入り切りすること；ソレノイドバルブを開閉すること；ガスディフューザからの気泡１２５の生産の強度を変化させること；少なくとも１つのＥＭエミッタ９００のスイッチを入り切りすること；少なくとも１つのＥＭエミッタ９００を弱める又は強めること；及び／又は、ＬＥＤアレイ９０１からライトカラーパターンを選択することなどである。
【０６１１】
ある実施形態では、コントローラ１１００のための入力手段は、以下のもののうちの１つ又は複数を含むことが可能である。それは、メンブレンスイッチサブアセンブリ１０００、マイクロホン、少なくとも１つのボタン、少なくとも１つのスイッチ、少なくとも１つのレバー、少なくとも１つのダイアル、少なくとも１つのスライド、タッチスクリーン、キーボード、ジョイスティック、マウス、及び／又は、払い込みデバイスなどである。ある実施形態では、また、コントローラ１１００のための入力手段は、１つ又は複数のモバイルコンピューティングデバイス１１５０から来ることが可能である（例えば、図１１Ｂを参照）。
【０６１２】
ある実施形態では、及び本明細書で説明及び開示されている方法の１つもしくは複数、及び／又は、工程の１つもしくは複数は、コンピュータプログラム、ソフトウェア、ファームウェアとして実装され得、プロセッサ（例えば、コントローラ１１００のプロセッサ１１０１）によって実行可能なコードを含む。そのようなコンピュータプログラム、ソフトウェア、ファームウェア、及び／又はコードは、メモリ１１０２などのような、コンピュータ可読の媒体の中に非一時的に記憶され得る。
【０６１３】
本発明の特徴を実践するためのシステム及び方法の様々な態様は、１つ又は複数のコンピュータシステムの上に実装され得る。例えば、様々なコントローラ１１００コンポーネントは、それに限定され得ないが、プロセッサ１１０１、メモリ１１０２、出力手段１１０３、ネットワークアダプタ１１０４、サーモスタット１１０７、温度センサ１１０６、及びレベルインジケータ１１０５を含むことが可能であり、そのうちの任意の１つは、相互接続メカニズムを介して、直接的に又は間接的に連結され得、相互接続メカニズムは、電気配線、光学的な配線、１つ又は複数のバス、スイッチ、ネットワーク、クラウド、及び／又は、任意の他の適切な相互接続を含むことが可能である。メンブレンスイッチサブアセンブリ１０００、及び／又は、１つもしくは複数のモバイルコンピューティングデバイス１１５０は、ユーザ９０００から入力を受け取ることが可能である。少なくとも１つのステータスインジケータ１００３、及び／又は、係合部及び／又はステータスインジケータ１００５のエリアは、所与のフェイスソーキングデバイス（例えば、フェイスソーキングデバイス１００）に関連する出力及び／又はステータスインディケーションを表示することが可能である。ある実施形態では、（ネットワークアダプタ１１０４を介して）コントローラ１１００は、１つ又は複数のモバイルコンピューティングデバイス１１５０を介して、情報（例えば、出力及び／又はステータスインディケーション）をユーザ９０００に送信することが可能である。
【０６１４】
また、プロセッサ（例えば、コントローラ１１００のプロセッサ１１０１）は、様々な方法及び／又は工程を実装するためのソフトウェア、ファームウェア、及び／又はコードなどのような、１つ又は複数のコンピュータプログラムを実行することが可能である。これらのコンピュータプログラムは、手続き型プログラミング言語、オブジェクト指向のプログラミング言語、マクロ言語、又は、それらの組み合わせを含む、任意のタイプのコンピュータプログラム言語で書かれ得る。
【０６１５】
これらのコンピュータプログラムは、メモリ１１０２などのような、コンピュータ可読の媒体の中に非一時的に記憶され得る。コンピュータ可読の媒体の中でのそのような非一時的なストレージは、揮発性の媒体又は非揮発性の媒体の中にあることが可能であり、また、固定されるか、又は除去可能であり得る。そのようなコンピュータ可読の媒体は、有形的なコンピュータ可読及びコンピュータ書き込み可能な非揮発性の記録媒体を含むことが可能であり、その上に、プログラムによって使用されることになるコンピュータプログラム又は情報を定義する信号が非一時的に記憶され得る。コンピュータ可読の媒体に関する記録媒体は、例えば、ディスクメモリ、フラッシュメモリ、及び／又は、情報を記録及び記憶するために使用可能な任意の他の製造品とすることができる。典型的に、動作時に、プロセッサ（例えば、プロセッサ１１０１）は、データが不揮発性の記録媒体から揮発性のメモリ（例えば、ランダムアクセスメモリ、又はＲＡＭ）に読み込ませることが可能であり、それは、不揮発性の記録媒体からよりも、プロセスによるデータ及び／又は情報へのより早いアクセスを可能にする。プロセッサは、一般的に、ＲＡＭメモリの中のデータ及び／又は情報を操作し、次いで、処理が完了した後に、操作されたデータ及び／又は情報を不揮発性の記録媒体にコピーすることが可能である。様々なメカニズムが、媒体と集積回路メモリ要素との間のデータ移動を管理するために知られており、本発明は、現在知られているか又は後に開発されるかにかかわらず、任意のメカニズムに限定されない。また、本発明の様々な実施形態は、特定のプロセッサに限定されず、又は、（揮発性又は非揮発性にかかわらず）特定のコンピュータ可読の媒体にも限定されない。
【０６１６】
ある実施形態では、コントローラ１１００は、出力手段１１０３を含むことが可能である。ある実施形態では、出力手段１１０３は、プロセッサ１１０１に電気的に連通していることが可能である。例えば、図１１Ａを参照されたい。ある実施形態では、出力手段１１０３は、スピーカ、ブザー、ノイズメーカ、ディスプレイスクリーン、ＬＥＤ、及び／又はライトなどのうちの１つ又は複数から選択され得る。ある実施形態では、出力手段１１０３は、メンブレンスイッチサブアセンブリ１０００に関連付けられるスクリーン（モニタ）を含むことが可能であり、このスクリーン（モニタ）は、係合部及び／又はステータスインジケータ１００５のエリアの下に表示するＬＥＤスクリーン及び／又はＬＣＤ（液晶ディスプレイ）スクリーンとすることができる。ある実施形態では、出力手段１１０３は、少なくとも１つのステータスインジケータ１００３の下に表示するＬＥＤを含むことが可能である。
【０６１７】
ある実施形態では、コントローラ１１００は、ネットワークアダプタ１１０４を含むことが可能である。ある実施形態では、ネットワークアダプタ１１０４は、プロセッサ１１０１に電気的に連通していることが可能である。ある実施形態では、そのような電気的な連通は、電気配線、バス、回路、１つ又は複数の集積された（プリントされた）回路基板（PCB）、及び／又はチップを介するものとすることができる。ある実施形態では、ネットワークアダプタ１１０４は、モデム及び／又はルータのうちの１つ又は複数を含むことが可能である。ある実施形態では、ネットワークアダプタ１１０４、モデム、及び／又はルータは、少なくとも１つのラジオ又は少なくとも１つのアンテナをそれぞれ含むことが可能である。ある実施形態では、少なくとも１つのラジオ及び／又は少なくとも１つのアンテナは、以下、すなわち、無線伝送を受信すること、及び／又は、無線伝送を放送することのうちの１つ又は複数のために構成され得る。ある実施形態では、ネットワークアダプタ１１０４、モデム、又はルータのうちの１つ又は複数は、少なくとも１つのラジオ又は少なくとも１つのアンテナを利用するワイヤレス通信プロトコルを介して、ワイヤレス通信を提供することが可能である。
【０６１８】
ある実施形態では、少なくとも１つのラジオ又は少なくとも１つのアンテナを介して、ネットワークアダプタ１１０４、モデム、及び／又はルータのうちの１つ又は複数は、１つ又は複数のゲートウェイとして動作し、１つ又は複数のモバイルコンピューティングデバイス１１５０との通信を容易にすることが可能である。例えば、図１１Ｂを参照されたい。ある実施形態では、１つ又は複数のモバイルコンピューティングデバイス１１５０は、スマートフォン、タブレットコンピューティングデバイス、ラップトップコンピュータ、デスクトップコンピュータ、サーバ、スマートウォッチ、及びスマートウェアラブルなどから選択され得る。例えば、及び、本発明の範囲を限定することなく、１つ又は複数のモバイルコンピューティングデバイス１１５０と（例えば、フェイスソーキングデバイス１００の）コントローラ１１００との間の通信は、互換性のあるワイヤレス通信プロトコルを介して、直接的とすることができる。例えば、及び、本発明の範囲を限定することなく、１つ又は複数のモバイルコンピューティングデバイス１１５０と（例えば、フェイスソーキングデバイス１００の）コントローラ１１００との間の通信は、ネットワーク１１６０を通じて間接的とすることができる（例えば、図１１Ｂを参照）。ある実施形態では、ネットワーク１１６０は、ＬＡＮ（ローカルエリアネットワーク）、ＷＡＮ（ワイドエリアネットワーク）、インターネット、及び／又は、それらの組み合わせなどのうちの１つ又は複数とすることができる。従って、ネットワークアダプタ１１０４は、遠隔使用、制御、動作、更新（例えば、ソフトウェア、ファームウェア、及び／又はコードなどを更新すること）、及び／又は、１つ又は複数のモバイルコンピューティングデバイス１１５０から所与のフェイスソーキングデバイスのトラブルシューティングをすることを可能にすることができる。
【０６１９】
ある実施形態では、コントローラ１１００は、レベルインジケータ１１０５を含むことが可能である。ある実施形態では、ベッセル２００は、レベルインジケータ１１０５を含むことが可能である。ある実施形態では、レベルインジケータ１１０５は、プロセッサ１１０１に電気的に連通していることが可能である。例えば、図１１Ａを参照されたい。ある実施形態では、レベルインジケータ１１０５は、コントローラ１１００に電気的に連通していることが可能である。例えば、図１１Ａを参照されたい。ある実施形態では、レベルインジケータ１１０５は、内部容積２２０の中の液体１０１の高さレベルを示すことが可能である。ある実施形態では、レベルインジケータ１１０５は、液体１０１がいくらかの閾値高さレベル、例えば、最大液体レベルの上方又は下方にあるかどうかを示すことが可能である。ある実施形態では、レベルインジケータ１１０５は、光学センサとすることができる。ある実施形態では、レベルインジケータ１１０５は、フロートセンサとすることができる。ある実施形態では、レベルインジケータ１１０５は、内壁面２０３のいくらかの部分に取り付けられ得る。ある実施形態では、レベルインジケータ１１０５は、シールド−バック−パネル７２１の後ろに位置付けされ、内壁面２０３のいくらかの部分に取り付けられ得る。
【０６２０】
ある実施形態では、コントローラ１１００は、加熱要素７０１、温度センサ１１０６、及びサーモスタット１１０７の１つ又は複数に電気的に連通していることが可能である。例えば、図１１Ａを参照されたい。ある実施形態では、コントローラ１１００は、加熱要素７０１、温度センサ１１０６、及びサーモスタット１１０７のうちの１つ又は複数に電気的に連通していることが可能である。例えば、図１１Ａを参照されたい。ある実施形態では、コントローラ１１００は、サーモスタット１１０７を含むことが可能である。ある実施形態では、独立したサーモスタット１１０７が存在しないことが可能であり、すべてのそのようなサーモスタット機能は、メモリ１１０２の中に非一時的に記憶された適当なソフトウェアを使用するプロセッサ１１０１によって全体的に実施され得る。ある実施形態では、コントローラ１１００は、少なくとも１つの加熱要素７０１を制御することによって、及び／又は、少なくとも１つのチラーを制御することによって、液体１０１の温度（又は、複数の温度）を制御することが可能である。ある実施形態では、コントローラ１１００は、温度センサ１１０６を含むことが可能である。ある実施形態では、温度センサ１１０６は、液体１０１の熱を測定することが可能である。ある実施形態では、温度センサ１１０６は、液体１０１の温度を測定することが可能である。ある実施形態では、温度センサ１１０６は、温度計、光学的な温度計、及び／又は熱電対とすることができる。ある実施形態では、複数の温度センサ１１０６が存在することが可能である。ある実施形態では、温度センサ１１０６は、内壁面２０３、底部内側表面２１７、少なくとも１つの加熱要素７０１、シールド７１５、及び／又は、内部容積２２０の中の表面もしくは構造体などに取り付けられ得る。
【０６２１】
ある実施形態では、コントローラ１１００は、圧縮機１１１０、空気ポンプ、及び／又はソレノイドバルブのうちの１つ又は複数に電気的に連通していることが可能である。例えば、図１１Ａを参照されたい。ある実施形態では、コントローラ１１００は、ガスディフューザ（例えば、ガスディフューザ８００）がオンになっているか又はオフになっているかを制御することが可能である。ある実施形態では、コントローラ１１００は、ガスディフューザ（例えば、ガスディフューザ８００）によって作り出されている（放出されている）気泡１２５の強度（例えば、密度）を制御することが可能である。ある実施形態では、コントローラ１１００及び圧縮機１１１０の両方とも、機械的なコンパートメントの中に位置付けされ得る。ある実施形態では、圧縮機１１１０は、機械的なコンパートメントの外側に位置付けされ得る。
【０６２２】
ある実施形態では、コントローラ１１００は、少なくとも１つのＥＭエミッタ９００に電気的に連通していることが可能である。例えば、図１１Ａを参照されたい。ある実施形態では、コントローラ１１００は、少なくとも１つのＥＭエミッタ９００がオンになり得るか又はオフになり得るかを制御することが可能である。ある実施形態では、コントローラ１１００は、少なくとも１つのＥＭエミッタ９００によって作り出される放射されたＥＭの強度（例えば、密度）を制御することが可能である。例えば、及び、本発明の範囲を限定することなく、コントローラ１１００は、少なくとも１つのＥＭエミッタ９００に関する調光器の機能性を含むことが可能であり、少なくとも１つのＥＭエミッタ９００は、調光を可能にする機能性を含むことが可能である。ある実施形態では、コントローラ１１００は、ＬＥＤアレイ９０１からのライトカラーパターンを制御することが可能である。
【０６２３】
ある実施形態では、コントローラ１１００は、電源１１１５から電力を受け入れることが可能である。例えば、図１１Ａを参照されたい。コントローラ１１００は、電源１１１５に電気的に連通していることが可能である。電源１１１５は、所与のフェイスソーキングデバイスの実施形態のすべての電気コンポーネントに、直接的又は間接的のいずれかで、電気的に連通していることが可能である。電源１１１５は、所与のフェイスソーキングデバイスに電力を提供することが可能である。電源１１１５は、所与のフェイスソーキングデバイスの電気コンポーネントの１つ又は複数に電力を提供することが可能である。
【０６２４】
電源１１１５は、所与のフェイスソーキングデバイスから独立していることが可能であり、すなわち、ある実施形態では、本発明の一部ではない。例えば、及び、本発明の範囲を限定することなく、電源１１５は、標準的な電気的な壁部出口部とすることができる。電源１１１５は、機械的なコンパートメント２５１の外側に位置付けされ得る。電力コード１１１６は、そのような標準的な電気的な壁部出口部に除去可能に接続され得、標準的な電気的な壁部出口部から所与のフェイスソーキングデバイス（例えば、フェイスソーキングデバイス１００）へ延びていることが可能であり、フェイスソーキングデバイスにおいて、電力コード１１１６は、少なくとも１つのポート２１０などのような外側ポートにおいて、機械的なコンパートメント２５１に進入することが可能である（次いで、コントローラ１１００及び／又は電子的なコンポーネントに相互接続する）。例えば、図２Ｅを参照されたい。図２Ｅは、フェイスソーキングデバイス１００の背面図、及び、外部後面壁（例えば、第２の側壁２０７）から出現する電力コード１１１６を示している。
【０６２５】
ある実施形態では、例えば、電源１１１５は、バッテリ、再充電可能なバッテリ、及び／又は、バックアップ電力供給部とすることができるときに、電源１１１５は、所与のフェイスソーキングデバイスのコンポーネントとすることができる。そのような実施形態では、電源１１１５は、機械的なコンパートメント２５１の中に位置付けされ得る。
【０６２６】
ある実施形態では、コントローラ１１００は、ファン１１１７に電気的に連通していることが可能である。ある実施形態では、コントローラ１１００は、ファン１１１７を含むことが可能である。例えば、図１１Ａを参照されたい。ある実施形態では、コントローラ１１００は、ファン１１１７を制御することが可能である。ある実施形態では、フェイスソーキングデバイス１００は、ファン１１１７を含むことが可能である。ある実施形態では、ベッセル２００は、ファン１１１７を含むことが可能である。ある実施形態では、機械的なコンパートメント２５１は、ファン１１１７を含むことが可能である。ある実施形態では、ファン１１１７は、機械的なコンパートメント２５１の中に位置付けされ得る。ある実施形態では、ファン１１１７は、機械的なコンパートメント２５１の中の電気コンポーネントを冷却することが可能である。
【０６２７】
図１１Ｂは、所与のフェイスソーキングデバイス（例えば、フェイスソーキングデバイス１００）の動作環境を示すものであり得る。図１１Ｂは、どのようにユーザ９０００が所与のフェイスソーキングデバイスを使用し、制御し、動作させ、更新し、プログラムし、及び／又は、トラブルシューティングをするかを示すものであり得る。ユーザ９０００は、例えば、メンブレンスイッチサブアセンブリ１０００を介して、所与のフェイスソーキングデバイスの実施形態を直接的に使用し、制御し、動作させ、更新し、プログラムし、及び／又はトラブルシューティングをすることが可能である。ユーザ９０００は、１つ又は複数のモバイルコンピューティングデバイス１１５０を介して、所与のフェイスソーキングデバイスの実施形態を使用し、制御し、動作させ、更新し、プログラムし、及び／又はトラブルシューティングをすることが可能であり、１つ又は複数のモバイルコンピューティングデバイス１１５０は、ネットワークアダプタ１１０４に直接的に通信することが可能であり、又は、ネットワーク１１６０を介して、ネットワークアダプタ１１０４に間接的に通信することが可能である。
【０６２８】
図１２Ａは、デバイス１２００（例えば、フェイスソーキングデバイス１００）の例示的な実施形態を示すものであり得、デバイス１２００は、物品を治療するためのベッセル２００を含むことが可能であり、物品を治療するための方法は、デバイス１２００を利用することも可能であり、斜視図により示されている。いくつかの例示的な実施形態では、デバイス１２００は、ベッセル２００及び少なくとも１つのエアレータを含むことが可能である。いくつかの例示的な実施形態では、デバイス１２００は、ベッセル２００及び少なくとも１つの電磁（ＥＭ）エミッタ９００（少なくとも１つのＥＭエミッタ９００）を含むことが可能である。いくつかの例示的な実施形態では、デバイス１２００は、ベッセル２００、少なくとも１つのエアレータ、及び少なくとも１つのＥＭエミッタ９００を含むことが可能である。
【０６２９】
ある実施形態では、ベッセル２００は、内壁面２０３及び内側容積２２０を含むことが可能である。ある実施形態では、内壁面２０３は、実質的に内側容積２２０の境界を決めることが可能であり、すなわち、内壁面２０３は、内側容積２２０を形成することが可能である。先行する文章に使用されているような「実質的に」は、ベッセル２００が、内側容積２２０へのアクセスを提供する少なくとも１つの開口（例えば、上部開口２２６）を有することが可能であり、すなわち、内壁面２０３は、開口が位置付けされ得る場所のように、全体的に内側容積２２０の境界を決めているわけではないことを表している可能性があることに留意されたい。ある実施形態では、内側容積２２０は、物品の少なくとも一部分を除去可能に収納するようにサイズ決めされ得る。ある実施形態では、内側容積２２０は、物品の全体を除去可能に収納するようにサイズ決めされ得る。ある実施形態では、内側容積２２０は、液体充填レベルまで、又は、液体充填レベルの下方に、液体１０１で除去可能に充填可能であり得る。液体充填レベルは、事前決定され得、また、ある実施形態では、内壁面２０３の上の場所に示され得る。
【０６３０】
ある実施形態では、ベッセル２００は、少なくとも１つのウィンドウ１２０３を含むことが可能である。ある実施形態では、少なくとも１つのウィンドウ１２０３は、実質的に透明であり、及び／又は半透明とすることができる。ある実施形態では、ベッセル２００の少なくとも一部分は、実質的に透明であり、半透明であり、もしくは不透明とすることができ、又は、いくつかの部分は、実質的に透明であり、及び／又は半透明とすることができるが、一方、他の部分は、不透明とすることができる。透明性及び／又は半透明性は、それに限定されないが可視光などのような、ＥＭ放射線の特定の波長に関するものとすることができることに留意されたい。そして、この段落における「実質的に」の使用は、透明性及び／又は半透明性は完璧である必要はないことを注記している可能性がある。（少なくとも１つのウィンドウ１２０３が、図１２Ｂに示されている可能性があることに留意されたい。）
【０６３１】
ある実施形態では、内壁面２０３の少なくとも一部分は、ＥＭ放射線のいくらかの所定の波長を反射する電磁（ＥＭ）放射線とすることができる。例えば、及び、本発明の範囲を限定することなく、内壁面２０３の少なくとも一部分は、可視光、近紫外線、及び近赤外線などを反射するように、光学的に鏡面になっていることが可能である。例えば、及び、本発明の範囲を限定することなく、内壁面２０３の少なくとも一部分は、マイクロ波などを反射するために、金属から実質的に構築され得る。
【０６３２】
ある実施形態では、物品は、動物、又は、動物の少なくとも１つの部分；脊椎動物、又は、脊椎動物の少なくとも１つの部分；陸上脊椎動物、又は、陸上脊椎動物の少なくとも１つの部分；無脊椎動物、又は、無脊椎動物の少なくとも１つの部分；哺乳類の動物、又は、哺乳類の動物の少なくとも１つの部分；人間、又は、人間の少なくとも１つの部分を含む群から選択され得る。例えば、人間の少なくとも１つの部分は、顔、指、手、腕、肘、肩、つま先、足、足首、下腿、及び太腿などとすることができる。例示的な用途では、物品は、顔９０１０とすることができる。
【０６３３】
ある実施形態では、液体１０１は、水、油、ゲル、スラリー、過酸化物、アルコール、漂白剤、無機溶媒、有機溶媒、極性溶媒、弱酸、弱塩基、及び、それらの組み合わせなどを含む群のうちの１つ又は複数から選択され得る。
【０６３４】
ある実施形態では、液体１０１は、少なくとも１つの添加剤を含むことが可能である。ある実施形態では、少なくとも１つの添加剤は、無機の塩、ミネラル塩、有機の塩、薬剤的に活性の化合物、少なくとも１つのハーブ、少なくとも１つの加湿剤、少なくとも１つの界面活性剤、少なくとも１つの染料、少なくとも１つの酸化剤、少なくとも１つの香料、及び、それらの組み合わせなどを含む群の１つ又は複数から選択され得る。いくつかの例示的な実施形態では、液体１０１は、様々な水性の生理食塩水溶液とすることができる。
【０６３５】
ある実施形態では、デバイス１００は、液体１０１をさらに含むことが可能である。
【０６３６】
ある実施形態では、物品の少なくとも一部分（又は、物品の任意の他の部分）が液体１０１の中に除去可能に沈められ得、液体１０１が内部容積２２０の中に除去可能に存在し得るときに、物品が液体１０１に暴露され得、液体１０１が物品を治療することが可能である。ある実施形態では、デバイス１２００は、少なくとも１つのエアレータを含むことが可能であり、物品の少なくとも一部分（又は、物品の任意の他の部分）が、液体１０１の中に除去可能に沈められ、液体１０１、及び、少なくとも１つのエアレータからの複数の泡１２５に暴露され得るときに、両方の液体１０１及び泡１２５が、除去可能に沈められている物品の部分を治療することが可能である。ある実施形態では、デバイス１２００は、少なくとも１つのＥＭエミッタ９００を含み、物品の少なくとも一部分（又は、物品の任意の他の部分）が、液体１０１の中に除去可能に沈められ、液体１０１、及び、少なくとも１つのＥＭエミッタ９００からのＥＭ放射線１２４１に暴露され得るときに、次いで、液体１０１及びＥＭ放射線１２４１の両方が、除去可能に沈められている物品の部分を治療することが可能である。ある実施形態では、デバイス１２００は、少なくとも１つのエアレータ及び少なくとも１つのＥＭエミッタ９００を含み、物品の少なくとも一部分（又は、物品の任意の他の部分）が、液体１０１の中に除去可能に沈められ、液体１０１、複数の泡１２５、及び、ＥＭ放射線１２４１の少なくとも一部分に暴露され得るときに、次いで、液体１０１、泡１２５、及び、ＥＭ放射線１２４１の少なくとも一部分は、除去可能に沈められている物品の部分を治療することが可能である。
【０６３７】
本明細書で使用されているような「治療する」、「治療」、及び／又は、「治療している」は、利益が物品に提供され得ること；不利益が物品に提供され得ること；物品が治療によって物理的に変化され得ること；及び、物品が治療によって化学的に変化され得ることなどを意味している可能性があることに留意されたい。
【０６３８】
例えば、及び、本発明の範囲を限定することなく、利益の例は、人間、動物、及び／又は、その部分の治療的療法のためのデバイス及び／又は方法を使用することである可能性がある。例えば、及び、本発明の範囲を限定することなく、利益の例は、酸素療法、光線療法、光線療法と組み合わせられた酸素療法、泡１２５を使用することによって向上された光線療法、酸素療法も提供する酸素泡の使用によって向上された光線療法、及び、それらの組み合わせによって、物品を治療するために、デバイス及び／又は方法を使用することである可能性がある。例えば、及び、本発明の範囲を限定することなく、利益の例は、液体１０１の中への浸漬を使用して（それ自身によって、又は、泡１２５、酸素、及び光線療法などと組み合わせて、のいずれかによって）物品の皮膚を治療し、にきび、しわ、打撲傷、裂傷、切り傷、及び火傷などを処置するために、デバイス１２００及び／又は方法を使用することである可能性がある。
【０６３９】
例えば、及び、本発明の範囲を限定することなく、不利益の例、又は、物理的な変化の例、又は、化学的な変化の例は、電離放射線によって物品を治療するために、デバイス及び／又は方法を使用することである可能性がある。例えば、電離放射線は、物品の殺菌目的のために使用され得る。例えば、電離放射線は、物品の中に化学的な変化を誘発するために使用され得る。
【０６４０】
例えば、及び、本発明の範囲を限定することなく、不利益の例、又は、物理的な変化の例、又は、化学的な変化の例は、治療された物品の表面などのような、物品、及び／又は、物品の一部分を、殺菌し、突然変異を誘発し、染め、及び、酸化させるなどのために、デバイス及び／又は方法を使用することである可能性がある。
【０６４１】
ある実施形態では、少なくとも１つのエアレータは、少なくとも１つのガス供給源（例えば、圧縮機１１１０）及び少なくとも１つのガスディフューザ８００を含むことが可能である。ある実施形態では、少なくとも１つの圧縮機１１１０は、（例えば、空気ラインチュービング８１９を介して）少なくとも１つのガスディフューザ８００に接続され得る。例えば、図１２Ａを参照されたい。ある実施形態では、少なくとも１つの圧縮機１１１０は、少なくとも１つのガスディフューザ８００にガスを提供することが可能である。ある実施形態では、少なくとも１つのガスディフューザ８００は、内側容積２２０の中に配設され得、又は、内壁面２０３の上に位置付けされ得る。ある実施形態では、少なくとも１つのガスディフューザ８００を出ていき液体１０１の中へ入るガスは、複数の泡１２５を形成することが可能である。ある実施形態では、少なくとも１つの圧縮機１１１０は、ガスを含むガスシリンダの１つ又は複数と交換され得る。ある実施形態では、少なくとも１つのガスディフューザ８００は、空気ラインチュービング８１９などのような、ガスラインチュービング又はガスラインパイピングの少なくとも１つの長さを介して、少なくとも１つの圧縮機１１１０に接続され得、空気ラインチュービング８１９は、ある実施形態では、少なくとも１つの逆止バルブ、フローセンサ、圧力センサ、遮断バルブ、及びソレノイドバルブなどを含むことが可能である。ある実施形態では、少なくとも１つのガスディフューザ８００は、複数のガス出口ポートを含むことが可能である。例えば、及び、本発明の範囲を限定することなく、複数のガス出口ポートは、多孔性の構造体とすることができる。ある実施形態では、ガスは、空気、酸素、酸素を富化された空気、窒素、二酸化炭素、亜酸化窒素、及び、それらの組み合わせなどを含む群のうちの１つ又は複数から選択され得る。ある実施形態では、ガスが酸素（空気を含む）を含むことが可能であり、そのようなガスに物品を暴露させることは、「酸素療法」とすることができる。
【０６４２】
泡１２５が少なくともガスディフューザ８００から生じ得る実施形態では、そのような泡１２５は、気泡とすることができ、気泡の内容は、実質的にガスとすることができる。ある実施形態では、泡１２５は、液体１０１を攪拌することから生じることが可能であり、液体１０１は、１つ又は複数の界面活性剤を含むことが可能である。そのような実施形態では、泡１２５は、大気などのような、ガス−液体表面界面にあったガスならどんなものでも含むことが可能である。ある実施形態では、そのような攪拌は、少なくとも１つのジェット１２６０によって付与され得、少なくとも１つのジェット１２６０からのフローが、ガス−液体表面界面に方向付けされる。ある実施形態では、そのような攪拌は、液体１０１の少なくともいくつかのかき混ぜ作用によって付与され得る。そのようなかき混ぜは、ユーザ９００によって手動で行われ得る。そのようなかき混ぜは、間隔体積２２０の中に装着されたスピン可能なインペラによって自動的に行われ得る（図示せず）。
【０６４３】
ある実施形態では、デバイス１２００は、液体１０１を加熱するための少なくとも１つのヒータ７００を含むことが可能である。例えば、図１２Ａを参照されたい。ある実施形態では、少なくとも１つのヒータ７００は、内側容積２２０の中に、内壁面２０３の上に、又は、液体１０１と連通し得るチャンバの中に位置付けされ得る。ある実施形態では、少なくとも１つのヒータ７００によって液体１０１を加熱することは、内部容積２２０の中の液体１０１の対流移動を生成することが可能である。ある実施形態では、少なくとも１つのヒータ７００は、液体１０１の過熱を防止するための手段、例えば、サーモスタット及び／又は温度感知手段（例えば、温度センサ１１０６）を含むことが可能である。ある実施形態では、液体１０１の過熱を防止するためのそのような手段は、例えば、治療されている物品に対する火傷を防止又は最小化することなどとすることができる。
【０６４４】
また、ある実施形態では、少なくとも１つのヒータ７００は、チラーとすることができ、液体１０１が冷却されることを可能にする。又は、代替的に、ある実施形態では、デバイス１２００は、液体１０１を冷やすための少なくとも１つのチラーを含むことが可能である。そのようなチラーは、少なくとも１つのヒータ７００に関するものと同じ場所に位置付けされ得る。ある実施形態では、デバイス１２００は、交互の加熱及び冷却サイクルのためのコントローラ（例えば、コントローラ１１００）を含むことが可能である。そのようなコントローラは、少なくとも１つのヒータ７００及び／又は少なくとも１つのチラーに連通していることが可能である。交互の加熱及び冷却サイクルは、例えば、負傷した組織に対する治癒を推進させることなど、治療されている物品に治療的利益を提供することが可能である。
【０６４５】
ある実施形態では、水氷は、同様に液体１０１に追加され、物品のための冷却治療を達成することが可能である。
【０６４６】
ある実施形態では、デバイス１２００は、液体１０１を循環させるための、及び／又は、沈められている物品に液体１０１の少なくとも１つのストリームを方向付けするための、少なくとも１つのジェット１２６０を含むことが可能である。例えば、図１２Ａを参照されたい。ある実施形態では、少なくとも１つのジェット１２６０は、内側容積２２０の中に、内壁面２０３の上に、又は、液体１０１に連通し得るチャンバの中に（このチャンバは、ある実施形態では、少なくとも１つのヒータ７００を収容するチャンバと同じ又は異なっていることが可能である）、位置付けされ得る。ある実施形態では、少なくとも１つのジェット１２６０は、ポンプ及び／又はインペラを含むことが可能である。
【０６４７】
ある実施形態では、デバイス１２００は、少なくともいくつかの放射されたＥＭ１２４１を液体１０１の中へ放射するための少なくとも１つのＥＭエミッタ９００を含むことが可能である。例えば、図１２Ａを参照されたい。ある実施形態では、少なくとも１つのＥＭエミッタ９００は、内側容積２２０の中に、及び／又は、内壁面２０３の上に、位置付けされ得る。例えば、図１２Ａを参照されたい。
【０６４８】
図１２Ｂは、図１２Ａのデバイス１２００を示すものであり得るが、少なくとも１つのＥＭエミッタ９００は、デバイス１２００（例えばベッセル２００）に対して様々な異なる場所において示されている可能性があり、同じ斜視図により示されている。ある実施形態では、少なくとも１つのＥＭエミッタ９００は、内側容積２２０の中に、内壁面２０３の上に、ベッセル２００から外側に近接距離１２５１又は１２５２の中に、又は、内壁面２０３の反対側に配設され得るベッセル２００の外側表面の上に、位置付けされ得る。
【０６４９】
ある実施形態では、少なくとも１つのＥＭエミッタ９００は、少なくとも１つのＥＭエミッタ１２４４、少なくとも１つのＥＭエミッタ１２４５、少なくとも１つのＥＭエミッタ１２４６、少なくとも１つのＥＭエミッタ１２４７、少なくとも１つのＥＭエミッタ１２４８、及び、少なくとも１つのＥＭエミッタ１２４９などのうちの１つ又は複数を含むことが可能である。例えば、図１２Ｂを参照されたい。
【０６５０】
ある実施形態では、少なくとも１つのＥＭエミッタ１２４４は、内壁面２０３の上にあることが可能である。ある実施形態では、少なくとも１つのＥＭエミッタ１２４５は、内側容積２２０の中に位置付けされ得る。ある実施形態では、少なくとも１つのＥＭエミッタ１２４６は、内壁面２０３の反対側に配設され得るベッセル２００（例えば、外壁面２０２）の外側表面の上に位置付けされ得る。ある実施形態では、少なくとも１つのＥＭエミッタ１２４７は、ベッセル２００の壁部の中に部分的に埋め込まれて位置付けされ得、壁部の一部分は、内壁面２０３を形成することが可能である。ある実施形態では、少なくとも１つのＥＭエミッタ１２４８は、ベッセル２００から外側に、少なくとも１つのウィンドウ２０３から近接距離１２５２の中に位置付けされ得る。ある実施形態では、少なくとも１つのＥＭエミッタ１２４９は、ベッセル２００から外側に、ベッセル２００から近接距離１２５１の中に位置付けされ得る。
【０６５１】
ある実施形態では、近接距離１２５２は、３０フィート以下とすることができる。ある実施形態では、近接距離１２５１は、３０フィート以下とすることができる。いくつかの例示的な実施形態では、近接距離１２５２は、５フィート以下とすることができる。いくつかの例示的な実施形態では、近接距離１２５１は、５フィート以下とすることができる。一方、ある実施形態では、例えば、少なくとも１つのＥＭエミッタ１２４９が日光（Sun）であり得るときなどに、ベッセル２００の内側容積２２０の中の液体１０１の中に除去可能に沈められている物品、又は、物品の部分に日光が自然照明を提供することによって、近接距離１２５１は、実質的により大きくなっていることが可能である。
【０６５２】
ある実施形態では、少なくとも１つのＥＭエミッタ９００は、耐水性になっていることが可能であることに留意されたい。ある実施形態では、少なくとも１つのＥＭエミッタ９００は、液体１０１に直接的な物理的に接触していることが可能である。そのような実施形態は、少なくとも１つのＥＭエミッタ１２４４、少なくとも１つのＥＭエミッタ１２４５、及び／又は、少なくとも１つのＥＭエミッタ１２４７のうちの１つ又は複数を含むことが可能である。
【０６５３】
それぞれの少なくとも１つのＥＭエミッタ９００は、少なくともいくつかの放射されたＥＭ１２４１を液体１０１の中へ放射することが可能である。それぞれの少なくとも１つのＥＭエミッタは、少なくともいくつかの放射されたＥＭ１２４１を液体１０１の中へ放射することが可能である。例えば、図１２Ａ及び図１２Ｂを参照されたい。
【０６５４】
図１２Ｃは、複数の泡１２５からの少なくとも１つの泡１２６と相互作用する、放射されたＥＭ放射線１２４１からの光学的な連鎖反応（ＯＣＲ）の現象のダイアグラムを示すものであり得る。図１２Ｄは、例えば、それに限定されないが、少なくとも１つの泡１２６及び別の泡１２２８などのような、複数の泡１２５と相互作用するＥＭ放射線１２４１からのＯＣＲのダイアグラムを示すものであり得る。すなわち、図１２Ｄは、泡１２６からのＥＭから生じた、１つの泡１２６からのＯＣＲが、どのように他の泡１２２８の中に起こり続けることが可能であるかを示すものであり得る。また、泡１２２８は、泡１２６からのＥＭを受け入れることに加えて、少なくとも１つのＥＭエミッタ９００から放射されたＥＭ１２４１を受け入れることも可能である。ある実施形態では、ＯＣＲ相互作用は、液体１０１、液体１０１の中の少なくとも１つの泡１２６、及び、液体１０１の中の放射されたＥＭ放射線１２４１を必要とする可能性がある。
【０６５５】
ある実施形態では、デバイス１２００及び／又は方法は、ＥＭ放射線（例えば、放射されたＥＭ放射線１２４１など）を受け入れることができるそれぞれの泡１２６／１２２８の中のＯＣＲ相互作用を含むことが可能である。１つ又は複数のＯＣＲ相互作用からの生成物は、液体１０１の中に存在する泡１２５が存在しない場合と比較して、液体１０１の中に沈められている物品の少なくとも一部分の外側の、向上されたＥＭ放射線カバー率を提供することが可能である。ある実施形態では、それぞれのＯＣＲは、液体１０１を通過して複数の泡１２５からの泡の少なくともいくつかと相互作用するＥＭ放射線によって形成され得る。そのような泡から出てくるＥＭは、より多くの泡とさらに相互作用することが可能である。このＥＭ放射線は、（例えば、ＥＭ放射線１２４１を放射する）少なくとも１つのＥＭエミッタ９００から最初に生じることが可能である。ある実施形態では、そのような放射されたＥＭ１２４１は、少なくとも第１のビーム１２１１を含むことが可能である。ある実施形態では、複数の泡１２５からの少なくとも１つの泡１２６の表面１２２７に第１のビーム１２１１が衝突すると、第１のビーム１２１１は、反射して第１の反射ビーム１２１２になることが可能であり、また、屈折して第１の屈折ビーム１２１３になることが可能である。ある実施形態では、第１の屈折ビーム１２１３は、異なる場所において表面１２２７に衝突するまで、少なくとも１つの泡１２６の中に存在し続けることが可能である。ある実施形態では、この異なる場所において、第１の屈折ビーム１２１３は、反射して第２の反射ビーム１２１４になることが可能であり、また、屈折して第２の屈折ビーム１２１５になることが可能である。ある実施形態では、第２の反射ビーム１２１４は、別の異なる場所において表面１２２７に衝突するまで、少なくとも１つの泡１２６の中に存在し続けることが可能である。ある実施形態では、第２の反射ビーム１２１４は、この別の異なる場所において、再び反射及び屈折することが可能であり、この反復方式でｎ回継続し（請求項の中で「第ｎの」と述べられている）、少なくとも１つの泡１２６の内側で移動する第ｎの反射ビーム１２１６、及び、少なくとも１つの泡１２６の外側に移動する第ｎの屈折ビーム１２１７を作り出す。ある実施形態では、第１の反射ビーム１２１２、第２の屈折ビーム１２１５、及び／又は第ｎの屈折ビーム１２１７は、泡１２２８において別のＯＣＲを形成する別の泡１２２８と相互作用することが可能であり、及び／又は、物品の少なくとも一部分の外側と相互作用することが可能であり、及び／又は、内壁面２０３と相互作用することが可能である。
【０６５６】
ある実施形態では、ＯＣＲは、泡１２５が液体１０１の中に存在していない場合に物品の少なくとも一部分の外側において受け取られるＥＭ放射線と比較して、物品の少なくとも一部分の外側において受け取られるＥＭ放射線を減衰させ、拡大させ、及び／又は増幅させることが可能である。ある実施形態では、ＯＣＲは、２つ以上の泡１２６／１２２８の中及び上で起こっており、物品の少なくとも一部分の外側において受け取られるＥＭ放射線の追加的に組み合わせられた減衰、拡大、及び／又は増幅をもたらし得る。例えば、及び、本発明の範囲を限定することなく、放射されたＥＭ放射線１２４１が可視光スペクトルにあり得る実施形態では、このＯＣＲ現象は、液体１０１及び泡１２５が輝いて見えるように視覚的に見える可能性があり、それは、泡１２５が液体１０１の中に存在していない場合と比較して、液体の中に沈められている物品の少なくとも一部分の外側の向上されたＥＭ放射線カバー率において明白である可能性がある。
【０６５７】
また、ある実施形態では、ＥＭ放射線と表面１２２７との相互作用のそれぞれの場所において、屈折ビームを生じさせ得る、表面１２２７を通過するＥＭ放射線は、それらの屈折ビームのレンズ効果をもたらし得る。例えば、及び、本発明の範囲を限定することなく、所与の泡１２６／１２２８の外側に起こるＥＭ相互作用（例えば、反射）は、凸形レンズ効果とすることができ、一方、所与の泡１２６／１２２８の内側に起こっているＥＭ放射線相互作用（例えば、反射）は、凹形レンズ効果とすることができる。例えば、ＥＭ放射線が所与の泡１２６／１２２８の表面１２２７に衝突すると、そのようなＥＭ放射線の一部分は、次いで、所与の泡１２６／１２２８の内側に移動し続け、次いで、所与の泡１２６／１２２８から出ていくことが可能であり、拡大をもたらし得る。
【０６５８】
１つ又は複数の泡１２６／１２２８の上及び／又は中に起こるＯＣＲは、少なくとも１つのＥＭエミッタ９００が液体１０１の中へＥＭ１２４１を放射している可能性がある間に、及び、複数の泡１２５が存在している可能性がある間に、起こり続けることが可能であることに留意されたい。また、表面１２２７に沿ったＥＭ相互作用（反射及び屈折）に起因して、並びに、任意の所与の泡１２６／１２２８の内側及び／又は外側の両方でのＥＭ粒子（光子）衝突、及び／又は、物品ＥＭ吸収に起因して、単一のＯＣＲ現象でＥＭに関連付けられるエネルギーレベルは、時間の経過とともに、消散することが可能であるが、しかし、ＥＭ１２４１を放射する少なくとも１つのＥＭエミッタ９００が存在することが可能であり、複数の泡１２５が存在していることが可能であるときに、多くのＯＣＲ相互作用の追加（累積）は、液体１０１の中に存在する泡１２５が存在しない場合と比較して、液体１０１の中に沈められている物品の少なくとも一部分の外側の向上されたＥＭ放射線カバー率とすることができることに留意されたい。追加的に、泡１２５が液体１０１の中を移動しているので、ＯＣＲによって提供される向上された光線療法は、治療されている物品の沈められた表面に対する非常に均一な暴露を提供する傾向がある。例えば、及び、本発明の範囲を限定することなく、これは、泡１２５を使用しない光線療法と比較した場合に、増加した有効性、より大きい効率、及び／又は、光線療法のケースにおける治療の持続期間が少なくなることを提供することが可能である。
【０６５９】
ある実施形態では、液体１０１の中の泡１２５を使用して物品を治療するための方法は、
工程（ａ）：内側容積２２０の液体充填レベルまで、又は、内側容積２２０の液体充填レベルの下方に、ベッセル２００の内側容積２２０を液体１０１で（除去可能に）充填する工程と、
工程（ｂ）：内側容積２２０の中に物品の少なくとも一部分を除去可能に受け入れ、物品の少なくとも一部分が液体１０１の中に除去可能に沈められ得るようになっている、工程と、
工程（ｃ）：複数の泡１２５を液体１０１の中へ放出する工程と、
工程（ｄ）：物品の少なくとも一部分を液体１０１に暴露させる工程と、
工程（ｅ）：物品の少なくとも一部分を複数の泡１２５に暴露させる工程と、
を含むことが可能である。
【０６６０】
ある実施形態では、工程（ａ）、工程（ｂ）、及び工程（ｃ）は、任意の順序で、工程（ｄ）及び工程（ｅ）に先行することが可能である。（当然のことながら、工程（ａ）の前に起こる工程（ｃ）は、工程（ａ）において液体１０１が追加され得るまで、最初に、内側容積２２０の中の大気の中へ泡１２５を放出することになる。）ある実施形態では、物品の少なくとも一部分を液体１０１及び複数の泡１２５に暴露させることは、物品を治療することが可能であり、及び／又は、暴露されている物品の部分、とりわけ、沈められて暴露されている表面を治療することが可能である。
【０６６１】
ある実施形態では、この方法は、ＥＭ放射線１２４１を液体１０１の中へ放射する工程、及び、物品の少なくとも一部分の外側の少なくともいくらかを照射する工程をさらに含むことが可能である。ある実施形態では、この放射されたＥＭ放射線１２４１は、少なくとも１つのＥＭエミッタ９００からのものとすることができる。ある実施形態では、複数の泡１２５からの泡１２６／１２２８の少なくともいくつかは、放射されたＥＭ放射線１２４１を放射する少なくとも１つのＥＭエミッタ９００と物品の少なくとも一部分との間に配設され得る。これは、ＯＣＲからの向上された光線療法をもたらし得る。
【０６６２】
ある実施形態では、液体１０１の中の放射されたＥＭ放射線１２４１を使用して物品を治療するための方法は（この方法は、上記に開示されている先行する方法とは異なっている可能性があることに留意されたい）、
工程（ａ）：内側容積２２０の液体充填レベルまで、又は、内側容積２２０の液体充填レベルの下方に、ベッセル２００の内側容積２２０を液体１０１で（除去可能に）充填する工程と、
工程（ｂ）：内側容積２２０の中に物品の少なくとも一部分を除去可能に受け入れ、物品の少なくとも一部分が液体１０１の中に除去可能に沈められ得るようになっている、工程と、
工程（ｃ）：ＥＭ放射線１２４１を液体１０１の中へ放射する工程、及び、物品の少なくとも一部分の外側の少なくともいくらかを照射する工程であって、放射されたＥＭ放射線１２４１は、少なくとも１つのＥＭエミッタ９００からのものとすることができる、工程と、
工程（ｄ）：物品の少なくとも一部分を液体１０１に暴露させる工程と、
工程（ｅ）：物品の少なくとも一部分の外側の少なくともいくらかを、放射されたＥＭ放射線１２４１に暴露させる工程と、
を含むことが可能である。
【０６６３】
ある実施形態では、工程（ａ）、工程（ｂ）、及び工程（ｃ）は、任意の順序で、工程（ｄ）及び工程（ｅ）に先行することが可能である。ある実施形態では、物品の少なくとも一部分を、液体１０１及び放射されたＥＭ放射線１２４１に暴露させる工程は、物品を治療することが可能である。
【０６６４】
ある実施形態では、この方法は、複数の泡１２５を液体１０１の中へ放出する工程をさらに含むことが可能である。ある実施形態では、複数の泡１２５からの泡１２５（例えば、１２６及び／又は１２２８）の少なくともいくらかは、少なくとも１つのＥＭエミッタ９００と物品の少なくとも一部分との間に配設され得る。これは、ＯＣＲからの向上された光線療法をもたらし得る。
【０６６５】
ある実施形態では、液体１０１の中の泡１２５及び放射されたＥＭ放射線１２４１を使用して物品を治療するための方法は、
工程（ａ）：内側容積２２０の液体１０１充填レベルまで、又は、内側容積２２０の液体１０１充填レベルの下方に、ベッセル２００の内側容積２２０を液体１０１で（除去可能に）充填する工程と、
工程（ｂ）：内側容積２２０の中に物品の少なくとも一部分を除去可能に受け入れ、物品の少なくとも一部分が液体１０１の中に除去可能に沈められ得るようになっている、工程と、
工程（ｃ）：複数の泡１２５を液体１０１の中へ放出する工程と、
工程（ｄ）：（例えば、少なくとも１つのＥＭエミッタ９００からの）ＥＭ放射線１２４１を液体１０１の中へ放射する工程、及び、物品の少なくとも一部分の外側の少なくともいくらかを照射する工程と、
工程（ｅ）：物品の少なくとも一部分を液体１０１に暴露させる工程と、
工程（ｆ）：物品の少なくとも一部分を、複数の泡１２５からの泡（例えば、１２６及び／又は１２２８）の少なくともいくらかに暴露させる工程と、
工程（ｇ）：物品の少なくとも一部分の外側の少なくともいくらかを、放射されたＥＭ放射線１２４１の少なくともいくらかに暴露させる工程と、
を含むことが可能である。
【０６６６】
ある実施形態では、工程（ａ）、工程（ｂ）、工程（ｃ）、工程（ｄ）は、任意の順序で、工程（ｅ）、工程（ｆ）、及び工程（ｇ）に先行することが可能である。（当然のことながら、工程（ａ）の前に起こる工程（ｃ）は、工程（ａ）において液体１０１が追加され得るまで、最初に、内側容積２２０の中の大気の中へ泡１２５を放出することになる。）ある実施形態では、物品の少なくとも一部分を、液体１０１、複数の泡１２５、及び、放射されたＥＭ放射線１２４１に暴露させることは、物品を治療することが可能である。
【０６６７】
ある実施形態では、この方法（並びに、ＥＭ放射線１２４１を液体１０１の中へ放射する工程、及び、物品の少なくとも一部分の外側の少なくともいくらかを照射する工程を含むことが可能である他の方法）は、放射されたＥＭ放射線１２４１の少なくとも一部分に、図１２Ｃ及び図１２Ｄに示されているような１つ又は複数のＯＣＲ相互作用において、複数の泡１２５からの泡１２５（例えば、１２６及び／又は１２２８）の少なくともいくらかと相互作用させる工程をさらに含むことが可能である。
【０６６８】
ある実施形態では、フェイスソーキングデバイス１００は、液体ジェット手段を含むことが可能である。液体ジェット手段は、液体１０１の中に浸されている顔の一部分に液体１０１のストリームを方向付けするように構成され得る。ある実施形態では、液体ジェット手段は、少なくとも１つのジェット１２６０とすることができる（例えば、図１２Ａを参照）。液体ジェット手段は、少なくとも１つのインテイクベント、少なくとも１つの液体循環ポンプ、及び、少なくとも１つの出口ジェットを含むことが可能である。少なくとも１つの液体循環ポンプは、チュービング又はホースを介して、少なくとも１つのベントに物理的に接触していることが可能である。少なくとも１つの液体循環ポンプは、異なるチュービング又は異なるホースを介して、少なくとも１つの出口ジェットに物理的に接触していることが可能である。少なくとも１つの液体循環ポンプは、少なくとも１つのインテイクベントから液体を取り込み、次いで、少なくとも１つの出口ジェットを通して液体を吐き出すことが可能である。少なくとも１つのベントは、少なくとも１つの内壁面２０３又は少なくとも１つのベース２１５の内側表面（底部内側表面２１７）の上に位置付けされ得る。少なくとも１つの出口ジェットは、少なくとも１つの内壁面２０３又は少なくとも１つのベース２１５の内側表面（底部内側表面２１７）の上に位置付けされ得る。少なくとも１つの出口ジェットは、調節可能なノズルを含むことが可能である。調節可能なノズルは、少なくとも１つの出口ジェットから吐き出された液体の方向を変化させるように可動であり得る。液体循環ポンプは、内部容積２２０の外側に位置付けされ得る。
【０６６９】
ある実施形態では、フェイスソーキングデバイス（例えば、１００、１２００、１３００、１３５１、及び１３７０）は、少なくとも１つの振動手段を含むことが可能である。少なくとも１つの振動手段の目的は、振動マッサージをユーザ９０００に付与することであり得る。振動マッサージは、例えば、ユーザ９０００を鎮静及びリラックスしている状態にすることなどの利益を提供することが可能である。
【０６７０】
ある実施形態では、少なくとも１つの振動手段は、振動するように構成されているモータとすることができる。ある実施形態では、このモータは、機械的なコンパートメント２５１の中に収納され得る。ある実施形態では、このモータは、コントローラ１１００に電気的に連通していることが可能である。ある実施形態では、このモータは、コントローラ１１１０によって制御され得る。少なくとも１つの振動手段は、フェイスソーキングデバイス（例えば、１００、１２００、１３００、１３５１、及び１３７０）のコンポーネントに除去可能に取り付けられ得、少なくとも１つの振動手段の振動がコンポーネントに付与され得るようになっている。例えば、及び、本発明の範囲を限定することなく、コンポーネントは、ヘッドレストサブアセンブリ５００、６００、６５０、２１００、２３００、２４００、２５００、２５４０、２５５０、及び２５６０；ベッセル２００、１３６０、及び１３７２；並びに、ヒータ７００、２７００、２７０５、２７１０、２７２０、及び２７２５からのものとすることができる。いくつかの例示的な実施形態では、ユーザ９０００の額がサポート部材５０１又は快適な外側表面５０２に除去可能に接触していることが可能であるので、少なくとも１つの振動手段が除去可能に取り付けられ得るコンポーネントは、サポート部材５０１又は快適な外側表面５０２とすることができる。そのような実施形態では、少なくとも１つの振動手段は、内部容積２２０（及び／又は内部容積１３２０）の中にあることが可能である。ある実施形態では、例えば、少なくとも１つの振動手段がベッセル２００、ベッセル１３６０、及び／又はベッセル１３７２に除去可能に取り付けられ得る実施形態では、少なくとも１つの振動手段は、内部容積２２０（及び／又は内部容積１３２０）の外側に位置付けされ得る。
【０６７１】
ある実施形態では、少なくとも１つの振動手段は、電源１１１５を含むことが可能である。ある実施形態では、少なくとも１つの振動手段は、電源１１１５から電力を受け取ることが可能である。電源１１１５は、バッテリとすることができ、ある実施形態では、そのようなバッテリは、再充電可能であり得る。ある実施形態では、電源１１１５は、例えば、標準的な電気的な壁部出口部に接続されている電気コード１１１６などに、有線接続され得る。そのような電気コード１１１６は、少なくとも１つのポート２１０を通過して機械的なコンパートメント２５１の中へ入ることが可能であり、また、電気コードガスケットによってシールされ、機械的なコンパートメント２５１の中への湿気侵入を防止又は最小化することが可能である。
【０６７２】
サブアセンブリを含む、フェイスソーキングデバイスの実施形態のコンポーネントが、他のフェイスソーキングデバイスの実施形態の異なるコンポーネントと組み合わせられ、さらなる他のフェイスソーキングデバイスの実施形態に至ることが可能であることが企図され、それは、すべて、本発明の範囲の中にあることに留意されたい。例えば、及び、本発明の範囲を限定することなく、呼吸装置の様々な実施形態（例えば、それに限定されないが、図４シリーズの図、図２０シリーズの図、図２１シリーズの図、図２２シリーズの図、及び、図２３シリーズの図に示されているような、４００、２０００、２０５０、及び２１００など）は、ベッセル２００、１３６０、及び１３７２を含む、ベッセルの様々な実施形態とともに使用され得る。同様に、呼吸装置４００を用いることができる実施形態は、その代わりに、図２０シリーズの図に示されているような独立した呼吸装置２０００又は２０５０を利用することが可能である。例えば、及び、本発明の範囲を限定することなく、図４シリーズの図に示されているような呼吸装置４００は、ベッセル２００及びベッセル１３７２を含む、ベッセルの様々な実施形態とともに使用され得る。例えば、及び、本発明の範囲を限定することなく、ヘッドレストサブアセンブリの様々な実施形態（図５シリーズの図、図６シリーズの図、図２１シリーズの図、図２３シリーズの図、図２４シリーズの図、図２５シリーズの図、及び、図２６シリーズの図に示されているような、５００、６００、６５０、２１００、２３００、２４００、２５００、２５４０、２５５０、及び２５６０）は、ベッセル２００、１３６０、及び１３７２を含む、ベッセルの様々な実施形態とともに使用され得る。例えば、及び、本発明の範囲を限定することなく、ヘッドレストサブアセンブリ５００を用いることができる実施形態は、その代わりに、ヘッドレストサブアセンブリ６００、６５０、又は２３００を利用することが可能である。例えば、及び、本発明の範囲を限定することなく、ガスディフューザ（例えば、ガスディフューザ８００）の様々な実施形態は、ベッセル２００、１３６０、及び１３７２を含む、ベッセルの様々な実施形態とともに使用され得る。例えば、及び、本発明の範囲を限定することなく、少なくとも１つのＥＭエミッタ９００の様々な実施形態は、ベッセル２００、１３６０、及び１３７２を含む、ベッセルの様々な実施形態とともに使用され得る。例えば、及び、本発明の範囲を限定することなく、少なくとも１つの振動手段の様々な実施形態は、ベッセル２００、１３６０、及び１３７２を含む、ベッセルの様々な実施形態とともに使用され得る。
【０６７３】
ある実施形態では、フェイスソーキングデバイス（例えば、１００、１２００、１３００、１３５１、及び１３７０）は、（１）ベッセル−ネック−ガスケット−アコモデータを備えるベッセル、及びベッセルネックガスケット；（２）ベッセル及びヘッドレストサブアセンブリ；（３）ベッセル及び呼吸装置；（４）ベッセル−ネック−ガスケット−アコモデータを備えるベッセル、ベッセルネックガスケット、及びヘッドレストサブアセンブリ；（５）ベッセル−ネック−ガスケット−アコモデータを備えるベッセル、ベッセルネックガスケット、及び呼吸装置；（６）ベッセル、ヘッドレストサブアセンブリ、及び呼吸装置；及び／又は、（７）ベッセル−ネック−ガスケット−アコモデータを備えるベッセル、ベッセルネックガスケット、呼吸装置、及びヘッドレストサブアセンブリを含むことが可能である。ベッセルは、２００、１３６０、及び１３７２などとすることができる。ベッセルネックガスケットは、３４０などとすることができる。ヘッドレストサブアセンブリは、５００、６００、６５０、２３００、２４００、２５００、２５４０、２５５０、又は２５６０などとすることができる。呼吸装置は、４００、２０００、２０５０、又は２１００などとすることができる。
【０６７４】
また、それぞれのフェイスソーキングデバイスの実施形態（例えば、１００、１２００、１３００、１３５１、及び１３７０）は、１つ又は複数の追加的な構造体、コンポーネント、及び／又は要素を含むことが可能である。例えば、及び、本発明の範囲を限定することなく、そのような追加的な構造体、コンポーネント、及び／又は要素は、以下の１つ又は複数から選択され得る。それは、エアレータ、泡供給源、ガスディフューザ、ガス供給源、空気ポンプ、圧縮機、ヒータ、サーモスタット、電磁（ＥＭ）放射線源／エミッタ、ライト、振動子、ジェット、制御部、ユーザ入力を受け取るための手段、機械的なコンパートメント、ドレン、及び／又はプラグなどである。ベッセル（例えば、２００、１３６０、及び１３７２）の様々な実施形態は、そのような１つ又は複数の追加的な構造体、コンポーネント、及び／又は要素の様々な組み合わせとともに使用され得る。
【０６７５】
所与のフェイスソーキングデバイス（例えば、１００、１２００、１３００、１３５１、及び１３７０）の様々な実施形態は、独立型のデバイスとすることができる。所与のフェイスソーキングデバイス（例えば、１００、１２００、１３００、１３５１、及び１３７０）の様々な実施形態は、可搬式（モバイル）デバイスとすることができる。所与のフェイスソーキングデバイス（例えば、１００、１２００、１３００、１３５１、及び１３７０）の様々な実施形態は、他の構造体の中へ統合され得る（内蔵型）。そのような他の構造体は、カウンター、カウンタートップ、テーブル、テーブルトップ、ワークステーション、デスク、椅子、家具、ペデスタル、浴槽、温水浴槽、シャワー室、洗面器、ホイールの上に装着されるもの、及び、それらの組み合わせなどを含むことが可能である。フェイスソーキングデバイスの様々な実施形態は、診察室、医務室、サロン、ビューティーサロン、ヘアサロン、ネイルサロン、フェイシャルサロン、家庭使用、オフィス使用、浴室、蒸気室、及びサウナなどにおいて使用され得る。
【０６７６】
フェイスソーキングデバイス、物品ソーキングデバイス、及び可撓性の取り外し可能なベッセルカバーが、例示的な実施形態を含む、様々な実施形態において説明されてきた。フェイスソーキングデバイス及び物品ソーキングデバイスを使用する方法は、例示的な実施形態を含む、様々な実施形態において説明されてきた。本発明の様々な例示的な実施形態の先述の説明は、図示及び開示の目的のために提示されてきた。包括的であること、又は、開示されている正確な形態に本発明を限定することは意図されていない。多くの修正例及び変形例が、本発明の精神から逸脱することなく、上記の教示の観点から可能である。
【０６７７】
最も実用的で好適な実施形態であると現在考えられているものに関連して、本発明が説明されてきたが、本発明は、開示されている実施形態に限定されるべきではないが、それとは対照的に、添付の特許請求の範囲の精神及び範囲の中に含まれる様々な修正例及び同等の配置をカバーすることが意図されていることを理解されたい。
【符号の説明】
【０６７８】
１００  フェイスソーキングデバイス１００
１０１  液体１０１
１２５  泡１２５（複数の泡１２５）
１２６  少なくとも１つの泡１２６
２００  ベッセル２００
２００ａ  ベッセルライニング２００ａ
２００ｂ  ベッセルカバー２００ｂ
２０１  少なくとも１つの壁部２０１
２０２  外壁面２０２
２０３  内壁面２０３
２０５  少なくとも１つの側壁２０５
２０６  第１の側壁２０６
２０７  第２の側壁２０７
２０８  第３の側壁２０８
２０９  第４の側壁２０９
２１０  少なくとも１つのポート２１０
２１５  少なくとも１つのベース２１５
２１６  ベースの周囲部２１６
２１７  底部内側表面２１７
２２０  内部容積２２０
２２５  リム２２５
２２６  上部開口２２６
２３０  キャッチベースン２３０
２５１  機械的なコンパートメント２５１
３３５  ネック−ガスケット−アコモデータ３３５
３３５ａ  ネック−ガスケット−アコモデータ３３５ａ
３３５ｂ  ネック−ガスケット−アコモデータ３３５ｂ
３３６  最大垂直方向長さ３３６
３３７  水平方向幅３３７
３３８  コンタ３３８
３３９  少なくとも１つのピンチポイント３３９
３４０  ベッセルネックガスケット３４０
３４１  内部表面３４１
３４２  外部表面３４２
３４３  相手側縁部３４３
３４４  上部縁部３４４
３４５  引き伸ばされた領域３４５（伸縮の領域３４５）
３４８  クランプ３４８
３５０  少なくとも１つのシーリングフィン３５０
３５１  相補的なピンチポイント３５１
３５２  リップ部３５２
３５３  第１の相補的なシーリングフィン３５３
３５４  第２の相補的なシーリングフィン３５４
３５５  タブ３５５
３５６  上側外側表面３５６
３５７  横方向外側表面３５７
３５８  クランプ末端部３５８
３６４  プル３６４
３６７  チャネル３６７
３７１  開口壁縁部３７１
３７２  縁部リップ部３７２
３８０  相手側壁縁部３８０
３８１  スナップラッチ３８１
３９１  プレス−イン−フィット部３９１
４００  呼吸装置４００
４０１  マウスピース４０１
４０３  マウシング部分４０３
４０５  少なくとも１つの接続端部４０５
４２０  少なくとも１つのホース４２０又は少なくとも１つのチュービング４２０
４２１  第１の末端部４２１
４２２  第２の末端部４２２
４３０  少なくとも１つのベッセル−チューブ−ホース−コネクタ４３０
４３１  開口４３１
４３３  内側部４３３
４３５  外側部４３５
４３７  バッティング−リング４３７
４３９  内側バッティング−リング４３９
４４１  コネクタ−リム４４１
４７０  少なくとも１つのグロメット−アコモデーティング−コンタ４７０
４７１  外側封じ込めリップ部４７１
４７３  内側封じ込めリップ部４７３
４７５  水抜き穴４７５
４７７  ドレン−チャネル４７７
５００  ヘッドレストサブアセンブリ５００
５０１  サポート部材５０１
５０２  少なくとも１つの快適な外側表面５０２
５０３  少なくとも１つのポスト５０３
５０４  ガス−ディフューザ−チュービング−溝部５０４
５０５  ２つの脚部５０５
５０６  少なくとも１つの磁石５０６
５０７  少なくとも１つのガイド５０７
５０８  スロット５０８
５１０  タブ５１０
５０９  キャップ５０９
５１１  少なくとも１つのプレート５１１
５１２  パッド５１２
５１３  デファインドチャネル５１３
６００  ヘッドレストサブアセンブリ６００
６５０  ヘッドレストサブアセンブリ６５０
７００  ヒータサブアセンブリ７００（ヒータ７００）
７０１  少なくとも１つの加熱要素７０１
７０２  要素７０２
７０３  ブッシング７０３
７０４  接続ブッシング７０４
７０５  フランジ７０５
７０６  電気端子７０６
７０７  電気配線７０７
７０８  ブッシング孔部７０８
７０９  ガスケット／ワッシャ７０９
７１０  少なくとも１つのナット７１０
７１１  要素受け入れチャネル７１１
７１５  シールド７１５
７１６  上側平面的表面７１６
７１７  液体通過手段７１７
７１８  シールド取り付け手段７１８
７１９  シールド脚部７１９
７２０  相補的で支持的な構造体７２０
７２１  シールド−バック−パネル７２１
８００  ガスディフューザ８００
８０１  １つ又は複数のガス−ディフューザ−チュービング８０１
８０３  多孔性の細長い部材８０３
８０５  中央の細長い部材８０５
８０７  第１の端部８０７
８０９  第２の端部８０９
８１１  端部キャップ８１１
８１２  フランジ８１２
８１３  コネクタ８１３
８１５  ホースバーブ８１５
８１７  空気ラインチュービングコネクタ８１７（ホースバーブ８１７）（ネジ部８１７）
８１９  空気ラインチュービング８１９
８２０  フランジ−レシーバ８２０
８３１  ガスケット８３１
８３２  ナット８３２
９００  少なくとも１つの電磁（ＥＭ）エミッタ９００
９０１  少なくとも１つのＬＥＤアレイ９０１
９０２  少なくとも１つのＬＥＤ９０２
９５０  ＬＥＤハウジング９５０
９５１  ＬＥＤハウジング−キャビティ９５１
９５２  開口９５２
１０００  メンブレンスイッチサブアセンブリ１０００
１００１  メンブレンスイッチカバー１００１
１００２  １つ又は複数の係合部のエリア１００２
１００３  少なくとも１つのステータスインジケータ１００３
１００５  係合部及び／又はステータスインジケータのエリア１００５
１００７  メンブレンスイッチ電子機器１００７
１００８  １つ又は複数のセンサ１００８
１００９  配線１００９
１０２０  ルーフ１０２０
１０２１  メンブレンスイッチ受け入れ凹部１０２１
１０２２  通路１０２２
１１００  コントローラ１１００
１１０１  プロセッサ１１０１
１１０２  メモリ１１０２
１１０３  出力手段１１０３
１１０４  ネットワークアダプタ１１０４
１１０５  レベルインジケータ１１０５
１１０６  温度センサ１１０６
１１０７  サーモスタット１１０７
１１１０  圧縮機１１１０
１１１５  電源１１１５
１１１６  電力コード１１１６
１１１７  ファン１１１７
１１５０  １つ又は複数のモバイルコンピューティングデバイス１１５０
１１６０  ネットワーク１１６０
１２００  デバイス１２００
１２０３  ウィンドウ１２０３
１２１１  第１のビーム１２１１
１２１２  第１の反射ビーム１２１２
１２１３  第１の屈折ビーム１２１３
１２１４  第２の反射ビーム１２１４
１２１５  第２の屈折ビーム１２１５
１２１６  第ｎの反射ビーム１２１６
１２１７  第ｎの屈折ビーム１２１７
１２１８  ｎ＋１反射ビーム１２１８
１２１９  ｎ＋１屈折ビーム１２１９
１２２７  （泡１２６又は泡１２８の）表面１２２７
１２２８  別の泡１２２８
１２４１  放射された電磁放射線１２４１（ＥＭ放射線１２４１）
１２４４  少なくとも１つの電磁エミッタ１２４４（ＥＭエミッタ１２４４）
１２４５  少なくとも１つの電磁エミッタ１２４５（ＥＭエミッタ１２４５）
１２４６  少なくとも１つの電磁エミッタ１２４６（ＥＭエミッタ１２４６）
１２４７  少なくとも１つの電磁エミッタ１２４７（ＥＭエミッタ１２４７）
１２４８  少なくとも１つの電磁エミッタ１２４８（ＥＭエミッタ１２４８）
１２４９  少なくとも１つの電磁エミッタ１２４９（ＥＭエミッタ１２４９）
１２５１  近接距離１２５１
１２５２  近接距離１２５２
１２６０  少なくとも１つのジェット１２６０
１３００  （湾曲した壁部ベッセルを備える）フェイスソーキングデバイス１３００
１３０１  湾曲した壁部１３０１
１３０３  内壁面１３０３
１３１０  少なくとも１つのベッセル−チューブ−ホース−ベント１３１０
１３１５  少なくとも１つのベース１３１５
１３２０  内部容積１３２０
１３５０  底部内側表面１３５０
１３５１  フェイスソーキングデバイス１３５１
１３６０  ベッセル１３６０
１３６１  少なくとも１つの壁部１３６１
１３８５  少なくとも１つの水平方向のホース１３８５又は少なくとも１つの水平方向のチューブ１３８５
１３７０  フェイスソーキングデバイス１３７０
１３７１  可撓性の側壁の領域１３７１
１３７２  ベッセル１３７２
１３７３  少なくとも１つの壁部１３７３
１３７４  第１の壁部厚さ１３７４
１３７５  第２の壁部厚さ１３７５
１４４９  キャリア１４４９
１５５９  ピン１５５９
１５６０  ピン受容部１５６０
１５６１  受け入れチャネル１５６１
１５６３  歯１５６３
１５６５  マイクロフィン１５６５
１６００  ノーズ−クリップ１６００
１６０２  細長い部材１６０２
１６０３  ２つの末端部１６０３
１６０５  中央ベンド領域１６０５
１６０６  主要半径１６０６
１６０７  終端構造体１６０７
１６０８  パッド１６０８
１６０９  タイトコイル１６０９
１７００  ノーズ−クリップ１７００
１７１０  ルースコイル１７１０
１８００  ノーズ−クリップ１８００
１８１１  球形構造体１８１１
１９００  コーティングされたノーズ−クリップ１９００
２０００  独立した呼吸装置２０００
２００１  出口ポート２００１
２０５０  独立した呼吸装置２０５０
２１００  組み合わせ呼吸装置及びヘッドレストサブアセンブリ２１００
２１０１  共通のスロット２１０１
２１０２  チャネル２１０２
２２０１  カラー２２０１
２２０２  カラータブ２２０２
２２０３  側壁タブレシーバ２２０３
２２０５  スリーブ２２０５
２２０６  スリーブタブ２２０６
２２１１  チャネルスリーブ２２１１
２２１２  側壁タブ２２１２
２２１３  チャネル２２１３
２２１４  フランジ２２１４
２２２１  カラーヒンジ２２２１
２２３１  少なくとも１つのベッセル−チューブ−ホース−コネクタ２２３１
２２３２  独立したフィンガープル２２３２
２２３４  少なくとも１つのグロメット−アコモデーティング−コンタ２２３４
２３００  ヘッドレストサブアセンブリ２３００
２３０１  第５の末端部２３０１
２３０２  第６の末端部２３０２
２３１１  上側表面２３１１
２３１２  下側表面２３１２
２３１５  ベンド２３１５
２３２０  スロット２３２０
２３２１  ネジ山付きのボルト／ネジ山付きのスクリュー２３２１
２３２２  摩擦クランプ２３２２
２３２３  ユーザ係合フランジ２３２３
２３３０  ネジ山付きの孔部２３３０
２３４０  ルーフ２３４０
２３５０  凹んだチャネル２３５０
２３７０  カバー２３７０
２３７５  センター孔２３７５
２３８０  角度２３８０
２４００  ヘッドレストサブアセンブリ２４００
２４１０  横断方向頭部サポート部材２４１０
２４２０  少なくとも１つの長手方向サポート２４２０
２４２１  第１の端部２４２１
２４２２  第２の端部２４２２
２４３０  カップリング２４３０
２４３１  受け入れ孔部２４３１
２４３５  セットスクリュー２４３５
２４４１  セットボルト２４４１
２４４２  ネジ山付きの部分２４４２
２４４３  ノブ２４４３
２４４５  ヘッドレスト−ブレーキ２４４５
２４４６  上側表面２４４６
２４５１  垂直方向のスロット２４５１
２４６１  キャビティ２４６１
２５００  ヘッドレストサブアセンブリ２５００
２５１１  少なくとも１つのストラット２５１１
２５１２  第３の末端部２５１２
２５１３  第４の末端部２５１３
２５１４  高さ調節スロット２５１４
２５１５  高さ調節ピン２５１５
２５２０  枢動可能なロッキング手段２５２０
２５２１  回転可能な軸部材２５２１
２５２２  摩擦クランプ２５２２
２５３０  ストラット取り付け手段２５３０
２５３１  ウイングボルト２５３１
２５４０  ヘッドレストサブアセンブリ２５４０
２５５０  ヘッドレストサブアセンブリ２５５０
２５６０  ヘッドレストサブアセンブリ２５６０
２６７１  少なくとも１つのトラック２６７１
２６８１  「Ｊ」字フック２６８１
２７００  Ｕ字形状のヒータ２７００
２７０５  Ｕ字形状のヒータ２７０５
２７１０  Ｏ字形状のヒータ２７１０
２７１５  バックヒータ２７１５
２７２０  Ｔ字形状のヒータ２７２０
２７２５  ダブルヒータ２７２５
２７３５  少なくとも１つの接続ブッシング２７３５
２７３６  第１の接続ブッシング２７３６
２７３７  第２の接続ブッシング２７３７
２７３８  フランジ１６３８
２７４５  要素受け入れチャネル２７４５
２７４８  要素受け入れトレイ２７４８
２７５１  第１の縁部２７５１
２７５２  第２の縁部２７５２
２７５３  シールドの横断方向の幅２７５３
２７５６  シールド取り付け部２７５６
２７６０  少なくとも１つのブッシング孔部２７６０
２７６１  第１のブッシング孔部２７６１
２７６２  第２のブッシング孔部２７６２
２７７０  少なくとも１つのナット２７７０
２７７５  アダプタ２７７５
２７８０  ワッシャ／ガスケット２７８０
３０１３  コネクタ３０１３
３０１９  フランジ３０１９
３０２０  フランジ−レシーバ３０２０
３０２１  空気ラインチュービングチャネル３０２１
３１０１  フックロック３１０１
３１０２  受け入れ溝部３１０２
３１０３  タブ３１０３
３１０４  内側開放空間３１０４
９０００  ユーザ９０００
９０１０  顔９０１０
９０２０  首９０２０
【図１Ａ】
2020032202.tif 000003
【図１Ｂ】
2020032202.tif 000004
【図２Ａ】
2020032202.tif 000005
【図２Ｂ】
2020032202.tif 000006
【図２Ｃ】
2020032202.tif 000007
【図２Ｄ】
2020032202.tif 000008
【図２Ｅ】
2020032202.tif 000009
【図２Ｆ】
2020032202.tif 000010
【図２Ｇ】
2020032202.tif 000011
【図２Ｈ】
2020032202.tif 000012
【図３Ａ】
2020032202.tif 000013
【図３Ｂ】
2020032202.tif 000014
【図３Ｃ】
2020032202.tif 000015
【図３Ｄ】
2020032202.tif 000016
【図３Ｅ】
2020032202.tif 000017
【図３Ｆ】
2020032202.tif 000018
【図３Ｇ】
2020032202.tif 000019
【図３Ｈ】
2020032202.tif 000020
【図３Ｉ】
2020032202.tif 000021
【図３Ｊ】
2020032202.tif 000022
【図３Ｌ】
2020032202.tif 000023
【図４Ａ】
2020032202.tif 000024
【図４Ｂ】
2020032202.tif 000025
【図４Ｃ】
2020032202.tif 000026
【図４Ｄ】
2020032202.tif 000027
【図４Ｅ】
2020032202.tif 000028
【図４Ｆ】
2020032202.tif 000029
【図４Ｇ】
2020032202.tif 000030
【図４Ｈ】
2020032202.tif 000031
【図４Ｉ】
2020032202.tif 000032
【図４Ｋ】
2020032202.tif 000033
【図４Ｌ】
2020032202.tif 000034
【図４Ｍ】
2020032202.tif 000035
【図４Ｎ】
2020032202.tif 000036
【図４Ｏ】
2020032202.tif 000037
【図４Ｐ】
2020032202.tif 000038
【図４Ｑ】
2020032202.tif 000039
【図５Ａ】
2020032202.tif 000040
【図５Ｂ】
2020032202.tif 000041
【図５Ｃ】
2020032202.tif 000042
【図５Ｄ】
2020032202.tif 000043
【図５Ｅ】
2020032202.tif 000044
【図５Ｆ】
2020032202.tif 000045
【図５Ｇ】
2020032202.tif 000046
【図５Ｈ】
2020032202.tif 000047
【図５Ｉ】
2020032202.tif 000048
【図６Ａ】
2020032202.tif 000049
【図６Ｂ】
2020032202.tif 000050
【図６Ｃ】
2020032202.tif 000051
【図６Ｄ】
2020032202.tif 000052
【図６Ｅ】
2020032202.tif 000053
【図６Ｆ】
2020032202.tif 000054
【図６Ｇ】
2020032202.tif 000055
【図６Ｈ】
2020032202.tif 000056
【図６Ｉ】
2020032202.tif 000057
【図６Ｊ】
2020032202.tif 000058
【図６Ｋ】
2020032202.tif 000059
【図７Ａ】
2020032202.tif 000060
【図７Ｂ】
2020032202.tif 000061
【図７Ｃ】
2020032202.tif 000062
【図７Ｄ】
2020032202.tif 000063
【図７Ｅ】
2020032202.tif 000064
【図７Ｆ】
2020032202.tif 000065
【図７Ｇ】
2020032202.tif 000066
【図７Ｈ】
2020032202.tif 000067
【図７Ｉ】
2020032202.tif 000068
【図７Ｊ】
2020032202.tif 000069
【図７Ｋ】
2020032202.tif 000070
【図７Ｌ】
2020032202.tif 000071
【図７Ｍ】
2020032202.tif 000072
【図７Ｎ】
2020032202.tif 000073
【図８Ａ】
2020032202.tif 000074
【図８Ｂ】
2020032202.tif 000075
【図８Ｃ】
2020032202.tif 000076
【図８Ｄ】
2020032202.tif 000077
【図８Ｅ】
2020032202.tif 000078
【図８Ｆ】
2020032202.tif 000079
【図８Ｇ】
2020032202.tif 000080
【図９Ａ】
2020032202.tif 000081
【図９Ｂ】
2020032202.tif 000082
【図９Ｃ】
2020032202.tif 000083
【図１０Ａ】
2020032202.tif 000084
【図１０Ｂ】
2020032202.tif 000085
【図１１Ａ】
2020032202.tif 000086
【図１１Ｂ】
2020032202.tif 000087
【図１２Ａ】
2020032202.tif 000088
【図１２Ｂ】
2020032202.tif 000089
【図１２Ｃ】
2020032202.tif 000090
【図１２Ｄ】
2020032202.tif 000091
【図１３Ａ】
2020032202.tif 000092
【図１３Ｂ】
2020032202.tif 000093
【図１３Ｃ】
2020032202.tif 000094
【図１４Ａ】
2020032202.tif 000095
【図１４Ｂ】
2020032202.tif 000096
【図１４Ｃ】
2020032202.tif 000097
【図１４Ｄ】
2020032202.tif 000098
【図１４Ｅ】
2020032202.tif 000099
【図１４Ｆ】
2020032202.tif 000100
【図１４Ｇ】
2020032202.tif 000101
【図１４Ｈ】
2020032202.tif 000102
【図１４Ｉ】
2020032202.tif 000103
【図１４Ｊ】
2020032202.tif 000104
【図１４Ｋ】
2020032202.tif 000105
【図１４Ｌ】
2020032202.tif 000106
【図１４Ｍ】
2020032202.tif 000107
【図１４Ｎ】
2020032202.tif 000108
【図１５Ａ】
2020032202.tif 000109
【図１５Ｂ】
2020032202.tif 000110
【図１５Ｃ】
2020032202.tif 000111
【図１５Ｄ】
2020032202.tif 000112
【図１５Ｅ】
2020032202.tif 000113
【図１５Ｆ】
2020032202.tif 000114
【図１６Ａ】
2020032202.tif 000115
【図１６Ｂ】
2020032202.tif 000116
【図１６Ｃ】
2020032202.tif 000117
【図１６Ｄ】
2020032202.tif 000118
【図１６Ｅ】
2020032202.tif 000119
【図１６Ｆ】
2020032202.tif 000120
【図１６Ｇ】
2020032202.tif 000121
【図１７Ａ】
2020032202.tif 000122
【図１７Ｂ】
2020032202.tif 000123
【図１７Ｃ】
2020032202.tif 000124
【図１７Ｄ】
2020032202.tif 000125
【図１７Ｅ】
2020032202.tif 000126
【図１７Ｆ】
2020032202.tif 000127
【図１７Ｇ】
2020032202.tif 000128
【図１８Ａ】
2020032202.tif 000129
【図１８Ｂ】
2020032202.tif 000130
【図１８Ｃ】
2020032202.tif 000131
【図１８Ｄ】
2020032202.tif 000132
【図１８Ｅ】
2020032202.tif 000133
【図１８Ｆ】
2020032202.tif 000134
【図１９Ａ】
2020032202.tif 000135
【図１９Ｂ】
2020032202.tif 000136
【図１９Ｃ】
2020032202.tif 000137
【図１９Ｄ】
2020032202.tif 000138
【図１９Ｅ】
2020032202.tif 000139
【図１９Ｆ】
2020032202.tif 000140
【図１９Ｇ】
2020032202.tif 000141
【図２０Ａ】
2020032202.tif 000142
【図２０Ｂ】
2020032202.tif 000143
【図２１Ａ】
2020032202.tif 000144
【図２１Ｂ】
2020032202.tif 000145
【図２１Ｃ】
2020032202.tif 000146
【図２１Ｄ】
2020032202.tif 000147
【図２１Ｅ】
2020032202.tif 000148
【図２２Ａ】
2020032202.tif 000149
【図２２Ｂ】
2020032202.tif 000150
【図２２Ｃ】
2020032202.tif 000151
【図２２Ｄ】
2020032202.tif 000152
【図２２Ｅ】
2020032202.tif 000153
【図２２Ｆ】
2020032202.tif 000154
【図２３Ａ】
2020032202.tif 000155
【図２３Ｂ】
2020032202.tif 000156
【図２３Ｃ】
2020032202.tif 000157
【図２３Ｄ】
2020032202.tif 000158
【図２３Ｅ】
2020032202.tif 000159
【図２３Ｆ】
2020032202.tif 000160
【図２４Ａ】
2020032202.tif 000161
【図２４Ｂ】
2020032202.tif 000162
【図２４Ｃ】
2020032202.tif 000163
【図２４Ｄ】
2020032202.tif 000164
【図２５Ａ】
2020032202.tif 000165
【図２５Ｂ】
2020032202.tif 000166
【図２５Ｃ】
2020032202.tif 000167
【図２５Ｄ】
2020032202.tif 000168
【図２５Ｅ】
2020032202.tif 000169
【図２５Ｆ】
2020032202.tif 000170
【図２５Ｇ】
2020032202.tif 000171
【図２５Ｈ】
2020032202.tif 000172
【図２６Ａ】
2020032202.tif 000173
【図２６Ｂ】
2020032202.tif 000174
【図２６Ｃ】
2020032202.tif 000175
【図２６Ｄ】
2020032202.tif 000176
【図２６Ｅ】
2020032202.tif 000177
【図２６Ｆ】
2020032202.tif 000178
【図２７Ａ】
2020032202.tif 000179
【図２７Ｂ】
2020032202.tif 000180
【図２７Ｃ】
2020032202.tif 000181
【図２７Ｄ】
2020032202.tif 000182
【図２７Ｅ】
2020032202.tif 000183
【図２７Ｆ】
2020032202.tif 000184
【図２７Ｇ】
2020032202.tif 000185
【図２７Ｈ】
2020032202.tif 000186
【図２７Ｉ】
2020032202.tif 000187
【図２８Ａ】
2020032202.tif 000188
【図２８Ｂ】
2020032202.tif 000189
【図２８Ｃ】
2020032202.tif 000190
【図２８Ｄ】
2020032202.tif 000191
【図２８Ｅ】
2020032202.tif 000192
【図２８Ｆ】
2020032202.tif 000193
【図２８Ｇ】
2020032202.tif 000194
【図２８Ｈ】
2020032202.tif 000195
【図２９】
2020032202.tif 000196
【図３０Ａ】
2020032202.tif 000197
【図３０Ｂ】
2020032202.tif 000198
【図３１】
2020032202.tif 000199
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
上部開口を有し、液体を保持することができるベッセルであって、前記ベッセルはガスケット−アコモデータを有し、前記ベッセルは、
前記ベッセルの前記ガスケット−アコモデータをカバーするためにガスケットとして機能する底部部分を有する可撓性シートを備え、
前記可撓性シートの前記底部部分と前記ベッセルの前記ガスケット−アコモデータの上部とが一次的な水密シールを形成するために互いに耐密に嵌合するように配置され、
前記底部部分から離れて配置された前記可撓性シートの異なる部分が、ユーザの首の前部部分を除去可能に受け入れて、前記可撓性シートの前記異なる部分と前記ユーザの首の前部部分との間に二次的な水密シールを形成するように構成され、
前記可撓性シート及び前記ベッセルは、前記ユーザの首の重量を直接支持しない、ベッセル。
【請求項２】
前記ベッセルは、前記ベッセルの前記ガスケット−アコモデータ上に前記可撓性シートの前記底部部分を確実に保持するためのクランプをさらに備え、前記クランプは前記可撓性シートとは構造的に分離している、請求項１に記載のベッセル。
【請求項３】
上部開口を有するベッセルであって、前記ベッセルの内部空間内に液体を保持することができるベッセルと、
前記内部空間の底部の近くの少なくとも一点にガスのストリームを供給して、前記ガスのストリームが、前記ベッセルが十分な量の液体を含むとき、放出された泡を生じさせる、供給手段と、
前記ベッセルの前記内部空間内に電磁放射線を放射して、それによって、前記ベッセルの前記内部空間内に放射された前記電磁放射線が、前記液体内に前記液体を通って放射されて、前記ベッセル内の前記液体内の前記泡の少なくともいくらかと相互作用する、少なくとも１つの電磁エミッタと、
ユーザの顔が前記ベッセルの前記液体内に沈められている間にユーザが呼吸することができるように構成された呼吸装置であって、前記ベッセルの側壁に取り付けられている呼吸装置と、を備えるソーキングデバイス。
【請求項４】
前記少なくとも１つの電磁エミッタが、発光ダイオード、白熱光源、及び、治療的電磁放射線の任意の他の光源の１以上から選択される、請求項３に記載のソーキングデバイス。
【請求項５】
ユーザの顔全体又はその一部分にフィットするようにサイズ決めされている内部容積を備えるベッセルであって、前記内部容積は、前記顔全体又はその一部分を沈めるのに十分な体積の液体を保持するようにサイズ決めされており、前記ベッセルは、少なくとも１つの壁部及び少なくとも１つのベースを備え、前記少なくとも１つの壁部及び前記少なくとも１つのベースは互いに物理的に接触しており、前記少なくとも１つの壁部及び前記少なくとも１つのベースはともに前記内部容積の境界を実質的に決めており、前記内部容積に対する上部開口が前記少なくとも１つのベースから反対側に配設されており、前記少なくとも１つの壁部はネック−ガスケット−アコモデータを備え、前記ネック−ガスケット−アコモデータはベッセルネックガスケットを収容する、ベッセルと、
前記ベッセルに接合される前記ベッセルネックガスケットであって、前記ネック−ガスケット−アコモデータにおいて、一次的な水密シールを形成し、前記顔全体又はその一部分が沈められるとき、前記ベッセルネックガスケットが前記ユーザの首領域の第１部分を受け入れるときに、二次的な水密シールが、前記首領域の前記第１部分と前記ベッセルネックガスケットとの間に形成され、前記ベッセルネックガスケットは前記首領域の前記第１部分と除去可能に接触している、ベッセルネックガスケットと、
前記ベッセルに物理的に取り付けられている、又は、前記ベッセルと物理的に接触している組み合わせヘッドレストサブアセンブリと物理的に組み合わされている呼吸装置であって、マウスピース、少なくとも１つのベッセル−チューブ−ホース−コネクタ、及び、少なくとも１つのホース又は少なくとも１つのチュービングを備え、前記少なくとも１つのホース又は前記少なくとも１つのチュービングは、前記マウスピースを前記少なくとも１つのベッセル−チューブ−ホース−コネクタに接続し、呼吸ガス移動のためのシールされた経路を提供し、前記マウスピースは、前記ユーザの口によって保持可能であり、前記少なくとも１つのベッセル−チューブ−ホース−コネクタは、前記呼吸装置と前記ベッセルとの間に物理的リンクを提供する前記ベッセルに取り付けられ、前記ユーザは、前記ユーザの口が前記マウスピースを保持しているときに前記呼吸装置を使用して呼吸することができる、呼吸装置と、を備え、
前記ベッセルが前記ベッセルの最大液体レベル以下のレベルまで前記液体で充填されているときに、前記ユーザは、前記顔全体又はその一部分を一定期間にわたって浸漬させ、前記一定期間にわたって前記液体の中に浸漬されている皮膚が、健康上の利益、審美的な利益、及び／又は、鎮静的な利益を受けるようになっている、フェイスソーキングデバイス。
【請求項６】
前記ネック−ガスケット−アコモデータが、前記ベッセルのリムの下方に延びている前記少なくとも１つの壁部の中にコンタを備え、前記リムは、前記上部開口の境界を実質的に定めており、前記コンタは、前記コンタの表面が最初に前記リムの下方を延びる場所において始まり、前記コンタは、前記コンタの前記表面が前記リムまで延びて戻る場所において終了するまで、継続しており、前記コンタが始まる場所、及び、前記コンタが終了する場所は、水平方向幅によって分離されており、前記コンタは、前記リムの高さから前記コンタの最下点へ、最大垂直方向長さを有する、請求項５に記載のフェイスソーキングデバイス。
【請求項７】
前記水平方向幅は、前記ユーザの首の直径以上である、請求項６に記載のフェイスソーキングデバイス。
【請求項８】
前記最大垂直方向長さは、前記ユーザの首の直径の半分以上である、請求項６に記載のフェイスソーキングデバイス。
【請求項９】
前記フェイスソーキングデバイスの前面から見たときの前記コンタの形状は、円形の３分の１から３分の３、楕円形の３分の１から３分の３、長円形の３分の１から３分の３、「Ｕ」字形状、馬蹄形、正多角形、非正多角形、及び半多角形からなる群から選択される、請求項６に記載のフェイスソーキングデバイス。
【請求項１０】
前記ベッセルネックガスケットは、前記ユーザの前記首領域の前記第１部分を受け入れるために調節的な上部縁部を備える、請求項５に記載のフェイスソーキングデバイス。
【請求項１１】
前記ベッセルネックガスケットは、可撓性の部材であり、前記ベッセルネックガスケットは、平面的であり、内部表面、及び、前記内部表面の反対側に配設されている外部表面を備えており、前記外部表面又は前記内部表面は、前記首領域の前記第１の部分とともに前記二次的な水密シールを形成するように適合する、請求項５に記載のフェイスソーキングデバイス。
【請求項１２】
前記ベッセルネックガスケットは、シリコーン、ゴム、ネオプレン、ニトリル、ビニール、ポリエチレン、及びポリプロピレンからなるエラストマーのうちの１つ又は複数から実質的に構築される、請求項５に記載のフェイスソーキングデバイス。
【請求項１３】
前記ベッセルネックガスケットは、前記ネック−ガスケット−アコモデータのコンタの形状及び表面に相補的である相手側縁部を含む、請求項５に記載のフェイスソーキングデバイス。
【請求項１４】
前記ベッセルネックガスケットの前記相手側縁部は、
（ａ）ベッセルネックガスケット取り付け手段によって、前記ネック−ガスケット−アコモデータの前記コンタに取り付けられ、又は、
（ｂ）前記ベッセルネックガスケット取り付け手段によって、前記コンタから第１固定距離において前記少なくとも１つの壁部の外壁面に取り付けられ、又は、
（ｃ）前記ベッセルネックガスケット取り付け手段によって、前記コンタから第２固定距離において前記少なくとも１つの壁部の内壁面に取り付けられている、請求項１３に記載のフェイスソーキングデバイス。
【請求項１５】
前記ベッセルネックガスケット取り付け手段は、熱溶着、超音波溶着、溶剤結合、化学接着剤、シーラント、及び機械的な締結具のうちの１つ又は複数から選択される、請求項１４に記載のフェイスソーキングデバイス。
【請求項１６】
取り付け配置（ａ）の前記ベッセルネックガスケット取り付け手段は、クランプである少なくとも１つの機械的な締結具を備え、前記ベッセルネックガスケットは、前記クランプの使用によって、前記ネック−ガスケット−アコモデータに取り付けられており、そのような取り付けは、前記一次的な水密シールを形成しており、前記クランプは、前記ネック−ガスケット−アコモデータへの摩擦嵌めによって、相補的にフィットするように形状決めされており、前記ベッセルネックガスケットの一部分は、前記クランプと前記ネック−ガスケット−アコモデータの前記コンタとの間に挟まれており、前記一次的な水密シールを形成している、請求項１４に記載のフェイスソーキングデバイス。
【請求項１７】
前記ベッセルネックガスケットの前記一部分は前記相手側縁部を含む、請求項１６に記載のフェイスソーキングデバイス。
【請求項１８】
前記クランプはリジッドである、請求項１６に記載のフェイスソーキングデバイス。
【請求項１９】
前記ベッセルネックガスケットは前記ベッセルに除去可能に接合されている、請求項５に記載のフェイスソーキングデバイス。
【請求項２０】
前記ネック−ガスケット−アコモデータ及び前記ベッセルネックガスケットは、互いに一体的になっており、前記少なくとも１つの壁部と一体的になっており、前記ベッセルネックガスケットは、セミリジッドからリジッドである前記少なくとも１つの壁部の取り囲む壁部厚さよりも小さい薄い壁部厚さを有する可撓性の側壁の領域であり、前記ネック−ガスケット−アコモデータは、前記薄い壁部厚さが前記取り囲む壁部厚さへと移行する可撓性の側壁の前記領域のいくつかの部分の周りの移行領域である、請求項５に記載のフェイスソーキングデバイス。
【請求項２１】
ヘッドレストサブアセンブリをさらに備え、前記ヘッドレストサブアセンブリの少なくともいくつかの部分は、前記ベッセルに取り付けられており、前記ヘッドレストサブアセンブリは、サポート部材を含むことが可能であり、前記サポート部材の少なくともいくつかの部分は、前記内部容積の中に位置付けされており、前記サポート部材は、前記顔全体又はその一部分が前記内部容積の中に除去可能に位置付けされているときに、前記ユーザの頭部の一部分を支持する、請求項５に記載のフェイスソーキングデバイス。
【請求項２２】
前記ヘッドレストサブアセンブリは、高さ調節手段をさらに備え、前記高さ調節手段は、前記ベッセルの前記少なくとも１つのベースから前記ベッセルの前記上部開口へ垂直方向に延びる軸線に対して、前記ベッセルの前記内部容積の中の前記サポート部材の前記少なくともいくつかの部分の高さを変化させ、前記高さ調節手段は、前記サポート部材の前記少なくともいくつかの部分に物理的に接触している、請求項２１に記載のフェイスソーキングデバイス。
【請求項２３】
前記ヘッドレストサブアセンブリは、前後調節手段をさらに備え、前記前後調節手段は、前記フェイスソーキングデバイスの前面から後面へ延びる前記フェイスソーキングデバイスの経線に沿って、前記サポート部材の場所を変化させ、前記前後調節手段は、前記ベッセルに物理的に接触している、請求項２１に記載のフェイスソーキングデバイス。
【請求項２４】
ヒータサブアセンブリをさらに備え、前記ヒータサブアセンブリの少なくとも一部分は、前記ベッセルに取り付けられており、前記ヒータサブアセンブリは、前記内部容積の中の前記液体の少なくとも一部分を加熱する加熱要素を含む、請求項５に記載のフェイスソーキングデバイス。
【請求項２５】
エアレータをさらに備え、前記エアレータは、ガスディフューザ、及び、前記ガスディフューザに物理的に連通しているガス供給源を備え、前記ガスディフューザは、前記ベッセルに取り付けられており、前記ガス供給源は、前記ガスディフューザにガスを提供し、前記ガスディフューザは、前記ガスディフューザの多孔性の構造体を通して受け入れられる前記ガスの少なくともいくつかを前記内部容積の中へ放出する、請求項５に記載のフェイスソーキングデバイス。
【請求項２６】
前記ガス供給源は、圧縮ガスを含むシリンダ、大気をポンプ送りするための空気ポンプ、又は、前記ガスを圧縮するための圧縮機のうちの１つ又は複数から選択される、請求項２５に記載のフェイスソーキングデバイス。
【請求項２７】
少なくとも１つの電磁エミッタをさらに備え、前記少なくとも１つの電磁エミッタは、所定の範囲の波長にわたる電磁放射線を放射し、前記少なくとも１つの電磁エミッタの少なくともいくつかの部分は、前記ベッセルに取り付けられており、放射された電磁放射線の少なくともいくつかは、前記内部容積の中へ放射される、請求項５に記載のフェイスソーキングデバイス。
【請求項２８】
前記少なくとも１つの電磁エミッタは、少なくとも１つの発光ダイオードである、請求項２７に記載のフェイスソーキングデバイス。
【外国語明細書】
2020032202000001.pdf